(57)【特許請求の範囲】
【請求項１】
信号通信システム（ＳＣＳ）であって、
前記信号通信システム（ＳＣＳ）は、少なくとも３つの信号通信システム・エンティティ（ＳＣＳ−Ａ−１）を備え、
前記信号通信システム・エンティティ（ＳＣＳ−Ａ−１）のうちの少なくとも１つは、信号ノード識別情報（ＳＮ−Ａ−２３）によって識別され、自身の環境と物理的に対話するとともに、１つまたは複数の物理特性（ＰＰ）と対応する１つまたは複数の信号（ＳＧ）とを変換するように構成される信号ノード物理特性手段（ＳＮ−Ａ−３４）を備える信号ノード（ＳＮ）であり、
前記信号通信システム・エンティティ（ＳＣＳ−Ａ−１）のうちの少なくとも１つは、信号（ＳＧ）のデータ・インターフェースを提供するように構成されるクライアント・ノード信号データ・インターフェース（ＣＮ−Ａ−１５）を備えるクライアント・ノード（ＣＮ）であり、前記クライアント・ノード（ＣＮ）はクライアント・ノード識別情報（ＣＮ−Ａ−１６）によって識別され、前記信号ノード（ＳＮ）と対話するために前記１つまたは複数の信号（ＳＧ）のうちの少なくとも１つを受信するように構成されており、
前記信号通信システム・エンティティ（ＳＣＳ−Ａ−１）のうちの少なくとも１つは、分配システム識別情報（ＤＳ−Ａ−１９）によって識別され、前記１つまたは複数の信号（ＳＧ）のうちの少なくとも１つを信号ノード（ＳＮ）とクライアント・ノード（ＣＮ）との間で切り替えるように構成される分配システム（ＤＳ）であり、
前記信号ノード（ＳＮ）は注入トランスポート・チャネル（ＩＴ−Ｔ−１）を使用して前記少なくとも１つの分配システム（ＤＳ）のうちの少なくとも１つに通信可能に結合されて、前記１つまたは複数の信号（ＳＧ）のうちの少なくとも１つの信号表現（ＳＧ−Ａ−１）のうちの注入トランスポート表現（ＩＴ−Ｔ−２）を送信し、
前記クライアント・ノード（ＣＮ）は分配トランスポート・チャネル（ＤＴ−Ｔ−１）を使用して前記少なくとも１つの分配システム（ＤＳ）のうちの少なくとも１つに通信可能に結合されて、前記１つまたは複数の信号（ＳＧ）のうちの少なくとも１つの前記信号表現（ＳＧ−Ａ−１）のうちの分配トランスポート表現（ＤＴ−Ｔ−２）を受信し、
前記信号ノード（ＳＮ）は前記クライアント・ノード（ＣＮ）のうちの少なくとも１つに通信可能に結合されて、前記注入トランスポート・チャネル（ＩＴ−Ｔ−１）、前記分配システム（ＤＳ）および前記分配トランスポート・チャネル（ＤＴ−Ｔ−１）を使用して前記複数の信号表現（ＳＧ−Ａ−１）をトランスポートし、
前記信号ノード（ＳＮ）は、信号ノード識別情報（ＳＮ−Ａ−２３）と、それぞれが前記１つまたは複数の信号（ＳＧ）の各信号（ＳＧ）のハンドルである１つまたは複数の信号注入ラベル（ＳＧ−Ｔ−４）とを備える信号ノード・アイデンティティ・レジスタ（ＳＮ−Ａ−２２）を保持するように構成されており、
前記信号ノード（ＳＮ）は、
信号（ＳＧ）から前記信号表現（ＳＧ−Ａ−１）を提供するように構成される信号ノード信号表現手段（ＳＮ−Ａ−４０）と、
前記注入トランスポート・チャネル（ＩＴ−Ｔ−１）に信号表現（ＳＧ−Ａ−１）を搬送することを求める信号ノード要求（ＳＮ−Ａ−３６）を伝送するように構成される信号ノード要求手段（ＳＮ−Ａ−３７）と、
を実行するように構成されており、
前記クライアント・ノード（ＣＮ）は、クライアント・ノード識別情報（ＣＮ−Ａ−１６）と、それぞれが前記１つまたは複数の信号（ＳＧ）の各信号（ＳＧ）のハンドルである１つまたは複数の信号分配ラベル（ＳＧ−Ｔ−２）とを備えるクライアント・ノード・アイデンティティ・レジスタ（ＣＮ−Ａ−１４）を保持するように構成されており、
前記クライアント・ノード（ＣＮ）は、
信号表現（ＳＧ−Ａ−１）から信号（ＳＧ）を提供するように構成されるクライアント・ノード信号表現解釈手段（ＣＮ−Ａ−２４）と、
分配トランスポート・チャネル（ＤＴ−Ｔ−１）で信号表現（ＳＧ−Ａ−１）を搬送するクライアント・ノード応答（ＣＮ−Ａ−１９）を受信するように構成されるクライアント・ノード応答手段（ＣＮ−Ａ−２０）と、
を実行するように構成されており、
前記分配システム（ＤＳ）は前記複数の信号表現（ＳＧ−Ａ−１）を分配するように構成されているとともに、分配システム識別情報（ＤＳ−Ａ−１９）と、関連信号注入ラベル（ＳＧ−Ｔ−４）付きの前記信号ノード識別情報（ＳＮ−Ａ−２３）のうちの１つまたは複数と、関連信号分配ラベル（ＳＧ−Ｔ−２）付きの前記クライアント・ノード識別情報（ＣＮ−Ａ−１６）のうちの１つまたは複数とを備える分配システム・アイデンティティ・レジスタ（ＤＳ−Ａ−１８）を保持するように構成されており、
前記分配システム（ＤＳ）は、
注入トランスポート表現（ＩＴ−Ｔ−２）から信号表現（ＳＧ−Ａ−１）および対応する信号注入ラベル（ＳＧ−Ｔ−４）を提供するように構成される分配システム注入トランスポート表現解釈手段（ＤＳ−Ｔ−２４）と、
信号表現（ＳＧ−Ａ−１）および対応する信号分配ラベル（ＳＧ−Ｔ−２）から分配トランスポート表現（ＤＴ−Ｔ−２）を提供するように構成される分配システム分配トランスポート表現手段（ＤＳ−Ｔ−１８）と、
を実行するように構成されており、
前記分配システム（ＤＳ）は、信号注入ラベル（ＳＧ−Ｔ−４）および１つまたは複数の関連信号分配ラベル（ＳＧ−Ｔ−２）に基づいて、注入トランスポート・チャネル（ＩＴ−Ｔ−１）と１つまたは複数の分配トランスポート・チャネル（ＤＴ−Ｔ−１）との間で複数の信号表現（ＳＧ−Ａ−１）を切り替えるように構成される分配システム信号表現切り替え手段（ＤＳ−Ｔ−３４）を実行するように構成される、信号通信システム（ＳＣＳ）。
【請求項２】
前記信号ノード（ＳＮ）は、
信号表現（ＳＧ−Ａ−１）から信号（ＳＧ）を提供するように構成される信号ノード信号表現解釈手段（ＳＮ−Ａ−３９）と、
前記注入トランスポート・チャネル（ＩＴ−Ｔ−１）で信号表現（ＳＧ−Ａ−１）を搬送する信号ノード応答（ＳＮ−Ａ−３２）を受信するように構成される信号ノード応答手段（ＳＮ−Ａ−３３）と、
を実行するように構成されており、
前記クライアント・ノード（ＣＮ）は、
信号（ＳＧ）から信号表現（ＳＧ−Ａ−１）を提供するように構成されるクライアント・ノード信号表現手段（ＣＮ−Ａ−２５）と、
分配トランスポート・チャネル（ＤＴ−Ｔ−１）に信号表現（ＳＧ−Ａ−１）を搬送することを求めるクライアント・ノード要求（ＣＮ−Ａ−２１）を伝送するように構成されるクライアント・ノード要求手段（ＣＮ−Ａ−２２）と、
を実行するようにさらに構成されており、
前記分配システム（ＤＳ）は、
分配トランスポート表現（ＤＴ−Ｔ−２）から信号表現（ＳＧ−Ａ−１）および対応する信号分配ラベル（ＳＧ−Ｔ−２）を提供するように構成される分配システム分配トランスポート表現解釈手段（ＤＳ−Ｔ−１７）と、
信号表現（ＳＧ−Ａ−１）および対応する信号注入ラベル（ＳＧ−Ｔ−４）から注入トランスポート表現（ＩＴ−Ｔ−２）を提供するように構成される分配システム注入トランスポート表現手段（ＤＳ−Ｔ−２５）と、
を実行するように構成されている、請求項１に記載の信号通信システム（ＳＣＳ）。
【請求項３】
前記分配システム（ＤＳ）は、それぞれが信号注入ラベル（ＳＧ−Ｔ−４）を１つまたは複数の信号分配ラベル（ＳＧ−Ｔ−２）に関連付ける複数の分配システム信号表現切り替えパラメータ記録（ＤＳ−Ｔ−３５）を備える分配システム切り替え制御レジスタ（ＤＳ−Ｔ−４５）を保持するように構成されている、請求項１または２に記載の信号通信システム（ＳＣＳ）。
【請求項４】
前記分配システム信号表現切り替え手段（ＤＳ−Ｔ−３４）は、多数の分配トランスポート表現（ＤＴ−Ｔ−２）を提供するように構成されており、その数は、前記複数の分配システム信号表現切り替えパラメータ記録（ＤＳ−Ｔ−３５）に従い前記信号注入ラベル（ＳＧ−Ｔ−４）に関連付けられている信号分配ラベル（ＳＧ−Ｔ−２）の数に対応する、請求項１〜３のいずれか１項に記載の信号通信システム（ＳＣＳ）。
【請求項５】
前記分配システム信号表現切り替え手段（ＤＳ−Ｔ−３４）は、前記多数の分配トランスポート表現（ＤＴ−Ｔ−２）にそれぞれ、前記取得した信号表現（ＳＧ−Ａ−１）のコピーと、対応する分配システム信号表現切り替えパラメータ記録（ＤＳ−Ｔ−３５）によって前記信号注入ラベル（ＳＧ−Ｔ−４）に関連付けられている１つまたは複数の信号分配ラベル（ＳＧ−Ｔ−２）のうちの１つとを提供するように構成される、請求項１〜４のいずれか１項に記載の信号通信システム（ＳＣＳ）。
【請求項６】
前記分配システム（ＤＳ）は、検討される分配システム信号表現切り替えパラメータ記録（ＤＳ−Ｔ−３５）で構成された注入トランスポート表現（ＩＴ−Ｔ−２）と分配トランスポート表現（ＤＴ−Ｔ−２）との間の切り替えを停止するように、分配システム信号表現切り替えパラメータ記録（ＤＳ−Ｔ−３５）を再構成するように構成される、分配システム信号表現切り替えパラメータ記録登録解除手段（ＤＳ−Ｔ−３６）を行うように構成される、請求項１〜５のいずれか１項に記載の信号通信システム（ＳＣＳ）。
【請求項７】
前記信号通信システム・エンティティ（ＳＣＳ−Ａ−１）のそれぞれは、信号通信システム・ネットワーク（ＳＣＳ−Ｎ−５）を備えるか、または信号通信システム・ネットワーク（ＳＣＳ−Ｎ−５）に接続されている信号通信システム・エンティティ・ネットワーク（ＳＣＳ−Ｎ−１）との信号通信システム・エンティティ・ネットワーク・インターフェース（ＳＣＳ−Ｎ−３）を少なくとも１つ備え、
前記信号通信システム・エンティティ・ネットワーク・インターフェース（ＳＣＳ−Ｎ−３）は、前記信号通信システム・ネットワーク表現手段（ＳＣＳ−Ｎ−８）を信号通信システム・トランスポート表現（ＳＣＳ−Ｔ−１）に適用して、前記信号通信システム・エンティティ・ネットワーク（ＳＣＳ−Ｎ−１）上で搬送するための信号通信システム・ネットワーク表現（ＳＣＳ−Ｎ−７）を確立するとともに、前記信号通信システム・ネットワーク表現解釈手段（ＳＣＳ−Ｎ−９）を適用して、前記信号通信システム・エンティティ・ネットワーク（ＳＣＳ−Ｎ−１）上で受信した信号通信システム・ネットワーク表現（ＳＣＳ−Ｎ−７）から信号通信システム・トランスポート表現（ＳＣＳ−Ｔ−１）を確立するように構成される、請求項１〜６のいずれか１項に記載の信号通信システム（ＳＣＳ）。
【請求項８】
少なくとも２つの異なる信号通信システム・エンティティ（ＳＣＳ−Ａ−１）の前記信号通信システム・エンティティ・ネットワーク・インターフェース（ＳＣＳ−Ｎ−３）は、異なるネットワーク技術または規格をインターフェースするように構成される、請求項１〜７のいずれか１項に記載の信号通信システム（ＳＣＳ）。
【請求項９】
前記信号ノード（ＳＮ）は、信号ノード・バッテリ（ＳＮ−Ａ−４７）を備え、主にバッテリ駆動されるように構成され
前記信号ノードは信号ノード・プロセッサと信号ノード・メモリとを備える、請求項１〜８のいずれか１項に記載の信号通信システム（ＳＣＳ）。
【請求項１０】
前記信号ノード（ＳＮ）は物理特性（ＰＰ）を信号（ＳＧ）に変換する信号ノード物理ユニット・センサ（ＳＮ−Ａ−３５）を備える、請求項１〜９のいずれか１項に記載の信号通信システム（ＳＣＳ）。
【請求項１１】
前記信号ノード（ＳＮ）は、電気手段によって電力を供給されるかまたは制御されるように構成されるとともに、信号（ＳＧ）を物理特性（ＰＰ）に変換するように構成される信号ノード電気アクチュエータ（ＳＮ−Ａ−２０）を備える、請求項１〜１０のいずれか１項に記載の信号通信システム（ＳＣＳ）。
【請求項１２】
前記信号ノード（ＳＮ）は、信号表現（ＳＧ−Ａ−１）の提供および受信で使用される信号ノード信号表現特性（ＳＮ−Ａ−４６）を備える信号ノード信号表現特性レジスタ（ＳＮ−Ａ−４４）を保持し、
前記信号ノード（ＳＮ）は、前記対応する信号ノード信号表現特性（ＳＮ−Ａ−４６）に基づいて、信号（ＳＧ）から信号表現（ＳＧ−Ａ−１）を提供するように構成される信号ノード信号表現手段（ＳＮ−Ａ−４０）を行うように構成され、
前記信号ノード信号表現特性は、信号表現完全性保護タグ（ＳＧ−Ａ−２）、信号表現認証タグ（ＳＧ−Ａ−３）、前記信号表現（ＳＧ−Ａ−１）のフォーマット化または暗号化のうちの少なくとも１つに基づいて生成する、請求項１〜１１のいずれか１項に記載の信号通信システム（ＳＣＳ）。
【請求項１３】
前記信号ノード（ＳＮ）は信号ノード（ＳＮ）と分配システム（ＤＳ）との間の通信を確立するように構成される信号ノード・コミッショニング手段（ＳＮ−Ａ−１３）を備え、
前記信号ノード（ＳＮ）は、信号ノード・コミッショニング識別情報メッセージ（ＳＮ−Ａ−４）を生成するように構成される信号ノード・コミッショニング識別情報メッセージ生成手段（ＳＮ−Ａ−７）を備える、請求項１〜１２のいずれか１項に記載の信号通信システム（ＳＣＳ）。
【請求項１４】
前記クライアント・ノード（ＣＮ）は、前記クライアント・ノード信号データ・インターフェース（ＣＮ−Ａ−１５）で信号（ＳＧ）を提供および受信するために、自律的に動くデバイスとして構成されたマシンであり、
前記クライアント・ノード（ＣＮ）はクライアント・ノード・プロセッサ（ＣＮ−Ａ−３５）とクライアント・ノード・メモリ（ＣＮ−Ａ−３６）とを備える、請求項１〜１３のいずれか１項に記載の信号通信システム（ＳＣＳ）。
【請求項１５】
前記クライアント・ノード（ＣＮ）はクライアント・ノード・アプリケーション・コントローラ（ＣＮ−Ａ−４１）を備え、前記クライアント・ノード（ＣＮ）は前記信号ノード（ＳＮ）の１つまたは複数から入力信号である１つまたは複数の信号（ＳＧ）を受信し、前記クライアント・ノード・アプリケーション・コントローラ（ＣＮ−Ａ−４１）によって前記受信した信号（ＳＧ）を処理して、制御信号である１つまたは複数の信号（ＳＧ）を確立するとともに、制御信号である前記信号（ＳＧ）を信号ノード電気アクチュエータ（ＳＮ−Ａ−２０）を備える前記信号ノード（ＳＮ）の１つまたは複数に伝送するように構成される、請求項１〜１４のいずれか１項に記載の信号通信システム（ＳＣＳ）。
【請求項１６】
前記分配システム（ＤＳ）は、前記分配システム（ＤＳ）で前記信号（ＳＧ）の切り替えをコミッショニングするために使用されるカタログシステム記録（ＣＳ−Ａ−２２）のリストを提供するように構成されるカタログシステム（ＣＳ）であるエンティティに通信可能に結合されており、前記カタログシステム（ＣＳ）および前記分配システム（ＤＳ）は、分配システム・カタログシステム・チャネル（ＤＳ−Ｔ−１０）によって通信可能に結合されている、請求項１〜１５のいずれか１項に記載の信号通信システム（ＳＣＳ）。
【請求項１７】
前記分配システム（ＤＳ）は、通信用の分配システム通信チャネル（ＤＳ−Ｔ−１）をそれぞれ使用して、多数の分配システム通信エンティティ（ＤＳ−Ａ−２）に通信可能に結合され、
前記多数の分配システム通信エンティティ（ＤＳ−Ａ−２）は、分配システム通信チャネル（ＤＳ−Ｔ−１）として注入トランスポート・チャネル（ＩＴ−Ｔ−１）を使用する少なくとも１つの信号ノード（ＳＮ）と、分配システム通信チャネル（ＤＳ−Ｔ−１）として分配トランスポート・チャネル（ＤＴ−Ｔ−１）を使用する少なくとも１つのクライアント・ノード（ＣＮ）とを備える、請求項１〜１６のいずれか１項に記載の信号通信システム（ＳＣＳ）。
【請求項１８】
アイデンティティ・レジスタ・アイデンティティ（ＩＲ−Ａ−７）、対応するアイデンティティ・レジスタ識別情報（ＩＲ−Ａ−１）、および前記信号通信システム・エンティティ（ＳＣＳ−Ａ−１）の各アイデンティティを検証するように構成される１つまたは複数の識別情報（ＩＮ−Ａ−１）を備えるアイデンティティ・レジスタ（ＩＲ）を備える、請求項１〜１７のいずれか１項に記載の信号通信システム（ＳＣＳ）。
【請求項１９】
前記信号ノード（ＳＮ）のうちの少なくとも１つと前記クライアント・ノード（ＣＮ）のうちの少なくとも１つとを備えるように構成される物理デバイスであるハイブリッド信号クライアント・ノード（ＨＹ−Ａ−２）を備える、請求項１〜１８のいずれか１項に記載の信号通信システム（ＳＣＳ）。
【請求項２０】
前記信号ノード（ＳＮ）のうちの少なくとも１つと前記分配システム（ＤＳ）のうちの少なくとも１つとを備えるように構成される物理デバイスであるハイブリッド信号分配ノード（ＨＹ−Ａ−４）を備える、請求項１〜１９のいずれか１項に記載の信号通信システム（ＳＣＳ）。
【発明の詳細な説明】
【技術分野】
【０００１】
本発明は、信号通信システムおよび信号を通信する方法に関する。
【背景技術】
【０００２】
信号通信システムは様々な目的で様々な利用者のために広く使われている。特に、インターネット経由で通信する通信システムは、通信する当事者間で通信を確立するときにフレキシビリティとスケーラビリティを提供する。この技術分野で周知の問題は、サードパーティからのアクセスまたは途絶に対して当該システムを保護しなければならないこと、例えば、情報への無許可のアクセス、活動および当事者の監視、情報の修正、ＩＤなりすまし、サービス妨害攻撃、ハッキングなどのうち少なくともいくつかに対して保護しなければならないことである。したがって、インターネットに接続されるコンピュータは、このような望まれない無許可のアクセスに対して何らかの保護を含むであろう。このような保護に関連する問題は、接続されるコンピュータを定期的に更新しなければならないこと、コンピュータの性能が低下すること、またはコンピュータのフレキシビリティが制限されてくることである。
【０００３】
従来の信号通信システムの別の課題は、特に様々なセキュリティ対策が施されているときには、所望の情報の検索およびサブスクリプションである。これに関するある問題は、例えば文字通り数十億ものインターネット接続機器の導入に伴い、様々なシステムで利用できるようになる新情報の爆発的に増大する量、および従来の検索エンジンがこの課題を管理する方法である。これに関する他の課題は、この情報を管理し、見つけ出し、トランスポートするために必要な、比例して爆発的に増大するエネルギ消費量、ならびに検索を改善し、無関係および潜在的に悪意のあるデータ通信を減らすためまたは無関係もしくは潜在的に悪意のあるデータ通信を減らすために正確で確実なデータの識別および記述を実現する方法である。
【０００４】
また、これらの課題のいくつかを処理するために導入される従来のクラウドベースのストレージおよびデータプロキシは、例えば、不安定さやプライバシーへの不安を生みだし、それ自体が問題を提起する。
【発明の概要】
【０００５】
発明者らは、大規模信号通信のための従来の様々なシステムやアプローチにおける上記したおよびその他の課題および問題を割り出し、様々な実施形態において、前述の課題および問題のうちの１つまたは複数を克服し、またはこれらを低減する新規で有用な改良された信号通信システムおよび方法を発明した。
【０００６】
一態様において、本発明は信号通信システムに関し、
信号通信システムは、少なくとも３つの信号通信システム・エンティティを備え、
前記信号通信システム・エンティティのうちの少なくとも１つは、信号ノード識別情報によって識別され、自身の周囲と物理的に対話するとともに、１つまたは複数の物理特性と、対応する１つまたは複数の信号とを変換するように構成される信号ノード物理特性手段を備える信号ノードであり、
前記信号通信システム・エンティティのうちの少なくとも１つは、信号のデータ・インターフェースを提供するように構成されるクライアント・ノード信号データ・インターフェースを備えるクライアント・ノードであり、前記クライアント・ノードはクライアント・ノード識別情報によって識別され、前記信号ノードと対話するために前記１つまたは複数の信号のうちの少なくとも１つの信号を受信または送信するように構成されており、
前記信号通信システム・エンティティのうちの少なくとも１つは、分配システム識別情報によって識別され、前記１つまたは複数の信号のうちの前記少なくとも１つの信号を信号ノードとクライアント・ノードとの間で切り替えるように構成される分配システムであり、
信号ノードは注入トランスポート・チャネルを使用して少なくとも１つの分配システムのうちの少なくとも１つに通信可能に結合されて、前記１つまたは複数の信号のうちの前記少なくとも１つの信号表現のうちの注入トランスポート表現を送受信し、
クライアント・ノードは、分配トランスポート・システムを使用して少なくとも１つの分配システムのうちの少なくとも１つに通信可能に結合されて、前記１つまたは複数の信号のうちの前記少なくとも１つの信号の信号表現のうちの分配トランスポート表現を送受信し、
信号ノードは前記クライアント・ノードのうちの少なくとも１つに通信可能に結合されて、注入トランスポート・チャネル、前記分配システムおよび分配トランスポート・チャネルを使用して前記信号表現をトランスポートし、
信号ノードは、信号ノード識別情報と、それぞれが前記１つまたは複数の信号の各信号のハンドルである１つまたは複数の信号注入ラベルとを備える、信号ノード・アイデンティティ・レジスタを保持するように構成されており、
信号ノードは、
信号から前記信号表現を提供するように構成される信号ノード信号表現手段と、
信号表現から信号を提供するように構成される信号ノード信号表現解釈手段と、
信号表現を前記注入トランスポート・チャネルに搬送することを求める信号ノード要求を送信するように構成される信号ノード要求手段と、
前記注入トランスポート・チャネルで信号表現を搬送する信号ノード応答を受信するように構成される信号ノード応答手段と、
を実行するように構成されており、
クライアント・ノードは、クライアント・ノード識別情報と、それぞれが前記１つまたは複数の信号の各信号のハンドルである１つまたは複数の信号分配ラベルとを備えるクライアント・ノード・アイデンティティ・レジスタを保持するように構成されており、
クライアント・ノードは、
信号表現から信号を提供するように構成されるクライアント・ノード信号表現解釈手段と、
信号から信号表現を提供するように構成されるクライアント・ノード信号表現手段と、
信号表現を分配トランスポート・チャネルに搬送することを求めるクライアント・ノード要求を伝送するように構成されるクライアント・ノード要求手段と、
分配トランスポート・チャネルで信号表現を搬送するクライアント・ノード応答を受信するように構成されるクライアント・ノード応答手段と、
を実行するように構成されており、
分配システムは、前記信号表現を分配するように構成されているとともに、分配システム識別情報と、関連信号注入ラベル付きの前記信号ノード識別情報のうちの１つまたは複数と、関連信号分配ラベル付きの前記クライアント・ノード識別情報のうちの１つまたは複数とを備える分配システム・アイデンティティ・レジスタを保持するように構成されており、
分配システムは、
注入トランスポート表現から信号表現および対応する信号注入ラベルを提供するように構成される分配システム・注入トランスポート表現解釈手段と、
信号表現および対応する信号分配ラベルから分配トランスポート表現を提供するように構成される分配システム分配トランスポート表現手段と、
分配トランスポート表現から信号表現および対応する信号分配ラベルを提供するように構成される分配システム分配トランスポート表現解釈手段と、
信号表現および対応する信号注入ラベルから注入トランスポート表現を提供するように構成される分配システム注入トランスポート表現手段と、
を実行するように構成されており、
分配システムは、信号注入ラベルおよび１つまたは複数の関連信号分配ラベルに基づいて、注入トランスポート・チャネルと１つまたは複数の分配トランスポート・チャネルとの間で信号表現を切り替えるように構成される分配システム信号表現切り替え手段を実行するように構成される。
【０００７】
一態様において、本発明は信号通信システムに関し、
信号通信システムは、少なくとも３つの信号通信システム・エンティティを備え、
前記信号通信システム・エンティティのうちの少なくとも１つは、信号ノード識別情報によって識別され、自身の周囲と物理的に対話するとともに、１つまたは複数の物理的特性と対応する１つまたは複数の信号とを変換するように構成される信号ノード物理特性手段を備える信号ノードであり、
前記信号通信システム・エンティティのうちの少なくとも１つは、信号のデータ・インターフェースを提供するように構成されるクライアント・ノード信号データ・インターフェースを備えるクライアント・ノードであり、前記クライアント・ノードはクライアント・ノード識別情報によって識別され、前記信号ノードと対話するために前記１つまたは複数の信号のうちの少なくとも１つの信号を受信するように構成されており、
前記信号通信システム・エンティティのうちの少なくとも１つは、分配システム識別情報によって識別され、前記１つまたは複数の信号のうちの前記少なくとも１つの信号を信号ノードとクライアント・ノードとの間で切り替えるように構成される分配システムであり、
信号ノードは注入トランスポート・チャネルを使用して少なくとも１つの分配システムのうちの少なくとも１つに通信可能に結合されて、前記１つまたは複数の信号のうちの前記少なくとも１つの信号の信号表現のうちの注入トランスポート表現を送信し、
クライアント・ノードは分配トランスポート・チャネルを使用して少なくとも１つの分配システムのうちの少なくとも１つに通信可能に結合されて、前記１つまたは複数の信号のうちの前記少なくとも１つの信号の信号表現のうちの分配トランスポート表現を受信し、
信号ノードは前記クライアント・ノードのうちの少なくとも１つに通信可能に結合されて、注入トランスポート・チャネル、前記分配システムおよび分配トランスポート・チャネルを使用して前記信号表現をトランスポートし、
信号ノードは、信号ノード識別情報と、それぞれが前記１つまたは複数の信号の各信号のハンドルである１つまたは複数の信号注入ラベルとを備える信号ノード・アイデンティティ・レジスタを保持するように構成されており、
信号ノードは、
信号から前記信号表現を提供するように構成される信号ノード信号表現手段と、
前記注入トランスポート・チャネルに信号表現を搬送することを求める信号ノード要求を伝送するように構成される信号ノード要求手段と、
を実行するように構成されており、
前記クライアント・ノードは、クライアント・ノード識別情報と、それぞれが前記１つまたは複数の信号の各信号のハンドルである１つまたは複数の信号分配ラベルとを備えるクライアント・ノード・アイデンティティ・レジスタを保持するように構成されており、
クライアント・ノードは、
信号表現から信号を提供するように構成されるクライアント・ノード信号表現解釈手段と、
分配トランスポート・チャネルで信号表現を搬送するクライアント・ノード応答を受信するように構成されるクライアント・ノード応答手段と、
を実行するように構成されており、
分配システムは前記信号表現を分配するように構成されているとともに、分配システム識別情報と、関連信号注入ラベル付きの前記信号ノード識別情報のうちの１つまたは複数と、関連信号分配ラベル付きの前記クライアント・ノード識別情報のうちの１つまたは複数とを備える分配システム・アイデンティティ・レジスタを保持するように構成されており、
分配システムは、
注入トランスポート表現から信号表現および対応する信号注入ラベルを提供するように構成される分配システム注入トランスポート表現解釈手段と、
信号表現および対応する信号分配ラベルから分配トランスポート表現を提供するように構成される分配システム分配トランスポート表現手段と、
を実行するように構成されており、
分配システムは、信号注入ラベルおよび１つまたは複数の関連信号分配ラベルに基づいて、注入トランスポート・チャネルと１つまたは複数の分配トランスポート・チャネルとの間で信号表現を切り替えるように構成される分配システム信号表現切り替え手段を実行するように構成される。
【０００８】
一態様において、本発明は信号通信システムに関し、
信号通信システムは少なくとも３つの信号通信システム・エンティティを備え、
前記信号通信システム・エンティティのうちの少なくとも１つは、信号ノード識別情報によって識別され、自身の周囲と物理的に対話するとともに、１つまたは複数の物理特性と対応する１つまたは複数の信号とを変換するように構成される信号ノード物理特性手段を備える信号ノードであり、
前記信号通信システム・エンティティのうちの少なくとも１つは、信号のデータ・インターフェースを提供するように構成されるクライアント・ノード信号データ・インターフェースを備えるクライアント・ノードであり、前記クライアント・ノードはクライアント・ノード識別情報によって識別され、前記信号ノードと対話するために前記１つまたは複数の信号のうちの少なくとも１つの信号を送信するように構成されており、
前記信号通信システム・エンティティのうちの少なくとも１つは、分配システム識別情報によって識別され、前記１つまたは複数の信号のうちの前記少なくとも１つを信号ノードとクライアント・ノードとの間で切り替えるように構成される分配システムであり、
信号ノードは注入トランスポート・チャネルを使用して少なくとも１つの分配システムのうちの少なくとも１つに通信可能に結合されて、前記１つまたは複数の信号のうちの前記少なくとも１つの信号の信号表現のうちの注入トランスポート表現を受信し、
クライアント・ノードは分配トランスポート・チャネルを使用して少なくとも１つの分配システムのうちの少なくとも１つに通信可能に結合されて、前記１つまたは複数の信号のうちの前記少なくとも１つの信号の信号表現のうちの分配トランスポート表現を送信し、
信号ノードは前記クライアント・ノードのうちの少なくとも１つに通信可能に結合されて、注入トランスポート・チャネル、前記分配システムおよび分配トランスポート・チャネルを使用して前記信号表現をトランスポートし、
信号ノードは、信号ノード識別情報と、それぞれが前記１つまたは複数の信号の各信号のハンドルである１つまたは複数の信号注入ラベルとを備える信号ノード・アイデンティティ・レジスタを保持するように構成されており、
信号ノードは、
信号表現から信号を提供するように構成される信号ノード信号表現解釈手段と、
前記注入トランスポート・チャネルで信号表現を搬送する信号ノード応答を受信するように構成される信号ノード応答手段と、
を実行するように構成されており、
クライアント・ノードは、クライアント・ノード識別情報と、それぞれが前記１つまたは複数の信号の各信号のハンドルである１つまたは複数の信号分配ラベルとを備えるクライアント・ノード・アイデンティティ・レジスタを保持するように構成されており、
クライアント・ノードは、
信号から信号表現を提供するように構成されるクライアント・ノード信号表現手段と、
分配トランスポート・チャネルに信号表現を搬送することを求めるクライアント・ノード要求を伝送するように構成されるクライアント・ノード要求手段と、
を実行するように構成されており、
分配システムは前記信号表現を分配するように構成されているとともに、分配システム識別情報と、関連信号注入ラベル付きの前記信号ノード識別情報のうちの１つまたは複数と、関連信号分配ラベル付きの前記クライアント・ノード識別情報のうちの１つまたは複数とを備える分配システム・アイデンティティ・レジスタを保持するように構成されており、
分配システムは、
分配トランスポート表現から信号表現および対応する信号分配ラベルを提供するように構成される分配システム分配トランスポート表現解釈手段と、
信号表現および対応する信号注入ラベルから注入トランスポート表現を提供するように構成される分配システム注入トランスポート表現手段と、
を実行するように構成されており、
分配システムは、信号注入ラベルおよび１つまたは複数の関連信号分配ラベルに基づいて、注入トランスポート・チャネルと１つまたは複数の分配トランスポート・チャネルとの間で信号表現を切り替えるように構成される分配システム信号表現切り替え手段と実行するように構成される。
【０００９】
本発明は、分配システムによってフレキシビリティが含まれて、実行されるため、個々の信号ノードによる物理的な信号の分配について、高度なフレキシビリティと効率を提供する。信号ノードはフレキシブルな方法でアドレス指定できるが、個々の信号ノードはデータの受信および出力のために中央で制御または管理される。減じられた信号ノードの機能は、本発明の仕組みに従う信号フローの中央制御によって完全に補償できると同時に、減じられた機能が望まないまたは無許可のサードパーティのアクセスに対するバリアとして機能することを得る。
【００１０】
信号通信システムは、制御および管理が分配システムに委ねられたとしても、信号ノードおよびクライアント・ノードだけしか信号を検査できないように、システム内で伝送される信号の完全なプライバシーを可能にする。そのため、破損したもしくは潜入された分配システムでも、またはほぼセキュアな伝送線が、伝送される信号にサードパーティがアクセスするのを許すことはない。
【００１１】
本発明のさらなる利点は、信号の分配のダイナミックな管理を得ることが可能なことである。最適に、また任意で、中央分配システムは、システムの信号ノードを更新および維持する必要なく、ランタイムベースで更新することができ、それによって中央分配システムからの信号のフローは更新されたルール、合意、データサブスクリプション等と完全に整合することを保証する。システムは高速で確実な通信ルートの確立と、ルールおよび合意の取消時にその高速かつ確実な失効とを可能にする。
【００１２】
信号通信システムの一実施形態の利点は、信号ノードが問題のクライアントを指定するためにクライアント・ノードのアイデンティティ、アドレスなどを管理する必要がないことである。これは分配システムによって管理することができる。実際、信号ノードは、一実施形態において、信号がどの程度分配されて使用されるのかを知ることなく、ただ信号を伝送しているにすぎない。好適な実施形態では、分配されない信号を生成するときの無駄なエネルギをなくすために、信号ノードには誰かがその信号を必要としているかどうかのみを通知する。好適な実施形態では、ある信号ノードとあるクライアント・ノードとの間の通信の初期コミッショニングには、アイデンティティチェックと、信号表現パラメータ、例えば暗号鍵の折衝とを必要とするが、その後は、信号ノードがセキュリティまたはアイデンティティ問題を考慮する必要なく、信号通信を分配システムの管理下で開始することができ、それでもなお、分配システムまたは中間者が、信号を読み取ることも偽装することもできず、または、その他、例えば、準同型技術によって、信号通信を干渉することはできない。
【００１３】
そのため、信号ノードは、好ましくは、好適な実施形態において、着信要求に応対する必要がなく、ファイヤウォールの機能が必要なく、ルーティングまたは分配機能が必要ない、等のため、信号通信システムに参加するために必要なハードウェアおよびソフトウェアに関して極めて軽くすることができる。
【００１４】
本発明により、様々な実施例において、信号通信システムに接続される信号ノードが利用することのできる信号のロバストで確実で正確なカタログ化をさらに達成することもできる。外部の影響に対する信号通信システムの高い耐性により、様々な実施例において、ノードおよび信号の非常に確実な真正性、正確で確実なデータ識別情報および記述による信号の発見、セキュアな信号のサブスクリプションは、無関係および潜在的に悪意のあるデータ通信または無関係もしくは潜在的に悪意のあるデータ通信を減らし、検索エンジンの発見アプローチと比べて、膨大な量の信号ノードを備える大規模システムにおいてエネルギ消費量と処理時間を大幅に短縮することができる。
【００１５】
本発明は、中央分配システムでのみ信号の通信を管理しながら、エンドノードでのみ信号を管理することが目的である。それにより、信号のプライバシーを中央パーティに任さないが、それでもなお中央パーティに通信の制御、セキュリティ、フレキシビリティおよびスケーリングを管理させるため、クラウド・ソリューションの懸念および課題のいくつかが克服される。
【００１６】
本発明による信号ノードは、自身の環境の物理特性からの信号出力を確立する手段および信号入力に基づいて自身の環境の物理特性に作用する手段、または自身の環境の物理特性からの信号出力を確立する手段もしくは信号入力に基づいて自身の環境の物理特性に作用する手段を備える。物理特性とは、例えば、物体の温度、圧力、湿度、音声、光、電磁特性、放射、フロー、場所または寸法等であり、信号は物理特性を表すデジタルデータもしくはアナログデータ、例えば、センサ信号、または所望の物理特性、すなわち、物理特性を変化させるための制御信号を備える。変換は、任意の種類の変換器、センサ、アクチュエータなどによって行うことができる。信号ノードは、通信インターフェースを有し、任意でモニタおよびキーパッドなどの従来のコンピュータ・インターフェースのない、小型の、任意でモバイルの、コンピュータ機器であることが好ましいが、様々な実施形態において、汎用ＰＣ、タブレット・コンピュータなどによって構成されてもよい。
【００１７】
本発明によるクライアント・ノードは、信号ノードと通信される信号を出力または受信するためのデータ・インターフェースを備える。好適な実施形態において、クライアント・ノードは、例えば、ユーザが物理特性、例えば、信号ノードによってどこかで取得され、任意で作用される温度を監視し、任意で制御することを可能にするタブレット・コンピュータ上のアプリとして実装され、またはいくつかの信号ノードからの信号を受信し、格納し、分析するデータ収集データベースとして実装され、または例えば、いくつかの監視用信号ノードから信号を受信し、信号をいくつかの制御用信号ノードに送信する、例えば、工業プラントの中央制御システムに実装することもできる。
【００１８】
通信可能な結合は、スイッチ、ルータ、アクセス・ポイントなどの中継ネットワークもしくはリンク機器の有無を問わず、途中で電気、無線周波数、光学、音響等の技術のうちの１つまたは複数による任意の適切な通信リンク、例えば、様々な種類の有線もしくは無線のネットワークまたはポイント・ツー・ポイント通信を含むことができる。好適な実施形態において、分配システムはインターネットまたは他の大規模データネットワークに接続され、それにより信号ノードおよびクライアント・ノードへの通信可能な結合は、少なくとも部分的に、インターネットまたは大規模データネットワークに関わる。好適な実施形態において、信号ノードおよびクライアント・ノードまたは信号ノードもしくはクライアント・ノードに最も近い通信可能な結合の部分は、インターネットまたは大規模データネットワークとのインターフェースを備えるローカル・エリア・ネットワークまたはポイント・ツー・ポイント通信技術であってもよい。
【００１９】
信号ノードおよびクライアント・ノードはトランスポート・チャネルによってトランスポートレベルで分配システムに通信可能に結合されるが、分配システム信号表現切り替え手段のために、信号表現レベルでも分配システムにエンド・ツー・エンドで通信可能に結合され、それにより信号を非公開かつセキュアに通信することができる。信号ノードおよびクライアント・ノードは、トランスポートレベルおよび信号表現レベルの両方で表現を表し解釈するように構成されるのに対し、分配システムはトランスポートレベルのみを表し解釈するように構成される。トランスポート表現は、信号表現を解釈できなくても、分配システムが信号表現の適切な分配を促進するための信号注入ラベルまたは信号分配ラベルを備える。ラベルは、対応するトランスポート表現解釈手段を備える適切な分配システム以外のサードパーティおよび中間ネットワーク・コンポーネントから隠すように、トランスポート表現に組み込まれるのが好ましい。表現により、デジタル封筒（digital envelope）を備えることのできる特別なフォーマットで提供される内容が参照される。
【００２０】
一実施形態において、信号通信システムは、地理的に分散されている少なくとも２つの信号ノードを備える。一実施形態において、分配システムは複数の分配ノードを備える分散型分配システムである。一実施形態では、信号通信システムは前記分配ノードのうちの別のものに冗長的な前記分散ノードのうちの少なくとも１つを備える。
【００２１】
切り替え制御
一実施形態において、分配システムは、それぞれが信号注入ラベルを１つまたは複数の信号分配ラベルに関連付ける分配システム信号表現切り替えパラメータ記録を備える分配システム切り替え制御レジスタを保持するように構成されている。
【００２２】
本発明によると、信号注入ラベルは、信号ノードと分配システムとの間の注入トランスポート表現の通信に含まれ、信号分配ラベルはクライアント・ノードと分配システムとの間の分配トランスポート表現の通信に含まれる。信号注入ラベルを信号分配ラベルに関連付ける分配システム信号表現切り替えパラメータ記録を信号通信システムに提供することにより、分配システムは、あるラベルから、例えば、探索により、分配システムの他方側の対応するラベルはどれか、すなわち、添付された信号表現をどこに送信するべきかを決定しやすくなる。各信号注入ラベルは１つまたは複数の信号分配ラベルに関連付けることができ、それにより信号ノードから１つまたは複数のクライアント・ノードに信号表現を送信しやすくなり、またはいくつかのクライアント・ノードから１つの信号ノードに信号表現を送信しやすくなる。一実施形態において、信号注入ラベルは信号分配ラベルとしても使用されており、またはその逆も同様である。信号分配ラベルのそれぞれは、分配トランスポートのために１つまたは複数の他の信号分配ラベルに一意または同一であるように選択することができる。そのため、ノードアドレス指定を含めた信号表現の分配は、分配システムによって管理され、信号ノードおよびクライアント・ノードによって管理されるのではない。
【００２３】
一実施形態において、前記分配システム信号表現切り替え手段は、多数の分配トランスポート表現を提供するように構成されており、その数は、前記分配システム信号表現切り替えパラメータ記録に従い前記信号注入ラベルに関連付けられている信号分配ラベルの数に対応する。
【００２４】
切り替え手段は、ある特定の信号注入ラベルに関連付けられている信号分配ラベルがあるのと同じ数の分配トランスポート表現を提供するように構成されており、それによりある信号ノードからその信号に関連付けられているすべてのクライアント・ノードに来る信号表現を乗算することができる。換言すると、分配システムは信号ノードから受信される１つの信号表現を、それにサブスクライブしたのと同じ数のクライアント・ノードに送信するように構成されている。そのため、いくつかの受信機のための情報の乗算は分配システムによって実行および管理され、信号ノードによってされるのではない。
【００２５】
一実施形態において、前記分配システム信号表現切り替え手段は前記多数の分配トランスポート表現にそれぞれ、前記取得した信号表現のコピーと、前記分配システム信号表現切り替えパラメータ記録の各々によって前記信号注入ラベルに関連付けられている１つまたは複数の信号分配ラベルのうちの１つとを提供するように構成される。
【００２６】
いくつかの受信機のために信号表現を乗算するとき、分配システムは、好ましくは、各コピー付きで受信機固有の信号分配ラベルを含むように構成される。
一実施形態において、前記分配システム信号表現切り替え手段は、前記注入トランスポート表現の信号注入ラベルを各信号分配ラベルに置換することによって、前記多数の分配トランスポート表現のそれぞれを提供するように構成される。
【００２７】
分配システムは、受信した注入トランスポート表現のコピーを適切な数だけ作成し、各コピーで、信号注入ラベルを個々の信号分配ラベルに置換するように構成することができる。
【００２８】
一実施形態において、前記分配システム信号表現切り替え手段は、前記注入トランスポート表現の前記信号表現のコピーを各信号分配ラベルで補完することによって、前記多数の分配トランスポート表現のそれぞれを提供するように構成される。
【００２９】
代替実施形態において、分配システムは、受信した注入トランスポート表現の信号注入ラベルに関連付けられているすべての信号分配ラベルに向かい、各信号分配ラベルについて、信号表現のコピーを作成し、各信号分配ラベルを添付し、それから分配トランスポート表現を形成するように構成されている。
【００３０】
一実施形態において、前記分配システム信号表現切り替え手段は、前記取得した信号表現のコピーと、前記分配システム信号表現切り替えパラメータ記録の各々によって前記信号分配ラベルに関連付けられている信号注入ラベルとを、注入トランスポート表現に提供するように構成される。
【００３１】
クライアント・ノードから受信した分配トランスポート表現に関し、分配システムは、受信した信号表現を受信した信号分配ラベルに関連付けられている信号注入ラベルと組み合わせることによって、信号ノードの注入トランスポート表現を確立するように構成されていることが好ましい。
【００３２】
一実施形態において、分配システムは、検討される分配システム信号表現切り替えパラメータ記録で構成された注入トランスポート表現と分配トランスポート表現との間の切り替えを停止するように、分配システム信号表現切り替えパラメータ記録を再構成するように構成される、分配システム信号表現切り替えパラメータ記録登録解除手段を行うように構成される。
【００３３】
切り替えパラメータの管理、すなわち、どのノードがどのノードから信号を受信するかの管理に関しては、分配システムは、好適な実施形態において、特定の切り替えパラメータの登録解除または再構成を可能にする手段を用いて構成されている。換言すると、分配システムは、例えば、信号注入ラベルと信号分配ラベルとの特定の関連付け、または、例えば、特定のラベルもしくはノードとのすべての関連付けの解除を許すように構成されている。それにより、当該ノードとコンタクトを取ったり当該ノードを更新したりする必要なく、また当該ノードに変更に関する措置を取らせる必要なく、もしくは気づく必要さえなく、分配を制御する、特に特定の信号の特定のノードへの分配を停止する中央管理オプションが実現される。このことはフレキシビリティ、スケーラビリティ、および中央制御をさらに強化しながら、軽量なノードおよびセキュアでプライベートな信号通信を促進するため、本発明の好適な実施形態の非常に有利な態様である。
【００３４】
一実施形態において、前記分配システムは、検討される分配システム信号表現切り替えパラメータ記録で構成された注入トランスポート表現と分配トランスポート表現との間の切り替えを開始するように、分配システム信号表現切り替えパラメータ記録を構成するように構成された、分配システム信号表現切り替えパラメータ記録登録手段を行うように構成されている。
【００３５】
分配システムは、好適な実施形態において、新しい切り替えパラメータの登録を可能にする、すなわち、ノードが一定の信号にサブスクライブを開始する時を登録する手段を用いてさらに構成されている。これは、信号注入ラベルと信号分配ラベルとの特定の関連付けを分配システム切り替えパラメータ記録に挿入するように構成されている手段を実装することによって実現するのが好ましい。登録解除手段と同様に、当該ノードとコンタクトを取ったり当該ノードを更新したりする必要なく、また当該ノードに変更に関する措置を取らせる必要なく、もしくは気づく必要さえなく、これにより分配を制御する。この場合特に特定のノードへの特定の信号の分配を開始する中央管理オプションが実現される。しかし、好適な実施形態では、受信するノードが送信するノードによって作成されて、新たに登録された切り替えパラメータに応答してシステムによって分配される信号表現を解釈することができるために、特定の信号ノードおよび特定のクライアント・ノードに表現パラメータの折衝を要求されることが好ましく、それにより通信を開始するための登録プロセスでノードの少しの関わり合いを必要とするが、それにより、破損した分配システムまたは中間者が、切り替えパラメータレジスタに新しい関連付けを登録するだけでは信号自体にアクセスすることはできないという利点も実現する。
【００３６】
ネットワーク・チャネル
一実施形態において、前記信号通信システム・エンティティのそれぞれは、信号通信システム・トランスポート表現から信号通信システム・ネットワーク表現を提供するように構成された信号通信システム・ネットワーク表現手段と、信号通信システム・ネットワーク表現から信号通信システム・トランスポート表現を提供するように構成された信号通信システム・ネットワーク表現解釈手段とを行うように構成される。
【００３７】
ネットワーク経由でネットワーク表現を搬送することは、各ネットワーク技術およびネットワークの規格、例えば、ＩＰパケットに従い、例えば、パケット・タイプ、パケット・サイズ、ネットワークアドレス、例えば、ＩＰアドレスなどを指定するネットワークのヘッダおよびフッタを追加することによって、１つまたは複数のネットワークパケットに信号表現およびトランスポート表現または信号表現もしくはトランスポート表現を構成することを含むことができる。
【００３８】
一実施形態において、前記信号通信システム・エンティティのそれぞれは、信号通信システム・ネットワークを備えるか、または信号通信システム・ネットワークに接続されている信号通信システム・エンティティ・ネットワークとの信号通信システム・エンティティ・ネットワーク・インターフェースを少なくとも１つ備える。
【００３９】
一実施形態において、前記信号通信システム・エンティティ・ネットワーク・インターフェースは、前記信号通信システム・ネットワーク表現手段を信号通信システム・トランスポート表現に適用して、前記信号通信システム・エンティティ・ネットワーク上で搬送するための信号通信システム・ネットワーク表現を確立するとともに、前記信号通信システム・ネットワーク表現解釈手段を適用して、前記信号通信システム・エンティティ・ネットワーク上で受信した信号通信システム・ネットワーク表現から信号通信システム・トランスポート表現を確立するように構成される。
【００４０】
一実施形態において、信号通信システムは、前記信号通信システム・エンティティ間に信号通信システム・ネットワーク表現によって信号通信システム・トランスポート表現を搬送するように構成される信号通信システム・ネットワークを備える。
【００４１】
一実施形態において、前記信号通信システム・エンティティのそれぞれは、前記信号通信システム・ネットワークを備えるか、または前記信号通信システム・ネットワークに接続されている信号通信システム・エンティティ・ネットワークとの信号通信システム・エンティティ・ネットワーク・インターフェースを少なくとも１つ備える。
【００４２】
一実施形態において、前記信号通信システム・エンティティのうちの１つまたは複数は、ネットワーク技術または規格が異なる２つ以上の信号通信システム・エンティティ・ネットワーク・インターフェースを備える。一実施形態において、前記信号通信システム・エンティティのうちの１つまたは複数は、ネットワーク技術または規格が同じ２つ以上の信号通信システム・エンティティ・ネットワーク・インターフェースを備える。
【００４３】
一実施形態において、前記信号通信システム・エンティティ・ネットワークは、有線ネットワーク、無線ネットワーク、光ネットワーク、および電力信号ネットワークの中から選択される１つまたは複数を備える。
【００４４】
電力信号ネットワークは、例えば、水力、空気圧または機械的ネットワークなどを備えることができる。
一実施形態において、前記信号通信システム・ネットワークは、ネットワーク技術または規格が異なる少なくとも２つの信号通信システム・エンティティ・ネットワークを備える。一実施形態において、少なくとも２つの異なる信号通信システム・エンティティの信号通信システム・エンティティ・ネットワーク・インターフェースは、異なるネットワーク技術または規格をインターフェースするように構成される。一実施形態において、前記異なるネットワーク技術または規格は、ＩＰｖ４、ＩＰｖ６、ＷｉＦｉ、ＬＰＷＡＮ、ブルートゥース、ＺｉｇＢｅｅ、ＬｏＲａ、ＬＴＥおよびＧＰＲＳの中から選択される少なくとも２つの技術または規格を含む。
【００４５】
選択するべき異なるネットワーク技術は、例えば、ＩＰｖ４、ＩＰｖ６などのＴＣＰ／ＩＰプロトコル、様々なパーソナル・エリア・ネットワークＰＡＮ、例えば、ブルートゥースまたはＺｉｇＢｅｅ、ＷｉＦｉラベルによる、すなわちＩＥＥＥ  ８０２．１１の仕様に基づく無線ネットワーク技術、様々な省電力広域ネットワークＬＰＷＡＮ技術、例えば、狭帯域ＩｏＴ  ＮＢ−ＩＯＴ、ＬｏＲａベースの技術、様々なマシン型通信、例えば、ＬＴＥ、ＧＰＲＳ、３Ｇ、４Ｇ、５Ｇまたはマシン型通信用ＬＴＥアドバンストＬＴＥ−ＭＴＣなどの伝統的な電気通信ネットワークに基づくもの、または他の有線もしくは無線プラットフォームを含むことができる。
【００４６】
一実施形態において、前記信号通信システム・ネットワークは広域ネットワークである。
一実施形態において、前記信号通信システム・トランスポート表現は前記注入トランスポート表現を備え、前記信号通信システム・ネットワークは、前記信号ノードと前記分配システムとの間で前記信号通信システム・トランスポート表現を備える信号通信システム・ネットワーク表現を搬送するように構成される。
【００４７】
一実施形態において、前記信号通信システム・エンティティは前記信号ノードであり、ＬＰＷＡＮネットワークである信号通信システム・エンティティ・ネットワークとの信号通信システム・エンティティ・ネットワーク・インターフェースを備える。一実施形態において、前記信号通信システム・エンティティは前記分配システムまたは前記クライアント・ノードであり、インターネットである信号通信システム・エンティティ・ネットワークとの信号通信システム・エンティティ・ネットワーク・インターフェースを備える。
【００４８】
一実施形態において、前記信号通信システム・トランスポート表現は前記分配トランスポート表現を備え、前記信号通信システム・ネットワークは、前記クライアント・ノードと前記分配システムとの間で前記信号通信システム・トランスポート表現を備える信号通信システム・ネットワーク表現を搬送するように構成される。
【００４９】
一実施形態において、信号通信システム・エンティティ・ネットワーク・インターフェースは、信号通信システム・エンティティ・ネットワーク識別情報を使用して、前記信号通信システム・エンティティ・ネットワーク内でアドレス指定可能であるように構成されている。一実施形態において、信号通信システム・エンティティ・ネットワーク・インターフェースは、少なくとも１つの他の信号通信システム・エンティティを直接アドレス指定して、信号通信システム・エンティティから前記少なくとも１つの他の信号通信システム・エンティティに信号通信システム・ネットワーク表現を搬送する信号通信システム・サブネットワークを提供するように構成されている。一実施形態において、信号通信システム・エンティティ・ネットワーク・インターフェースは、少なくとも１つの他の信号通信システム・エンティティについて直接アドレス指定可能にして、前記少なくとも１つの他の信号通信システム・エンティティから信号通信システム・エンティティに信号通信システム・ネットワーク表現を搬送する信号通信システム・サブネットワークを提供するように構成されている。
【００５０】
一実施形態において、信号通信システム・サブネットワークは、前記信号通信システム・エンティティが使用するラジオ・リンクと、インターネットのアクセスおよび電話通信にしばしば使用される公衆陸上移動無線システムとを接続するためのゲートウェイを少なくとも１つ備える。一実施形態において、信号通信システム・サブネットワークは、信号通信システム・エンティティでインターネットのアクセスおよび電話通信にしばしば使用される公衆陸上移動無線システムを直接使用するためのリンクを備える。一実施形態において、信号通信システム・サブネットワークは、信号通信システム・エンティティの有線通信リンクが装備される前記信号通信システム・エンティティを、前記少なくとも１つの他の信号通信システム・エンティティを含む信号通信システム・エンティティ・ネットワークに接続するためのゲートウェイを少なくとも１つ備える。一実施形態において、前記信号通信システム・エンティティの有線通信リンクは、データまたは電話通信用の公衆有線ネットワークの一部である。一実施形態において、信号通信システム・エンティティ・ネットワーク・インターフェースは、１ＧＨｚ未満の周波数範囲で電磁波を使用するように構成される。一実施形態において、信号通信システム・エンティティ・ネットワーク・インターフェースは、２００ｋＨｚ以下の帯域幅を使用することによって、５００ｍを超える範囲を提供するように構成される無線インターフェースである。一実施形態において、信号通信システム・エンティティ・ネットワーク・インターフェースは、インターネットのアクセスおよび電話通信にしばしば使用される公衆陸上移動無線システムに接続される無線インターフェースである。
【００５１】
信号ノード
一実施形態において、前記信号ノードは信号ノード・バッテリを備え、主にバッテリ駆動されるように構成される。一実施形態において、前記信号ノードは１年超バッテリから電力が供給される。一実施形態において、前記信号ノードは信号ノード・プロセッサと信号ノード・メモリとを備える。一実施形態において、前記信号ノード・プロセッサおよび前記信号ノード・メモリは、信号ノード埋め込みシステム内にまとめられる。
【００５２】
一実施形態において、信号ノードは物理特性を信号に変換する信号ノード物理ユニット・センサを備える。一実施形態において、前記信号ノード物理ユニット・センサは自律的に動くように構成される。一実施形態において、前記信号ノード物理ユニット・センサは１年超信号ノード・バッテリから電力が供給される。一実施形態において、前記信号ノード物理ユニット・センサは、少なくとも１つのセンサと信号ノード通信手段とを備える。
【００５３】
一実施形態において、前記信号ノードは、信号ノード物理ユニット・センサに関連する値を示すディスプレイを備える。
一実施形態において、信号ノードは、電気手段によって電力を供給されまたは制御されるように構成されるとともに、信号を物理特性に変換するように構成される信号ノード電気アクチュエータを備える。一実施形態において、信号ノード電気アクチュエータは前記信号通信システムによって搬送される信号によって制御されるように構成される。一実施形態において、信号ノード電気アクチュエータは１年超バッテリから電力が供給される。一実施形態において、信号ノード電気アクチュエータは、少なくとも１つのアクチュエータと信号ノードの通信手段とを備える。一実施形態において、前記信号ノード電気アクチュエータは、前記信号ノード電気アクチュエータとローカルに対話するための少なくとも１つのユーザ・インターフェースを備える。
【００５４】
一実施形態において、信号ノードは、信号ノードに含まれていないセンサおよび信号ノード・ユーザ・インターフェースのリストから選択される１つまたは複数からデータを取得するように構成される信号ノード・データ・インターフェースを備える。一実施形態において、信号ノードは前記信号ノード物理ユニット・センサ、前記信号ノード電気アクチュエータおよび前記信号ノード・データ・インターフェースのリストから選択される２つ以上の組み合わせを備える。一実施形態において、信号ノードは、自律的に動く信号ノード物理ユニット・センサおよび専用信号ノード電気アクチュエータのリストから選択される１つまたは複数として使用されるように構成されるマシンである。
【００５５】
一実施形態において、前記信号ノード・アイデンティティ・レジスタは、信号ノード・アイデンティティと対応する信号ノード識別情報とを備える。
本発明の有利な実施形態によると、信号ノード・アイデンティティ・レジスタは、信号ノード識別情報と、前記対応する信号ノード識別情報によって参照される信号ノード・アイデンティティとを両方備えることが好ましい。これにより、信号ノード・アイデンティティを信号ノード・アイデンティティ・レジスタに２つの方法で表すことを効果的に促進する。２つの方法のうちの一方で、信号ノード・アイデンティティは信号ノードのアイデンティティの一意の名称を作ってもよく、これは非公開使用のため、例えば、秘密鍵などの内部識別子として提供される。もう一方の方法では、信号ノード識別情報、信号ノードのアイデンティティは、この識別情報を信号ノードのアドレス指定の目的に適用してもよいという意味で、公開使用に適した識別子を用いて信号ノード・アイデンティティ・レジスタで表してもよい。
【００５６】
一実施形態において、前記信号ノードは前記信号ノード識別情報を送信するための信号ノード識別情報伝送手段を行うように構成される。
一実施形態において、前記信号ノード・アイデンティティ・レジスタは分配システム識別情報を備え、前記信号ノードは、分配システム識別情報を使って分配システム・アイデンティティを検証するように構成される信号ノード分配システム・アイデンティティ検証手段を行うように構成される。一実施形態において、前記信号ノード・アイデンティティ・レジスタは１つまたは複数のクライアント・ノード識別情報を備え、信号ノードは、クライアント・ノード識別情報を受信して、前記クライアント・ノード識別情報を使ってクライアント・ノード・アイデンティティを検証するように構成される信号ノード・クライアント・ノード・アイデンティティ検証手段を行うように構成される。
【００５７】
一実施形態において、信号ノードは、アイデンティティ検証用信号通信システム・エンティティからクライアント・ノード・アイデンティティの検証を受信するように構成される信号ノード・クライアント・ノード・アイデンティティ検証手段を行うように構成される。一実施形態において、前記アイデンティティ検証用信号通信システム・エンティティはアイデンティティ・レジスタである。一実施形態において、前記アイデンティティ検証用信号通信システム・エンティティは分配システムである。
【００５８】
一実施形態において、信号ノードは、前記１つまたは複数の信号の各信号に対応する信号注入ラベルを提供するように構成される信号注入ラベル生成手段によって、前記信号注入ラベルの１つまたは複数を生成するように構成される。一実施形態において、信号ノードは、分配システムから前記１つまたは複数の信号の各信号に対応する信号注入ラベルを受信するように構成される信号注入ラベル受信手段によって、前記信号注入ラベルの１つまたは複数を受信するように構成される。一実施形態において、信号注入ラベルは参照される信号のタイプを表す。一実施形態において、信号注入ラベルは参照される信号のアイデンティティを表す。
【００５９】
一実施形態において、信号ノードは、信号表現の提供および受信で使用される信号ノード信号表現特性を備える信号ノード信号表現特性レジスタを保持する。一実施形態において、信号ノードは、対応する信号ノード信号表現特性に基づいて、信号から信号表現を提供するように構成される信号ノード信号表現手段を行うように構成される。一実施形態において、信号ノード信号表現手段は信号表現完全性保護タグを備える信号表現を提供するように構成される。一実施形態において、信号ノード信号表現手段は、前記信号表現の発信者を示す信号表現認証タグを提供するように構成される。一実施形態において、信号ノード信号表現手段は、信号ノード認証アイデンティティに基づいて信号表現完全性保護タグを表すことによって、信号表現完全性保護タグおよび信号表現認証タグを備える信号表現を提供するように構成される。
【００６０】
一実施形態において、信号ノードは、前記対応する信号ノード信号表現特性に基づいて、信号表現から信号を提供するように構成される信号ノード信号表現解釈手段を行うように構成される。一実施形態において、信号ノード信号表現解釈手段は、完全性保護タグに基づいて信号表現の完全性を検証するように構成される。一実施形態において、信号ノード信号表現解釈手段は、前記信号表現の発信者を示す信号表現認証タグを検証するように構成される。一実施形態において、信号ノード信号表現解釈手段は、クライアント・ノード認証識別情報に基づいて、信号表現完全性保護タグを検証することによって、信号表現完全性保護タグおよび信号表現認証タグを検証するように構成される。
【００６１】
一実施形態において、信号ノードは、信号をフォーマット化または暗号化して信号表現を確立するために信号ノード信号表現特性を生成するように構成される信号ノード信号表現特性手段と、１つまたは複数のクライアント・ノードと信号ノード信号表現特性を折衝するように構成される信号ノード信号表現特性インターフェース手段とを行うように構成される。一実施形態において、信号ノード信号表現特性は関連クライアント・ノードと共有される。一実施形態において、信号ノード信号表現特性は、クライアント・ノードと、前記クライアント・ノードに関係する前記分配システム切り替え制御レジスタに従って共有される。
【００６２】
一実施形態において、信号ノード信号表現手段は、前記信号ノード信号表現特性に従い、フォーマット化を用いて前記信号表現を提供するように構成される。一実施形態において、信号ノード信号表現解釈手段は、前記信号ノード信号表現特性に従い、フォーマット化を用いて前記信号を提供するように構成される。一実施形態において、信号ノード信号表現特性は、前記信号表現の提供のために、フォーマット化の定義を備える。一実施形態において、信号ノード信号表現手段は、前記信号ノード信号表現特性に従い、暗号化を用いて前記信号表現を提供するように構成される。一実施形態において、信号ノード信号表現解釈手段は、前記信号ノード信号表現特性に従い、解読を用いて前記信号を提供するように構成される。一実施形態において、信号ノード信号表現特性は、前記信号表現の提供のために、信号ノード表現暗号鍵システムを備える。
【００６３】
好適な実施形態では、信号ノード信号表現特性は、フォーマット化の定義および信号ノード表現暗号鍵システムの両方を備える。信号ノード表現暗号鍵システムは、例えば、１ペアの秘密鍵および公開鍵を備えることができる。
【００６４】
一実施形態において、信号ノード信号表現特性はクライアント・ノード信号表現特性に対応する。
一実施形態において、信号ノードは、信号通信システム・トランスポート・アイデンティティである信号ノード注入トランスポート・アイデンティティと、信号通信システム・トランスポート識別情報である対応する信号ノード注入トランスポート識別情報と、対応する分配システムの分配システム注入トランスポート・アイデンティティに関連付けられている分配システム注入トランスポート識別情報とを備える信号ノード注入トランスポート・アイデンティティ・レジスタを保持するように構成される。一実施形態において、信号ノードは、前記分配システム注入トランスポート識別情報を使って分配システム注入トランスポート・アイデンティティを検証するように構成される信号ノード分配システム注入トランスポート・アイデンティティ検証手段を行うように構成される。
【００６５】
一実施形態において、信号ノード注入トランスポート識別情報は信号ノード識別情報から導出する。信号ノード注入トランスポート識別情報が信号ノード識別情報から導出する場合、有利なことに、検証は同じ検証手段を使用することができるであろう。
【００６６】
一実施形態において、信号ノードは、信号ノード注入トランスポート表現特性を備える信号ノード注入トランスポート表現特性レジスタを保持するように構成される。一実施形態において、信号ノードは、分配システム注入トランスポート識別情報によって識別される分配システムに注入トランスポート表現を提供するように構成される信号ノード注入トランスポート要求手段と、要求された注入トランスポート表現に応答して、分配システムから注入トランスポート表現を受信するように構成される信号ノード注入トランスポート応答手段とを行うように構成される。一実施形態において、信号ノード注入トランスポート応答手段は分配システムから注入トランスポート表現の転送を要求するように構成される。
【００６７】
一実施形態において、信号ノード注入トランスポート要求手段は、ローカルエネルギ収支を決定し、それに基づいて前記注入トランスポート表現の伝送をスケジューリングするように構成されている。
【００６８】
信号ノードは通例バッテリ駆動であり、および電力管理に合わせて最適化されているため、または信号ノードは通例バッテリ駆動であり、もしくは電力管理に合わせて最適化されているため、有利なことに、信号ノードは伝送をスケジューリングすることができ、例えば、通信のエネルギ消費を最小にするために、注入トランスポート表現を分配システムに送信し、または分配システムから注入トランスポート表現を取得する。スケジューリングに含めるべき要因は、例えば、ネットワーク資源およびネットワークルートの可用性、距離、データトラフィックの予想または測定輻輳時間、伝送コストなどを含むことができる。いくつかの実施形態では、伝送のグループ化および定期的な間隔でのスリープモードの呼び出しまたは伝送のグループ化もしくは定期的な間隔でのスリープモードの呼び出しが受け入られ、エネルギ消費を少なくすることができる。いくつかの実施形態では、伝送のスケジューリングには、例えば、残りのバッテリが少ない場合に、伝送の取消または拒否の可能性を含めてもよい。信号ノードは、好適な実施形態では、注入トランスポート表現を、それによりその信号を、等時的にまたは所定のスケジュールに従って提供するように構成することができる。
【００６９】
一実施形態において、信号ノードは、各信号注入ラベルおよび対応する信号表現から対応する信号ノード注入トランスポート表現特性に基づいて注入トランスポート表現を提供するように構成される信号ノード注入トランスポート表現手段と、注入トランスポート表現から信号に対応する信号注入ラベルおよび信号表現を提供するように構成される信号ノード注入トランスポート表現解釈手段とを行うように構成される。
【００７０】
一実施形態において、信号ノードは、信号表現をフォーマット化または暗号化して注入トランスポート表現を確立するために信号ノード注入トランスポート表現特性を生成するように構成される信号ノード注入トランスポート表現特性手段と、分配システムと信号ノード注入トランスポート表現特性を折衝するように構成される信号ノード注入トランスポート表現特性インターフェース手段とを行うように構成される。
【００７１】
一実施形態において、信号ノード注入トランスポート表現手段は、前記信号ノード注入トランスポート表現特性に従ってフォーマットを適用し、前記注入トランスポート表現を提供するように構成される。一実施形態において、信号ノード注入トランスポート表現解釈手段は前記注入トランスポート表現を解釈して、前記信号ノード注入トランスポート表現特性に従って信号注入ラベルおよび信号表現を提供するように構成される。一実施形態において、信号ノード注入トランスポート表現特性は、前記注入トランスポート表現の提供のために適用するべきフォーマットの定義を備える。一実施形態において、信号ノード注入トランスポート表現手段は、前記信号ノード注入トランスポート表現特性に従って、暗号化を用いて前記注入トランスポート表現を提供するように構成される。一実施形態において、信号ノード注入トランスポート表現解釈手段は、前記信号ノード注入トランスポート表現特性に従い、解読を用いて前記信号注入ラベルおよび信号表現を提供するように構成される。一実施形態において、信号ノード注入トランスポート表現特性は、前記注入トランスポート表現の提供のために、信号ノード注入トランスポート暗号鍵システムを備える。
【００７２】
好適な実施形態において、信号ノード注入トランスポート表現特性は、フォーマット化の定義および信号ノード注入トランスポート暗号鍵システムの両方を備える。信号ノード注入トランスポート暗号鍵システムは、例えば、１ペアの秘密鍵および公開鍵を備える。
【００７３】
一実施形態において、信号ノード注入トランスポート表現特性はクライアント・ノード分配トランスポート表現特性に対応する。一実施形態において、信号ノード注入トランスポート表現特性は信号ノード信号表現特性に対応する。
【００７４】
一実施形態において、信号ノードは、信号ノードの信号ノード・ネットワーク識別情報と、対応する分配システムの分配システム注入ネットワーク識別情報とを備える信号ノード・ネットワーク・アイデンティティ・レジスタを保持するように構成されている。
【００７５】
一実施形態において、信号ノードは信号ノード・ネットワーク・インターフェースを備えており、これは、ネットワーク・チャネルに関して上記で説明した前記分配システムを少なくとも備える信号通信システム・ネットワークに接続されている信号通信システム・エンティティ・ネットワーク上で、注入トランスポート表現を備える信号通信システム・ネットワーク表現を搬送するように構成される信号通信システム・エンティティ・ネットワーク・インターフェースである。
【００７６】
一実施形態において、信号ノードは前記信号通信システム・ネットワーク表現手段を適用して、注入トランスポート表現から信号通信システム・ネットワーク表現を提供し、前記信号通信システム・ネットワーク表現解釈手段を適用して、信号通信システム・ネットワーク表現から注入トランスポート表現を提供するように構成される。
【００７７】
一実施形態において、信号ノード・ネットワーク・インターフェースは、信号ノード・ネットワーク識別情報を使って、前記信号通信システム・エンティティ・ネットワークでアドレス指定可能であるように構成されている。一実施形態において、信号ノード・ネットワーク・インターフェースは、信号ノードから分配システムに信号表現を備える信号通信システム・ネットワーク表現を搬送する信号通信システム・サブネットワークを使用することによって、分配システムに直接アドレス指定するように構成されている。一実施形態において、信号ノード・ネットワーク・インターフェースは、分配システムから信号ノードに信号表現を備える信号通信システム・ネットワーク表現を搬送する信号通信システム・サブネットワークを使用することによって、分配システムについて直接アドレス指定可能であるように構成されている。
【００７８】
一実施形態において、信号通信システム・エンティティ・ネットワークは、前記信号ノードによって使用されるラジオ・リンクと、インターネット・アクセスおよび電話通信にしばしば使用される公衆陸上移動無線システムとを接続するために、少なくとも１つのゲートウェイを備える。一実施形態において、信号通信システム・エンティティ・ネットワークは、信号ノード上に直接、インターネット・アクセスおよび電話通信にしばしば使用される公衆陸上移動無線システムを使用するためのリンクを備える。一実施形態において、信号通信システム・エンティティ・ネットワークは、信号ノード有線通信リンクを装備する前記信号ノードを、前記分配システムを含む信号通信システム・エンティティ・ネットワークに接続するために、少なくとも１つのゲートウェイを備える。一実施形態において、前記信号ノード有線通信リンクはデータまたは電話通信のための公衆有線ネットワークの一部である。一実施形態において、信号ノード・ネットワーク・インターフェースは、１ＧＨｚ未満の周波数範囲で電磁波を使用するように構成される。一実施形態において、信号ノード・ネットワーク・インターフェースは、２００ｋＨｚ以下の帯域幅を使用することによって、５００ｍを超える範囲を提供するように構成される無線インターフェースである。一実施形態において、信号ノード・ネットワーク・インターフェースは、インターネット・アクセスおよび電話通信にしばしば使用される公衆陸上移動無線システムに接続される無線インターフェースである。
【００７９】
一実施形態において、信号ノードは、信号ノード・ベンダを識別する信号ノード・ベンダ識別情報を備える信号ノード・ベンダ・レジスタを備える。一実施形態において、信号ノード・ベンダは信号ノード・ベンダ・チャネルを使って信号ノードに通信可能に結合されている。
【００８０】
一実施形態において、信号ノードは、信号ノード・オペレーティングエンティティを識別する信号ノード・オペレーティングエンティティ識別情報を備える信号ノード・オペレータレジスタを備える。一実施形態において、信号ノードは信号ノード・オペレーティングエンティティ・チャネルを使って信号ノード・オペレーティングエンティティに通信可能に結合されている。
【００８１】
一実施形態において、信号ノードは、信号ノード・ローカル・インターフェース手段と、信号ノード・オペレーティングエンティティに通信可能に結合されている信号ノード・ローカル・インターフェースとを備える。
【００８２】
一実施形態において、信号ノードは信号ノードと分配システムとの間の通信を確立するように構成される信号ノード・コミッショニング手段を備える。一実施形態において、信号ノードは、信号ノード・コミッショニング識別情報メッセージを生成するように構成される信号ノード・コミッショニング識別情報メッセージ生成手段を備える。一実施形態において、信号ノードは、前記信号ノード・コミッショニング識別情報メッセージを信号ノード・ローカル・インターフェースに指示するように構成される信号ノード・コミッショニング識別情報メッセージ指示手段を備える。一実施形態において、信号ノードは、指示された信号ノード・コミッショニング識別情報メッセージに応答して、信号ノード・コミッショニング識別情報メッセージ確認を受信するように構成される信号ノード・コミッショニング識別情報メッセージ確認受信手段を備える。一実施形態において、信号ノードは、生成される信号ノード・コミッショニング識別情報メッセージを、受信した信号ノード・コミッショニング識別情報メッセージ確認に対して検証するように構成される信号ノード・コミッショニング識別情報メッセージ検証手段を備える。一実施形態において、信号ノードは、信号ノード・コミッショニング確認を伝送して、信号ノード・コミッショニング識別情報メッセージを確認または拒否するように構成される信号ノード・コミッショニング確認伝送手段を備える。
【００８３】
クライアント・ノード
一実施形態において、クライアント・ノードは、前記クライアント・ノード信号データ・インターフェースで信号を提供および受信するために、自律的に動くデバイスとして構成されたマシンである。一実施形態において、前記クライアント・ノード信号データ・インターフェースは、ディスプレイおよび１つまたは複数のボタンのリストから１つまたは複数を備える。一実施形態において、前記クライアント・ノード信号データ・インターフェースはマシン型のインターフェースを備える。一実施形態において、前記クライアント・ノードはクライアント・ノード・バッテリを備え、主にバッテリ駆動されるように構成される。一実施形態において、前記クライアント・ノードは１年超バッテリから電力が供給される。一実施形態において、前記クライアント・ノードはモバイル・デバイスである。一実施形態において、前記クライアント・ノードは汎用コンピューティング・デバイスであり、前記汎用コンピューティング・デバイスを前述のクレームのいずれかに従ってクライアント・ノードとして構成するクライアント・ノード・ソフトウェアを備える。一実施形態において、前記クライアント・ノードはクライアント・ノード・プロセッサとクライアント・ノード・メモリとを備える。一実施形態において、前記クライアント・ノード・プロセッサおよび前記クライアント・ノード・メモリはクライアント・ノード埋め込みシステム内にまとめられる。
【００８４】
一実施形態において、前記クライアント・ノードはクライアント・ノード・アプリケーション・コントローラを備え、前記クライアント・ノードは前記信号ノードの１つまたは複数から入力信号である１つまたは複数の信号を受信し、前記クライアント・ノード・アプリケーション・コントローラによって受信した信号を処理して、制御信号である１つまたは複数の信号を確立するとともに、制御信号である前記信号を信号ノード電気アクチュエータを備える前記信号ノードの１つまたは複数に伝送するように構成される。
【００８５】
一実施形態において、前記クライアント・ノードはクライアント・ノード・アプリケーション・コントローラを備え、前記クライアント・ノードは、前記クライアント・ノード信号データ・インターフェースから入力信号である１つまたは複数の信号を受信し、前記クライアント・ノード・アプリケーション・コントローラによって前記受信した信号を処理して、制御信号である１つまたは複数の信号を確立するとともに、制御信号である前記信号を信号ノード電気アクチュエータを備える前記信号ノードの１つまたは複数に伝送するように構成される。
【００８６】
一実施形態において、前記クライアント・ノードはクライアント・ノード電気アクチュエータを備えており、これは電気的手段によって電力を供給されまたは制御されるように構成されるとともに、１つまたは複数の信号ノードから１つまたは複数の信号を受信するように構成される。一実施形態において、前記クライアント・ノードはクライアント・ノード・アプリケーション・コントローラを備え、前記クライアント・ノードは前記信号ノードの１つまたは複数から入力信号である１つまたは複数の信号を受信して、前記クライアント・ノード・アプリケーション・コントローラによって受信した信号を処理するとともに、それに基づいて前記クライアント・ノード電気アクチュエータを制御するように構成される。一実施形態において、クライアント・ノード電気アクチュエータは前記信号通信システムによって搬送される信号で制御するように構成される。
【００８７】
一実施形態において、クライアント・ノード・アイデンティティ・レジスタは、クライアント・ノード・アイデンティティと対応するクライアント・ノード識別情報とを備える。
【００８８】
本発明の有利な実施形態によると、クライアント・ノード・アイデンティティ・レジスタは、好ましくは、クライアント・ノード識別情報と、前記対応するクライアント・ノード識別情報によって参照されるクライアント・ノード・アイデンティティとを両方備える。これにより、クライアント・ノードのアイデンティティをクライアント・ノード・アイデンティティ・レジスタで２つの方法で表せることを効果的に促進する。２つの方法のうちの一方で、クライアント・ノード・アイデンティティはクライアント・ノードのアイデンティティの一意の名称を作ってもよく、これは非公開使用のため、例えば、秘密鍵などの内部識別子として提供される。もう一方の方法では、クライアント・ノード識別情報、クライアント・ノードのアイデンティティはクライアント・ノード・アイデンティティ・レジスタにおいて、この識別情報をクライアント・ノードのアドレス指定の目的に適用してもよいという意味で、公開使用に適した識別子を用いて表してもよい。
【００８９】
一実施形態において、クライアント・ノードは、前記クライアント・ノード識別情報を送信するために、クライアント・ノード識別情報伝送手段を行うように構成される。
一実施形態において、前記クライアント・ノード・アイデンティティ・レジスタは、分配システム識別情報と、分配システム識別情報を使って分配システム・アイデンティティを検証するように構成されるクライアント・ノード分配システム・アイデンティティ検証手段とを備える。一実施形態において、前記クライアント・ノード・アイデンティティ・レジスタは１つまたは複数の信号ノード識別情報を備え、クライアント・ノードは信号ノード識別情報を受信して、前記信号ノード識別情報を使って信号ノード・アイデンティティを検証するように構成されるクライアント・ノード信号ノード・アイデンティティ検証手段を行うように構成される。
【００９０】
一実施形態において、クライアント・ノードは、アイデンティティ検証用信号通信システム・エンティティから信号ノード・アイデンティティの検証を受信するように構成されるクライアント・ノード信号ノード・アイデンティティ検証手段を行うように構成される。一実施形態において、前記アイデンティティ検証用信号通信システム・エンティティはアイデンティティ・レジスタである。一実施形態において、前記アイデンティティ検証用信号通信システム・エンティティは分配システムである。
【００９１】
一実施形態において、クライアント・ノードは、前記１つまたは複数の信号のうちの前記信号に対応する信号分配ラベルを提供するように構成される信号分配ラベル生成手段によって１つまたは複数の前記信号分配ラベルを生成するように構成される。一実施形態において、クライアント・ノードは、分配システムから前記１つまたは複数の信号のうちの前記信号に対応する信号分配ラベルを受信するように構成される信号分配ラベル受信手段によって、１つまたは複数の前記信号分配ラベルを受信するように構成される。一実施形態において、信号分配ラベルは参照される信号のタイプを表す。一実施形態において、信号分配ラベルは参照される信号のアイデンティティを表す。
【００９２】
一実施形態において、クライアント・ノードは、信号表現の提供および受信で使用されるクライアント・ノード信号表現特性を備えるクライアント・ノード信号表現特性レジスタを保持する。一実施形態において、クライアント・ノードは、対応するクライアント・ノード信号表現特性に基づいて、信号から信号表現を提供するように構成されるクライアント・ノード信号表現手段を行うように構成される。一実施形態において、クライアント・ノード信号表現手段は、信号表現完全性保護タグを備える信号表現を提供するように構成される。一実施形態において、クライアント・ノード信号表現手段は前記信号表現の発信者を示す信号表現認証タグを提供するように構成される。一実施形態において、クライアント・ノード信号表現手段は、クライアント・ノード認証アイデンティティに基づいて信号表現完全性保護タグを表すことによって、信号表現完全性保護タグおよび信号表現認証タグを備える信号表現を提供するように構成される。
【００９３】
一実施形態において、クライアント・ノードは、対応するクライアント・ノード信号表現特性に基づいて、信号表現から信号を提供するように構成されるクライアント・ノード信号表現解釈手段を行うように構成される。一実施形態において、クライアント・ノード信号表現解釈手段は、完全性保護タグに基づいて信号表現の完全性を検証するように構成される。一実施形態において、クライアント・ノード信号表現解釈手段は、前記信号表現の発信者を示す信号表現認証タグを検証するように構成される。一実施形態において、クライアント・ノード信号表現解釈手段は、信号ノード認証識別情報に基づいて信号表現完全性保護タグを検証することによって、信号表現完全性保護タグおよび信号表現認証タグを検証するように構成される。
【００９４】
一実施形態において、クライアント・ノードは、信号をフォーマット化または暗号化して信号表現を確立するために、クライアント・ノード信号表現特性を生成するように構成されるクライアント・ノード信号表現特性手段と、前記クライアント・ノードと信号ノードとの間でクライアント・ノード信号表現特性を折衝するように構成されるクライアント・ノード信号表現特性インターフェース手段とを行うように構成される。一実施形態において、クライアント・ノード信号表現特性は、関連信号ノードと共有される。一実施形態において、クライアント・ノード信号表現特性は、前記信号ノードに関係する分配システム切り替え制御レジスタに従い、信号ノードと共有される。
【００９５】
一実施形態において、クライアント・ノード信号表現手段は、前記クライアント・ノード信号表現特性に従い、フォーマット化を用いて前記信号表現を提供するように構成される。一実施形態において、クライアント・ノード信号表現解釈手段は、前記クライアント・ノード信号表現特性に従い、フォーマット化を用いて前記信号を提供するように構成される。一実施形態において、前記クライアント・ノード信号表現特性は、前記信号表現の提供のためにフォーマット化の定義を備える。一実施形態において、クライアント・ノード信号表現手段は、前記クライアント・ノード信号表現特性に従い、暗号化を用いて前記信号表現を提供するように構成される。一実施形態において、クライアント・ノード信号表現解釈手段は、前記クライアント・ノード信号表現特性に従い、解読を用いて前記信号を提供するように構成される。一実施形態において、前記クライアント・ノード信号表現特性は、前記信号表現の提供のために、クライアント・ノード信号表現暗号鍵システムを備える。
【００９６】
好適な実施形態において、クライアント・ノード信号表現特性は、フォーマット化の定義およびクライアント・ノード信号表現暗号鍵システムの両方を備える。クライアント・ノード信号表現暗号鍵システムは、例えば、１ペアの秘密鍵および公開鍵を備えることができる。
【００９７】
一実施形態において、クライアント・ノードは、信号通信システム・トランスポート・アイデンティティであるクライアント・ノード分配トランスポート・アイデンティティと、信号通信システム・トランスポート識別情報である対応するクライアント・ノード分配トランスポート識別情報と、対応する分配システムの分配システム分配トランスポート・アイデンティティに関連付けられている分配システム分配トランスポート識別情報とを備えるクライアント・ノード分配トランスポート・アイデンティティ・レジスタを保持するように構成される。
【００９８】
一実施形態において、クライアント・ノードは、分配システム分配トランスポート識別情報を使って、分配システム分配トランスポート・アイデンティティを検証するように構成されるクライアント・ノード分配システム分配トランスポート・アイデンティティ検証手段を行うように構成される。
【００９９】
一実施形態において、クライアント・ノード分配トランスポート識別情報はクライアント・ノード識別情報から導出される。クライアント・ノード分配トランスポート識別情報がクライアント・ノード識別情報から導出される場合、有利なことに、検証は同じ検証手段を使用することができるであろう。
【０１００】
一実施形態において、クライアント・ノードは、クライアント・ノード分配トランスポート表現特性を備えるクライアント・ノード分配トランスポート表現特性レジスタを保持するように構成される。一実施形態において、前記クライアント・ノードは、分配システム分配トランスポート識別情報によって識別される分配システムに分配トランスポート表現を提供するように構成されるクライアント・ノード分配トランスポート要求手段と、要求された分配トランスポート表現に応答して、分配システムから分配トランスポート表現を受信するように構成されるクライアント・ノード分配トランスポート応答手段とを行うように構成される。一実施形態において、クライアント・ノード分配トランスポート応答手段は、分配システムから分配トランスポート表現の転送を要求するように構成される。
【０１０１】
一実施形態において、クライアント・ノード分配トランスポート要求手段は、ローカルエネルギ収支を決定し、それに基づいて前記分配トランスポート表現の伝送をスケジューリングするよう構成されている。
【０１０２】
クライアント・ノード、またはいくつかのクライアント・ノードは、いくつかの実施形態において、有利なことに、電力管理に合わせて最適化され、伝送をスケジューリングすることができ、例えば、通信のエネルギ消費を最小にするために、分配トランスポート表現を分配システムに送信し、または分配システムから分配トランスポート表現を取得する。スケジューリングに含めるべき要因は、例えば、ネットワーク資源およびネットワークルートの可用性、距離、データトラフィックの予想または測定輻輳時間、伝送コストなどを含むことができる。好適な実施形態では、クライアント・ノードは分配トランスポート表現を、それによりその信号を等時的にまたは所定のスケジュールに従って提供するように構成することができる。
【０１０３】
一実施形態において、前記クライアント・ノードは、対応するクライアント・ノード分配トランスポート表現特性に基づいて、各信号分配ラベルおよび対応する信号表現から分配トランスポート表現を提供するように構成されるクライアント・ノード分配トランスポート表現手段と、分配トランスポート表現から、信号に対応する信号分配ラベルおよび信号表現を提供するように構成されるクライアント・ノード分配トランスポート表現解釈手段とを行うように構成される。
【０１０４】
一実施形態において、前記クライアント・ノードは、信号表現をフォーマット化または暗号化して分配トランスポート表現を確立するために、分配トランスポート表現特性を生成するように構成されるクライアント・ノード分配トランスポート表現特性手段と、分配システムと分配トランスポート表現特性を折衝するように構成されるクライアント・ノード分配トランスポート表現特性インターフェース手段とを行うように構成される。
【０１０５】
一実施形態において、クライアント・ノード分配トランスポート表現手段は、前記クライアント・ノード分配トランスポート表現特性に従ってフォーマットを適用し、前記分配トランスポート表現を提供するように構成される。一実施形態において、クライアント・ノード分配トランスポート表現解釈手段は、前記分配トランスポート表現を解釈し、前記クライアント・ノード分配トランスポート表現特性に従って信号分配ラベルおよび信号表現を提供するように構成される。一実施形態において、クライアント・ノード分配トランスポート表現特性は、前記分配トランスポート表現の提供のために適用されるべきフォーマットの定義を備える。一実施形態において、クライアント・ノード分配トランスポート表現手段は、前記クライアント・ノード分配トランスポート表現特性に従い、暗号化を用いて前記分配トランスポート表現を提供するように構成される。一実施形態において、クライアント・ノード分配トランスポート表現解釈手段は、前記クライアント・ノード分配トランスポート表現特性に従い、解読を用いて前記信号分配ラベルおよび信号表現を提供するように構成される。一実施形態において、クライアント・ノード分配トランスポート表現特性は、前記分配トランスポート表現の提供のために、クライアント・ノード分配トランスポート暗号鍵システムを備える。
【０１０６】
好適な実施形態において、クライアント・ノード分配トランスポート表現特性は、フォーマット化の定義およびクライアント・ノード分配トランスポート暗号鍵システムの両方を備える。クライアント・ノード分配トランスポート暗号鍵システムは、例えば、１ペアの秘密鍵および公開鍵を備えることができる。
【０１０７】
一実施形態において、クライアント・ノード分配トランスポート表現特性はクライアント・ノード信号表現特性に対応する。
一実施形態において、クライアント・ノードは、クライアント・ノードのクライアント・ノード・ネットワーク識別情報と、対応する分配システムの分配システム分配ネットワーク識別情報とを備えるクライアント・ノード・ネットワーク・アイデンティティ・レジスタを保持するように構成される。
【０１０８】
一実施形態において、クライアント・ノードはクライアント・ノード・ネットワーク・インターフェースを備え、これはネットワーク・チャネルに関して上記で説明した前記分配システムを少なくとも備える信号通信システム・ネットワークに接続されている信号通信システム・エンティティ・ネットワーク上で、分配トランスポート表現を備える信号通信システム・ネットワーク表現を搬送するように構成される信号通信システム・エンティティ・ネットワーク・インターフェースである。
【０１０９】
一実施形態において、クライアント・ノードは前記信号通信システム・ネットワーク表現手段を適用して、分配トランスポート表現から信号通信システム・ネットワーク表現を提供するとともに、前記信号通信システム・ネットワーク表現解釈手段を適用して、信号通信システム・ネットワーク表現から分配トランスポート表現を提供するように構成される。
【０１１０】
一実施形態において、クライアント・ノード・ネットワーク・インターフェースは、クライアント・ノード・ネットワーク識別情報を使って、前記信号通信システム・エンティティ・ネットワークでアドレス指定可能であるように構成されている。一実施形態において、クライアント・ノード・ネットワーク・インターフェースは、クライアント・ノードから分配システムに分配トランスポート表現を備える信号通信システム・ネットワーク表現を搬送する信号通信システム・サブネットワークを使用することによって、分配システムに直接アドレス指定するように構成されている。一実施形態において、クライアント・ノード・ネットワーク・インターフェースは、分配システムからクライアント・ノードに分配トランスポート表現を備える信号通信システム・ネットワーク表現を搬送する信号通信システム・サブネットワークを使用することによって、分配システムについて直接アドレス指定可能であるように構成されている。
【０１１１】
一実施形態において、信号通信システム・エンティティ・ネットワークは、インターネット経由で前記信号ノードを前記分配システムに通信可能に結合するように構成されるゲートウェイ・システムを備える。一実施形態において、信号通信システム・エンティティ・ネットワークは、前記信号ノードによって使用されるラジオ・リンクと、インターネット・アクセスおよび電話通信にしばしば使用される公衆陸上移動無線システムとを接続するために、少なくとも１つのゲートウェイを備える。一実施形態において、信号通信システム・エンティティ・ネットワークは、信号ノード上で、インターネットおよび電話通信にしばしば使用される公衆陸上移動無線システムを直接使用するためのリンクを備える。一実施形態において、信号通信システム・エンティティ・ネットワークは、クライアント・ノード有線通信リンクを装備する前記信号ノードを前記分配システムを含む信号通信システム・エンティティ・ネットワークに接続するために、少なくとも１つのゲートウェイを備える。一実施形態において、前記クライアント・ノード有線通信リンクは、データまたは電話通信のための公衆有線ネットワークの一部である。一実施形態において、クライアント・ノード・ネットワーク・インターフェースは、１ＧＨｚ未満の周波数範囲の電磁波を使用するように構成される。一実施形態において、クライアント・ノード・ネットワーク・インターフェースは、２００ｋＨｚ以下の帯域幅を使用することによって、５００ｍを超える範囲を提供するように構成される無線インターフェースである。一実施形態において、クライアント・ノード・ネットワーク・インターフェースは、インターネット・アクセスおよび電話通信のためにしばしば使用される公衆陸上移動無線システムに接続されている無線インターフェースである。
【０１１２】
一実施形態において、クライアント・ノードは、クライアント・ノード・ベンダを識別するクライアント・ノード・ベンダ識別情報を備えるクライアント・ノード・ベンダ・レジスタを備える。一実施形態において、クライアント・ノード・ベンダはクライアント・ノード・ベンダ・チャネルを使ってクライアント・ノードに通信可能に結合されている。
【０１１３】
前述のクレームのいずれかの信号通信システムにおいて、クライアント・ノードは、クライアントノード・オペレーティングエンティティを識別するクライアントノード・オペレーティングエンティティ識別情報を備えるクライアント・ノード・オペレータレジスタを備える。一実施形態において、クライアント・ノードはクライアントノード・オペレーティングエンティティ・チャネルを使ってクライアントノード・オペレーティングエンティティに通信可能に結合されている。
【０１１４】
一実施形態において、クライアント・ノードは、クライアント・ノード・ローカル・インターフェース手段と、クライアント・ノード・オペレーティングエンティティに通信可能に結合されるように構成されているクライアント・ノード・ローカル・インターフェースとを備える。
【０１１５】
一実施形態において、クライアント・ノードは、クライアント・ノードと分配システムとを通信可能に結合するように構成されるクライアント・ノード・コミッショニング手段を備える。一実施形態において、クライアント・ノードは、クライアント・ノード・コミッショニング識別情報メッセージを生成するように構成されるクライアント・ノード・コミッショニング識別情報メッセージ生成手段を備える。一実施形態において、クライアント・ノードは、クライアント・ノード・コミッショニング識別情報メッセージをクライアント・ノード・ローカル・インターフェースに指示するように構成されるクライアント・ノード・コミッショニング識別情報メッセージ指示手段を備える。一実施形態において、クライアント・ノードは、指示されたクライアント・ノード・コミッショニング識別情報メッセージに応答して、クライアント・ノード・コミッショニング識別情報メッセージ確認を受信するように構成されるクライアント・ノード・コミッショニング識別情報メッセージ確認受信手段を備える。一実施形態において、クライアント・ノードは、生成されたクライアント・ノード・コミッショニング識別情報メッセージを、受信したクライアント・ノード・コミッショニング識別情報メッセージ確認に対して検証するように構成されるクライアント・ノード・コミッショニング識別情報メッセージ検証手段を備える。一実施形態において、クライアント・ノードは、クライアント・ノード・コミッショニング確認を伝送して、クライアント・ノード・コミッショニング識別情報メッセージを確認または拒否するように構成されるクライアント・ノード・コミッショニング確認伝送手段を備える。
【０１１６】
カタログシステム
一実施形態において、分配システムは、分配システムで前記信号の切り替えをコミッショニングするために使用されるカタログシステム記録のリストを提供するように構成されるカタログシステムであるエンティティに通信可能に結合されており、カタログシステムおよび分配システムは、分配システム・カタログシステム・チャネルによって通信可能に結合されている。一実施形態において、カタログシステムはカタログシステム・ベンダ・チャネルを使ってカタログシステム・ベンダに通信可能に結合されている。一実施形態において、カタログシステムはカタログシステム・オペレーティングエンティティ・チャネルを使ってカタログシステム・オペレーティングエンティティに通信可能に結合されている。一実施形態において、カタログシステムはカタログシステム信号ノード・オペレーティングエンティティ・チャネルを使って信号ノード・オペレーティングエンティティに通信可能に結合されている。一実施形態において、カタログシステムはカタログシステム・クライアント・ノード・オペレーティングエンティティ・チャネルを使ってクライアント・ノード・オペレーティングエンティティに通信可能に結合されている。一実施形態において、カタログシステムはカタログシステム・クライアント・ノードチャネルを使ってクライアント・ノードに通信可能に結合されている。
【０１１７】
一実施形態において、カタログシステムは、カタログシステム・アイデンティティと、対応するカタログシステム識別情報と、前記分配システムのそれぞれのアイデンティティに関連付けられている１つまたは複数の分配システム識別情報とを備えるカタログシステム・アイデンティティ・レジスタを保持するように構成される。一実施形態において、カタログシステムは、分配システム識別情報を検証するために、カタログシステム分配システム識別情報検証手段を行うように構成される。
【０１１８】
一実施形態において、カタログシステムは、１つまたは複数のカタログシステム記録を備えるカタログシステム信号ラベルレジスタを保持するように構成されており、カタログシステム記録はそれぞれ、信号ノード・カタログ名と信号ノード・カタログ・ラベルとから選択される１つまたは複数のデータを備え、すべてが前記信号のうちの１つに関連付けられている。一実施形態において、カタログシステム記録は、前記信号に対応する人が読むことのできるテキストを表す文字列である信号ノード・カタログ記述を備える。一実施形態において、カタログシステムは、前記信号に関連付けられている文字列のリストから信号ノード・カタログ・ラベルを提供するように構成されるカタログシステム信号ノード・カタログ・ラベル生成手段を行うように構成される。一実施形態において、カタログシステムは、１つまたは複数のカタログシステム記録を受信するように構成されるカタログシステム記録受信手段を行うように構成される。
【０１１９】
一実施形態において、カタログシステムは、カタログシステム記録要求パラメータの１つまたは複数を備えるカタログシステム記録要求を受信するように構成されるカタログシステム記録要求受信手段と、前記カタログシステム記録要求パラメータに従ってカタログシステム記録を提供するように構成されるカタログシステム記録要求応答手段とを行うように構成される。一実施形態において、カタログシステム記録要求パラメータは１つまたは複数の信号ノード・カタログ・キーワードを備え、これは信号ノード・カタログ記述、信号ノード・カタログ・ラベルおよび信号ノード・カタログ名のリストからの１つまたは複数に関連付けられている用語である。
【０１２０】
一実施形態において、前記カタログシステムは、信号ノード・カタログ・ラベルおよびカタログシステム記録のリストから選択される１つまたは複数に基づいて、カタログシステム切り替え要求を受信して、前記分配システムで関連信号の切り替えを構成するとともに、前記分配システムへの参照が返信されることを規定するように構成されるカタログシステム切り替え要求受信手段を行うように構成される。一実施形態において、前記カタログシステムは、信号ノード・カタログ・ラベルまたはカタログシステム記録のリストに基づいて、前記分配システムから信号ノード分配システム参照を要求するように構成されるカタログシステム切り替えリンク要求手段を行うように構成される。一実施形態において、前記カタログシステムは、カタログシステム切り替えリンク要求手段に応答して、前記分配システムから信号ノード分配システム参照を受信するように構成されるカタログシステム切り替えリンク受信手段を行うように構成される。一実施形態において、前記カタログシステムは、カタログシステム切り替え要求受信手段に応答して、特定の信号ノード分配システム参照を提供するように構成されるカタログシステム切り替え要求応答手段を行うように構成される。
【０１２１】
分配システムは一般に信号通信システムでコミッショニングされていないエンティティによるアクセスには利用できないため、一実施形態において、信号にサブスクライブしようとするクライアント・ノードには、特別な参照、例えば、分配システム・ウェブ・サーバ位置を指す特定のユニフォーム・リソース・ロケータＵＲＬが提供される。それにより、特に、サービス妨害（ＤｏＳ：Ｄｅｎｉａｌ−ｏｆ−Ｓｅｒｖｉｃｅ）攻撃に対する脆弱性が減少する。
【０１２２】
一実施形態において、信号ノード・カタログ・ラベルは、前記カタログシステム識別情報に基づく。
一実施形態において、カタログシステムは、カタログシステム分配システム・データ表現の提供および受信で使用されるカタログシステム分配システム・データ表現特性を備えるカタログシステム分配システム・データ表現特性レジスタを保持するように構成される。一実施形態において、カタログシステムはカタログシステム分配システム・データ表現特性手段を行うように構成されており、これはカタログシステム分配システム・データをフォーマット化または暗号化して、カタログシステム分配システム・データ表現を確立するために、カタログシステム分配システム・データ表現特性を生成するように構成される。一実施形態において、カタログシステムはカタログシステム分配システム・データ表現特性インターフェース手段を行うように構成されており、これは分配システムとカタログシステム分配システム・データ表現特性を折衝するように構成される。
【０１２３】
一実施形態において、前記カタログシステムは、前記カタログシステム分配システム・データ表現特性に基づいて、カタログシステム分配システム・データからカタログシステム分配システム・データ表現を提供するように構成されるカタログシステム分配システム・データ表現手段を行うように構成される。一実施形態において、前記カタログシステムは、前記カタログシステム分配システム・データ表現特性に基づいて、カタログシステム分配システム・データ表現からカタログシステム分配システム・データを提供するために、カタログシステム分配システム・データ表現解釈手段を行うように構成される。
【０１２４】
一実施形態において、カタログシステムは、信号通信システム・トランスポート・アイデンティティであるカタログシステム・トランスポート・アイデンティティと、信号通信システム・トランスポート識別情報である対応するカタログシステム識別情報と、分配システム・トランスポート識別情報と、カタログシステム分配システム・トランスポート表現特性とを備えるカタログシステム・トランスポート表現特性レジスタを保持するように構成されている。一実施形態において、カタログシステムは、前記分配システムの分配システム・カタログシステム・チャネルに関連付けられている分配システム・トランスポート識別情報を検証するように構成されるカタログシステム分配システム・トランスポート識別情報検証手段を行うように構成されている。
【０１２５】
一実施形態において、カタログシステムは、カタログシステム分配システム・データ表現をフォーマット化または暗号化して、カタログシステム分配システム・トランスポート表現を確立するために、カタログシステム分配システム・トランスポート表現特性を生成するように構成されるカタログシステム分配システム・トランスポート表現特性手段を行うように構成される。一実施形態において、前記カタログシステムは、分配システム・トランスポート識別情報によって識別される分配システムと、カタログシステム分配システム・トランスポート表現特性を折衝するように構成されるカタログシステム分配システム・トランスポート表現特性インターフェース手段を行うように構成される。一実施形態において、前記カタログシステムは、対応するカタログシステム分配システム・トランスポート表現特性に基づいて、カタログシステム分配システム・データ表現からカタログシステム分配システム・トランスポート表現を提供するように構成されるカタログシステム分配システム・トランスポート表現手段を行うように構成される。一実施形態において、前記カタログシステムは、対応するカタログシステム分配システム・トランスポート表現特性に基づいて、カタログシステム分配システム・トランスポート表現からカタログシステム分配システム・データ表現を提供するように構成されるカタログシステム分配システム・トランスポート表現解釈手段を行うように構成される。
【０１２６】
一実施形態において、前記カタログシステムは、カタログシステム分配システム・トランスポート表現を分配システムに提供するように構成されるカタログシステム分配システム・トランスポート表現伝送手段を行うように構成される。一実施形態において、前記カタログシステムは、カタログシステム分配システム・トランスポート表現を受信するように構成されるカタログシステム分配システム・トランスポート表現受信手段を行うように構成される。
【０１２７】
一実施形態において、カタログシステムはカタログシステム・ネットワーク・インターフェースを備え、これはネットワーク・チャネルに関して上記で説明した前記分配システムを少なくとも備える信号通信システム・ネットワークに接続されている信号通信システム・エンティティ・ネットワーク上で、信号通信システム・トランスポート表現に対応するカタログシステム分配システム・トランスポート表現を備える信号通信システム・ネットワーク表現を搬送するように構成される信号通信システム・エンティティ・ネットワーク・インターフェースである。
【０１２８】
一実施形態において、カタログシステムは前記信号通信システム・ネットワーク表現手段を適用して、カタログシステム分配システム・トランスポート表現から信号通信システム・ネットワーク表現を提供するとともに、前記信号通信システム・ネットワーク表現解釈手段を適用して、信号通信システム・ネットワーク表現からカタログシステム分配システム・トランスポート表現を提供するように構成される。
【０１２９】
一実施形態において、カタログシステムは、前記カタログシステム・クライアント・ノード・オペレーティングエンティティ・チャネルを使った、前記カタログシステムとクライアント・ノード・オペレーティングエンティティとの間でのカタログシステム・クライアント・ノード・オペレーティングエンティティ・データ表現の提供および受信で使用されるカタログシステム・クライアント・ノード・オペレーティングエンティティ・データ表現特性を備えるカタログシステム・クライアント・ノード・オペレーティングエンティティ・データ表現特性レジスタを保持するように構成される。
【０１３０】
一実施形態において、カタログシステムはカタログシステム・クライアント・ノード・オペレーティングエンティティ・データ表現特性手段を行うように構成されており、これはカタログシステム・クライアント・ノード・オペレーティングエンティティ・データをフォーマット化または暗号化して、カタログシステム・クライアント・ノード・オペレーティングエンティティ・データ表現を確立するために、カタログシステム・クライアント・ノード・オペレーティングエンティティ・データ表現特性を生成するように構成される。一実施形態において、カタログシステムはカタログシステム・クライアント・ノード・オペレーティングエンティティ・データ表現特性インターフェース手段を行うように構成されており、これはクライアント・ノード・オペレーティングエンティティと、カタログシステム・クライアント・ノード・オペレーティングエンティティ・データ表現特性を折衝するように構成される。
【０１３１】
一実施形態において、前記カタログシステムは、前記カタログシステム・クライアント・ノード・オペレーティングエンティティ・データ表現特性に基づいて、カタログシステム・クライアント・ノード・オペレーティングエンティティ・データからカタログシステム・クライアント・ノード・オペレーティングエンティティ・データ表現を提供するように構成されるカタログシステム・クライアント・ノード・オペレーティングエンティティ・データ表現手段を行うように構成される。一実施形態において、前記カタログシステムは、前記カタログシステム・クライアント・ノード・オペレーティングエンティティ・データ表現特性に基づいて、カタログシステム・クライアント・ノード・オペレーティングエンティティ・データ表現からカタログシステム・クライアント・ノード・オペレーティングエンティティ・データを提供するように構成されるカタログシステム・クライアント・ノード・オペレーティングエンティティ・データ表現解釈手段を行うように構成される。
【０１３２】
一実施形態において、カタログシステムは、クライアント・ノード・オペレーティングエンティティ・トランスポート識別情報を備えるカタログシステム・トランスポート表現特性レジスタを保持するように構成されている。一実施形態において、カタログシステムは、カタログシステム・クライアント・ノード・オペレーティングエンティティ・チャネルに関連付けられているクライアント・ノード・オペレーティングエンティティ・トランスポート識別情報を検証するように構成されるカタログシステム・クライアント・ノード・オペレーティングエンティティ・トランスポート識別情報検証手段を行うように構成されている。
【０１３３】
一実施形態において、カタログシステムは、カタログシステム・クライアント・ノード・オペレーティングエンティティ・データ表現をフォーマット化または暗号化して、カタログシステム・クライアント・ノード・オペレーティングエンティティ・トランスポート表現を確立するために、カタログシステム・クライアント・ノード・オペレーティングエンティティ・トランスポート表現特性を生成するように構成されるカタログシステム・クライアント・ノード・オペレーティングエンティティ・トランスポート表現特性手段を行うように構成される。一実施形態において、前記カタログシステムは、クライアント・ノード・オペレーティングエンティティ・トランスポート識別情報によって識別されるクライアント・ノード・オペレーティングエンティティと、カタログシステム・クライアント・ノード・オペレーティングエンティティ・トランスポート表現特性を折衝するように構成されるカタログシステム・クライアント・ノード・オペレーティングエンティティ・トランスポート表現特性インターフェース手段を行うように構成される。
【０１３４】
一実施形態において、前記カタログシステムは、対応するカタログシステム・クライアント・ノード・オペレーティングエンティティ・トランスポート表現特性に基づいて、カタログシステム・クライアント・ノード・オペレーティングエンティティ・データ表現からカタログシステム・クライアント・ノード・オペレーティングエンティティ・トランスポート表現を提供するように構成されるカタログシステム・クライアント・ノード・オペレーティングエンティティ・トランスポート表現手段を行うように構成される。一実施形態において、前記カタログシステムは、対応するカタログシステム・クライアント・ノード・オペレーティングエンティティ・トランスポート表現特性に基づいて、カタログシステム・クライアント・ノード・オペレーティングエンティティ・トランスポート表現からカタログシステム・クライアント・ノード・オペレーティングエンティティ・データ表現を提供するように構成されるカタログシステム・クライアント・ノード・オペレーティングエンティティ・トランスポート表現解釈手段を行うように構成される。
【０１３５】
一実施形態において、前記カタログシステムは、クライアント・ノード・オペレーティングエンティティにカタログシステム・クライアント・ノード・オペレーティングエンティティ・トランスポート表現を提供するように構成されるカタログシステム・クライアント・ノード・オペレーティングエンティティ・トランスポート表現伝送手段を行うように構成される。一実施形態において、前記カタログシステムは、カタログシステム・クライアント・ノード・オペレーティングエンティティ・トランスポート表現を受信するように構成されるカタログシステム・クライアント・ノード・オペレーティングエンティティ・トランスポート表現受信手段を行うように構成される。
【０１３６】
一実施形態において、カタログシステムは、カタログシステムのカタログシステム・ネットワーク識別情報と、対応する分配システムの分配システム注入ネットワーク識別情報とを備えるカタログシステム・ネットワーク・アイデンティティ・レジスタを保持するように構成される。
【０１３７】
一実施形態において、カタログシステムはカタログシステム・ネットワーク・インターフェースを備えており、これは少なくとも１つまたは複数のクライアント・ノード・オペレーティングエンティティを備える信号通信システム・ネットワークに接続されている信号通信システム・エンティティ・ネットワーク上で、カタログシステム・クライアント・ノード・オペレーティングエンティティ・トランスポート表現を備える信号通信システム・ネットワーク表現を搬送するように構成される信号通信システム・エンティティ・ネットワーク・インターフェースである。一実施形態において、カタログシステムは前記信号通信システム・ネットワーク表現手段を適用して、カタログシステム・クライアント・ノード・オペレーティングエンティティ・トランスポート表現から信号通信システム・ネットワーク表現を提供するとともに、前記信号通信システム・ネットワーク表現解釈手段を適用して、信号通信システム・ネットワーク表現からカタログシステム・クライアント・ノード・オペレーティングエンティティ・トランスポート表現を提供するように構成される。
【０１３８】
分配システム
一実施形態において、分配システムは、通信用の分配システム通信チャネルをそれぞれ使用して、多数の分配システム通信エンティティに通信可能に結合されている。
【０１３９】
分配システム通信チャネルはその目的に専用のチャネルであってもよく、または他の通信にも使用される共通チャネルであってもよい。
一実施形態において、前記多数の分配システム通信エンティティは、分配システム通信チャネルとして注入トランスポート・チャネルを使用する少なくとも１つの信号ノードと、分配システム通信チャネルとして分配トランスポート・チャネルを使用する少なくとも１つのクライアント・ノードとを備える。一実施形態において、前記多数の分配システム通信エンティティは、分配システム通信チャネルとして注入トランスポート・チャネルを使用する少なくとも１つのカタログシステムを備える。一実施形態において、分配システム通信エンティティのうちの少なくとも１つは、分配システム通信チャネルとして分配システム・オペレーティングエンティティ・チャネルを使用する分配システム・オペレーティングエンティティである。一実施形態において、分配システム通信エンティティのうちの少なくとも１つは、分配システム通信チャネルとして分配システム・ベンダ・チャネルを使用する分配システム・ベンダである。一実施形態において、分配システム通信エンティティのうちの少なくとも１つは、分配システム通信チャネルとして分配システム信号ノード・オペレーティングエンティティ・チャネルを使用する信号ノード・オペレーティングエンティティである。一実施形態において、分配システム通信エンティティのうちの少なくとも１つは、分配システム通信チャネルとして信号ノード・ベンダ・チャネルを使用する信号ノード・ベンダである。一実施形態において、分配システム通信エンティティのうちの少なくとも１つは、分配システム通信チャネルとして分配システム・クライアント・ノード・オペレーティングエンティティ・チャネルを使用するクライアント・ノード・オペレーティングエンティティである。一実施形態において、分配システム通信エンティティのうちの少なくとも１つは、分配システム通信チャネルとしてクライアント・ノード・ベンダ・チャネルを使用するクライアント・ノード・ベンダである。
【０１４０】
一実施形態において、分配システムは、分配システム・アイデンティティと、対応する分配システム識別情報とを備える分配システム・アイデンティティ・レジスタを保持する。一実施形態において、前記多数の分配システム通信エンティティは、分配システム・オペレーティングエンティティ、分配システム・ベンダ、信号ノード、信号ノード・オペレーティングエンティティ、信号ノード・ベンダ、クライアント・ノード、クライアント・ノード・オペレーティングエンティティ、クライアント・ノード・ベンダ、カタログシステム、カタログシステム・オペレーティングエンティティ、およびカタログシステム・ベンダの中から選択される１つまたは複数のエンティティを備える。一実施形態において、分配システム・アイデンティティ・レジスタは、前記分配システムに接続されている前記多数の分配システム通信エンティティのそれぞれについて、分配システム通信エンティティ識別情報を備える。
【０１４１】
一実施形態において、分配システムは、検討中の分配システム通信エンティティのアイデンティティを検証するために、対応する分配システム通信エンティティ識別情報検証手段を行うように構成される。一実施形態において、分配システムは、前記分配システム通信エンティティ識別情報検証手段の結果を別の分配システム通信エンティティに提供するために、分配システム通信エンティティ識別情報検証伝送手段を行うように構成される。一実施形態において、分配システムは、各分配システム通信エンティティについて、前記分配システム通信エンティティ識別情報を受信するように構成される分配システム通信エンティティ識別情報受信手段を行うように構成される。一実施形態において、分配システムは、分配システム通信エンティティ識別情報を各分配システム通信エンティティに送信するために、分配システム通信エンティティ識別情報伝送手段を行うように構成される。
【０１４２】
一実施形態において、分配システムは、前記分配システムと分配システム通信エンティティとの間での分配システム・データ表現の提供および受信で使用される分配システム・データ表現特性を備える分配システム・データ表現特性レジスタを保持するように構成される。一実施形態において、分配システムは分配システム通信データをフォーマット化または暗号化して、分配システム・データ表現を確立するために、分配システム・データ表現特性を生成するように構成される分配システム・データ表現特性手段を行うように構成される。一実施形態において、分配システムは、分配システム通信エンティティと、分配システム・データ表現特性を折衝するように構成される分配システム・データ表現特性インターフェース手段を行うように構成される。一実施形態において、前記分配システムは、分配システム・データ表現特性に基づいて、分配システム通信データから分配システム・データ表現を提供するように構成される分配システム・データ表現手段を行うように構成される。一実施形態において、前記分配システムは、分配システム・データ表現特性に基づいて、分配システム・データ表現から分配システム通信データを提供するために、分配システム・データ表現解釈手段を行うように構成される。
【０１４３】
一実施形態において、分配システムは、信号通信システム・トランスポート・アイデンティティである分配システム・トランスポート・アイデンティティと、信号通信システム・トランスポート識別情報である対応する分配システム・トランスポート識別情報と、分配システム・アイデンティティ・レジスタに対応する分配システム通信エンティティ識別情報が含まれる参照中の分配システム通信エンティティ・アイデンティティに対応する分配システム通信エンティティ・トランスポート識別情報とを備える分配システム・トランスポート・アイデンティティ・レジスタを保持するように構成される。
【０１４４】
一実施形態において、信号ノードおよびクライアント・ノードとの通信で使用するべき分配システム・トランスポート・アイデンティティはそれぞれ別にして、それにより分配システムが分配システム注入トランスポート・アイデンティティおよび分配システム分配トランスポート・アイデンティティと、分配システム注入トランスポート識別情報および分配システム分配トランスポート識別情報である対応する識別情報とを備えさせることができる。
【０１４５】
一実施形態において、前記分配システムは、分配システム通信エンティティの分配システム通信エンティティ・トランスポート識別情報を検証するように構成される分配システム通信エンティティ・トランスポート識別情報検証手段を行うように構成される。
【０１４６】
一実施形態において、前記分配システム通信エンティティ・トランスポート識別情報は、参照中の信号ノード・アイデンティティに対応する信号ノード注入トランスポート識別情報、参照中のクライアント・ノード・アイデンティティに対応するクライアント・ノード分配トランスポート識別情報、分配システム・オペレーティングエンティティ・トランスポート識別情報、分配システム・ベンダ・トランスポート識別情報、信号ノード・オペレーティングエンティティ・トランスポート識別情報、信号ノード・ベンダ・トランスポート識別情報、クライアント・ノード・オペレーティングエンティティ・トランスポート識別情報、およびクライアント・ノード・ベンダ・トランスポート識別情報の中から選択される１つまたは複数の識別情報を備える。
【０１４７】
一実施形態において、分配システムは、分配システム・アイデンティティ・レジスタ内の各分配システム通信エンティティについて、１つまたは複数の分配システム通信エンティティ・トランスポート表現特性を備える分配システム通信エンティティ・トランスポート表現特性レジスタを保持するように構成される。一実施形態において、前記分配システムは、対応する分配システム通信エンティティ・トランスポート表現特性に基づいて、対応する分配システム・データ表現から分配システム通信エンティティ・トランスポート表現を提供するように構成される分配システム通信エンティティ・トランスポート表現手段を行うように構成される。一実施形態において、前記分配システムは、対応する分配システム通信エンティティ・トランスポート表現特性に基づいて、対応する分配システム通信エンティティ・トランスポート表現から分配システム・データ表現を提供するように構成される分配システム通信エンティティ・トランスポート表現解釈手段を行うように構成される。
【０１４８】
一実施形態において、前記分配システムは、前記分配システム・データ表現をフォーマット化または暗号化して、分配システム通信エンティティ・トランスポート表現を確立するために、前記分配システム通信エンティティ・トランスポート表現特性を生成するように構成される分配システム通信エンティティ・トランスポート表現特性手段を行うように構成される。一実施形態において、前記分配システムは、前記分配システム通信エンティティ・トランスポート識別情報によって識別される分配システム通信エンティティと、前記分配システム通信エンティティ・トランスポート表現特性を折衝するように構成される分配システム通信エンティティ・トランスポート表現特性インターフェース手段を行うように構成される。一実施形態において、前記分配システム通信エンティティは、分配システム・オペレーティングエンティティ、分配システム・ベンダ、信号ノード、信号ノード・オペレーティングエンティティ、信号ノード・ベンダ、クライアント・ノード、クライアント・ノード・オペレーティングエンティティ、クライアント・ノード・ベンダ、カタログシステム、カタログシステム・オペレーティングエンティティ、およびカタログシステム・ベンダの中から選択され、前記分配システム通信エンティティ・トランスポート表現特性を折衝するエンティティを備える。
【０１４９】
一実施形態において、前記分配システム通信エンティティ・トランスポート表現特性レジスタは分配システム注入トランスポート表現特性レジスタと、分配システム・アイデンティティ・レジスタ内の信号ノードである各分配システム通信エンティティについて、分配システム通信エンティティ・トランスポート表現特性として対応する分配システム注入トランスポート表現特性とを備える。
【０１５０】
一実施形態において、前記分配システム通信エンティティ・トランスポート表現手段は、対応する分配システム注入トランスポート表現特性に基づいてフォーマット化または暗号化することによって、信号注入ラベルおよび対応する信号表現から分配システム通信エンティティ・トランスポート表現として注入トランスポート表現を提供するように構成される。一実施形態において、前記分配システム通信エンティティ・トランスポート表現解釈手段は、対応する分配システム注入トランスポート表現特性に基づいて、注入トランスポート表現から信号注入ラベルおよび対応する信号表現を提供するように構成される。
【０１５１】
前述のクレームのいずれかの信号通信システムにおいて、前記分配システム通信エンティティ・トランスポート表現特性レジスタは、分配システム分配トランスポート表現特性レジスタと、分配システム・アイデンティティ・レジスタ内のクライアント・ノードである各分配システム通信エンティティについて、分配システム通信エンティティ・トランスポート表現特性として対応する分配システム分配トランスポート表現特性とを備える。一実施形態において、前記分配システム通信エンティティ・トランスポート表現手段は、対応する分配システム分配トランスポート表現特性に基づいてフォーマット化または暗号化することによって、信号分配ラベルおよび対応する信号表現から分配システム通信エンティティ・トランスポート表現として分配トランスポート表現を提供するように構成される。一実施形態において、前記分配システム通信エンティティ・トランスポート表現解釈手段は、対応する分配システム分配トランスポート表現特性に基づいて、分配トランスポート表現から信号分配ラベルおよび信号表現を提供するように構成される。
【０１５２】
一実施形態において、前記分配システムは、前記信号に対応する信号注入ラベルを信号ノードに提供するように構成される分配システム信号注入ラベル生成手段を行うように構成される。一実施形態において、前記分配システムは、信号ノードから前記信号に対応する信号注入ラベルを受信するように構成される分配システム信号注入ラベル受信手段を行うように構成される。一実施形態において、前記分配システムは、前記信号に対応する信号分配ラベルをクライアント・ノードに提供するように構成される分配システム信号分配ラベル生成手段を行うように構成される。一実施形態において、前記分配システムは、クライアント・ノードから前記信号に対応する信号分配ラベルを受信するように構成される分配システム信号分配ラベル受信手段を行うように構成される。一実施形態において、前記分配システムは、前記信号に対応する信号ノード・カタログ・ラベルをカタログシステムに提供するように構成される分配システム・カタログ・ラベル生成手段を行うように構成される。一実施形態において、前記分配システムは、カタログシステムから前記信号に対応する信号ノード・カタログ・ラベルを受信するように構成される分配システム・カタログ・ラベル受信手段を行うように構成される。
【０１５３】
一実施形態において、前記分配システム信号表現切り替え手段は、前記分配システム注入トランスポート表現解釈手段を使って、注入トランスポート表現から信号注入ラベルおよび対応する信号表現を提供し、前記分配システム分配トランスポート表現手段を使って、信号分配ラベルおよび前記信号表現をそれぞれ備える１つまたは複数の分配トランスポート表現を提供することによって、前記注入トランスポート・チャネルと前記分配トランスポート・チャネルとの間で前記切り替えを行うように構成される。
【０１５４】
一実施形態において、前記分配システム信号表現切り替え手段は、前記分配システム分配トランスポート表現解釈手段を使って、分配トランスポート表現から信号分配ラベルおよび対応する信号表現を提供し、前記分配システム注入トランスポート表現手段を使って、信号注入ラベルおよび前記信号表現を備える注入トランスポート表現を提供することによって、前記分配トランスポート・チャネルと前記注入トランスポート・チャネルとの間の前記切り替えを行うように構成される。
【０１５５】
一実施形態において、前記分配システム切り替え制御レジスタは、各信号ノード識別情報によって識別される前記信号ノードの１つまたは複数に関係する１つまたは複数の信号ノード・オペレーティングエンティティ識別情報と、各クライアント・ノード識別情報によって識別される前記クライアント・ノードの１つまたは複数に関係する１つまたは複数のクライアント・ノード・オペレーティングエンティティ識別情報と、前記分配システムに関係する分配システム・オペレーティングエンティティ識別情報とを備える。
【０１５６】
一実施形態において、前記分配システム切り替え制御レジスタは、信号表現の量および頻度のリストから選択される特性を考慮するように構成される１つまたは複数の分配システム信号トランスポート分類子を備える。一実施形態において、前記分配システム切り替え制御レジスタは、セキュリティイベント、不配信イベントおよび非入手性イベントのリストから選択される特性を考慮するように構成される１つまたは複数の分配システム運用分類子を備える。
【０１５７】
分配システム信号トランスポート分類子および分配システム運用分類子または分配システム信号トランスポート分類子もしくは分配システム運用分類子を実装することにより、信号通信システムにおける信号分配の監視および制御が容易になり、例えば、サービスの質（ＱｏＳ）概念を促進する。例えば信号通信システムを通る信号表現の量または頻度を考慮する、例えば分配システム信号トランスポート分類子を、資源割当、ロードバランシング、スケーリング、課金などに使用することができる。例えば、信号通信システムで発生するセキュリティイベント、不配信イベントまたは非入手性イベントを考慮する、例えば分配システム運用分類子は、例えば故障検出、ボトルネックの発見、信号通信システムの信頼性のドキュメント作成、を促進し、不適合ノードに罰則を課すまたは不適合ノードをブロックすること等ができる。
【０１５８】
一実施形態において、分配システムは１つまたは複数の分配システム・ネットワーク・インターフェースを備え、これはネットワーク・チャネルに関して上記で説明した前記信号ノードのうちの少なくとも１つおよび前記クライアント・ノードのうちの少なくとも１つを備える信号通信システム・ネットワークに接続されている１つまたは複数の信号通信システム・エンティティ・ネットワーク上で、注入トランスポート表現を備える信号通信システム・ネットワーク表現および分配トランスポート表現を備える信号通信システム・ネットワーク表現を搬送するように構成される信号通信システム・エンティティ・ネットワーク・インターフェースである。
【０１５９】
一実施形態において、分配システムは、前記信号通信システム・ネットワーク表現手段を適用して、注入トランスポート表現または分配トランスポート表現から信号通信システム・ネットワーク表現を提供するとともに、前記信号通信システム・ネットワーク表現解釈手段を適用して、信号通信システム・ネットワーク表現から注入トランスポート表現または分配トランスポート表現を提供するように構成される。
【０１６０】
一実施形態において、前記分配システム信号表現切り替えパラメータ記録は、前記信号注入ラベルに関して、前記分配システムと対応する信号ノードとの間で信号通信システム・サブネットワーク上で信号通信システム・ネットワーク表現として注入トランスポート表現を提供するために使用されるように構成される関連信号ノード・ネットワーク識別情報を備え、前記１つまたは複数の信号分配ラベルに関して、前記分配システムと対応するクライアント・ノードとの間で信号通信システム・サブネットワーク上で信号通信システム・ネットワーク表現として分配トランスポート表現を提供するために使用されるように構成される関連クライアント・ノード・ネットワーク識別情報を備える。一実施形態において、前記分配システム信号表現切り替えパラメータ記録登録手段は、カタログシステム記録および信号分配ラベルに基づいて、前記分配システム信号表現切り替えパラメータ記録を構成するように構成される。
【０１６１】
一実施形態において、分配システムは、分配システムの分配システム注入ネットワーク識別情報および分配システム分配ネットワーク識別情報を備える分配システム・ネットワーク・アイデンティティ・レジスタを保持するように構成される。
【０１６２】
アイデンティティ・レジスタ
一実施形態において、信号通信システムはアイデンティティ・レジスタを備え、アイデンティティ・レジスタは、アイデンティティ・レジスタ・アイデンティティ、対応するアイデンティティ・レジスタ識別情報、および前記信号通信システム・エンティティの各アイデンティティを検証するように構成される１つまたは複数の識別情報を備える。一実施形態において、識別情報は、前記少なくとも１つの分配システム識別情報、前記少なくとも１つの信号ノード識別情報、および前記少なくとも１つのクライアント・ノード識別情報のリストから選択される。一実施形態において、前記識別情報のそれぞれは、信号通信システム・エンティティ識別情報および信号通信システム・トランスポート識別情報を少なくとも備えるリストから選択される識別情報カテゴリに属する。一実施形態において、信号通信システム・エンティティは、信号通信システム・エンティティ識別情報および信号通信システム・トランスポート識別情報の両方として同じ識別情報を提供するように構成される。一実施形態において、前記信号通信システム・エンティティのうちの少なくとも１つの前記アイデンティティ・レジスタは、前記識別情報カテゴリの別々のものに属する２つ以上の識別情報を備える。
【０１６３】
一実施形態において、前記アイデンティティ・レジスタの前記識別情報は、分配システム識別情報、分配システム・トランスポート識別情報、分配システム・ベンダ識別情報および分配システム・ベンダ・トランスポート識別情報のリストから選択される１つまたは複数を備える。
【０１６４】
一実施形態において、前記アイデンティティ・レジスタの前記識別情報は、分配システム・オペレーティングエンティティ識別情報および分配システム・オペレーティングエンティティ・トランスポート識別情報のリストから選択される１つまたは複数の識別情報を備える。
【０１６５】
一実施形態において、前記アイデンティティ・レジスタの前記識別情報は、信号ノード識別情報および信号ノードトランスポート識別情報のリストから選択される１つまたは複数の識別情報を備える。一実施形態において、前記アイデンティティ・レジスタの前記識別情報は、信号ノード・ベンダ識別情報および信号ノード・ベンダ・トランスポート識別情報のリストから選択される１つまたは複数の識別情報を備える。一実施形態において、前記アイデンティティ・レジスタの前記識別情報は、信号ノード・オペレーティングエンティティ識別情報および信号ノード・オペレーティングエンティティ・トランスポート識別情報のリストから選択される１つまたは複数の識別情報を備える。
【０１６６】
一実施形態において、前記アイデンティティ・レジスタの前記識別情報は、クライアント・ノード識別情報およびクライアント・ノード分配トランスポート識別情報のリストから選択される１つまたは複数の識別情報を備える。一実施形態において、前記アイデンティティ・レジスタの前記識別情報は、クライアント・ノード・ベンダ識別情報およびクライアント・ノード・ベンダ・トランスポート識別情報のリストから選択される１つまたは複数の識別情報を備える。一実施形態において、前記アイデンティティ・レジスタの前記識別情報は、クライアント・ノード・オペレーティングエンティティ識別情報およびクライアント・ノード・オペレーティングエンティティ・トランスポート識別情報のリストから選択される１つまたは複数の識別情報を備える。
【０１６７】
一実施形態において、前記アイデンティティ・レジスタの前記識別情報は、カタログシステム識別情報、カタログシステム・トランスポート識別情報、カタログシステム・オペレーティングエンティティ識別情報、およびカタログシステム・オペレーティングエンティティ・トランスポート識別情報のリストから選択される１つまたは複数の識別情報を備える。一実施形態において、前記アイデンティティ・レジスタの前記識別情報は、カタログシステム・ベンダ識別情報およびカタログシステム・ベンダ・トランスポート識別情報のリストから選択される１つまたは複数の識別情報を備える。
【０１６８】
一実施形態において、アイデンティティ・レジスタは、１つまたは複数のアイデンティティ表現を受信するように構成されるアイデンティティ・レジスタ・アイデンティティ表現受信手段を行うように構成される。一実施形態において、アイデンティティ・レジスタは、１つまたは複数のアイデンティティ表現を前記アイデンティティ表現とは異なる１つまたは複数のアイデンティティ特性に対して検証するように構成されるアイデンティティ・レジスタ・アイデンティティ表現検証手段を行うように構成される。一実施形態において、信号通信システム・エンティティは、前記信号通信システム・エンティティのアイデンティティに対応する信号通信システム・エンティティ識別情報である識別情報を生成するように構成される信号通信システム識別情報生成手段を行うように構成される。一実施形態において、アイデンティティ・レジスタは、識別情報の有効性を確認または拒否するために、アイデンティティ・レジスタ識別情報有効性検証手段を行うように構成される。
【０１６９】
アイデンティティ表現は、アイデンティティ・レジスタ、他のアイデンティティ表現生成サービスプロバイダのために、またはそれによって識別情報が生成されるエンティティによって生成することもできる。好適な実施形態では、アイデンティティ表現は各エンティティの公開鍵を備える。
【０１７０】
信号通信システム・エンティティの組み合わせ
一実施形態において、信号通信システムはハイブリッド信号クライアント・ノードを備え、これは前記信号ノードのうちの少なくとも１つと前記クライアント・ノードのうちの少なくとも１つとを備えるように構成される物理デバイスである。一実施形態において、信号通信システムはハイブリッド信号分配ノードを備え、これは前記信号ノードのうちの少なくとも１つと前記分配システムのうちの少なくとも１つとを備えるように構成される物理デバイスである。一実施形態において、信号通信システムはハイブリッド・クライアント分配ノードを備え、これは前記クライアント・ノードのうちの少なくとも１つと前記分配システムのうちの少なくとも１つとを備えるように構成される物理デバイスである。一実施形態において、信号通信システムはハイブリッド信号分配クライアント・ノードを備え、これは前記信号ノードのうちの少なくとも１つと、前記分配システムのうちの少なくとも１つと、前記クライアント・ノードのうちの少なくとも１つとを備えるように構成される物理デバイスである。一実施形態において、信号通信システムはハイブリッド分配カタログ・ノードを備え、これは前記分配システムのうちの少なくとも１つと前記カタログシステムのうちの少なくとも１つとを備えるように構成される物理デバイスである。一実施形態において、信号通信システムはハイブリッド分配アイデンティティ・ノードであり、これは前記分配システムのうちの少なくとも１つと前記アイデンティティ・レジスタのうちの少なくとも１つとを備えるように構成される物理デバイスである。一実施形態において、信号通信システムはハイブリッド分配カタログ・アイデンティティ・ノードを備え、これは前記分配システムのうちの少なくとも１つと、前記カタログシステムのうちの少なくとも１つと、前記アイデンティティ・レジスタのうちの少なくとも１つとを備えるように構成される物理デバイスである。
【０１７１】
本発明の実施形態を以下図面を参照して説明する。
【図面の簡単な説明】
【０１７２】
【図１】本発明による信号通信システムの一実施形態を示す。
【図２ａ−２ｃ】本発明による信号通信システムの一実施形態をより詳細に示す。
【図３】分配システム切り替え制御レジスタの一実施形態を示す。
【図４ａ−４ｂ】分配システム信号表現切り替えパラメータ記録の登録手段および登録解除手段の実施形態を示す。
【図５】サービスの質の測定を促進する一実施形態を示す。
【図６】好適な実施形態における分配システム信号表現切り替え手段の特別な能力を示す。
【図７】本発明の一実施形態による信号通信システムを示す。
【図８ａ−８ｃ】本発明の信号通信システムの実施形態によって可能な閉ループ制御構成の例を示す。
【図９ａ】本発明の信号通信システムの実施形態によって可能な閉ループ制御構成の例を示す。
【図９ｂ】本発明の信号通信システムの実施形態によって可能な閉ループ制御構成の例を示す。
【図１０】本発明の信号通信システムの実施形態によって可能な開ループ制御構成の例を示す。
【図１１】本発明の信号通信システムの実施形態によって可能な開ループ制御構成の例を示す。
【図１２】本発明の信号通信システムの実施形態によって可能なセンサまたは測定構成の例を示す。
【図１３】本発明の信号通信システムの実施形態によって可能なセンサまたは測定構成の例を示す。
【図１４】本発明の信号通信システムの実施形態によって可能な分散型センサ構成とそのアプリケーションの例を示す。
【図１５】本発明の信号通信システムの実施形態によって可能な分散型センサ構成とそのアプリケーションの例を示す。
【図１６】ネットワーク層、エンティティ・ネットワークおよびサブネットワークの詳細を示す信号通信システムの実施形態を示す。
【図１７】ネットワーク層、エンティティ・ネットワークおよびサブネットワークの詳細を示す信号通信システムの実施形態を示す。
【図１８】ネットワーク層、エンティティ・ネットワークおよびサブネットワークの詳細を示す信号通信システムの実施形態を示す。
【図１９】本発明による信号通信システムの信号ノードの様々な実施形態を示す。
【図２０】本発明による信号通信システムの信号ノードの様々な実施形態を示す。
【図２１】本発明による信号通信システムの信号ノードの様々な実施形態を示す。
【図２２】本発明による信号通信システムの信号ノードの様々な実施形態を示す。
【図２３】本発明による信号通信システムのクライアント・ノードの様々な実施形態を示す。
【図２４】本発明による信号通信システムのクライアント・ノードの様々な実施形態を示す。
【図２５】本発明による信号通信システムのクライアント・ノードの様々な実施形態を示す。
【図２６】本発明による信号通信システムのクライアント・ノードの様々な実施形態を示す。
【図２７】本発明による信号通信システムのカタログシステムの様々な実施形態を示す。
【図２８】本発明による信号通信システムのカタログシステムの様々な実施形態を示す。
【図２９】本発明による信号通信システムの分配システムの様々な実施形態を示す。
【図３０】本発明による信号通信システムの分配システムの様々な実施形態を示す。
【図３１ａ】本発明による信号通信システムの分配システムの様々な実施形態を示す。
【図３１ｂ】本発明による信号通信システムの分配システムの様々な実施形態を示す。
【図３２】本発明による信号通信システムの分配システムの様々な実施形態を示す。
【図３３】分配システムによる信号ラベル生成の一実施形態を示す。
【図３４】カタログシステムへの信号ラベルの挿入の一実施形態を示す。
【図３５】カタログシステムにおける信号の検索と、対応する分配システム信号表現切り替えパラメータ記録の登録の一実施形態を示す。
【図３６】信号ノードＳＮからクライアント・ノードＣＮに信号が伝送されるときの分配システムＤＳでの切り替えの一実施形態を示す。
【図３７】信号ノード・コミッショニング手段の一実施形態を示す。
【図３８】クライアント・ノード・コミッショニング手段の一実施形態を示す。
【図３９】本発明による信号通信システムのアイデンティティ・レジスタの様々な実施形態を示す。
【図４０】本発明による信号通信システムのアイデンティティ・レジスタの様々な実施形態を示す。
【図４１Ａ−４１Ｂ】アイデンティティ・レジスタでの識別情報の登録および識別情報の検証の実施形態を示す。
【発明を実施するための形態】
【０１７３】
システム、図１、図２ａ、図２ｂ、図２ｃ
図１は、本発明による信号通信システムＳＣＳの一実施形態を示す。図示する実施形態は３つの信号通信システム・エンティティＳＣＳ−Ａ−１を備え、これらエンティティのうちの１つは信号ノードＳＮであり、別のものはクライアント・ノードＣＮであり、最後のものは分配システムＤＳである。信号ノードＳＮは、物理特性ＰＰから出入りする矢印で示されるその環境と物理的に対話する。クライアント・ノードＣＮはクライアント・ノード信号データ・インターフェースＣＮ−Ａ−１５を備える。信号ノードＳＮは、注入トランスポート・チャネル（injection transport channel）ＩＴ−Ｔ−１によって、好ましくはトランスポート層で、分配システムＤＳに通信可能に結合され、同様に、クライアント・ノードＣＮは、分配トランスポート・チャネルＤＴ−Ｔ−１によって、好ましくはトランスポート層で、分配システムＤＳに通信可能に結合される。信号ノードＳＮおよびクライアント・ノードＣＮは、以下より詳細に説明するように、分配システムＤＳの機能を介して、好ましくはアプリケーション層で、互いに通信可能に結合される。
【０１７４】
トランスポート層での信号ノードＳＮと分配システムＤＳとの通信可能な結合、およびクライアント・ノードＣＮと分配システムＤＳとの通信可能な結合は、好ましくはデジタル・ネットワークを含む電子通信技術に基づいて実装することができる。
【０１７５】
単純にするために、図では各エンティティタイプを１つしか図示していないが、以下から明らかになるように、好適なシステムは複数の信号ノードおよび複数のクライアント・ノードまたは複数の信号ノードもしくは複数のクライアント・ノード、さらに場合によっては複数の分配システムを備える。
【０１７６】
本明細書におけるアプリケーション層、トランスポート層、およびネットワーク層の使用は、例えば、情報、目的またはアクセスの階層レベルを示すことを意図しているが、文献の特定の通信層モデルの特定の層に必ずしも対応しているわけではなく、すなわち、別の名称をもつ層に対応してもよいことに留意する。そのため、アプリケーション層は本明細書では最上位のレベルを参照し、伝送に関する詳細はアプリケーションの使用には無関係であるが、伝送の実際の内容、例えば、信号が利用できる。トランスポート層は本明細書ではそれより下位のレベルを参照し、送信者から受信者に内容を確実かつセキュアに、ただし好ましくは実際の内容、すなわち信号にアクセスする中間ノードなく渡るロジスティクスを処理する。本明細書で使用されるさらに下位のレベルのネットワーク層は、送信者から中間ノードを経て受信者までの途中で、場合によっては異なるネットワーク間、異なるネットワーク技術等間で、移動および変換するという非常に現実的な問題を処理する。前述の層の下、その間またはその上に、いくつかの他の通信層、例えば最下位レベルに物理層、または例えばそれより上位の戦略的レベルに別のアプリケーション層を識別してもよい。本明細書で使用される層は、様々な通信層理論と比較したとき、２つ以上の層にも匹敵することもあり、例えば、本明細書で使用されるトランスポート層は他の層モデルの２つの層の集合的な役割等に相当することがある。
【０１７７】
図２ａ〜図２ｃは、信号通信システムＣＳＣの一実施形態をより詳細に示す。前の図に図示される実施形態に従い、この実施形態は３つの信号通信システム・エンティティＳＣＳ−Ａ−１、すなわち少なくとも１つの信号ノードＳＮ、少なくとも１つのクライアント・ノードＣＮおよび少なくとも１つの分配システムＤＳと、注入トランスポート・チャネルＩＴ−Ｔ−１および分配トランスポート・チャネルＤＴ−Ｔ−１による各通信可能な結合とを備える。複雑なため、図は例示目的で分配システムＤＳで分割して、図２ａが信号ノードＳＮと分配システムＤＳの関係部分を示し、図２ｂがクライアント・ノードＣＮと分配システムＤＳの関係部分、図２ｃが組み合わせた分配システムＤＳを示すようにしている。
【０１７８】
図２ａに図示されるように、信号ノードＳＮはその環境と物理的に対話し、信号ノード物理特性手段ＳＮ−Ａ−３４によって物理特性ＰＰと対応する信号ＳＧとを変換するように構成される。信号ノードＳＮは、例えば、物理特性ＰＰが測定されて、信号表現（signal representation）ＳＧ−Ａ−１として信号通信システムＳＣＳを通して伝送されるべき信号ＳＧから、信号表現ＳＧ−Ａ−１、例えば、アプリケーション層パケットを提供するように構成されている信号ノード信号表現手段ＳＮ−Ａ−４０をさらに備える。反対方向について、例えば、信号表現ＳＧ−Ａ−１が信号通信システムＳＣＳを通じて受信され、物理特性ＰＰに変換するべきとき、信号ノードＳＮは信号表現ＳＧ−Ａ−１を解釈して信号ＳＧにする信号ノード信号表現解釈手段ＳＮ−Ａ−３９を備える。
【０１７９】
それにより、例えば、センサを用いた測定を行うことに関係して、物理特性を信号に変換し、例えばノブ（knob）などから状態または入力を読み取ることによって、信号ＳＧを確立することができる。また、信号ＳＧは信号ノードによって受信されて、例えば、アクチュエータ、変換器などによって物理特性に変換することもできる。様々な実施形態は、物理特性から信号に変換するのみの入力信号ノードである信号ノードＳＮ、または信号から物理特性に変換するのみの出力信号ノードである信号ノードＳＮ、または複合入出力信号ノードである信号ノードＳＮを備えることができる。様々な実施形態は入力信号ノードのみ、出力信号ノードのみ、または入力信号ノードと出力信号ノードとの組み合わせを備えることができる。
【０１８０】
信号ノードＳＮは、信号ノード自体の信号ノード・アイデンティティＳＮ−Ａ−２１に対応する信号ノード識別情報ＳＮ−Ａ−２３、例えば証明書を備える信号ノード・アイデンティティ・レジスタＳＮ−Ａ−２２をさらに備える。信号ノード・アイデンティティ・レジスタＳＮ−Ａ−２２は、信号ノードが管理する、すなわち送信および受信または送信もしくは受信することのできる各信号ＳＧのハンドルとして使用される１つまたは複数の信号注入ラベルＳＧ−Ｔ−４も備える。換言すると、信号ノード・アイデンティティ・レジスタＳＮ−Ａ−２２は信号ノード自体およびその信号のそれぞれを識別できるようにデータを管理する。
【０１８１】
信号ノードの信号ノード要求手段ＳＮ−Ａ−３７は、信号ノード要求ＳＮ−Ａ−３６を伝送して、信号表現ＳＧ−Ａ−１を注入トランスポート・チャネルＩＴ−Ｔ−１に搬送するように構成される。信号ノード要求ＳＮ−Ａ−３６は、信号表現ＳＧ−Ａ−１の一部としてまたは信号表現ＳＧ−Ａ−１と一緒のいずれかで、特定の信号ＳＧのハンドル（handle）として関連付けられる各信号注入ラベルＳＧ−Ｔ−４も伴う。そのため、アプリケーション層の信号ＳＧの信号表現ＳＧ−Ａ−１は、それによりトランスポート層の注入トランスポート表現ＩＴ−Ｔ−２、例えばトランスポート層パケットにされて、注入トランスポート・チャネルＩＴ−Ｔ−１を介して伝送できるようになる。
【０１８２】
同様に、反対の信号方向について、すなわち、信号ノードＳＮが物理特性を修正するための信号ＳＧを受信しているとき、信号ノードＳＮは信号ノード応答手段ＳＮ−Ａ−３３を備え、注入トランスポート・チャネルＩＴ−Ｔ−１を介してトランスポート層の注入トランスポート表現ＩＴ−Ｔ−２で受信した信号表現ＳＧ−Ａ−１を搬送する信号ノード応答ＳＮ−Ａ−３２を、アプリケーション層で受信する。信号ノード応答ＳＮ−Ａ−３２は、信号表現ＳＧ−Ａ−１の一部としてまたは信号表現ＳＧ−Ａ−１と一緒のいずれかで、特定の信号ＳＧのハンドルとして関連付けられる各信号注入ラベルＳＧ−Ｔ−４も伴う。
【０１８３】
それにより、注入トランスポート表現ＩＴ−Ｔ−２は、信号ノードＳＮから出入りする方向に関係なく、少なくとも信号表現ＳＧ−Ａ−１および信号注入ラベルＳＧ−Ｔ−４を備える。信号ＳＧから信号表現ＳＧ−Ａ−１への変更は、好ましくは、アプリケーション層で信号ＳＧを保護するための暗号化を伴うのに対し、信号表現ＳＧ−Ａ−１から注入トランスポート表現ＩＴ−Ｔ−２への変更も、好ましくは、トランスポート層での信号表現ＳＧ−Ａ−１を保護するための暗号化を伴う。
【０１８４】
アプリケーション層での暗号化は、好適な実施形態では、最終受取人、この場合はクライアント・ノードＣＮだけが信号表現ＳＧ−Ａ−１から信号ＳＧを取得することができることを実現する。これにより、信号ＳＧは分配システムＤＳならびに他の意図される仲介者および意図されない仲介者に入手できなくなる。信号注入ラベルＳＧ−Ｔ−４は、好ましくは、注入トランスポート表現ＩＴ−Ｔ−２に含まれ、それにより信号表現ＳＧ−Ａ−１と一緒にトランスポート層で暗号化されるのが好ましい。あるいは、信号注入ラベルは、トランスポート層の暗号化に含まずに、注入トランスポート表現ＩＴ−Ｔ−２に添付してもよい。いずれにしても、信号注入ラベルＳＧ−Ｔ−４は、信号表現ＳＧ−Ａ−１の内容がアプリケーション層での符号化または暗号化によって分配システムＤＳに対して隠されていたとしても、分配システムＤＳで入手できる。
【０１８５】
分配システムＤＳは分配システム注入トランスポート表現解釈手段ＤＳ−Ｔ−２４を備え、注入トランスポート・チャネルＩＴ−Ｔ−１を介して信号ノードＳＮから注入トランスポート表現ＩＴ−Ｔ−２を受信して解釈する。注入トランスポート表現ＩＴ−Ｔ−２の解釈とは、例えば、解読、復号化または単に読み取りを行って、分配システムＤＳが信号表現ＳＧ−Ａ−１および信号注入ラベルＳＧ−Ｔ−４を取得することになることを意味するであろう。解釈は、好ましくは、トランスポート層での解読を伴うことができるが、好適な実施形態では、信号表現ＳＧ−Ａ−１の内容、すなわち、信号ＳＧにはアクセスできないだろう。
【０１８６】
分配システム信号表現切り替え手段ＤＳ−Ｔ−３４は、以下より詳細に説明するように、受信した信号表現ＳＧ−Ａ−１が１つまたは複数の適切なクライアント・ノードＣＮに転送されることを管理する。分配システム信号表現切り替え手段ＤＳ−Ｔ−３４は、クライアント・ノードＣＮから受信した信号表現ＳＧ−Ａ−１を、分配システム注入トランスポート表現手段ＤＳ−Ｔ−２５によって、適切な信号ノードＳＮに転送することも管理する。この手段は、クライアント・ノードＣＮから受信した信号表現ＳＧ−Ａ−１および各信号ノードＳＮに関係する信号注入ラベルＳＧ−Ｔ−４から注入トランスポート表現ＩＴ−Ｔ−２を確立し、注入トランスポート表現ＩＴ−Ｔ−２を注入トランスポート・チャネルＩＴ−Ｔ−１で信号ノードＳＮに搬送する。
【０１８７】
図２ｂは、クライアント・ノードＣＮおよびそのクライアント・ノード信号データ・インターフェースＣＮ−Ａ−１５を示しており、ＣＮ−Ａ−１５は、マシン通信およびユーザへの提示またはマシン通信もしくはユーザへの提示のために信号ＳＧの出力および入力または信号ＳＧの出力もしくは入力を行うインターフェースである。クライアント・ノードＣＮは、例えば、信号ＳＧがクライアント・ノード信号データ・インターフェースＣＮ−Ａ−１５を介してクライアント・ノードに入力され、信号表現ＳＧ−Ａ−１として信号通信システムＳＣＳを通じて伝送されるべきときに使用される、信号ＳＧから信号表現ＳＧ−Ａ−１を提供するように構成されるクライアント・ノード信号表現手段ＣＮ−Ａ−２５をさらに備える。反対の方向については、例えば、信号表現ＳＧ−Ａ−１が信号通信システムＳＣＳを通じて受信され、クライアント・ノードからクライアント・ノード信号データ・インターフェースＣＮ−Ａ−１５を介して出力するべきとき、クライアント・ノードＣＮは、信号表現ＳＧ−Ａ−１を解釈して信号ＳＧにするために、クライアント・ノード信号表現解釈手段ＣＮ−Ａ−２４を備える。
【０１８８】
それにより、信号ＳＧは、信号ノードＳＮに伝送されて、そこで、例えば、アクチュエータ、サーモスタットなどの制御パラメータとして物理特性に変換されることが意図される入力、例えば、人またはマシン、例えば、コントローラからの制御パラメータを受信するクライアント・ノードによって確立することができる。信号ＳＧ、例えば測定値は、また、クライアント・ノードによって信号ノードから受信されて、情報のために人に、または監視用に、もしくは例えば制御ループのフィードバック値として、マシンに出力することができる。様々な実施形態は、インターフェースで信号を受信し、制御用の信号ノードに伝送する制御専用クライアント・ノードであるクライアント・ノードＣＮ、または受信した信号を人もしくはマシンに提供する監視専用クライアント・ノードであるクライアント・ノードＣＮ、または制御／監視兼用クライアント・ノードであるクライアント・ノードＣＮを備えることができる。様々な実施形態は、制御専用クライアント・ノード、監視専用クライアント・ノード、または制御用クライアント・ノードおよび監視用クライアント・ノードの組み合わせを備えることもできる。
【０１８９】
クライアント・ノードＣＮは、クライアント・ノード自体のクライアント・ノード・アイデンティティＣＮ−Ａ−１３に対応する、クライアント・ノード識別情報ＣＮ−Ａ−１６、例えば証明書を備えるクライアント・ノード・アイデンティティ・レジスタＣＮ−Ａ−１４をさらに備える。クライアント・ノード・アイデンティティ・レジスタＣＮ−Ａ−１４は、クライアント・ノードが管理、すなわち送信および受信または送信もしくは受信することのできる各信号ＳＧのハンドルとして使用される１つまたは複数の信号分配ラベルＳＧ−Ｔ−２も備える。換言すると、クライアント・ノード・アイデンティティ・レジスタＣＮ−Ａ−１４は、クライアント・ノード自体およびその信号のそれぞれを識別することができるようにデータを管理する。
【０１９０】
クライアント・ノードのクライアント・ノード要求手段ＣＮ−Ａ−２２は、クライアント・ノード要求ＣＮ−Ａ−２１を伝送して、信号表現ＳＧ−Ａ−１を分配トランスポート・チャネルＤＴ−Ｔ−１に搬送するように構成される。クライアント・ノード要求ＣＮ−Ａ−２１は、信号表現ＳＧ−Ａ−１の一部としてまたは信号表現ＳＧ−Ａ−１と一緒のいずれかで、特定の信号ＳＧのハンドルとして関連付けられる各信号分配ラベルＳＧ−Ｔ−２も伴う。そのため、アプリケーション層での信号ＳＧの信号表現ＳＧ−Ａ−１は、それによりトランスポート層で分配トランスポート表現ＤＴ−Ｔ−２にされて、分配トランスポート・チャネルＤＴ−Ｔ−１を介して伝送できるようにされる。
【０１９１】
同様に、反対の信号方向については、すなわち、クライアント・ノードＣＮが信号ＳＧを受信しているとき、クライアント・ノードＣＮは、分配トランスポート・チャネルＤＴ−Ｔ−１を介してトランスポート層で分配トランスポート表現ＤＴ−Ｔ−２で受信した信号表現ＳＧ−Ａ−１を搬送するクライアント・ノード応答ＣＮ−Ａ−１９を、アプリケーション層で、受信するために、クライアント・ノード応答手段ＣＮ−Ａ−２０を備える。クライアント・ノード応答ＣＮ−Ａ−１９は、信号表現ＳＧ−Ａ−１の一部としてまたは信号表現ＳＧ−Ａ−１と一緒のいずれかで、特定の信号ＳＧのハンドルとして関連付けられる各信号分配ラベルＳＧ−Ｔ−２も伴う。
【０１９２】
それにより、分配トランスポート表現ＤＴ−Ｔ−２は、クライアント・ノードＣＮからの出入りの方向に関係なく、少なくとも信号表現ＳＧ−Ａ−１および信号分配ラベルＳＧ−Ｔ−２を備える。信号ＳＧから信号表現ＳＧ−Ａ−１への変更は、好ましくは、アプリケーション層で信号ＳＧを保護する暗号化を伴うのに対し、信号表現ＳＧ−Ａ−１から分配トランスポート表現ＤＴ−Ｔ−２への変更もトランスポート層で信号表現ＳＧ−Ａ−１を保護する暗号化を伴うのが好ましい。アプリケーション層での暗号化は、好適な実施形態において、最終受取人のみ、この場合信号ノードＳＮが信号表現ＳＧ−Ａ−１から信号ＳＧを取得できることを実現する。これにより、信号ＳＧは分配システムＤＳならびに他の意図される仲介者および意図されない仲介者に入手できなくなる。信号分配ラベルＳＧ−Ｔ−２は、好ましくは、分配トランスポート表現ＤＴ−Ｔ−２に含まれ、それにより信号表現ＳＧ−Ａ−１と一緒にトランスポート層で暗号化されるのが好ましい。あるいは、信号分配ラベルは、トランスポート層の暗号化に含まずに、分配トランスポート表現ＤＴ−Ｔ−２に添付してもよい。いずれにしても、信号分配ラベルＳＧ−Ｔ−２は、信号表現ＳＧ−Ａ−１の内容がアプリケーション層での符号化または暗号化によって分配システムＤＳに対して隠されていたとしても、分配システムＤＳで入手できる。
【０１９３】
分配システムＤＳは、クライアント・ノードＣＮから分配トランスポート・チャネルＤＴ−Ｔ−１を介して分配トランスポート表現ＤＴ−Ｔ−２を受信して解釈するために、分配システム分配トランスポート表現解釈手段ＤＳ−Ｔ−１７を備える。分配トランスポート表現ＤＴ−Ｔ−２の解釈とは、例えば、解読、復号化または単に読み取りを行って、分配システムＤＳが信号表現ＳＧ−Ａ−１および信号分配ラベルＳＧ−Ｔ−２を取得することになることを意味するであろう。解釈は、好ましくは、トランスポート層での解読を伴うことができるが、好適な実施形態では、信号表現ＳＧ−Ａ−１の内容、すなわち、信号ＳＧにアクセスできないだろう。
【０１９４】
前述した分配システム信号表現切り替え手段ＤＳ−Ｔ−３４は、以下より詳細に説明するように、クライアント・ノードから受信した信号表現ＳＧ−Ａ−１を適切な信号ノードＳＮに転送することをさらに管理する。分配システム信号表現切り替え手段ＤＳ−Ｔ−３４は、信号ノードＳＮから受信した信号表現ＳＧ−Ａ−１を、分配システム分配トランスポート表現手段ＤＳ−Ｔ−１８によって、１つまたは複数の適切なクライアント・ノードＣＮに転送することも管理する。この手段は、信号ノードＳＮから受信した信号表現ＳＧ−Ａ−１および各クライアント・ノードＣＮに関係する信号分配ラベルＳＧ−Ｔ−２から分配トランスポート表現ＤＴ−Ｔ−２を確立し、分配トランスポート表現ＤＴ−Ｔ−２を分配トランスポート・チャネルＤＴ−Ｔ−１でクライアント・ノードＣＮに搬送する。
【０１９５】
図２ａおよび図２ｂの分配システムＤＳの部分を、図２ｃではまとめて示している。これには分配システムＤＳが分配システム・アイデンティティ・レジスタＤＳ−Ａ−１８を備えることが示されており、ＤＳ−Ａ−１８は、中でも、信号ノード識別情報ＳＮ−Ａ−２３およびクライアント・ノード識別情報ＣＮ−Ａ−１６を備える。
【０１９６】
図２ｃには、上記で説明した分配システム信号表現切り替え手段ＤＳ−Ｔ−３４も示されており、トランスポート層で信号ノードおよびクライアント・ノードと通信するために、トランスポート表現および解釈手段を管理する。
【０１９７】
図示されるように、注入トランスポート表現ＩＴ−Ｔ−２は信号ノードＳＮから注入トランスポート・チャネルＩＴ−Ｔ−１を介して分配システムＤＳで受信され、分配システム注入トランスポート表現解釈手段ＤＳ−Ｔ−２４によって信号表現ＳＧ−Ａ−１および信号注入ラベルＳＧ−Ｔ−４に解釈され、信号注入ラベルＳＧ−Ｔ−４に基づいて、分配システム信号表現切り替え手段ＤＳ−Ｔ−３４によって１つまたは複数の適切なクライアント・ノードＣＮに切り替えられ、信号表現ＳＧ−Ａ−１および今度は各信号分配ラベルＳＧ−Ｔ−２を備える分配トランスポート表現ＤＴ−Ｔ−２に変更され、分配トランスポート・チャネルＤＴ−Ｔ−１を介して各クライアント・ノードＣＮに搬送することができる。
【０１９８】
反対の信号の流れについては、分配トランスポート表現ＤＴ−Ｔ−２は、クライアント・ノードＣＮから分配トランスポート・チャネルＤＴ−Ｔ−１を介して分配システムＤＳで受信され、分配システム分配トランスポート表現解釈手段ＤＳ−Ｔ−１７によって信号表現ＳＧ−Ａ−１および信号分配ラベルＳＧ−Ｔ−２に解釈され、信号分配ラベルＳＧ−Ｔ−２に基づいて、分配システム信号表現切り替え手段ＤＳ−Ｔ−３４によって適切な信号ノードＳＮに切り替えられ、信号表現ＳＧ−Ａ−１および今度は各信号注入ラベルＳＧ−Ｔ−４を備える注入トランスポート表現ＩＴ−Ｔ−２に変更され、注入トランスポート・チャネルＩＴ−Ｔ−１を介して各信号ノードＳＮに搬送することができる。
【０１９９】
好適な実施形態では、時刻同期サービスが信号通信システムＳＣＳで提供されるが、これは公共時刻サービス、好ましくは信頼できるもしくは政府のＮＴＰサーバ、または分配システムＤＳに含まれ、もしくは好ましくは様々なエンティティおよびユーザのために現地時間を導出できるマスターとして、特別な信号ノードＳＮによって提供されて、システムの時刻を分配する特別なサービスである。
【０２００】
切り替え、図３、図４ａ、図４ｂ、図５、図６
図３は、分配システムが、信号ノードＳＮとクライアント・ノードＣＮとの間で信号表現ＳＧ−Ａ−１を切り替えるときに、分配システム信号表現切り替え手段ＤＳ−Ｔ−３４によって使用される多数の分配システム信号表現切り替えパラメータ記録ＤＳ−Ｔ−３５を備える分配システム切り替え制御レジスタＤＳ−Ｔ−４５をさらに備える好適な実施形態を示す。
【０２０１】
各分配システム信号表現切り替えパラメータ記録ＤＳ−Ｔ−３５は、信号注入ラベルＳＧ−Ｔ−４と、１つまたは複数の関連信号分配ラベルＳＧ−Ｔ−２とを備える。好適な実施形態において、分配システムＤＳは、例えば、分配システム・アイデンティティ・レジスタＤＳ−Ａ−１８によって、どの信号注入ラベルＳＧ−Ｔ−４がどの信号ノード識別情報ＳＮ−Ａ−２３に関連付けられていて、どの信号分配ラベルＳＧ−Ｔ−２がどのクライアント・ノード識別情報ＣＮ−Ａ−１６に関連付けられているかのリストも備える。換言すると、分配システムは固有の信号ノードＳＮから固有の信号注入ラベルＳＧ−Ｔ−４の付いた特定の信号表現ＳＧ−Ａ−１を受信し、固有の対応する信号分配ラベルＳＧ−Ｔ−２の付いた同じ信号表現を固有の対応するクライアント・ノードＣＮに切り替えるか、またその逆に切り替えることができる。
【０２０２】
図３の例では、第１分配システム信号表現切り替えパラメータ記録ＤＳ−Ｔ−３５１は、固有の信号注入ラベルＳＧ−Ｔ−４１と固有の信号分配ラベルＳＧ−Ｔ−２１との対応を示すので、例えば、分配システムが固有の信号分配ラベルＳＧ−Ｔ−２１を有する信号表現ＳＧ−Ａ−１を備える分配トランスポート表現ＤＴ−Ｔ−２を受信すると、分配システム信号表現切り替え手段ＤＳ−Ｔ−３４は固有の分配システム信号表現切り替えパラメータ記録ＤＳ−Ｔ−３５１を探索し、分配システム信号表現切り替えパラメータ記録ＤＳ−Ｔ−３５１で参照される信号表現ＳＧ−Ａ−１および特定の信号注入ラベルＳＧ−Ｔ−４１を有する注入トランスポート表現ＩＴ−Ｔ−２の確立を開始し、確立された注入トランスポート表現ＩＴ−Ｔ−２はさらに特定の信号注入ラベルＳＧ−Ｔ−４１に関連付けられている信号ノードＳＮに転送することができる。
【０２０３】
さらに図３の例では、別の分配システム信号表現切り替えパラメータ記録ＤＳ−Ｔ−３５２が、固有の信号注入ラベルＳＧ−Ｔ−４２と２つの固有の信号分配ラベルＳＧ−Ｔ−２２およびＳＧ−Ｔ−２ｍとの対応を示すので、例えば、分配システムが固有の信号注入ラベルＳＧ−Ｔ−４２を有する信号表現ＳＧ−Ａ−１を備える注入トランスポート表現ＩＴ−Ｔ−２を受信すると、分配システム信号表現切り替え手段ＤＳ−Ｔ−３４は固有の分配システム信号表現切り替えパラメータ記録ＤＳ−Ｔ−３５２を探索して、ともに信号表現ＳＧ−Ａ−１を有するが、そのうちの一方が特定の信号分配ラベルＳＧ−Ｔ−２２を、他方が特定の信号分配ラベルＳＧ−Ｔ−２ｍを有する２つの分配トランスポート表現ＤＴ−Ｔ−２の確立を開始する。同様に、別の分配システム信号表現切り替えパラメータ記録ＤＳ−Ｔ−３５３は、固有の信号注入ラベルＳＧ−Ｔ−４３と多数の固有の信号分配ラベルＳＧ−Ｔ−２ｊ、ＳＧ−Ｔ−２ｋおよびＳＧ−Ｔ−２ｎとの対応を示す。
【０２０４】
好適な実施形態において、分配システムＤＳは、分配システム信号表現切り替えパラメータ記録ＤＳ−Ｔ−３５を構成することにより分配システム切り替え制御レジスタＤＴ−Ｔ−４５を保持するために、分配システム信号表現切り替えパラメータ記録登録手段ＤＳ−Ｔ−３７を行うように構成されている。一例を図４ａに示しており、新しい分配システム信号表現切り替えパラメータ記録ＤＳ−Ｔ−３５２は分配システム切り替え制御レジスタＤＴ−Ｔ−４５に挿入される。分配システムの切り替え制御は分配システム切り替え制御レジスタＤＴ−Ｔ−４５に基づいているため、新しい分配システム信号表現切り替えパラメータ記録ＤＳ−Ｔ−３５２は、対応する信号注入ラベルＳＧ−Ｔ−４および信号分配ラベルＳＧ−Ｔ−２によって、検討される分配システム信号表現切り替えパラメータ記録ＤＳ−Ｔ−３５に構成される注入トランスポート表現ＩＴ−Ｔ−２と分配トランスポート表現ＤＴ−Ｔ−２との切り替えを可能にすることができる。好ましくは、分配システム信号表現切り替えパラメータ記録登録手段ＤＳ−Ｔ−３７は、すでに存在する分配システム信号表現切り替えパラメータ記録ＤＳ−Ｔ−３５に別の信号分配ラベルＳＧ−Ｔ−２を追加し、それにより固有の信号を固有の信号ノードと通信するために、別の固有のクライアント・ノードを追加するように構成することもできる。
【０２０５】
さらに、好適な実施形態において、分配システムＤＳは、分配システム信号表現切り替えパラメータ記録ＤＳ−Ｔ−３５を再構成することによって、分配システム切り替え制御レジスタＤＴ−Ｔ−４５を保持するために、分配システム信号表現切り替えパラメータ記録登録解除手段ＤＳ−Ｔ−３６を行うように構成されている。一例を図４ｂに示しており、固有の分配システム信号表現切り替えパラメータ記録ＤＳ−Ｔ−３５３は分配システム切り替え制御レジスタＤＴ−Ｔ−４５から削除される。分配システムのスイッチ制御は分配システム切り替え制御レジスタＤＴ−Ｔ−４５に基づいているため、それにより、対応する信号注入ラベルＳＧ−Ｔ−４および信号分配ラベルＳＧ−Ｔ−２によって、検討される分配システム信号表現切り替えパラメータ記録ＤＳ−Ｔ−３５３に構成される分配トランスポート表現ＤＴ−Ｔ−２と注入トランスポート表現ＩＴ−Ｔ−２との切り替えはできなくなる。好ましくは、分配システム信号表現切り替えパラメータ記録登録解除手段ＤＳ−Ｔ−３６は、記録に少なくとも１つの信号分配ラベルＳＧ−Ｔ−２がなお残ることを条件として、記録全体を削除することなく、分配システム信号表現切り替えパラメータ記録ＤＳ−Ｔ−３５から固有の信号分配ラベルＳＧ−Ｔ−２を削除するように構成することもでき、それにより固有の信号ノードと固有のクライアント・ノードとの間の固有の信号の通信を防止する。
【０２０６】
換言すると、クライアント・ノードＣＮがある信号ノードＳＮのある信号ＳＧを監視または制御する合意が締結されると、例えば、分配システム信号表現切り替えパラメータ記録登録手段ＤＳ−Ｔ−３７によって、対応する関係が分配システム切り替え制御レジスタＤＴ−Ｔ−４５に分配システム信号表現切り替えパラメータ記録ＤＳ−Ｔ−３５として挿入される。また同様に、固有の信号ノードＳＮと固有のクライアント・ノードＣＮとの間の固有の信号の通信に関する合意が終了すると、例えば分配システム信号表現切り替えパラメータ記録登録解除手段ＤＳ−Ｔ−３６によって、固有の分配システム信号表現切り替えパラメータ記録ＤＳ−Ｔ−３５で表される対応する関係が分配システム切り替え制御レジスタＤＴ−Ｔ−４５から削除される。それにより、好適な実施形態におけるある利点は、どのクライアント・ノードが特定の監視用信号を受信するべきか、もしくは受信するのを許されるか、またはどのクライアント・ノードが特定の制御信号を信号ノードに適用できるか、もしくは適用を許されるかを検討するタスクから信号ノードが解放されることである。代わりに、分配システムが信号ＳＧ自体にアクセスできないことに関係なく、それは分配システムのタスクである。
【０２０７】
本発明の好適な実施形態の符号化スキームのために、たとえネットワークパケットの監視を用いても、外部から、どの信号ノードがどの信号を伝送しているか、どのクライアント・ノードがどの信号のからどの信号にサブスクライブする（subscribe）か、またその逆を明確に決定することはできないであろう。好適な実施形態において、どの深度の分配システムに対する攻撃が成功しても、たとえ完全な乗っ取りでも、本発明の信号通信システムＳＣＳの設計により、トランスポートされる信号値にアクセスすることはないであろう。最悪のケースでも、どのクライアント・ノードがどの信号ノードのどの種類の信号に関心があるのかを教えるのは切り替えパラメータ記録だけであり、信号値自体ではない。
【０２０８】
図５はサービスの質（ＱｏＳ）の観点を備える一実施形態を示す。分配システムＤＳの分配システム切り替え制御レジスタＤＳ−Ｔ−４５は、１つまたは複数の分配システム信号トランスポート分類子ＤＳ−Ｔ−４９および１つまたは複数の分配システム運用分類子ＤＳ−Ｔ−５１または１つまたは複数の分配システム信号トランスポート分類子ＤＳ−Ｔ−４９もしくは１つまたは複数の分配システム運用分類子ＤＳ−Ｔ−５１を備える。
【０２０９】
分配システム信号トランスポート分類子ＤＳ−Ｔ−４９は、例えば、信号通信システムＳＣＳを通る信号表現ＳＧ−Ａ−１の量または頻度を考慮する分類子であってもよい。このような測定値は、資源割当、ロードバランシング、スケーリング、課金等のために使用することができる。
【０２１０】
分配システム運用分類子ＤＳ−Ｔ−５１は、例えば、信号通信システムＳＣＳで発生するセキュリティイベント、不配信イベントまたは非入手性イベントを考慮する分類子とすることができ、例えば、信号通信システムの故障検出、ボトルネックの発見、信頼性のドキュメント作成を促進し、不適合ノードに罰則を課すまたはブロックすること等ができる。
【０２１１】
図６は、好適な実施形態の分配システム信号表現切り替え手段ＤＳ−Ｔ−３４の特別な能力を示す。前述したように、システム信号表現切り替え手段は、分配システム信号表現切り替えパラメータ記録ＤＳ−Ｔ−３５を有する分配システム切り替え制御レジスタＤＳ−Ｔ−４５を使用して、対応する信号注入ラベルＳＧ−Ｔ−４および信号分配ラベルＳＧ−Ｔ−２に基づいて、例えば、注入トランスポート表現ＩＴ−Ｔ−２を分配トランスポート表現ＤＴ−Ｔ−２に切り替える。さらに、前述したように、１つの信号ノードＳＮに関連付けられている１つの信号注入ラベルＳＧ−Ｔ−４は、同じまたは異なるクライアント・ノードＣＮに関連付けられている別の複数の信号分配ラベルＳＧ−Ｔ−２に関連付けることができる。図３の例、特に固有の分配システム信号表現切り替えパラメータ記録ＤＳ−Ｔ−３５３を進めると、図６の例の分配システムＤＳは注入トランスポート表現ＩＴ−Ｔ−２を受信し、これが解釈されるとき、図３の例で３つの異なる信号分配ラベルＳＧ−Ｔ−２ｊ、ＳＧ−Ｔ−２ｋおよびＳＧ−Ｔ−２ｎに関連付けられている固有の信号注入ラベルＳＧ−Ｔ−４３を備えることが判明する。好適な実施形態では、分配システム信号表現切り替え手段ＤＳ−Ｔ−３４は注入トランスポート表現ＩＴ−Ｔ−２の固有の信号表現ＳＧ−Ａ−１１を、信号注入ラベルＳＧ−Ｔ−４３に対応する信号分配ラベルＳＧ−Ｔ−２ｊ、ＳＧ−Ｔ−２ｋおよびＳＧ−Ｔ−２ｎのそれぞれに関連付けられているクライアント・ノードＣＮ１、ＣＮ２およびＣＮ３のそれぞれにコピーするように構成されている。
【０２１２】
換言すると、分配システム信号表現切り替え手段ＤＳ−Ｔ−３４は、各分配システム信号表現切り替えパラメータ記録ＤＳ−Ｔ−３５で１対多数の関係を発見すると、同じ１つの信号表現、この例ではＳＧ−Ａ−１１に基づいて、複数の分配トランスポート表現、この例ではＤＴ−Ｔ−２１、ＤＴ−Ｔ−２２およびＤＴ−Ｔ−２３の確立を開始するように構成される。この特徴は、好適な実施形態では分配システムが信号ＳＧにアクセスできないことに関係なく、分配システムＤＳによって信号のコピーが行われるため、その信号にサブスクライブしているクライアント・ノードＣＮの数に関係なく、信号ノードＳＮだけが固有の信号ＳＧを１回送信すればよい有利な信号通信システムＳＣＳを促進する。
【０２１３】
分配システム信号表現切り替え手段ＤＳ−Ｔ−３４のコピー機能は、例えば、同じ信号表現ＳＧ−Ａ−１および異なる信号分配ラベルＳＧ−Ｔ−２に基づいて、当該数の分配トランスポート表現ＤＴ−Ｔ−２を確立することを備える。別の実施形態では、コピー機能は、注入トランスポート表現ＩＴ−Ｔ−２を当該数コピーすることを伴い、さらにコピーのそれぞれの信号注入ラベルＳＧ−Ｔ−４を異なる信号分配ラベルＳＧ−Ｔ−２に置換して、分配トランスポート表現ＤＴ−Ｔ−２を確立することができる。
【０２１４】
本発明の実施形態により物理的な信号の通信のために設計されたシステムは、少なくとも信号ノードに常駐して動作するソフトウェアの保守に関しては、関わる信号ノードに対して比較的低い要件を有することができる。それにより、信号ノードに接続される従来のネットワークと比べて比較的制限された機能的な能力をもつ信号ノードが本発明により得られることが実現される。このことは、本発明の信号ノードが主に変換される物理特性に基づいて信号表現を確立し、この信号表現を１つまたは比較的少数の分配システムＤＳに、任意で好ましくは符号化して伝送するので、受取人であるクライアント・ノードＣＮは他者に読まれない、改ざんされない、または知られない信号表現を受信できるというタスクに関わるという意味で、やや抽象レベルでは概念的な「分割統治」実装としても理解することもできよう。このように、信号ノードは要求される信号を取得するためにのみ構成することができ、ローカルのソフトウェアおよびハードウェアがこのタスクに集中できるのに対し、分配システムは事実上当該クライアント・ノードの決定と、当該クライアント・ノードへの、かつそれだけへのセキュアで確実な分配に責任を負う。この設計により、好適な実施形態では、信号ノードは分配システム以外の他のパーティに知られないことも実現することができる。換言すると、好適な実施形態では、クライアント・ノードは信号を受信はするが、発信側の信号ノードにコンタクトを取ることまたは発信側の信号ノードを明らかにすることはできない。信号ノードは信号を伝送するが、受信側のクライアント・ノードにコンタクトを取ることまたは受信側のクライアント・ノードを明らかにすることはできない。分配システムは信号ノードおよびクライアント・ノードの両方を知るが、信号を読み取ることまたは信号を明らかにすることはできない。さらに、ネットワークのオブザーバは信号タイプもしくは信号ノードをクライアント・ノードに関係付けることも、信号を読み取ることもできない。
【０２１５】
この機能を概念的な説明すると、システムの信号ノードの主な目的が信号および信号表現を取扱い、これを所定の分配システムと通信することであるのに対し、分配システムの主な目的は信号ノードおよびクライアント・ノードとの信号表現の分配を統制することである。
【０２１６】
この「二重単純化（dual simplification）」は、セキュアな通信をそのように確立するために有利というだけではなく、効率的な通信を確立するために充当されるエネルギを集中させることができ、または総エネルギ消費量を考慮するときにはさらに削減できるという意味で効率的でもある。これは、例えば、先行技術の信号ノードにおいてセキュリティ目的で適用される処理が時間およびプロセッサまたは時間もしくはプロセッサを消費するだけではなく、エネルギも消費し、充当されるエネルギがエンド・ツー・エンド通信システムの全体的な機能に寄与しないということによる。例えば、変換される信号のセキュアな分配に適用される従来のコンピュータは、ファイヤウォール、アンチウイルス、セキュリティシステムの不効率の更新などのパフォーマンスに関して非常にしばしば大きく制限されることは周知の事実である。システム全体のエネルギ消費量の最適化に加えて、本発明の一実施形態による信号ノードが信号ノードからの信号の分配の統制に関して運用上非常に制限されるという本来的な単純化は、信号ノードが基本的に操作し難いものであるという結果的な効果をもつが、分配が基本的に中央分配システムによって扱われるという意味で、操作に関する任意の成功は全く、またはほとんど影響をもたないことも意味する。そのため、信号ノードの操作またはハッキングの成功は、最大でも、信号表現が意図される受取人、すなわちクライアント・ノードには中継されないという結果をもつ。また、このような操作またはハッキングは未中継の信号表現として検出できるため、このような異常は比較的簡単かつ早急に中央で検出することができる。好適な実施形態では、それによりたとえ侵入的な方法でも、信号表現を間違った受取人に伝送させるように信号ノードを操作することはできない。
【０２１７】
応用例、図７、図８ａ、図８ｂ、図８ｃ、図９ａ、図９ｂ、図１０、図１１、図１２、図１３、図１４、図１５
図７は、本発明の一実施形態による信号通信システムを示す。図示する実施形態では、信号通信システムは地理的に分散しており、分配システムＤＳ、多数の信号ノードＳＮ１、ＳＮ２、ＳＮ３、およびクライアント・ノードＣＮは非常に距離の離れた地理的な場所に位置する。加えて、クライアント・ノード・オペレーティングエンティティ（client node operating entity）ＣＮＯＥ、例えば、ユーザまたはデータ処理会社は、クライアント・ノードＣＮとは異なる場所に示されている。信号表現ＳＧ−Ａ−１は信号ノードＳＮ１の１つとクライアント・ノードＣＮとの間を分配システムＤＳを介して通信されることが示されている。図示する実施形態での大きく隔たった地理的な場所は、本発明の汎用性を示すためのものであることに留意する。他の実施形態では、信号通信システムの地理的な分散は１つの国もしくは市であってもよく、またはシステムはアパート、オフィスビルもしくは製造施設内に、または１つの部屋に分散していてもよい。他の実施形態では、地理的な分散は広範囲であるが、分散が１つの、例えば、国際的な機関の施設に制限される。一実施形態において、信号ノードは広範囲に分散した多数のクライアント・ノードと比べて近くに、または比較的近くに設置される。これは、例えば、１つの当該場所の物理特性の測定値を世界中の複数の異なるクライアント・ノードに分散するために、または複数の場所から１つの場所の物理特性の制御を可能にするために適用することができる。一実施形態において、信号ノードは地理的に広範囲に分散されるが、クライアント・ノードは比較的近くに設置され、例えば、１つの場所から複数の異なる場所の物理特性を監視するため、または１つの場所から複数の異なる場所の物理特性を制御するためのシステムに適用される。
【０２１８】
図８ａ、図８ｂ、図８ｃ、図９ａおよび図９ｂは、本発明の信号通信システムの実施形態により可能な閉ループ制御構成の例を示す。図８ａでは、クライアント・ノードＣＮは、物理特性ＰＰを制御または調節するために、クライアント・ノード・アプリケーション・コントローラＣＮ−Ａ−４１とクライアント・ノード電気アクチュエータＣＮ−Ａ−３８とを備える。信号ノード物理ユニット・センサＳＮ−Ａ−３５を有する信号ノードＳＮは、物理特性ＰＰを信号に変換し、それを本明細書で説明する本発明による信号通信システムＳＣＳおよび分配システムＤＳを介してクライアント・ノードＣＮに伝送する。クライアント・ノードＣＮおよびそのクライアント・ノード・アプリケーション・コントローラＣＮ−Ａ−４１は信号ノードからの信号を、物理特性ＰＰの制御または調節へのフィードバックとして使用するように構成されている。クライアント・ノード・オペレーティングエンティティＣＮＯＥはパラメータ、制御目的、規制上の制約等を入力しているかもしれない。クライアント・ノードＣＮおよび信号ノードＳＮは、図示する実施形態では、閉ループ制御システムを形成することができる。
【０２１９】
アクチュエータそのものを有する代わりに、クライアント・ノードＣＮは、一実施形態において、図８ｂに図示するように、信号ノード電気アクチュエータＳＮ−Ａ−２０を有する信号ノードＳＮに制御信号を伝送してもよい。ここで、制御信号は、本明細書で説明する本発明による信号通信システムＳＣＳおよび分配システムＤＳを介して、クライアント・ノード・アプリケーション・コントローラＣＮ−Ａ−４１から信号ノード電気アクチュエータＳＮ−Ａ−２０に伝送し、それにより物理特性ＰＰに影響を与え、別の信号ノードの信号ノード物理ユニット・センサＳＮ−Ａ−３５が物理特性ＰＰを測定、感知または検出して、それを本明細書で説明する本発明による信号通信システムＳＣＳおよび分配システムＤＳを介して、クライアント・ノード・アプリケーション・コントローラＣＮ−Ａ−４１にフィードバックとして伝送する。
【０２２０】
図８ｃは、信号ノード電気アクチュエータＳＮ−Ａ−２０および信号ノード物理ユニット・センサＳＮ−Ａ−３５が１つの信号ノードＳＮに組み込まれ、本明細書で説明する本発明による信号通信システムＳＣＳおよび分配システムＤＳを介して信号ＳＧを受信および伝送するように実施されていることを示している。
【０２２１】
本発明の信号ノードおよびクライアント・ノードによって確立される制御ループは、様々な目的のために、一般的には物理特性の制御または調節のすべてのアプリケーションに適用することができる。様々な実施形態において、制御される物理特性は、信号ノードＳＮが監視する物理特性と同じであっても、または異なる物理特性であってもよい。
【０２２２】
例えば、フィードバックループの信号ノードＳＮは、物理的容量の充填レベルもしくはフロー、容器内の流体もしくはエネルギ貯蔵庫のエネルギのレベルから、駐車場もしくは幹線道路の車両の量までのいずれをも示すことができ、前向経路のクライアント・ノード・アクチュエータは、充填もしくはフローを直接制御する弁、ポンプもしくはスイッチを備え、または例えば駐車場に出入りする車の満車もしくは流れを間接的に制御する信号、例えば、ディスプレイ、ライトもしくは標識を備えることができる。
【０２２３】
例えば、フィードバックループの信号ノードＳＮは温度、圧力、光などの基本的な物理特性の単純な測定値を示すことができ、クライアント・ノード・アクチュエータはそのような特性を直接的または間接的に変える手段、例えば、ヒータ、サーモスタット、ポンプ、ランプなどを備えることができる。
【０２２４】
例えば、フィードバックループの信号ノードＳＮは、例えば、レベルセンサ、存在検知器、カウンタなどを使用することによって、物理的資源の非入手性を検出することができ、クライアント・ノード・アプリケーション・コントローラは入手できないときに物理的資源の再供給に備えることができる。
【０２２５】
図９ａは、本発明の信号通信システムにより実施されるサーモスタット・ラジエータ・バルブＴＲＶの閉ループ制御のより具体的な例を示す。信号ノードＳＮは信号ノード物理ユニット・センサＳＮ−Ａ−３５を備え、これは、例えば、室温を測定するための温度センサである。測定された値は信号通信システムＳＣＳを介して、特定の信号ノードから信号をサブスクライブするクライアント・ノードＣＮに伝送される。クライアント・ノードは、測定された温度が温度設定値の下か上かによって加熱を増減させる温度自動制御システムのロジックを備えるクライアント・ノード・アプリケーション・コントローラＣＮ−Ａ−４１を備える。クライアント・ノード・アプリケーション・コントローラＣＮ−Ａ−４１は信号ノードＳＮから測定された室温を有する信号ＳＧを受信し、それをクライアント・ノード・オペレーティングエンティティＣＮＯＥ、例えば、特定の部屋に居住する賃借人、またはオフィスビルの室内気候制御システムから受信する設定温度と比較する。比較の結果に基づいて、クライアント・ノード・アプリケーション・コントローラＣＮ−Ａ−４１はクライアント・ノード・アクチュエータＣＮ−Ａ−３８を制御してラジエータ・バルブを開閉し、それによって室内の温度の物理特性ＰＰを制御する。制御システムは、室温が設定温度に達すると、均衡に達する。
【０２２６】
図９ｂは、上記図８ｃの原理を用いる代替実施形態を示しており、信号の送受信両方が可能な信号ノードＳＮをサーモスタット・ラジエータ・バルブソリューションで使用して、室温を測定するとともに、ラジエータに温水を流すためのバルブを操作する。クライアント・ノードＣＮは信号通信ネットワークＳＣＳを通じて測定された温度を受信し、加熱を強めるか弱めるかを決定し、それに応じて信号通信システムを使って制御信号を信号ノード・アクチュエータに転送する。
【０２２７】
本発明の信号通信システムを感知およびフィードバック伝送のために使用することで、有利なことに、例えば、バルブおよび温度センサのそれぞれの場所、技術および設計の自由度と最適化のために無線接続が可能でありながら、データ侵入者が偽フィードバックデータを注入することや、または測定されたデータのプライバシーを侵すことは不可能になる。さらに、信号通信システムの使用により、例えば、地域の温度規制や室内気候の遠隔監視などの様々な目的のために、測定したデータを複数のクライアント・ノードに分配することが可能になる。
【０２２８】
図１０〜図１１は、本発明の信号通信システムの実施形態により可能な開ループ構成の例を示す。図１０は、例えば、クライアント・ノード・オペレーティングエンティティからの入力または設定で動作し、それに応じて物理特性ＰＰに関係する制御信号ＳＧを確立するクライアント・ノード・アプリケーション・コントローラＣＮ−Ａ−４１を備えるクライアント・ノードＣＮを示す。本発明の信号通信システムを介して、制御信号ＳＧはその特定の信号ＳＧの当該信号ノードＳＮに送信される。信号ノードは、受信した信号ＳＧに基づいて物理特性ＰＰに影響を与え、それによって開ループ制御システム、例えば、遠隔制御を形成するために、信号ノード電気アクチュエータＳＮ−Ａ−２０を備える。図示する実施形態は、物理特性ＰＰとクライアント・ノード・オペレーティングエンティティまたはクライアント・ノード・アプリケーション・コントローラＣＮ−Ａ−４１との間のフィードバックを確立することにより、閉ループ制御システムの一部を形成してもよい。
【０２２９】
図１１は、本発明の一実施形態による開ループ遠隔制御システムの例を示す。信号ノードＳＮは、窓のブラインドを制御し、それによって物理特性ＰＰ、例えば、窓を通る光および熱の透過または窓を通る光もしくは熱の透過に影響を与えるために、信号ノード電気アクチュエータＳＮ−Ａ−２０を備える。クライアント・ノードＣＮは本発明の信号通信システムの一実施形態を介して登録されて、制御信号ＳＧを信号ノードＳＮに伝送する。クライアント・ノード・オペレーティングエンティティＣＮＯＥ、例えば、部屋の使用者は、クライアント・ノードＣＮを制御して、信号ノードにブラインドの開閉を要求する。さらに、クライアント・ノードのクライアント・ノード・アプリケーション・コントローラは、一実施形態において、状態に依存してブラインドの開閉を信号ノードに自動的に要求するようにセットアップすることができ、例えば時刻、例えば、いつも夕方にはブラインドを閉じて、朝に開ける。さらに、クライアント・ノードは、例えば、ライトセンサ、温度センサなどからフィードバックを受信し、それに応じて、直射日光や過度な加熱がある場合には日中もブラインドを閉じるようにプログラミングすることができる。この実施形態では、信号通信システムは、無許可のアクセスによりブラインドを開閉するように信号ノードを操作できないため、検討される部屋の使用者のプライバシーを保護する。
【０２３０】
図１２〜図１３は、本発明の信号通信システムの実施形態により可能なセンサまたは測定構成の例を示す。図１２では、信号ノードＳＮは物理特性ＰＰを信号ＳＧに変換する信号ノード物理ユニット・センサＳＮ−Ａ−３５を備える。クライアント・ノードＣＮは特定の信号ノードから、本明細書で説明する本発明による信号通信システムＳＣＳおよび分配システムＤＳを介して特定の信号にサブスクライブする。クライアント・ノードＣＮは、受信した信号またはそれを処理した結果を、クライアント・ノード・オペレーティングエンティティＣＮＯＥに利用できるように構成されている。それにより信号ノードＳＮおよびクライアント・ノードＣＮは信号通信システムを介して監視システムまたはフィードバックシステムを形成する。
【０２３１】
本発明の信号ノードおよびクライアント・ノードによる監視システムまたはフィードバックシステムは、様々な目的のために、一般的には物理特性の監視または物理特性に基づく制御のすべてのアプリケーションで適用することができる。クライアント・ノードはクライアント・ノード・オペレーティングエンティティがさらに利用するために信号を利用できるようにするだけでもよく、またはクライアント・ノード・アプリケーション・コントローラＣＮ−Ａ−４１、アクチュエータＣＮ−Ａ−３８、ディスプレイＣＮ−Ａ−１７などを備えて、受信した信号を処理し、行動してもよい。様々な実施形態において、信号ノードＳＮおよびクライアント・ノードＣＮは物理的に１つのボックスに実装してもよく、または互いの近くに設置してもよく、または地理的に遠隔の場所で監視もしくは制御するために使用されてもよい。
【０２３２】
例えば、信号ノードＳＮによって測定または感知される物理特性ＰＰは、温度、近接性、圧力、光、などの基本的な物理特性であってもよく、または検出される物理特性がシステムの状態もしくはレベル、例えば、物理的な容量の充填レベルもしくはフロー、機械的もしくは電気的なスイッチまたはセレクタの位置の検出、物理的な状態を示す磁力、電荷、音響、例えば、超音波、インパルスなどの検出を表すより複雑な検出であってもよい。
【０２３３】
図１３は、本発明の信号通信システムにより実施される温度センサの監視システムのより具体的な例を示す。信号ノードＳＮは信号ノード物理ユニット・センサＳＮ−Ａ−３５を備え、これは例えば、物体または環境の温度を測定する温度センサである。測定された値は信号通信システムＳＣＳを介して、特定の信号ノードから信号をサブスクライブするクライアント・ノードＣＮに伝送される。クライアント・ノードは測定した温度を出力するクライアント・ノード信号データ・インターフェースＣＮ−Ａ−１５を備える。クライアント・ノード信号データ・インターフェースＣＮ−Ａ−１５は、例えば、ブラウザに測定された温度へのアクセスを可能にするウェブ・サーバもしくはウェブ・サービス、または、以下より詳細に説明するように、受信した温度値を即時表示するクライアント・ノード・ローカル・インターフェースＣＮ−Ａ−１７、例えばディスプレイとすることができる。
【０２３４】
感知およびフィードバックの伝送に本発明の信号通信システムを使用することで、有利なことに、例えば、センサの場所、技術および設計の自由度と最適化のために無線接続が可能でありながら、データ侵入者が偽の測定データを注入することや、または測定したデータのプライバシーを侵すことが不可能になる。さらに、信号通信システムを使用することで、例えば、ローカルと遠隔両方の監視などの様々な目的のために、測定したデータを複数のクライアント・ノードに分散することが可能になる。
【０２３５】
図１４〜図１５は、本発明の信号通信システムの実施形態により可能な分散型センサ構成とその応用の例を示す。図１４に図示するように、クライアント・ノードＣＮは、複数の信号ノードＳＮの信号ノード物理ユニット・センサＳＮ−Ａ−３５によって確立される信号をサブスクライブすることができる。この概念は、上記で説明した閉ループの調節にも適用することもでき、例えば、１つのコントローラは調節を複数のセンサからのフィードバックに基づいて行い、例えば、１つのコントローラは複数のセンサからのフィードバックに基づいて複数の特性または複数の場所を調節する。
【０２３６】
図１５は、本発明の一実施形態による分散型センサ構成の実用的な応用例を示す。図示する例では、３つの暖房コスト配分器ＨＣＡ１、ＨＣＡ２およびＨＣＡ３を、個々のラジエータの相対熱出力を決定する信号ノード物理ユニット・センサＳＮ−Ａ−３５を有する信号ノードとして具体化する。クライアント・ノードとして具体化される発熱量アキュムレータΣは、個々の暖房コスト配分器ＨＣＡから発熱量の読取値をサブスクライブする。
【０２３７】
暖房コスト配分スキームの相対性のために、個々の発熱量はそれ自体が個々に使用することはできない。建物の個々の暖房コスト配分器全部からの発熱量の総計に対して評価すると、各ラジエータについて相対熱消費量を判断することができる。さらにこれらの相対値を、例えば、建物のメイン熱量計などのメイン消費量計から建物の絶対総消費量、または建物の合計絶対暖房コストと比較すると、各暖房コスト配分器ＨＣＡについて消費量およびコストの絶対値または消費量もしくはコストの絶対値を計算することができる。
【０２３８】
一実施形態において、暖房コスト配分器ＨＣＡは、発熱量アキュムレータΣまたはクライアント・ノード・オペレーティングエンティティＣＮＯＥによって計算される絶対消費量またはコストの計算値をサブスクライブするために、ディスプレイおよびクライアント・ノードをさらに備え、その場合、発熱量アキュムレータΣは、表示するために暖房コスト配分器に計算値を伝送する信号ノードも実装する。このような実施形態では、信号ノードおよびクライアント・ノードの両方を備える暖房コスト配分器は、以下より詳細に説明するように、ハイブリッド信号クライアント・ノードＨＹ−Ａ−２とすることもできる。一実施形態において、各暖房コスト配分器がクライアント・ノードとしてコスト値を受信する代わりに、アパートまたは課金ユニットに、そのアパートまたは課金ユニットに関連付けられている暖房コスト配分器ＨＣＡ全部の絶対値をまとめて受信・表示するために、１つのディスプレイ・クライアント・ノードが設けられる。
【０２３９】
ネットワーク、図１６、図１７、図１８
図１６は、ネットワーク層の詳細を示す信号通信システムの一実施形態を示す。この例では、好適な実施形態に従い、多数の信号通信エンティティＳＣＳ−Ａ−１１からＳＣＳ−Ａ−１５が信号通信システム・ネットワークＳＣＳ−Ｎ−５に含まれている。図示するように、信号通信システム・エンティティのうちの少なくとも１つのＳＣＳ−Ａ−１１は、例えば、信号ノードＳＮであり、信号通信システム・エンティティのうちの少なくとも１つのＳＣＳ−Ａ−１２は、例えば、分配システムＤＳである。信号通信システム・エンティティの別のＳＣＳ−Ａ−１３は、好ましくはクライアント・ノードＣＮとすることができる。信号通信システム・エンティティＳＣＳ−Ａ−１は信号通信システム・エンティティ・ネットワークＳＣＳ−Ｎ−１とインターフェースを取る信号通信システム・エンティティ・ネットワーク・インターフェースＳＣＳ−Ｎ−３を備え、これは多数の信号通信システム・エンティティについて同じ信号通信システム・エンティティ・ネットワークであっても、異なる信号通信システム・エンティティ・ネットワークであってもよい。図１６の例では、信号通信システム・エンティティのうちの４つのＳＣＳ−Ａ−１１からＳＣＳ−Ａ−１４は、同じ信号通信システム・エンティティ・ネットワークＳＣＳ−Ｎ−１に接続されている。信号通信システム・エンティティ・ネットワークＳＣＳ−Ｎ−１は、様々な実施形態において、有利なことに、インターネットを備え、またはインターネットに接続することができる。
【０２４０】
これも図示されるように、信号通信システム・エンティティ・ネットワーク・インターフェースＳＣＳ−Ｎ−３は種々のネットワーク技術、例えば、種々の無線技術および有線技術とのインターフェースとすることができ、信号通信システム・エンティティＳＣＳ−Ａ−１は、複数のネットワークとインターフェースを取るおよび複数の種々の技術を使用する、または複数のネットワークとインターフェースを取るもしくは複数の種々の技術を使用する、複数の信号通信システム・エンティティ・ネットワーク・インターフェースＳＣＳ−Ｎ−３を備えることができる。採用される種々のネットワーク技術は、例えば、ＩＰｖ４などのＴＣＰ／ＩＰプロトコル、様々なパーソナル・エリア・ネットワークＰＡＮ、例えば、ＢｌｕｅｔｏｏｔｈもしくはＺｉｇＢｅｅ、ＷｉＦｉラベルによる、すなわちＩＥＥＥ８０２．１１仕様に基づく無線ネットワーク技術、様々な省電力広域ネットワークＬＰＷＡＮ技術、例えば、狭帯域ＩｏＴ  ＮＢ−ＩＯＴ、ＬｏＲａベースの技術、例えば、ＬＴＥ、ＧＰＲＳ、３Ｇ、４Ｇ、５Ｇもしくはマシン型通信用ＬＴＥアドバンストＬＴＥ−ＭＴＣなどの伝統的な電気通信ネットワークに基づく様々なマシンタイプ通信、または他の有線もしくは無線のプラットフォームを備えることができる。
【０２４１】
図１６に詳細に図示され、上記の説明に従う、信号通信システム・エンティティＳＣＳ−Ａ−１は、信号ＳＧを伝送するとき、アプリケーション層レベルで信号表現ＳＧ−Ａ−１を確立し、これはトランスポート層レベルの信号通信システム・トランスポート表現ＳＣＳ−Ｔ−１として、例えば、信号ノードのケースでは注入トランスポート表現ＩＴ−Ｔ−２として表される。ネットワーク層レベルの詳細を記述に追加するために、信号通信システム・トランスポート表現ＳＣＳ−Ｔ−１は、ネットワーク層レベルの信号通信システム・ネットワーク表現ＳＣＳ−Ｎ−７、例えば、ネットワークパケットに変換される。これは、好ましくは信号通信システム・ネットワーク表現手段ＳＣＳ−Ｎ−８によって行うことができ、この手段は各ネットワーク技術およびトポロジのための信号通信システム・トランスポート表現ＳＣＳ−Ｔ−１ならびに適切なヘッダＨＮおよびフッタＦＮを備える信号通信システム・ネットワーク表現ＳＣＳ−Ｎ−７を確立するように構成される。受信については、層は逆順で取り扱われ、信号通信システム・ネットワーク表現ＳＣＳ−Ｎ−７を解釈する信号通信システム・ネットワーク表現解釈手段ＳＣＳ−Ｎ−９を伴い、信号通信システム・トランスポート表現ＳＣＳ−Ｔ−１を提供する。
【０２４２】
好適な実施形態において、各信号通信システム・エンティティＳＣＳ−Ａ−１は、信号通信システム・ネットワーク表現ＳＣＳ−Ｎ−７をアドレス指定および確立またはアドレス指定もしくは確立して、ネットワーク層で完全性制御、認証および暗号化のうちの１つまたは複数を提供するために使用される信号通信システム・ネットワーク識別情報ＳＣＳ−Ｎ−２を備える。同様に、好適な実施形態では、各信号通信システム・エンティティＳＣＳ−Ａ−１は、信号通信システム・トランスポート表現ＳＣＳ−Ｔ−１をアドレス指定および確立またはアドレス指定もしくは確立して、例えば、トランスポート層で完全性制御、認証および暗号化のうちの１つまたは複数を提供するために使用される信号通信システム・トランスポート識別情報ＳＣＳ−Ｔ−２を備える。
【０２４３】
ネットワークを通じてネットワーク表現を介してトランスポート表現を搬送することは、例えば、パケット・タイプ、パケット・サイズ、ネットワークアドレス、例えば、ＩＰアドレスなどを指定するネットワークのヘッダおよびフッタを追加することによって、各ネットワーク技術およびネットワークの規格に従う１つまたは複数のネットワークパケット、例えば、ＩＰパケットにトランスポート表現を構成することを含む。換言すると、多数のトランスポート表現は各ネットワーク規格、ベストプラクティスまたは地域もしくは即座の要件に準拠するためにネットワーク表現の数を減らし、または通例を増やすことになってもよく、信号通信システム・ネットワーク表現および解釈手段ＳＣＳ−Ｎ−８、ＳＣＳ−Ｎ−９は、例えば、トランスポート表現を複数のネットワーク表現に分割すること、または多数のネットワーク表現から１つのトランスポート表現を形成することを管理するように構成される。様々な実施形態において、信号表現ＳＧ−Ａ−１と信号通信システム・トランスポート表現ＳＣＳ−Ｔ−１との変換にも同様なメカニズムを適用することができる。
【０２４４】
さらに、２つの信号通信システム・エンティティＳＣＳ−Ａ−１間、例えば、信号ノードと分配システムとの間のネットワーク経路は、ルータ、スイッチ、ブリッジ、ゲートウェイなど、任意の数の中間ネットワーク・ノードを備えることができ、２つの信号通信システム・エンティティ間で辿る複数の種々のルートを備えることができる。このルーティングは、好ましくは、従来の技術によって管理する。
【０２４５】
図１７は、実際に信号通信システム・ネットワーク表現ＳＣＳ−Ｎ−７を通信している２つの信号通信システム・エンティティＳＣＳ−Ａ−１、例えば、信号ノードＳＮおよび分配システムＤＳが、点線の太線で示される信号通信システム・サブネットワークＳＣＳ−Ｎ−６と呼ばれることもある一実施形態である。このようなサブネットワークＳＣＳ−Ｎ−６の２つの信号通信システム・エンティティＳＣＳ−Ａ−１は、例えば、信号通信システム・ネットワーク識別情報ＳＣＳ−Ｎ−２によって、またはそれに関係して、互いの信号通信システム・ネットワーク・インターフェースＳＣＳ−Ｎ−３を直接アドレス指定することが好ましい。また、サブネットワークＳＣＳ−Ｎ−６は、省電力広域ネットワークＬＰＷＡＮ技術、例えば、狭帯域ＩｏＴ  ＮＢ−ＩＯＴを有する信号ノードＳＮと、公衆有線回線ＰＷＮ、例えば、インターネットに、光ファイバベースのネットワーク技術を介して接続されるサーバ・クラスタに物理的に実装されている分配システムＤＳとの接続を可能にする種々のネットワーク技術およびネットワーク装置、例えば、ゲートウェイまたはゲートウェイのシステムを備えることができる。サブネットワークＳＣＳ−Ｎ−６は、例えば、スマートフォンのＧＰＲＳ、ＵＭＴＳ、ＣＤＭＡまたはＬＴＥモバイルデータ接続によってインターネットにアクセスするクライアント・ノードＣＮと説明される分配システムＤＳとの接続を可能にするゲートウェイまたはゲートウェイのシステムによって、分配システムＤＳとクライアント・ノードＣＮとの間でも確立されることが好ましい。
【０２４６】
図１８は、上記で説明した実施形態に対応する一実施形態をより詳細に示す。信号通信システム・エンティティ・ネットワークＳＣＳ−Ｎ−１は、信号通信ネットワークエンティティインターフェースＳＣＳ−Ｎ−３を介して、信号ノードＳＮ、分配システムＤＳ、およびクライアント・ノードＣＮに接続されている。信号ノードＳＮおよび分配システムＤＳは互いに直接アドレス指定しているため、これらは信号通信システム・サブネットワークＳＣＳ−Ｎ−６を形成し、分配システムＤＳおよびクライアント・ノードＣＮについても同じことがいえる。
【０２４７】
物理特性ＰＰを信号ノード物理特性手段ＳＮ−Ａ−３４で測定して、クライアント・ノードＣＮに転送するべき信号ＳＧを形成するケースを検討すると、信号ノードＳＮは信号ノード信号表現手段ＳＮ−Ａ−４０を適用して、信号ＳＧの信号表現ＳＧ−Ａ−１を形成する。信号ノード信号表現手段ＳＮ−Ａ−４０は信号ノード信号表現特性ＳＮ−Ａ−４６を有する信号ノード信号表現特性レジスタＳＮ−Ａ−４４を使用して、信号表現ＳＧ−Ａ−１を形成する。これらの信号表現特性は、例えば、アプリケーション層レベルで信号ＳＧに適用して信号表現ＳＧ−Ａ−１を確立するためのフォーマット化、符号化および／または暗号手段のルールを定義することができる。
【０２４８】
その後、信号ノードＳＮの信号ノード注入トランスポート表現手段ＳＮ−Ｔ−９は、例えば、トランスポート層レベルで適用するべきフォーマット化、符号化および／または暗号手段のルールを定義する信号ノード注入トランスポート表現特性レジスタＳＮ−Ｔ−６の信号ノード注入トランスポート表現特性ＳＮ−Ｔ−１０に基づいて、信号表現ＳＧ−Ａ−１から、信号通信システム・トランスポート表現ＳＣＳ−Ｔ−１とも呼ばれる注入トランスポート表現ＩＴ−Ｔ−２を提供するように構成される。
【０２４９】
最後に、信号ノードＳＮを離れる前に、信号通信システム・ネットワーク表現手段ＳＣＳ−Ｎ−８は注入トランスポート表現ＩＴ−Ｔ−２を信号通信システム・ネットワーク表現ＳＣＳ−Ｎ−７にするように構成される。
【０２５０】
信号通信システム・ネットワーク表現ＳＣＳ−Ｎ−７は信号ノード・分配システム・サブネットワークＳＣＳ−Ｎ−６を通じて伝送され、信号通信システム・ネットワーク表現ＳＣＳ−Ｎ−７を解釈して注入トランスポート表現ＩＴ−Ｔ−２にするように構成される信号通信システム・ネットワーク表現解釈手段ＳＣＳ−Ｎ−９によって、分配システムＤＳで受信される。例えば図２ａ〜図２ｃを参照して、上記で説明したように、注入トランスポート表現ＩＴ−Ｔ−２は分配システム注入トランスポート表現解釈手段ＤＳ−Ｔ−２４によって解釈され、信号注入ラベルＳＧ−Ｔ−４および分配システム信号表現切り替えパラメータ記録ＤＳ−Ｔ−３５に基づいて、分配システム信号表現切り替え手段ＤＳ−Ｔ−３４によって正確な信号分配ラベルＳＧ−Ｔ−２に切り替えられ、分配システム分配トランスポート表現手段ＤＳ−Ｔ−１８によって分配トランスポート表現ＤＴ−Ｔ−２として提供される。
【０２５１】
分配システム注入トランスポート表現解釈手段ＤＳ−Ｔ−２４は、分配システム注入トランスポート表現特性レジスタＤＳ−Ｔ−２３（図３０に図示される）の分配システム注入トランスポート表現特性ＤＳ−Ｔ−２６（図３０に図示される）を使用して、注入トランスポート表現ＩＴ−Ｔ−２を解釈し、分配システム分配トランスポート表現手段ＤＳ−Ｔ−１８は分配システム分配トランスポート表現特性レジスタＤＳ−Ｔ−１６（図３０に図示される）の分配システム分配トランスポート表現特性ＤＳ−Ｔ−１９（図３０に図示される）を使用して、分配トランスポート表現ＤＴ−Ｔ−２を提供する。場合によってはフォーマット化および暗号手段またはフォーマット化もしくは暗号手段を含む符号化／復号化で使用されるため、分配システム注入トランスポート表現特性ＤＳ−Ｔ−２６は信号ノード注入トランスポート表現特性ＳＮ−Ｔ−１０をミラーリングし（mirror）、または同様に関係付けて、信号ノードと分配システムとの対応を確立する。同様に、場合によってはフォーマット化および暗号手段またはフォーマット化もしくは暗号手段を含む符号化／復号化で使用されるため、分配システム分配表現特性ＤＳ−Ｔ−１９はクライアント・ノード分配トランスポート表現特性ＣＮ−Ｔ−９をミラーリングし、または同様に関係付けて、クライアント・ノードと分配システムとの対応を確立する。
【０２５２】
分配システムＤＳは、信号通信システム・ネットワーク表現手段ＳＣＳ−Ｎ−８によって、対応する信号通信システム・ネットワーク表現ＳＣＳ−Ｎ−７を確立し、それを分配システム・クライアント・ノードサブネットワークＳＣＳ−Ｎ−６を介してクライアント・ノードＣＮに伝送し、そこで受信されて、クライアント・ノードＣＮの信号通信システム・ネットワーク表現解釈手段ＳＣＳ−Ｎ−９によって解釈されて、信号通信システムＳＣＳ−Ｔ−１とも呼ばれる分配トランスポート表現ＤＴ−Ｔ−２になる。
【０２５３】
信号ノードＳＮのプロセスに類似して、クライアント・ノードＣＮはクライアント・ノード分配トランスポート表現解釈手段ＣＮ−Ｔ−７を使用して、例えば、トランスポート層レベルで表現を解釈するために必要なフォーマット化、符号化および／または暗号手段のルールを定義するクライアント・ノード分配トランスポート表現特性レジスタＣＮ−Ｔ−５のクライアント・ノード分配トランスポート表現特性ＣＮ−Ｔ−９に基づいて、分配トランスポート表現ＤＴ−Ｔ−２から信号表現ＳＧ−Ａ−１を提供する。
【０２５４】
さらに、クライアント・ノードＣＮはクライアント・ノード信号表現解釈手段ＣＮ−Ａ−２４を使用して、例えば、アプリケーション層レベルで表現を解釈するために必要なフォーマット化、符号化および／または暗号手段のルールを定義するクライアント・ノード信号表現特性レジスタＣＮ−Ａ−３１のクライアント・ノード信号表現特性ＣＮ−Ａ−３２に基づいて、信号表現ＳＧ−Ａ−１から信号ＳＧを提供する。場合によってはフォーマット化および暗号手段またはフォーマット化もしくは暗号手段を含めて符号化／復号化で使用されるため、クライアント・ノード信号表現特性ＣＮ−Ａ−３２は信号ノード信号表現特性ＳＮ−Ａ−４６をミラーリングし、または同様に関連付けて、信号ノードとクライアント・ノードとの対応を確立する。
【０２５５】
図１８には、水平線で対応する層も示される。それにより、信号ノードＳＮ、分配システムＤＳおよびクライアント・ノードＣＮはすべて、ネットワーク層レベルで対応する表現および解釈手段ＳＣＳ−Ｎ−８、ＳＣＳ−Ｎ−９を用いて、トランスポート層レベルで対応する表現および解釈手段ＳＮ−Ｔ−９、ＤＳ−Ｔ−２４、ＤＳ−Ｔ−１８、ＣＮ−Ｔ−７、ならびに対応するトランスポート表現特性レジスタＳＮ−Ｔ−６、ＣＮ−Ｔ−５（単純にするために分配システムについては図示していない）を用いて、各手段および特性を適用することは明らかである。しかし、好適な実施形態では、信号ノードＳＮおよびクライアント・ノードＣＮのみが信号表現および解釈手段ＳＮ−Ａ−４０、ＣＮ−Ａ−２４を、対応する信号表現特性レジスタＳＮ−Ａ−４４、ＣＮ−Ａ−３１とともに備えることも明らかである。換言すると、分配システムＤＳは信号通信に関してアプリケーション層を含まず、そのため信号ＳＧの解釈または表現を行うことはできない。それにより、信号ノードＳＮとクライアント・ノードＣＮとの間に信号ＳＧのセキュアなエンド・ツー・エンド通信が確立される。
【０２５６】
様々な実施形態は、ネットワーク層の一部として、信号ノードと分配システムとの間、および分配システムとクライアント・ノードとの間にネットワーク・コンポーネントを備えることができ、これは信号ＳＧ、信号表現ＳＧ−Ａ−１または注入トランスポート・ラベルもしくは分配トランスポート・ラベルＳＧ−Ｔ−４、ＳＧ−Ｔ−２のいずれも開示することなく、ネットワーク表現ＳＣＳ−Ｎ−７をパッケージし直して、当該中間ネットワーク・コンポーネントに中継するためのネットワーク表現および解釈手段を備えることに留意する。当該コンポーネントには注入トランスポート表現または分配トランスポート表現ＩＴ−Ｔ−２、ＤＴ−Ｔ−２を復号化するべきトランスポート表現特性がないためである。
【０２５７】
制御信号ＳＧがクライアント・ノードＣＮによって確立されて、物理特性ＰＰに影響を与えるために信号ノードＳＮに伝送するべきケースでは、例えば図２ａ〜図２ｃを参照して上記で説明したように、図１８を参照して説明した原理がなお準用され、それによってクライアント・ノードＣＮと信号ノードＳＮとの間の信号ＳＧのエンド・ツー・エンド通信を確立する。複数のクライアント・ノードＣＮが１つの信号ノードＳＮから信号ＳＧを受信するべき場合、分配システムは、例えば図６を参照した上記の説明に従い、信号のコピーを行い、各クライアント・ノードＣＮの個々の分配システム分配トランスポート表現特性ＤＳ−Ｔ−１９に基づいて、個々の分配トランスポート表現ＤＴ−Ｔ−２の適切な確立を行うことができる。
【０２５８】
信号ノード信号表現手段ＳＮ−Ａ−４０またはクライアント・ノード信号表現手段ＣＮ−Ａ−２５による信号ＳＧからの信号表現ＳＧ−Ａ−１の確立は、好ましくは、例えばデジタル署名として、信号表現完全性保護タグＳＧ−Ａ−２の確立を含むことができる。信号表現ＳＧ−Ａ−１はさらに好ましくは、信号表現ＳＧ−Ａ−１の発信者を示す信号表現認証タグＳＧ−Ａ−３を備えることもでき、これも好ましくはデジタル署名として確立することができる。信号表現ＳＧ−Ａ−１のデジタル署名は、好ましくは、信号ノード認証アイデンティティＳＮ−Ａ−５２またはクライアント・ノード認証アイデンティティＣＮ−Ａ−３９にそれぞれ基づいて、例えば、信号ノードまたはクライアント・ノードの秘密鍵にそれぞれ基づいて確立することができる。反対側、すなわちそれぞれクライアント・ノードまたは信号ノードの信号表現解釈手段は、信号ノード認証識別情報ＳＮ−Ａ−５３またはクライアント・ノード認証識別情報ＣＮ−Ａ−４０、例えば、非対称の暗号鍵ペアの他方の公開鍵を使用することによって、信号表現完全性保護タグＳＧ−Ａ−２および信号表現認証タグＳＧ−Ａ−３または信号表現完全性保護タグＳＧ−Ａ−２もしくは信号表現認証タグＳＧ−Ａ−３、例えばデジタル署名を検証するための手段を備えることができる。
【０２５９】
信号ノードＳＮおよびクライアント・ノードＣＮは、信号表現特性ＳＮ−Ａ−４６、ＣＮ−Ａ−３２を確立し、管理し、互いに折衝するための手段を備えることができる。
好適な実施形態では、信号ノードＳＮはネットワーク上で発見できないように実装される。それにより、信号ノードＳＮはまず自らを現わさなければ、または代替通信ルートで現わされるまで、直接コンタクトを取ることはできない。それにより、分配システムＤＳは、例えばネットワーク上で新しい信号ノードＳＮを能動的に発見できないので、信号ノードＳＮは、好ましくは設計により１つまたは少数の専用分配システムＤＳをアドレス指定するために提供される。
【０２６０】
好適な実施形態では、信号ノードＳＮは、これら同士でのすべての通信を開始し、他のノードからの直接の問い合わせに応答しないという意味で、非応答性のネットワーク・ノードとして実装される。それにより、信号ノードＳＮは、それ自体の問い合わせに対する応答を除き信号を受信することは許されず、またはより単純には、そのためのいかなる手段も実装せず、したがって、好適な実施形態における信号ノードＳＮは、分配システムＤＳでバッファリングされる注入トランスポート表現ＩＴ−Ｔ−２の伝送を要求するために、問い合わせを分配システムＤＳに伝送する。信号ノードＳＮの信号ノード注入トランスポート応答手段ＳＮ−Ｔ−５は、例えば、分配システムＤＳから注入トランスポート表現ＩＴ−Ｔ−２の転送を要求するように構成することができる。この実施形態では、分配システムＤＳは出力バッファもしくは他のストレージ機能を備え、またはそれへのアクセスができ、各信号ノードＳＮの注入トランスポート表現ＩＴ−Ｔ−２を、当該信号ノードＳＮによって能動的に取得されるまで、またはタイマーが終了するまで、またはストレージ容量を超えるまで維持する。信号ノードＳＮは通例バッテリ駆動でありおよび電力管理に最適にされているため、またはバッテリ駆動でありもしくは電力管理に最適にされているため、その取得頻度はかなり低く、例えば、受信する信号の目的および用途に応じて、数分、数時間、数日またはさらに数週間とすることができる。システムの構造をこのように設計し、信号ノードへの直接のコンタクトを不可能にすることは、信号ノードＳＮでのセキュリティ対策の要求事項を大幅に減じる。信号ノードＳＮから分配システムＤＳへの取得要求は、様々な実施形態において、単純な一般的な要求、極端なケースでは、単に空メッセージであってもよく、または例えば、固有のタイプの情報のみを取得することに関して、パラメータまたは情報を含むことができる。
【０２６１】
一実施形態において、信号ノード注入トランスポート要求手段ＳＮ−Ｔ−７または信号ノードＳＮの他の機能は、ローカルエネルギ収支を決定し、それに基づいて前記注入トランスポート表現ＩＴ−Ｔ−２の伝送をスケジューリングするように構成されている。信号ノードＳＮは通例バッテリ駆動であり、および電力管理に最適にされているため、またはバッテリ駆動でありもしくは電力管理に最適にされているため、信号ノードＳＮは、有利なことに、通信のエネルギ消費を最小にするために、伝送、例えば、注入トランスポート表現を分配システムに送信すること、または注入トランスポート表現を分配システムから取得することをスケジューリングすることができる。スケジューリングに含める要因は、例えば、ネットワーク資源およびネットワークルートの可用性、距離、データトラフィックの予想または測定輻輳時間、伝送コストなどを含むことができる。いくつかの実施形態では、伝送のグループ化および定期的な間隔でのスリープモードの呼び出しまたは伝送のグループ化もしくは定期的な間隔でのスリープモードの呼び出しが受け入れられ、消費するエネルギを少なくすることができる。いくつかの実施形態では、伝送のスケジューリングは、例えば、残りのバッテリが少ない場合に、伝送の取消または拒否の選択肢を含むことができる。好適な実施形態では、信号ノードＳＮは注入トランスポート表現ＩＴ−Ｔ−２を、それによりその信号ＳＧを等時的に（isochronously）または所定のスケジュールに従って提供するように構成することもできる。
【０２６２】
信号ノード、図１９、図２０、図２１、図２２
図１９は、本明細書で説明する様々なコンポーネント、インターフェース、格納情報および実装手段を有する信号ノードＳＮの一実施形態を示す。
【０２６３】
図示する信号ノードＳＮは、信号表現ＳＧ−Ａ−１の関連分配システムＤＳへのアウトバウンド伝送のためのハードウェアおよびソフトウェアにおいて説明する。信号ノードＳＮはインバウンドの単方向としても構成され、すなわち、関連分配システムＤＳからの信号表現ＳＧ−Ａ−１の受信のためにも構成することができる。信号ノードは本実施形態および本明細書に記載される原理に従って双方向性としても構成することができる。
【０２６４】
図示する実施形態は、信号ノード電気アクチュエータＳＮ−Ａ−２０、信号ノード物理ユニット・センサＳＮ−Ａ−３５、および信号ノード・データ・インターフェースＳＮ−Ａ−１６を示す。信号ノード・データ・インターフェースＳＮ−Ａ−１６は、アクチュエータ、センサなどの外部ユニットとの通信のために確立される。本発明の他の実施形態による信号ＳＮは、問題の信号ノードの所望の用途または設計に応じて、上記で述べた信号ノード電気アクチュエータＳＮ−Ａ−２０、信号ノード物理ユニット・センサＳＮ−Ａ−３５および信号ノード・データ・インターフェースＳＮ−Ａ−１６の任意の組み合わせを備えることができることに留意する。
【０２６５】
図示する信号ノードは、信号ノード・アイデンティティ・レジスタＳＮ−Ａ−２２、信号ノード注入トランスポート・アイデンティティ・レジスタＳＮ−Ｔ−３および信号ノード・ネットワーク・アイデンティティ・レジスタＳＮ−Ｎ−２の３つのレジスタを備える。
【０２６６】
信号ノード・アイデンティティ・レジスタＳＮ−Ａ−２２は、図４０に関して説明される記述されたレジスタ内容の他に、当該信号ノードによって生成する信号タイプに関する信号注入ラベルＳＧ−Ｔ−４を備えることができる。信号注入ラベルＳＧ−Ｔ−４は、実際には、信号ノードによって生成される信号のタイプを記述し、またはそれにいくらか関係付けられるべきで、それにより分配システムＤＳがこのラベルを当該クライアント・ノードへの切り替えの根拠として使用することを促進する。換言すると、それにより、信号ノードに関係付けられている分配システムでのその後の切り替えは、例えば、所望の受取人、すなわちクライアント・ノードを示すアドレスの代わりに、信号の内容の記述に基づいて切り替えることができる。このことは、数多くのクライアント・ノードのマルチプレキシングまたはアドレス指定が関連分配システムＤＳによって行われるため、比較的単純なラベルが、実際に、最終的に数多くの受取人にアドレス指定されて転送されることになるという意味でも有利である。したがって、信号ノードが小さなラベルのセットを使用し、それが少数のビットで表されることは、信号ノードによるエネルギ消費量を少なくすることにつながるであろう。
【０２６７】
信号ノード注入トランスポート・アイデンティティ・レジスタＳＮ−Ｔ−３は、例えば、図４０に関して説明されるように実装される。この信号ノード注入トランスポート・アイデンティティ・レジスタＳＮ−Ｔ−３は、好ましくは非公開の、信号ノード注入トランスポート・アイデンティティＳＮ−Ｔ−１５と、対応する信号ノード注入トランスポート識別情報ＳＮ−Ｔ−４とを格納する。信号ノードトランスポート識別情報レジスタＳＮ−Ｔ−３は、トランスポート層レベルで分配システムと通信するための分配システム注入トランスポート識別情報ＤＳ−Ｔ−２２をさらに備える。
【０２６８】
信号ノードＳＮは、さらに、例えば、関連分配システムＤＳと通信するために、多数の信号ノード・ネットワーク・インターフェースＳＮ−Ｎ−３を備える。
このために、信号ノードは信号ノード・ネットワーク・アイデンティティ・レジスタＳＮ−Ｎ−２を備える。信号ノード・ネットワーク・アイデンティティ・レジスタＳＮ−Ｎ−２は信号ノードＳＮの信号ノード・ネットワーク識別情報ＳＮ−Ｎ−１と、対応する分配システムＤＳの分配システム注入ネットワーク識別情報ＤＳ−Ｎ−２とを備える。
【０２６９】
一例として、信号ノード・ネットワーク識別情報ＳＮ−Ｎ−１は、例えば、信号ノードＳＮのＩＰアドレスを含むことができ、分配システム注入ネットワーク識別情報ＤＳ−Ｎ−２は、例えば、関連分配システムＤＳのＩＰアドレスを含むことができる。
【０２７０】
信号ノードＳＮは、さらに、信号ノード信号表現特性レジスタＳＮ−Ａ−４４を備えることができ、このレジスタは信号ノード信号表現手段ＳＮ−Ａ−４０によって信号表現ＳＧ−Ａ−１を形成するために使用される信号ノード信号表現特性ＳＮ−Ａ−４６を含む。
【０２７１】
信号ノードＳＮは、信号ノード注入トランスポート表現特性レジスタＳＮ−Ｔ−６も備え、信号ノード注入トランスポート表現特性レジスタＳＮ−Ｔ−６は信号ノード注入トランスポート表現特性ＳＮ−Ｔ−１０を備える。
【０２７２】
信号ノードＳＮの信号ノード注入トランスポート表現手段ＳＮ−Ｔ−９は、例えば、トランスポート層レベルで適用するべきフォーマット化、符号化および／または暗号手段のルールを定義する、信号ノード注入トランスポート表現特性レジスタＳＮ−Ｔ−６の信号ノード注入トランスポート表現特性ＳＮ−Ｔ−１０に基づいて、信号表現ＳＧ−Ａ−１から、信号通信システム・トランスポート表現とも呼ばれる注入トランスポート表現を提供するように構成される。
【０２７３】
信号ノードＳＮは、さらに、信号ノード・ベンダ（signal node vendor）ＳＮＶを識別する信号ノード・ベンダ識別情報ＳＮＶ−Ａ−１を備える信号ノード・ベンダ・レジスタＳＮＶ−Ａ−３を備えることもできる。信号ノード・ベンダ識別情報ＳＮＶ−Ａ−１は、例えば、信号ノード・ベンダＳＮＶから来るソフトウェアを認証し認可するために使用することができる。
【０２７４】
信号ノードＳＮは、さらに、信号ノード・オペレーティングエンティティＳＮＯＥを識別する信号ノード・オペレーティングエンティティ識別情報ＳＮＯＥ−Ａ−１を備える信号ノード・オペレータレジスタ（signal node operator register）ＳＮＯＥ−Ａ−４を備えることもできる。信号ノード・オペレーティングエンティティＳＮＯＥは、例えば、信号ノードＳＮを・オペレーティングする法律上の人または法律上のエンティティに関係付けることができる。具体的な例示的な例として、このような法律上の・オペレーティングエンティティＳＮＯＥは、信号ノードである降雨センサの所有者、信号ノードである温度センサを提供する人などをいう。
【０２７５】
信号ノードＳＮは、さらに好ましくは、好ましくはディスプレイまたは他のインジケータ手段を備える信号ノード・ローカル・インターフェースＳＮ−Ａ−２５を備え、いくつかの実施形態では、入力手段、例えば、ボタン、キーボードなども備える。信号ノード・ローカル・インターフェースＳＮ−Ａ−２５は、信号ノード・ローカル・インターフェース手段ＳＮ−Ａ−２６によって制御することができる。
【０２７６】
図示する信号ノードＳＮはさらに、図２２に図示する同様なレジスタを使用しながら、図２１の当該手段に従って動作する。上記で説明したプロセスおよび必要なレジスタは、メモリおよび信号プロセッサなどの１つまたは複数の協働ユニットに統合される適切なハードウェアによって実行することができる。
【０２７７】
図２０は、本発明による信号通信システムの信号ノードＳＮの一実施形態を示す。信号ノードＳＮは１つまたは複数の信号ノード物理ユニット・センサＳＮ−Ａ−３５、例えば、物理的エネルギ間の変換手段という意味の変換器を備える。代替実施形態において、信号ノードは、追加で、または代わりに、１つまたは複数の信号ノード電気アクチュエータＳＮ−Ａ−２０を備える。信号ノードＳＮはセンサまたはアクチュエータサポート回路、例えば、増幅器、フィルタ、信号プロセッサ、電源、アクチュエータドライバ、Ａ／ＤまたはＤ／Ａコンバータ、機械的サポート機能もしくは構造などを備えることができる。
【０２７８】
信号ノードＳＮは、信号ノード・プロセッサＳＮ−Ａ−４８、信号ノード・メモリＳＮ−Ａ−４９、例えば分配システムＤＳと通信するための多数の信号ノード・ネットワーク・インターフェースＳＮ−Ｎ−３、および信号ノード・バッテリＳＮ−Ａ−４７、または他の電源をさらに備える。信号ノード・プロセッサＳＮ−Ａ−４８および信号ノード・メモリＳＮ−Ａ−４９は、有利なことに、信号ノード埋め込みシステムＳＮ−Ａ−５０として、例えば、システム・オン・チップＳｏＣ、または同様なものの形で実装することができる。
【０２７９】
信号ノードＳＮは、さらに好ましくは、好ましくはディスプレイまたは他のインジケータ手段を備える信号ノード・ローカル・インターフェースＳＮ−Ａ−２５を備え、いくつかの実施形態では、入力手段、例えば、ボタン、キーボードなども備える。
【０２８０】
信号ノードの様々な有利な実施形態は、個別コンポーネントとして、もしくは信号ノード・プロセッサおよびメモリの一部として、または外部ユニットとして、例えば、暗号および証明書用の専用セキュリティハードウェア、変換器に伝送もしくは適用する前に信号を事前処理するため、および／または信号の種々のバージョン、フォーマット、品質などを準備するための信号プロセッサをさらに備えることができる。信号ノード・プロセッサＳＮ−Ａ−４８は、１つのプロセッサ・コンポーネントまたはプロセッサのシステムとして実装されているが、好ましくは信号ノード物理ユニット・センサＳＮ−Ａ−３５、または信号ノード電気アクチュエータＳＮ−Ａ−２０のデータ収集およびコントロールまたはデータ収集もしくはコントロールを制御し、通信インターフェースＳＮ−Ｎ−３を介して伝送および受信または伝送もしくは受信を制御するように構成されている。
【０２８１】
適切な集積回路、例えば、マイクロプロセッサ、中央処理装置、デジタル信号プロセッサ、またはＦＰＧＡ、ＡＳＩＣなどの専用／カスタマイズしたデバイスは、信号ノード・プロセッサＳＮ−Ａ−４８に実装することができる。信号ノード・プロセッサＳＮ−Ａ−４８は、多くの有用なアプリケーションのために、有利なことに、統合周辺装置、例えば、Ａ／Ｄコンバータ、Ｄ／Ａコンバータ、メモリ、クロッキング、通信インターフェースなどを有するハードウェアによって実装することができる。信号ノード・メモリＳＮ−Ａ−４９は、上記に説明するように信号ノード特性および識別情報、様々なレジスタおよびデータを格納するために提供される。さらに、信号ノード・メモリＳＮ−Ａ−４９は、測定した信号値または受信した制御信号、応答もしくはエラーメッセージなどの一時的もしくは長期的なデータ格納またはロギングのために使用することもできる。信号ノード・メモリは、多数（ゼロを含む）の読み取り専用部品および多数の書き換え型部品に分散することができ、例えば、信号ノード・プロセッサＳＮ−Ａ−４８に使用される集積回路間に分散されおよび集積回路に統合され、または分散されもしくは集積回路に統合される。
【０２８２】
前述したように、信号ノードＳＮは、物理特性から信号に変換するため、例えば、特性を測定するための入力信号ノード、信号を物理特性に変換するため、例えば、特性を制御するための出力信号ノード、またはその組み合わせとして分類することができる。入力信号ノードについて、変換器は、例えば、単純なセンサ、例えばＰＴＣレジスタ、ひずみ計、フォトダイオードなどの温度感応性コンポーネント、ひずみ感応性コンポーネントまたは光感応性コンポーネント、マイクロフォンなどの音響センサ、例えば発話音声センサなど、またはノブ、スイッチ、セレクタ、または他の単純な入力手段とすることができる。より先進的な変換器、メータまたは入力デバイスも、物理特性を信号に変換するために使用することができ、例えば、超音波流量計、汚染メータ、煙検知器などである。出力信号ノードについては、変換器は、例えば、機械装置の状態を変更するために、例えば、直接的もしくは間接的に電気制御式のアクチュエータ、例えば、窓開閉装置、水バルブ、ロック機構、電気回路、例えば、モータ、ヒータ、光源、拡声器、様々な種類のインジケータなどである。
【０２８３】
信号ノード・ネットワーク・インターフェースＳＮ−Ｎ−３は、アンテナとして描かれているが、本発明による分配システムと注入トランスポート表現をやり取りするのに適した任意の種類の通信インターフェースであってもよい。様々な好適な実施形態では、通信インターフェースは、場合によっては多数のルータ、リレー、アクセス・ポイントまたは他のネットワーキング・ユニットを介して、信号ノードと分配システムとの間で情報をトランスポートするために、一般に利用できるプライベート・ネットワークまたは公衆ネットワークおよび通信チャネルを利用するために、ＯＳＩモデルの少なくとも層１〜４、すなわち、物理層、リンク層、データ層、およびトランスポート層の１つまたは複数の共通規格または実装をサポートする。インターネットは現在非常に一般的で、入手およびアクセス可能な通信媒体であることから、例えば、ＴＬＳおよびＴＣＰ／ＩＰまたはＵＤＰ／ＩＰプロトコルスーツに従って、インターネットでトランスポートをサポートする通信インターフェースが現在好ましい。物理的トランスポートについて、現在様々なＬＰＷＡＮ、ＩＥＥＥ  ８０２．１１、ＧＰＲＳ、ＬＴＥ、ＺｉｇＢｅｅ、Ｂｌｕｅｔｏｏｔｈなどの１つまたは複数の一般的にサポートされ、入手可能な技術を、好ましくは、通信インターフェースに実装し、当然ながら、低レベルの技術は信号ノードと分配システムとの間からのルートを変更することができ、例えば、信号ノード・ネットワーク・インターフェースＳＮ−Ｎ−３にＩＰパケットを低出力ＩＥＥＥ８０２．１１ａｈ  ＷｉＦｉ接続によりインターネット接続ルータに伝送させ、通信を別のルータへの光ファイバリンクに変換させて、それが通信を分配システムのノードへのツイストペア接続に変換する。コンピュータ通信内の当業者であれば、一般に利用できるインフラストラクチャまたは専有のインフラストラクチャのために、注入トランスポート表現のトランスポート用の通信インターフェースをどのように実装するかは分かるであろう。またこれをどのように将来の共通通信規格に適応させるかも分かるであろう。そのためこれも本発明の範囲内である。
【０２８４】
信号ノード・バッテリＳＮ−Ａ−４７または他の電源は、信号変換および通信を機能させるために、信号ノードＳＮの様々なコンポーネントに必要な量のエネルギを少なくとも供給する手段を備えることができる。好ましくは、電源の種類およびサイズは、信号ノードの種類および起こりうるケースまたは最悪のケースの使用シナリオに応じて、決定する。例えば、高データレートでおよび長距離を無線で、または高データレートでもしくは長距離を無線でデータを配信することが予想される入力信号ノード、または電力消費量の高いアクチュエータを動作させる出力信号ノードは、好ましくは確実な動作のために商用電源による電源を用いて実装することができる。別の例として、単純なセンサおよび予想データレートが低い、例えば、毎分１つの信号値未満の入力信号ノード、および例えば、低出力無線規格、例えば、ＬＰＷＡＮに従う最適化された通信インターフェースは、好ましくは高い柔軟性と信号ノードの設置のしやすさのために、バッテリ駆動式電源を用いて実装することができる。他の例には、特定の信号ノードの通例の用途および場所に応じて、好ましくは例えば、バッテリ、例えば、リチウムイオンバッテリ、またはコンデンサなどの充電可能なエネルギ貯蔵デバイスと組み合わせて、当業者が認識する、例えば、太陽光発電、熱電、圧電、または磁気誘導などに基づいて、エネルギハーベスティング技術によって信号ノードに電力供給することを含む。例えば、１日に数時間日光に曝される場所に設置される信号ノードは、その必要に応じて、好ましくはバッテリまたはコンデンサを充電して、夜間のためのエネルギを保全するために実装される小型の太陽光パネルによってその全体のエネルギ需要を賄う。他のエネルギハーベスティングの例は、例えば、移動する物体、往復運動する物体もしくは振動する物体に、またはその近くに取り付けられて、圧電材料もしくは磁気誘導によって電力が供給される信号ノード、または熱い場所、例えば、ボイラ、熱パイプ、モータ、太陽熱のあたる物体などの中もしくはその上に設置されて、熱電気発電機などによって電力が供給される信号ノードである。電源の例には、前述のタイプの電源と他の適切な電源の組み合わせ、例えば、水素燃料から電力を生む燃料電池、手でバッテリを充電するクランクハンドル付きの発電機なども含む。
【０２８５】
様々な有利な実施形態において、信号ノードは、例えば、暗号化および認証などのセキュリティアルゴリズムを最適かつセキュアに実行するための専用セキュリティチップまたは他の統合型もしくはスタンドアローン型のセキュリティハードウェアを備える。好適な実施形態では、セキュリティハードウェアは信号ノード信号表現手段ＳＮ−Ａ−４０および信号ノード注入トランスポート表現手段ＳＮ−Ｔ−９に従うメイン処理を管理し、これは好ましくは以下より詳細に説明する暗号プロセスを伴う。
【０２８６】
信号ノードＳＮは、データ収集をサポートし、信号を事前処理するなどのために、例えば、サンプリング、増幅、フィルタリング、ダウンサンプリング、形式化、解釈、圧縮などをすることによって、例えば、個別のコンポーネントで、または信号ノード・プロセッサＳＮ−Ａ−４８の一部として、信号プロセッサを備えることができる。信号プロセッサはアナログでもデジタルでもよく、またはアナログおよびデジタルの両方のドメインで行われる信号処理があってもよい。処理は、規格または仕様に従って物理特性から意味ある信号に変換するために必要もしくは重要である、および／または信号の種々の品質、データレート、分解能などをもつバージョンを生成するために使用される。例えば、温度感知用の信号ノードは、温度感応性レジスタである信号ノード物理ユニット・センサＳＮ−Ａ−３５と、雰囲気温度に応じて電圧を可変させるように構成されている少数の電子コンポーネントとを備えることができる。可変する電圧をサンプリングし、ローパスフィルタリングし、例えば摂氏の尺度に基づいて対応する温度値に変換することができる。共通の尺度と単位に対して温度を直接示す、得られるデジタル値を信号ＳＧと見なして、本発明の信号通信システムに従う多数のクライアント・ノードに伝送することができる。同様に、出力信号ノードについて、アナログおよびデジタルまたはアナログもしくはデジタル信号処理を、受信した制御信号ＳＧに基づいて、例えば、信号ノード電気アクチュエータＳＮ−Ａ−２０を適切に動作するために適用することができる。
【０２８７】
信号プロセッサは、前述したように、個別コンポーネントまたは統合コンポーネントを用いて実装されるアナログおよびデジタルまたはアナログもしくはデジタル両方の処理手段を備えることができる。例えば、デジタル信号プロセッサＤＳＰを利用してもよく、または任意の適切な集積回路、例えば、マイクロプロセッサもしくは中央処理装置、またはＦＰＧＡ、ＡＳＩＣなどの専用／カスタマイズされたデバイス利用してもよい。一実施形態において、信号プロセッサは、有利なことに、場合によっては信号ノード埋め込みシステムＳＮ−Ａ−５０の一部として、信号ノード・プロセッサＳＮ−Ａ−４８を実装する同じプロセッシングハードウェアによって実装することができる。
【０２８８】
様々な代替実施形態において、信号ノード物理ユニット・センサＳＮ−Ａ−３５および信号ノード電気アクチュエータＳＮ−Ａ−２０または信号ノード物理ユニット・センサＳＮ−Ａ−３５もしくは信号ノード電気アクチュエータＳＮ−Ａ−２０は、場合によってはサポート回路と一緒に、信号ノードＳＮの残りのものとは物理的に分離して実装することができ、残りのコンポーネントに有線または無線に接続することができる。センサまたはアクチュエータを信号の残りのものから分離することは、複数のアプリケーションで、例えば、故障の際の変換器もしくは信号ノードの簡単な交換を促進するため、信号ノードに適合性のある多数の変換器の中からカスタム選択を可能にするため、変換器、例えば小型温度センサを窮屈な場所もしくは過酷な環境に取り付けるのを可能にするため、扱い難い、重いもしくは大型の変換器、例えばヘビーデューティ・アクチュエータなどの取り付けを平易にするため、通信および電力供給または通信もしくは電力供給、例えばエネルギハーベスティングを重視して信号ノードの場所を最適化しながら、信号変換のための変換器の場所を最適化するのを可能にするため、適切であろう。
【０２８９】
様々な代替実施形態において、信号ノード・ネットワーク・インターフェースＳＮ−Ｎ−３は信号ノードＳＮの残りのものから物理的に分離し実装することができ、残りのコンポーネントに有線または無線に接続することができる。信号ノード・ネットワーク・インターフェースＳＮ−Ｎ−３を信号ノードの残りのものから分離することは、複数のアプリケーションで、例えば、故障の際の通信インターフェースもしくは信号ノードの簡単な交換を促進するため、例えば種々の通信技術を提供するために、信号ノードと適合性のある多数の通信インターフェースの中からカスタム選択を可能にするため、データ収集を重視して信号ノードの場所を最適化しながら、通信インターフェースの場所を例えば無線が最良の状態になるように最適化するのを可能にするため、適切であろう。
【０２９０】
信号ノードＳＮはそれに固有の目的に専用の実装であることが好ましいが、代替実施形態では、例えば、汎用コンピュータ、サーバ、スマートフォン、もしくはタブレット・コンピュータ、ルータなどのネットワーキング・デバイス、例えば、自動車、トラック、列車もしくは飛行機の制御もしくは監視ユニット、産業用コントローラ、エンターテイメントシステム、例えばホームシアターもしくはスマートＴＶ、スマートホーム、またはスマートシティのコントローラなどの中に完全もしくは一部実装し、ハードウェアのいくつかと共有することもできる。例えば、変換器を除く１つまたは複数の信号ノードは、１つのコントローラ、例えば、コンピュータまたはスマートホームシステムに実装することができ、当該変換器を適切なデータ取得または制御場所に遠隔に取り付ける。
【０２９１】
図２１は、信号の通信に直接関係する複数の手段を行うソフトウェアおよびハードウェアまたはソフトウェアもしくはハードウェアによって構成される信号ノード・プロセッサＳＮ−Ａ−４８の一実施形態を示し、複数の手段は、好ましくは、少なくとも説明した信号ノード物理特性手段ＳＮ−Ａ−３４、信号ノード信号表現手段ＳＮ−Ａ−４０、信号ノード信号表現解釈手段ＳＮ−Ａ−３９、信号ノード要求手段ＳＮ−Ａ−３７、信号ノード応答手段ＳＮ−Ａ−３３、信号ノード注入トランスポート表現手段ＳＮ−Ｔ−９、信号ノード注入トランスポート表現解釈手段ＳＮ−Ｔ−８、信号ノード注入トランスポート要求手段ＳＮ−Ｔ−７、信号ノード注入トランスポート応答手段ＳＮ−Ｔ−５、信号通信システム・ネットワーク表現手段ＳＣＳ−Ｎ−８および信号通信システム・ネットワーク表現解釈手段ＳＣＳ−Ｎ−９を備える。
【０２９２】
一般に、信号ノード・プロセッサＳＮ−Ａ−４８は本実施形態に従って実装される手段を実行するべきであり、信号ノード・プロセッサは、以下説明する信号ノード・メモリＳＮ−Ａ−４９など、適切に構成されたデータメモリと通信するべきである。信号ノード・プロセッサにおいて関連メモリに格納されているデータに基づいた手段の一般的な実行は、当業界で周知である。
【０２９３】
信号ノード物理特性手段ＳＮ−Ａ−３４は、例えば物理特性ＰＰと１つまたは複数の信号ＳＮとの間で単方向または双方向に変換することができる。これは、例えば単方向に実装されると、図２０に関して図示される信号ノード物理ユニット・センサＳＮ−Ａ−３５などの例えばセンサが、温度を感知して、この温度を対応する信号に変換し、さらにその後信号ノード・プロセッサＳＮ−Ａ−４８によって処理される。信号ノード物理特性手段ＳＮ−Ａ−３４は、例えば、信号ノード電気アクチュエータＳＮ−Ａ−２０などのアクチュエータによって、信号が物理特性に変換される場合も単方向に実装することができる。
【０２９４】
信号ノード信号表現手段ＳＮ−Ａ−４０および信号ノード信号表現解釈手段ＳＮ−Ａ−３９は、それぞれ、信号ＳＧから信号表現ＳＧ−Ａ−１を確立し、または信号表現ＳＧ−Ａ−１から信号ＳＧを確立するために実行される。どちらの方法もこの実施形態では信号ノード・プロセッサＳＮ−Ａ−４８の双方向バージョンとして確立するために説明されているが、本発明の範囲内で、信号ノードとの単方向の通信を確立し、それによって通信の当該方向の確立に必要のないそれぞれの手段を省略することも可能である。
【０２９５】
一実施形態によると、信号ノードＳＮはインバウンド信号、例えば温度信号から、信号ノードＳＮ内で直接アクチュエータを制御する信号などのアウトバウンド信号に、信号を内部的にルーティングするようには構成されていない。このように、信号ノードＳＮは信号を提供し、これらの信号を関連分配システムＤＳに通信するため、および／または任意で信号ノードＳＮと一体化されている、もしくは信号ノードと通信することによって、信号ノード側で１つまたは複数の物理特性を確立するために、関連分配システムＤＳから信号表現を受信するために構成されている。
【０２９６】
換言すると、双方向信号ノードＳＮの場合、信号ノードは信号ノード信号表現手段ＳＮ−Ａ−４０および信号ノード信号表現解釈手段ＳＮ−Ａ−３９の少なくとも１つの実装を実行するべきであり、この場合これら２つの手段間のデータの通信は分配システムＤＳを介する通信によってのみ可能になっている。
【０２９７】
換言すると、この実装では、２つの手段、信号ノード信号表現手段ＳＮ−Ａ−４０および信号ノード信号表現解釈手段ＳＮ−Ａ−３９は、信号ノードＳＮ内でデータを通信することができず、信号ノードＳＮが、例えば、分配システムＤＳを介してのみクライアント・ノードＣＮとの信号の通信のために外部でセットアップされると、信号表現のルーティングは切り替え分配システムＤＳの制御下で維持することができる。
【０２９８】
信号ノード要求手段ＳＮ−Ａ−３７および信号ノード応答手段ＳＮ−Ａ−３３は、アプリケーションレベルで、それぞれ信号ノードＳＮとの通信を制御するために確立される。そのため、これらの手段は他のクライアント・ノードＣＮとの通信に集中する。
【０２９９】
信号ノード注入トランスポート表現手段ＳＮ−Ｔ−９、信号ノード注入トランスポート表現解釈手段ＳＮ−Ｔ−８、信号ノード注入トランスポート要求手段ＳＮ−Ｔ−７、信号ノード注入トランスポート応答手段ＳＮ−Ｔ−５、信号通信システム・ネットワーク表現手段ＳＣＳ−Ｎ−８、および信号通信システム・ネットワーク表現解釈手段ＳＣＳ−Ｎ−９は、分配システムＤＳとの通信を確立するために、すなわちこの実施形態ではトランスポートレベルで、確立される。
【０３００】
信号ノード・プロセッサＳＮ−Ａ−４８は、さらに好ましくは、信号ＳＧの通信のサポートに関係する手段を行うように構成されて、信号ノード信号表現特性インターフェース手段ＳＮ−Ａ−４２、信号ノード信号表現特性手段ＳＮ−Ａ−４３を備え、これはアプリケーションレベルで、信号ノードと任意で多くのクライアント・ノードＣＮとの通信を可能にする。
【０３０１】
この実施形態では、信号ノードＳＮとトランスポートレベルの分配システムＤＳとのトランスポートレベルでのセキュアな通信は、さらに、信号ノード注入トランスポート表現特性インターフェース手段ＳＮ−Ｔ−１１、信号ノード注入トランスポート表現特性手段ＳＮ−Ｔ−１２および信号注入ラベル生成手段ＳＧ−Ｔ−５または信号注入ラベル受信手段ＳＧ−Ｔ−６の手段によって実行され得る。この関係における信号表現特性は、実際上、信号フォーマットなどの相互の了解を技術的に促進する。
【０３０２】
手段は、同様に、アプリケーションレベルおよびトランスポートレベルの両方でアイデンティティ検証のために提供することもできる。これらの手段は信号ノード分配システム・アイデンティティ検証手段ＳＮ−Ａ−１７、信号ノード・クライアント・ノード・アイデンティティ検証手段ＳＮ−Ａ−１５、信号ノード分配システム注入トランスポート・アイデンティティ検証手段ＳＮ−Ｔ−１７および信号ノード識別情報伝送手段ＳＮ−Ａ−２４を含む。
【０３０３】
信号ノード・プロセッサＳＮ−Ａ−４８は、さらに好ましくは、信号通信システムＳＣＳで信号ノードＳＮのコミッショニング（commissioning）に関係する手段を行うように構成されて、信号ノード・ローカル・インターフェース手段ＳＮ−Ａ−２６、信号ノード・コミッショニング手段ＳＮ−Ａ−１３、信号ノード・コミッショニング確認伝送手段ＳＮ−Ａ−２、信号ノード・コミッショニング識別情報メッセージ確認受信手段ＳＮ−Ａ−６、信号ノード・コミッショニング識別情報メッセージ生成手段ＳＮ−Ａ−７、信号ノード・コミッショニング識別情報メッセージ指示手段ＳＮ−Ａ−８、および信号ノード・コミッショニング識別情報メッセージ検証手段ＳＮ−Ａ−９を備える。
【０３０４】
信号ノードＳＮのコミッショニングを図３７および図３８を参照して詳しく説明する。
信号ノード・プロセッサＳＮ−Ａ−４８は、例えば、図２０の実施形態に実装することができる。
【０３０５】
信号ノード・プロセッサＳＮ−Ａ−４８によって実行される種々の手段は自動であることに留意されるべきであり、実装される手段は種々の手段間に必要な対話によって連続で行っても並列で行ってもよいことにも留意される。信号ノード・プロセッサＳＮ−Ａ−４８のトポロジは、本発明による仕組みに従って手段が実行可能である限り、任意の所望の構造としてもよいことにも留意される。
【０３０６】
図２２は、信号の通信に関係する様々な種類の情報を格納するためにソフトウェアおよびハードウェアまたはソフトウェアもしくはハードウェアによって構成される信号ノード・メモリＳＮ−Ａ−４９の一実施形態を示しており、好ましくは、説明した信号ノード・アイデンティティ・レジスタＳＮ−Ａ−２２、信号ノード信号表現特性レジスタＳＮ−Ａ−４４、信号ノード注入トランスポート・アイデンティティ・レジスタＳＮ−Ｔ−３、信号ノード注入トランスポート表現特性レジスタＳＮ−Ｔ−６、および信号ノード・ネットワーク・アイデンティティ・レジスタＳＮ−Ｎ−２を少なくとも備える。実施例は、例えば、図２１の信号ノード・プロセッサＳＮ−Ａ−４８に構成される手段の実行に関して実装することもできる。
【０３０７】
クライアント・ノード、図２３、図２４、図２５、図２６
図２３は、本明細書で説明される様々なコンポーネント、インターフェース、格納情報および実装手段を有するクライアント・ノードＣＮの一実施形態を示す。
【０３０８】
図示するクライアント・ノードＣＮは、関連分配システムＤＳから信号表現ＳＧ−Ａ−１をインバウンド受信するためのハードウェアおよびソフトウェアにおいて説明される。クライアント・ノードＣＮはアウトバウンド単方向としても構成でき、すなわち、関連分配システムＤＳに信号表現ＳＧ−Ａ−１を伝送するために構成することもできる。クライアント・ノードは本実施形態および本明細書に記載される原理に従って双方向としても構成することもできる。
【０３０９】
図示するクライアント・ノードＣＮは、大部分は、以下に説明される設計が関連分配システムＤＳからクライアント・ノードに向けられる信号表現を受信して解釈できる限り、信号ノードＳＮの実装を検討するときに理解されるであろう。したがって、以下の説明のほとんどは、設計および機能に関して、信号ノードＳＮ、分配システムＤＳおよびシステム全体自体の全体的な説明から省かれる。
【０３１０】
クライアント・ノードＣＮは、クライアント・ノード・アイデンティティ・レジスタＣＮ−Ａ−１４、クライアント・ノード分配トランスポート・アイデンティティ・レジスタＣＮ−Ｔ−２およびクライアント・ノード・ネットワーク・アイデンティティ・レジスタＣＮ−Ｎ−２を備える。
【０３１１】
クライアント・ノード・アイデンティティ・レジスタＣＮ−Ａ−１４はクライアント・ノード・アイデンティティＣＮ−Ａ−１３に対応するクライアント・ノード識別情報ＣＮ−Ａ−１６、例えば、証明書を備え、これはクライアント・ノード・アイデンティティ・レジスタＣＮ−Ａ−１４にも、例えば、クライアント・ノードを内部で識別する秘密鍵として含むことができる。クライアント・ノード・アイデンティティ・レジスタＣＮ−Ａ−１４は、クライアント・ノードが管理、すなわち、送信および受信または送信もしくは受信することのできる各信号のハンドルとして使用される１つまたは複数の信号分配ラベルＳＧ−Ｔ−２も備える。
【０３１２】
換言すると、クライアント・ノード・アイデンティティ・レジスタＣＮ−Ａ−１４はクライアント・ノードＣＮ自体およびその信号ＳＧのそれぞれを識別することのできるようにデータを管理する。
【０３１３】
クライアント・ノード分配トランスポート・アイデンティティ・レジスタＣＮ−Ｔ−２は、クライアント・ノード分配トランスポート・アイデンティティＣＮ−Ｔ−１３、対応するクライアント・ノード分配トランスポート識別情報ＣＮ−Ｔ−３、および関連分配システムＤＳに格納されている分配システム分配トランスポート・アイデンティティＤＳ−Ｔ−１３に関連付けられている分配システム分配トランスポート識別情報ＤＳ−Ｔ−１５を備える。
【０３１４】
クライアント・ノード・ネットワーク・アイデンティティ・レジスタＣＮ−Ｎ−２は、クライアント・ノードＣＮのクライアント・ノード・ネットワーク識別情報ＣＮ−Ｎ−１と、クライアント・ノードＣＮに関連付けられている分配システムＤＳの分配システム分配ネットワーク識別情報ＤＳ−Ｎ−１とを備える。
【０３１５】
クライアント・ノードＣＮは、さらに、クライアント・ノード信号表現特性レジスタＣＮ−Ａ−３１およびクライアント・ノード分配トランスポート表現特性レジスタＣＮ−Ｔ−５を備える。
【０３１６】
クライアント・ノード信号表現特性レジスタＣＮ−Ａ−３１は、信号表現の提供および受信で使用されるクライアント・ノード信号表現特性ＣＮ−Ａ−３２を備える。この実施形態における信号表現の受信に関し、クライアント・ノードはクライアント・ノード信号表現解釈手段ＣＮ−Ａ−２４を行うように構成されている。
【０３１７】
クライアント・ノード分配トランスポート表現特性レジスタＣＮ−Ｔ−５は、分配トランスポート表現から信号表現を提供するために、クライアント・ノード分配トランスポート表現解釈手段ＣＮ−Ｔ−７と協力するクライアント・ノード分配トランスポート表現特性ＣＮ−Ｔ−９を備える。
【０３１８】
さらに、クライアント・ノードＣＮは、クライアント・ノード・ベンダを識別するクライアント・ノード・ベンダ識別情報ＣＮＶ−Ａ−１を備えるクライアント・ノード・ベンダ・レジスタＣＮＶ−Ａ−２を備える。ベンダは、例えば、クライアント・ノードＣＮの製造者とすることができる。
【０３１９】
クライアント・ノードＣＮは、クライアント・ノード・オペレーティングエンティティＣＮＯＥを識別するクライアント・ノード・オペレーティングエンティティ識別情報ＣＮＯＥ−Ａ−１を備えるクライアント・ノード・オペレータレジスタＣＮＯＥ−Ａ−３を備える。クライアント・ノード・オペレーティングエンティティＣＮＯＥは、例えば、クライアント・ノードＣＮを・オペレーティングする法律上の人または法律上のエンティティに関係付けることができる。具体的な例示的な例として、このような法的・オペレーティングエンティティＣＮＯＥは、熱消費量を監視するソフトウェアアプリの形でクライアント・ノードＣＮが装備されるアパートの賃借人、またはセンサ信号ノードからデータを収集し、制御信号を都市中の制御信号ノードに送信する等のために、クライアント・ノードＣＮを実装する都市監視システムを有するスマートシティ・サービスプロバイダをいう。
【０３２０】
また、クライアント・ノードＣＮはクライアント・ノード・ローカル・インターフェースＣＮ−Ａ−１７に関係するクライアント・ノード・ローカル・インターフェース手段ＣＮ−Ａ−１８を有して構成される。クライアント・ノード・ローカル・インターフェースＣＮ−Ａ−１７は関連クライアント・ノード・オペレーティングエンティティに通信可能に結合されるように構成されている。
【０３２１】
また、クライアント・ノードＣＮは、図２６の同様な当該レジスタを使用しながら、図２５の当該手段を実行するソフトウェアおよびハードウェア内に構成されている。
図２４は、本発明による信号通信システムのクライアント・ノードＣＮの一実施形態を示す。クライアント・ノードＣＮは、クライアント・ノード・プロセッサＣＮ−Ａ−３５、クライアント・ノード・メモリＣＮ−Ａ−３６、例えば、分配システムＤＳと通信するための多数のクライアント・ノード・ネットワーク・インターフェースＣＮ−Ｎ−３、およびクライアント・ノード・バッテリＣＮ−Ａ−３４または任意の他の電源を備える。クライアント・ノード・プロセッサＣＮ−Ａ−３５およびクライアント・ノード・メモリＣＮ−Ａ−３６は、有利なことに、クライアント・ノード埋め込みシステムＣＮ−Ａ−３７として、例えば、システム・オン・チップＳｏＣまたは同様な他のものの形で実装することができる。
【０３２２】
クライアント・ノードＣＮは、さらに好ましくは、信号のマシンによる通信または人による通信のためのクライアント・ノード信号データ・インターフェースＣＮ−Ａ−１５と、好ましくはディスプレイまたは他のインジケータ手段を備えるクライアント・ノード・ローカル・インターフェースＣＮ−Ａ−１７とを備え、いくつかの実施形態では、入力手段、例えば、ボタン、キーボードなども備えることができる。この例では、タッチスクリーンＣＮ−Ａ−１５、ＣＮ−Ａ−１７がいずれもクライアント・ノード信号データ・インターフェースＣＮ−Ａ−１５およびクライアント・ノード・ローカル・インターフェースＣＮ−Ａ−１７を形成する。他の実施形態では、クライアント・ノードＣＮは、追加でまたは代わりに、例えば、クライアント・ノード・ネットワーク・インターフェースＣＮ−Ｎ−３を使用するマシン型の通信のためにクライアント・ノード信号データ・インターフェースＣＮ−Ａ−１５、他のハードウェア・インターフェース、例えば、１つまたは複数のデジタルもしくはアナログの入力ポートまたは出力ポート、クライアント・ノードが他のアプリケーションおよび共有メモリバスを有するシステム、汎用コンピュータ、スマートフォンなどに埋め込まれている場合、ソフトウェア・インターフェースなどを備えることができる。
【０３２３】
クライアント・ノードＣＮは、１つまたは複数の信号ノードＳＮから受信される信号ＳＧを処理し、それに従ってアクションを行うまたは処理されたデータを出力するため、またはユーザ入力もしくは他のデータを処理し、確立して１つまたは複数の信号ノードＳＮに伝送するべき信号ＳＧを決定するために、クライアント・ノード・アプリケーション・コントローラＣＮ−Ａ−４１をさらに備えることができる。アクションを行うために、クライアント・ノードＣＮは、好ましくはクライアント・ノード・アプリケーション・コントローラＣＮ−Ａ−４１によって、受信した信号ＳＧにより、またはそれに応答して制御されるクライアント・ノード電気アクチュエータＣＮ−Ａ−３８を備えることができる。電気アクチュエータはクライアント・ノードＣＮ内に実装され、またはインターフェース、例えば、クライアント・ノード信号データ・インターフェースＣＮ−Ａ−１５に接続されていてもよい。
【０３２４】
一実施形態において、クライアント・ノードＣＮは、ユーザによる表示および制御またはユーザによる表示もしくは制御のためのユーザ・インターフェース、例えば、ウェブベースのインターフェース、例えば、ウエブ・ブラウザまたはモバイル・デバイス・アプリを備える。同じまたは別の実施形態において、クライアント・ノードＣＮは、それ自体が、受信した信号またはその派生物をそれ自体のクライアントにサービスする、またはそれ自体のクライアントに１つまたは複数の信号ノードＳＮの制御オプションを用いてサービスするウェブ・サーバまたは他のサーバとすることができる。
【０３２５】
様々な実施形態において、クライアント・ノードＣＮは、分配システムＤＳに通信可能に結合し、分配トランスポート表現ＤＴ−Ｔ−２を分配システムＤＳに通信することのできる任意のデバイスである。そのため、クライアント・ノードＣＮは、例えば、汎用コンピュータ、サーバ、スマートフォンもしくはタブレット・コンピュータ、ルータなどのネットワーキング・デバイス、例えば、自動車、トラック、列車もしくは飛行機の制御もしくは監視ユニット、産業用コントローラ、エンターテインメントシステム、例えば、ホームシアターもしくはスマートＴＶ、スマートホームまたはスマートシティのコントローラなどの一部を形成することができる。例えば、クライアント・ノードＣＮは、タブレット・コンピュータ、ウェブ・サーバ、自動データ集約システムなどのアプリとして実装してもよい。
【０３２６】
クライアント・ノードは、例えば、インターネット、ローカル・エリア・ネットワークまたは電気通信ネットワークなどを介して、分配システムＤＳに通信可能に結合されるインターフェースＣＮ−Ｎ−３を備える。インターフェースは、例えば、有線ネットワーク・インターフェース・カード、無線ネットワーク・インターフェース、例えば、ＬＰＷＡＮ、ＷｉＦｉ、Ｂｌｕｅｔｏｏｔｈなどのネットワーク・インターフェースとすることができる。
【０３２７】
クライアント・ノードＣＮは適切に構成されているソフトウェアおよびハードウェアまたはソフトウェアもしくはハードウェア、例えば、以下より詳細に説明するように、クライアント・ノードの暗号機能を行い、またはサポートするための専用セキュリティチップもしくは適切なソフトウェアを備えることができる。
【０３２８】
様々な実施形態では、クライアント・ノードは、システムに関して追加または代替の機能およびアプリケーションを備えることもできる。
本発明の実施形態は、クライアント・ノードまたはクライアント・ノードのユーザが利用できる信号を発見し、当該信号をサブスクライブし、またはその他の形で当該信号の受信を要求するために、種々の方法およびその組み合わせを適用することができる。例えば、信号ノード、少なくとも一定の信号の可用性について把握しているユーザ、分配システムおよびクライアント・ノードはこの情報を使用して、クライアント・ノードまたは分配システムでの要求またはサブスクリプションをセットアップする。様々な他の実施形態では、クライアント・ノード、ユーザ、管理用ノードなどは、カタログまたは検索エンジン、例えば、以下に説明するカタログシステムＣＳを、関心ある信号について、問い合わせまたはブラウジングすることができる。
【０３２９】
図２５は、信号の通信に直接関係する複数の手段を行うようにソフトウェアおよびハードウェアまたはソフトウェアもしくはハードウェアによって構成されるクライアント・ノード・プロセッサＣＮ−Ａ−３５の一実施形態を示しており、好ましくは説明したクライアント・ノード信号表現手段ＣＮ−Ａ−２５、クライアント・ノード信号表現解釈手段ＣＮ−Ａ−２４、クライアント・ノード要求手段ＣＮ−Ａ−２２、クライアント・ノード応答手段ＣＮ−Ａ−２０、クライアント・ノード分配トランスポート表現手段ＣＮ−Ｔ−８、クライアント・ノード分配トランスポート表現解釈手段ＣＮ−Ｔ−７、クライアント・ノード分配トランスポート要求手段ＣＮ−Ｔ−６、クライアント・ノード分配トランスポート応答手段ＣＮ−Ｔ−４、信号通信システム・ネットワーク表現手段ＳＣＳ−Ｎ−８、および信号通信システム・ネットワーク表現解釈手段ＳＣＳ−Ｎ−９を少なくとも備える。
【０３３０】
クライアント・ノード・プロセッサＣＮ−Ａ−３５は、さらに好ましくは、信号の通信のサポートに関係する手段を行うように構成されており、クライアント・ノード信号表現特性インターフェース手段ＣＮ−Ａ−２９、クライアント・ノード信号表現特性手段ＣＮ−Ａ−３０、クライアント・ノード分配トランスポート表現特性インターフェース手段ＣＮ−Ｔ−１０、クライアント・ノード分配トランスポート表現特性手段ＣＮ−Ｔ−１１、信号分配ラベル生成手段ＳＧ−Ｔ−７、信号分配ラベル受信手段ＳＧ−Ｔ−３、クライアント・ノード分配システム・アイデンティティ検証手段ＣＮ−Ａ−１２、クライアント・ノード信号ノード・アイデンティティ検証手段ＣＮ−Ａ−２６、クライアント・ノード識別情報伝送手段ＣＮ−Ａ−３３およびクライアント・ノード分配システム分配トランスポート・アイデンティティ検証手段ＣＮ−Ｔ−１２を備える。
【０３３１】
クライアント・ノード・プロセッサＣＮ−Ａ−３５は、さらに好ましくは、信号通信システムＳＣＳでクライアント・ノードＣＮのコミッショニングに関係する手段を行うように構成されており、クライアント・ノード・ローカル・インターフェース手段ＣＮ−Ａ−１８、クライアント・ノード・コミッショニング手段ＣＮ−Ａ−９、クライアント・ノード・コミッショニング確認伝送手段ＣＮ−Ａ−１１、クライアント・ノード・コミッショニング識別情報メッセージ確認受信手段ＣＮ−Ａ−４、クライアント・ノード・コミッショニング識別情報メッセージ生成手段ＣＮ−Ａ−５、クライアント・ノード・コミッショニング識別情報メッセージ指示手段ＣＮ−Ａ−６およびクライアント・ノード・コミッショニング識別情報メッセージ検証手段ＣＮ−Ａ−８を備える。
【０３３２】
図２６は、信号の通信に関係する様々な種類の情報を格納するようにソフトウェアおよびハードウェアまたはソフトウェアもしくはハードウェアによって構成されるクライアント・ノード・メモリＣＮ−Ａ−３６の一実施形態を示しており、好ましくは、説明したクライアント・ノード・アイデンティティ・レジスタＣＮ−Ａ−１４、クライアント・ノード信号表現特性レジスタＣＮ−Ａ−３１、クライアント・ノード分配トランスポート・アイデンティティ・レジスタＣＮ−Ｔ−２、クライアント・ノード分配トランスポート表現特性レジスタＣＮ−Ｔ−５およびクライアント・ノード・ネットワーク・アイデンティティ・レジスタＣＮ−Ｎ−２を少なくとも備える。
【０３３３】
ハイブリッドノード
一実施形態において、クライアント・ノードＣＮは１つまたは複数の信号ノードＳＮと物理的に一緒に設置され、場合によってはさらには同じボックスに統合されて、場合によっては電源などの資源を共有する。このようなハイブリッド信号クライアント・ノードＨＹ−Ａ−２の実施形態では、クライアント・ノード部は、例えば、分配システムＤＳを介して信号ノードＳＮから受信する信号に基づく、１つまたは複数のローカル信号ノードＳＮから受信する情報を表示するディスプレイ、または分配システムＤＳを介して伝送される制御信号によって１つまたは複数のローカル信号ノードＳＮを制御するコントローラを備えることができる。一実施形態において、クライアント・ノードＣＮは少なくとも１つの入力信号ノードおよび少なくとも１つの出力信号ノードと一緒に設置され、それぞれ、入力信号ノードは測定、例えば、温度、空気の質、または交通モニタリングを行うように構成され、出力信号ノードは環境に影響を与える、例えば、ヒートバルブ、窓開閉装置または信号機を制御するように構成され、クライアント・ノードは入力信号から測定信号を受信して、その評価を行い、適切な制御アクションを決定し、対応する制御信号を出力信号ノードに伝送するように構成されている。ローカルでも、または統合された信号ノードおよびクライアント・ノードでも、信号を分配システムＤＳを介して伝送する必要があるようにすることで、信号およびポリシーの実施の中央管理を行い、信号トラフィックを監視し、別のクライアント・ノードに信号をサブスクライブさせるなどのオプションが可能でありながら、それでもネットワークセキュリティ、プライバシーなどに関して特に信号ノードから多くを要求することがない。これらのタスクは本発明による構造設計により、また分配システムで生じるトランスポート表現間のメタデータのデカップリングにより本質的に解決されるからである。
【０３３４】
同様に、信号通信システムＳＣＳのノードの組み合わせを有する他の実施形態は、様々な有用なアプリケーションを有する。例えば、ハイブリッド信号分配ノードＨＹ−Ａ−４は、１つまたは複数の信号ノードＳＮ部および分配システムＤＳ部の両方を備える物理デバイスとすることができ、それにより１つまたは複数のリモートクライアント・ノードＣＮとの物理特性に関する入出力および信号の分配のためのワンボックス・クライアント・ソリューションを提供する。別の例示的な実施形態では、ハイブリッド・クライアント分配ノードＨＹ−Ａ−１は、少なくとも１つのクライアント・ノードＣＮ部と分配システムＤＳ部とを備える物理デバイスとすることができ、それによりリモートセンサおよびアクチュエータ信号ノードＳＮまたはリモートセンサもしくはアクチュエータ信号ノードＳＮとの集中型とセキュアな通信の両方を扱うワンボックス・ソリューションを提供することが可能になる。さらなる実施形態では、ハイブリッド信号分配クライアント・ノードＨＹ−Ａ−３は、信号ノード、分配システムおよびクライアント・ノードのすべての役割を備えるワンボックス・ソリューションであり、それにより、例えば、ホーム・オートメーションまたはローカル閉ループ制御システムの自給式のセキュアなシステムを提供するが、本発明によるリモート信号ノードおよびクライアント・ノードとのアクセスも提供することができる。
【０３３５】
カタログシステム、図２７、図２８
本発明の信号通信システムＳＣＳの好適な実施形態は、カタログシステムＣＳを備え、またはカタログシステムＣＳに接続されている。セキュリティ目的および資源削減のための信号ノード、分配システムおよびクライアント・ノードなどの他のパーティは、好ましくは発見に対して高度に遮蔽されているので、カタログシステムＣＳのあるタスクはユーザ（人およびマシンまたは人もしくはマシン）がサブスクライブするのに関心がありそうな入手できる信号、すなわち、信号ノード特徴、例えば、センサデータまたは制御信号に関する情報を取得できることを促進することである。ユーザはクライアント・ノード・オペレーティングエンティティＣＮＯＥと呼ばれることもある。様々な実施形態において、カタログシステムＣＳは信号通信システムＳＣＳにおいて新しい信号ノードＳＮのコミッショニングでも役割を果たすことができる。様々な実施形態において、例えば、存在、タイプ、場所、オペレータ、ベンダなどに関する一定の信号および信号ノードについての情報の程度は、カタログシステムＣＳを制御することにより、場合によっては異なるカタログシステムＣＳの訪問者にとっての情報の異なるアクセス可能性を用いて制御することができる。
【０３３６】
カタログシステムＣＳは、システムを通る信号のフローの有利かつ効率的な確立を可能とするために、分配システムＤＳと通信している。カタログシステムは本発明の全体的な仕組みに従いそれ自体が必須のものではないが、信号通信の効果的かつ正しく機能する技術システムの基礎を効率的に作ることのできる有利なセットアップを表す。
【０３３７】
カタログシステムＣＳは、例えば、クライアント・ノード・オペレーティングエンティティＣＮＯＥに役立つデータをウェブ発行して、クライアント・ノード・オペレーティングエンティティＣＮＯＥに関わる特定のクライアント・ノードＣＮへのおよびそれからの通信、または特定のクライアント・ノードＣＮへのもしくはそれからの通信のために取得するべき当該信号ＳＧを選択するために利用できるシステム、例えばウェブ・サーバとすることができる。
【０３３８】
換言すると、カタログシステムＣＳは、好適な実施形態では、基本的に、ユーザがクライアント・ノードＣＮで何を受信するのを期待しているかに関して、信号ノードＳＮとクライアント・ノードＣＮとの間の共通の理解をいかに得るかの実用的な実装である。この状況において、そのためユーザはカタログシステムＣＳから公開で入手できる、または制限されたデータにアクセスし、分配システムＤＳと直接、または適切な構成システムを介して、場合によってはカタログシステムＣＳを通じて通信し、それに応じて、対応する分配システム信号表現切り替えパラメータ記録ＤＳ−Ｔ−３５を登録させて、信号ＳＧの受信または送信を開始することができる。
【０３３９】
このように、カタログシステムＣＳを通じて発行される情報は、分配システムＤＳによってシステムの信号ノードＳＮとクライアント・ノードＣＮとの間でデータの安全な同期伝送の開始を提供することができる。そのため、カタログシステムＣＳは、有利なことに、ユーザが選択する共通のウェブ技術によってアクセス可能であり、クライアント・ノードＣＮで受信するデータに合意することができる。
【０３４０】
そのため、カタログシステムＣＳは、基本的に、任意のユーザ、例えば、クライアント・ノード・オペレーティングエンティティＣＮＯＥが信号通信システムＳＣＳを介して利用可能なサービスに関する情報を取得できる公開および限定または公開もしくは限定プラットフォームである。カタログシステムＣＳは信号へのアクセスの商用提供のために、または信号ノード・オペレーティングエンティティＳＮＯＥとクライアント・ノード・オペレーティングエンティティＣＮＯＥとの間でビジネスを開始するための仲介業者もしくは広告プラットフォームとして使用することができる。カタログシステムＣＳの・オペレーティング手段は、カタログシステム自体から得てもよく、またはアプリショップもしくはウェブショップなどのＩＴサービスを提供する商業プラットフォームに統合してもよい。一実施形態において、カタログシステムは、例えばウェブ検索エンジンまたはドメイン名サーバ（ＤＮＳ）カタログシステムのような、検索エンジンまたはカタログプラットフォームに統合される。さらに、適切なインターフェースがユーザによって選ばれて同意される固有の構成を促進するために、カタログシステムＣＳと協力することができる。このようなシステムの考えられる技術的な実施態様は数多くあることは理解される。
【０３４１】
利用できる信号ノードＳＮおよびそれの利用できる信号ＳＧは、任意で、各信号ノード・オペレーティングエンティティＳＮＯＥと各クライアント・ノード・オペレーティングエンティティＣＮＯＥとの間の契約の一部を成すことができるが、技術的な観点からは、重要な技術的目標は、信号ノードから発信する信号が合意、利用できる信号、信号ノードおよびクライアント・ノードに適合してシステムに伝送されるルールを設定して、どの信号もそのような適合なしでは伝送できないようにすることである。これにより、好適な実施形態では、例えば分配システム信号表現切り替えパラメータ記録ＤＳ−Ｔ−３５によって、分配システム切り替え制御レジスタＤＳ−Ｔ−４５で扱われる個々の構成をもたらす。
【０３４２】
信号ノードＳＮまたはクライアント・ノードＣＮを更新する必要なく、データフローの任意の構成を中央で設定、修正または終了できるという意味で、分配システムＤＳで通信構成を集中化することによって、重要で有利なオプションが得られる。これらの詳細が信号ノードＳＮまたはクライアント・ノードＣＮのいずれかに存在する必要なく、通信の固有の構成に関する情報を中央で維持できるという技術的なメリットも有する。
【０３４３】
カタログシステムＣＳは、基本的に、データを技術的にやり取りできる、ユーザまたは潜在的ユーザ、すなわちクライアント・ノード・オペレーティングエンティティＣＮＯＥの公開で利用できる参照および限定された参照、または公開で利用できる参照もしくは限定された参照として機能している。カタログシステムを通じて利用できるようになるデータの性質は、好適な実施形態において、利用できる信号を技術的に、任意で、信号ノードの場所または当該信号を取得する場所、利用できるデータの転送のために信号ノードに関わる条件、信号の商業的および法的利用または商業的もしくは法的利用の条件、フォーマット、ビット解像度などの利用できるデータの技術的性質、信号の更新の利用できるタイミング情報、例えば、間隔等を参照して、記述するデータである。
【０３４４】
分配システムＤＳの分配システム信号表現切り替えパラメータ記録ＤＳ−Ｔ−３５は、カタログシステムＣＳが任意のユーザに利用できる任意の技術的フレームワークを提示するためにのみ好ましく適用されるという意味で、非公開であることが好ましいことに留意するべきである。分配システム信号表現切り替えパラメータ記録ＤＳ−Ｔ−３５は、好ましくは、カタログシステムＣＳで利用できる情報に基づいているが、分配システム信号表現切り替えパラメータ記録ＤＳ−Ｔ−３５にある基本的なロジック（underlying logic）は隠されて、分配システムの中にのみ配備される。これは、例えば、好適な実施形態では、クライアント・ノードＣＮまたはクライアント・ノード・オペレーティングエンティティＣＮＯＥのいずれも、信号ＳＧを受信する、または信号ＳＧを制御のために送信する信号ノードＳＮに関するアイデンティティ、ネットワークアドレス、オーナー、または他のプライベート情報を知ることにならないことを意味する。同様に、信号ノードＳＮは、好ましくは、クライアント・ノードＣＮに関するその種の情報のいずれも知ることにならない。
【０３４５】
好ましくは信号注入ラベルＳＧ−Ｔ−４または信号分配ラベルＳＧ−Ｔ−２によって示される信号のタイプは、有利なことに、ただし必然的ではないが、カタログシステムＣＳが発行する信号タイプを参照する、または関係付けることができる。信号タイプまたは信号識別情報を示すことによって提供される情報は、例えば、例えば所定のサンプルレートで摂氏の温度を搬送する信号、または窓が移動するのを要求される閉と全開との間のパーセント単位の位置を示す窓開閉装置制御パラメータを搬送する信号など、カテゴリおよび仕様を参照することができる。信号注入もしくは分配ラベル、または信号ノードＳＮおよび／または、例えば信号ノード・オペレーティングエンティティＳＮＯＥ、信号ノード・ベンダＳＮＶもしくは分配システム・オペレーティングエンティティＤＳＯＥからの他の情報は、例えば、クライアント・ノードの地理的な場所もしくは距離、固有のクライアント・ノードもしくはクライアント・ノードのグループに利用できる帯域幅、任意の課金、信号ノードの完全性の状態、プライバシーとＩＴセキュリティ、機能的な安全性、証明および検証状態、他の信号ノードとの構成に関する技術的考慮事項など、配信の状態を含むことができる。
【０３４６】
上記で指摘し説明したように、そのためカタログシステムＣＳは、任意のクライアント・ノードＣＮおよびクライアント・ノード・オペレーティングエンティティＣＮＯＥまたは任意のクライアント・ノードＣＮもしくはクライアント・ノード・オペレーティングエンティティＣＮＯＥに十分な情報を提供する技術的な方法として機能することができ、それによって、マシンまたは人であるユーザが、この情報に基づいて、必要なデータ通信を確立できることに役立つ。このように、この確立は、論理的には、カタログシステムＣＳで提供され、多数の種々の信号ノードの利用できる信号を発行するために広く使用できる情報を参照している。それにも関わらず、中央分配システムＤＳへの参照は、追加の記述データを信号表現に関連付け、それによってクライアント・ノードＣＮが要求されるデータ、すなわち信号表現を受信するだけでなく、クライアント・ノードが発信側の信号ノードで当初生成された信号に対応する着信信号表現に基づいて、有効な信号を（再）生成するために着信信号表現を技術的に処理し、解釈することができることも確実にすることによって、分配システムＤＳ、または信号ノードＳＮが信号表現ＳＧ−Ａ−１を確立して、固有のクライアント・ノードに向けられることにも役立つ。さらに、これらの追加の記述データは、受信するクライアント・ノードＣＮが再生成された信号を適用し、これらのデータをクライアント・ノードＣＮに含まれているコンピューティング装置によってさらに処理するため、またはクライアント・ノードＣＮと通信するために自動的に適用することを技術的に可能にすることを促進する。このような詳細情報の例は、後者に関して、例として、受信したデータが一定の分解能を有する摂氏で測定した温度のサンプル値である情報を含む。
【０３４７】
このような詳細情報は、一部または主に、信号ノードＳＮ自体から発信することができるが、必要なデータは伝送パスに沿って、例えば、分配システムＤＳで追加することもできる。すべての情報が伝送されるのを回避する方法は、部分的には、分配システムで利用できる情報を信号表現を切り替えるための情報と一緒にし、それによりデータを受信した後、分配システムで中央的に概念的な意味を追加することが可能になる。
【０３４８】
図２７は、以下の説明で参照される図面に図示していないカタログシステムＣＳの一実施形態の特徴を示す。カタログシステムＣＳは、好ましくは、例えば図３５を参照して、以下で説明するカタログシステム記録ＣＳ−Ａ−２２を保有するカタログシステム信号ラベルレジスタＣＳ−Ｔ−２８を備える。カタログシステムＣＳの一実施形態は、図３４を参照して以下説明する分配システムＤＳの分配システム・カタログ・ラベル生成手段ＤＳ−Ｔ−７に代わるものとして、信号ノード・カタログ・ラベルＳＮ−Ｔ−１を生成するカタログシステム信号ノード・カタログ・ラベル生成手段ＣＳ−Ｔ−３０を備えることができる。
【０３４９】
分配システムＤＳとのセキュアな通信のために、カタログシステムＣＳは、好ましくは、図２９〜図３０を参照して以下で説明する分配システムＤＳの一般通信手段に近似する構造、手段および特性を備えることができる。そのため、カタログシステムＣＳは、カタログシステム分配システム・データ表現手段ＣＳ−Ａ−１４およびカタログシステム分配システム・データ表現解釈手段ＣＳ−Ａ−１３によって、カタログシステム分配システム・データ表現特性レジスタＣＳ−Ａ−１６のカタログシステム分配システム・データ表現特性ＣＳ−Ａ−３７を使って、カタログシステム分配システム・データ表現ＣＳ−Ａ−１２に変換される、および／またはカタログシステム分配システム・データ表現ＣＳ−Ａ−１２から変換されるカタログシステム分配システム・データＣＳ−Ａ−９を備えることができ、これはカタログシステム分配システム・データ表現特性手段ＣＳ−Ａ−１１およびカタログシステム分配システム・データ表現特性インターフェース手段ＣＳ−Ａ−１０によって維持される。カタログシステム分配システム・データ表現ＣＳ−Ａ−１２は、カタログシステム分配システム・トランスポート表現手段ＣＳ−Ｔ−２３およびカタログシステム分配システム・トランスポート表現解釈手段ＣＳ−Ｔ−１７によって、カタログシステム分配システム・トランスポート表現特性手段ＣＳ−Ｔ−１９およびカタログシステム分配システム・トランスポート表現特性インターフェース手段ＣＳ−Ｔ−１８により提供されるカタログシステム分配システム・トランスポート表現特性ＣＳ−Ｔ−１５を使って、カタログシステム分配システム・トランスポート表現ＣＳ−Ｔ−１６に変換される、および／またはカタログシステム分配システム・トランスポート表現ＣＳ−Ｔ−１６から変換されることができる。カタログシステム分配システム・トランスポート表現ＣＳ−Ｔ−１６は、カタログシステム分配システム・トランスポート表現伝送手段ＣＳ−Ｔ−２１およびカタログシステム分配システム・トランスポート受信手段ＣＳ−Ｔ−２０によって、分配システムＤＳに伝送され、または分配システムＤＳから受信されることができる。分配システムＤＳとの通信に関して識別情報を管理するために、カタログシステムはカタログシステム分配システム識別情報検証手段ＣＳ−Ａ−１８、カタログシステム分配システム・トランスポート識別情報検証手段ＣＳ−Ｔ−２２および分配システム・トランスポート識別情報ＤＳ−Ｔ−４６を備えることができる。
【０３５０】
クライアント・ノード・オペレーティングエンティティＣＮＯＥとのセキュアな通信のためにカタログシステムＣＳは、好ましくは、図２９〜図３０を参照して以下で説明する分配システムＤＳの一般通信手段に近似する構造、手段および特性を備えることができる。そのため、カタログシステムＣＳは、カタログシステム・クライアント・ノード・オペレーティングエンティティ・データ表現手段ＣＳ−Ａ−６およびカタログシステム・クライアント・ノード・オペレーティングエンティティ・データ表現解釈手段ＣＳ−Ａ−５によって、カタログシステム・クライアント・ノード・オペレーティングエンティティ・データ表現特性レジスタＣＳ−Ａ−８のカタログシステム・クライアント・ノード・オペレーティングエンティティ・データ表現特性ＣＳ−Ａ−７を使って、カタログシステム・クライアント・ノード・オペレーティングエンティティ・データ表現ＣＳ−Ａ−４に変換される、および／またはカタログシステム・クライアント・ノード・オペレーティングエンティティ・データ表現ＣＳ−Ａ−４から変換されるカタログシステム・クライアント・ノード・オペレーティングエンティティ・データＣＳ−Ａ−３４を備えることができ、これはカタログシステム・クライアント・ノード・オペレーティングエンティティ・データ表現特性手段ＣＳ−Ａ−３およびカタログシステム・クライアント・ノード・オペレーティングエンティティ・データ表現特性インターフェース手段ＣＳ−Ａ−２によって維持される。カタログシステム・クライアント・ノード・オペレーティングエンティティ・データ表現ＣＳ−Ａ−４は、カタログシステム・クライアント・ノード・オペレーティングエンティティ・トランスポート表現手段ＣＳ−Ｔ−６およびカタログシステム・クライアント・オペレーティングエンティティ・トランスポート表現解釈手段ＣＳ−Ｔ−５によって、カタログシステム・クライアント・ノード・オペレーティングエンティティ・トランスポート表現特性手段ＣＳ−Ｔ−９およびカタログシステム・クライアント・ノード・オペレーティングエンティティ・トランスポート表現特性インターフェース手段ＣＳ−Ｔ−８により提供されるカタログシステム・クライアント・ノード・オペレーティングエンティティ・トランスポート表現特性ＣＳ−Ｔ−３を使って、カタログシステム・クライアント・ノード・オペレーティングエンティティ・トランスポート表現ＣＳ−Ｔ−４に変換される、および／またはカタログシステム・クライアント・ノード・オペレーティングエンティティ・トランスポート表現ＣＳ−Ｔ−４から変換されることができる。カタログシステム・クライアント・ノード・オペレーティングエンティティ・トランスポート表現ＣＳ−Ｔ−４は、カタログシステム・クライアント・ノード・オペレーティングエンティティ・トランスポート表現伝送手段ＣＳ−Ｔ−１０およびカタログシステム・クライアント・ノード・オペレーティングエンティティ・トランスポート表現受信手段ＣＳ−Ｔ−１１によって、クライアント・ノード・オペレーティングエンティティＣＮＯＥに伝送され、またはクライアント・ノード・オペレーティングエンティティＣＮＯＥから受信されることができる。クライアント・ノード・オペレーティングエンティティＣＮＯＥとの通信に関して識別情報を管理するために、カタログシステムは、カタログシステム・クライアント・ノード・オペレーティングエンティティ・トランスポート識別情報検証手段ＣＳ−Ｔ−１４およびクライアント・ノード・オペレーティングエンティティ・トランスポート識別情報ＣＮＯＥ−Ｔ−２を備えることができる。
【０３５１】
カタログシステムＣＳは、信号通信システム・ネットワークＳＣＳ−Ｎ−５に接続するためのカタログシステム・ネットワーク・インターフェースＣＳ−Ｎ−１と、信号通信システム・ネットワークＳＣＳ−Ｎ−５でアドレス指定可能であるカタログシステム・ネットワーク識別情報ＣＮ−Ｎ−３を有するカタログシステム・ネットワーク・アイデンティティ・レジスタＣＳ−Ｎ−２をさらに備えることができる。
【０３５２】
図２８は、信号通信システムＳＣＳの好適な実施形態におけるカタログシステムＣＳへの通信可能な結合を示す。カタログシステムＣＳは、少なくともその製造またはコミッショニング中に、カタログシステム・ベンダ・チャネルＣＳＶ−Ｔ−１を通じてカタログシステム・ベンダＣＳＶと通信し、カタログシステム・オペレーティングエンティティ・チャネルＣＳ−Ｔ−２４を通じてカタログシステム・オペレーティングエンティティＣＳＯＥと通信する。カタログシステム・オペレーティングエンティティＣＳＯＥは、技術的および法的または技術的もしくは法的に、分配システム・オペレーティングエンティティＤＳＯＥと個別のエンティティであっても、または同じエンティティであってもよい。
【０３５３】
カタログシステムＣＳは分配システム・カタログシステム・チャネルＤＳ−Ｔ−１０を通じて分配システムＤＳと通信する。この通信は、例えば、分配システムまたは分配システム・オペレーティングエンティティが収集して、発行のためにカタログシステムに送信する信号に関する情報および関連情報、例えば、信号タイプ等を備えることができる。様々な実施形態において、カタログシステムＣＳと分配システムＤＳとの通信は、信号にサブスクリプションを登録しようと試みるクライアント・ノードに関する情報も備えることができる。他の実施形態では、このような登録情報はカタログシステムの外部で、分配システムとクライアント・ノードまたはクライアント・ノード・オペレーティングエンティティとの間で直接扱われ、カタログシステムは当該信号を見つけるためにのみ使用される。
【０３５４】
カタログシステムＣＳはさらに、クライアント・ノードＣＮおよびクライアント・ノード・オペレーティングエンティティＣＮＯＥのうちの１つまたは複数と通信していることができる。カタログシステムＣＳの基本的な特徴は、クライアント・ノードＣＮまたはクライアント・ノード・オペレーティングエンティティＣＮＯＥによってサブスクライブできるように利用できる信号に関する情報に役立つことである。しかし、様々な実施形態において、これはクライアント・ノードＣＮ自体であっても、またはクライアント・ノード・オペレーティングエンティティＣＮＯＥ、例えば、ユーザ、あるいは、カタログシステムＣＳを用いて検索、探索または他の問い合わせを行って、当該信号を発見または選択するさらに別のパーティであってもよい。クライアント・ノードＣＮは、一実施形態において、カタログシステム・クライアント・ノードチャネルＣＳ−Ｔ−３８を介してカタログシステムＣＳと通信していることができるのに対し、クライアント・ノード・オペレーティングエンティティＣＮＯＥは、一実施形態において、カタログシステム・クライアント・ノード・オペレーティングエンティティ・チャネルＣＳ−Ｔ−２を介してカタログシステムＣＳと通信していることができる。
【０３５５】
例えば、クライアント・ノード・オペレーティングエンティティＣＮＯＥ、例えばアパートの賃借人などの例えば人のユーザは、カタログシステムＣＳを使用して、自分のアパートに関する温度情報を提供する信号ＳＧを検索することができ、様々な実施形態において、カタログシステムを介して、または分配システムに直接、登録を行って、自分のクライアント・ノードＣＮ、例えば、タブレット・コンピュータのソフトウェアアプリでその信号ＳＧをそれ以降受信させることができる。
【０３５６】
別の例では、クライアント・ノードＣＮ、例えば、ウェブ・サーバのソフトウェア・パッケージは、固有の地理的な地域、例えば都市または国に関する新しい温度信号をカタログシステムＣＳで定期的に検索し、クライアント・ノード・オペレーティングエンティティＣＮＯＥの代わりに、これら新しい信号を受信するためにクライアント・ノードＣＮに登録し、それにより受信されたデータをクライアント・ノードＣＮのウェブ・サーバによって処理し、組み合わせ、そのウェブクライアントにサービスを提供するように構成することができる。
【０３５７】
別の例では、クライアント・ノード・オペレーティングエンティティＣＮＯＥ、例えば、公共施設の警備員はカタログシステムＣＳを使って、場合によってはカタログシステムの要求機能によって、公共施設の電子ドアロックである信号ノードＳＮに関わる信号を探索して分配システムＤＳに登録し、信号ノードＳＮの電子ドアロックのためにクライアント・ノードＣＮの制御信号を使用することができる。次に、警備員はクライアント・ノードＣＮ、例えば、ビル監視制御システムを使って、ドアを解錠するために平日の当該開館時間と、ドアを施錠するために各日の閉館時間に、制御信号ＳＧをドアロック信号ノードＳＮに伝送することができる。
【０３５８】
カタログシステムＣＳは、また、一実施形態において、例えば、信号ノードＳＮからの信号ＳＧに関する当該情報が、分配システムＤＳを介する代わりに、またはそれに追加して、信号ノード・オペレーティングエンティティＳＮＯＥ、例えば信号ノードのユーザまたは所有者によって直接提供される実施形態では、カタログシステム信号ノード・オペレーティングエンティティ・チャネルＣＳ−Ｔ−３１を介して信号ノード・オペレーティングエンティティＳＮＯＥと通信していることができる。
【０３５９】
カタログシステムＣＳの機能の実施形態を、例えば信号ＳＧに関する情報をカタログシステムＣＳでどのように確立するか、クライアント・ノード・オペレーティングエンティティＣＮＯＥが信号ＳＧをカタログシステムＣＳでどのように検索するか、カタログシステムＣＳの実施形態が分配システムＤＳの分配システム信号表現切り替えパラメータ記録ＤＳ−Ｔ−３５の登録をどのように助けるかに関し、以下より詳細に説明する。
【０３６０】
一実施形態において、ハイブリッド分配カタログ・ノードＨＹ−Ａ−５は、分配システムＤＳ部およびカタログシステムＣＳ部を備えるように構成される物理デバイスまたはサーバのハードウェア構造もしくはソフトウェア構造とすることができる。
【０３６１】
分配システム、図２９、図３０、図３１ａ、図３１ｂ、図３２
分配システムＤＳは、本発明により、上記および以下より詳しく説明するように、当該信号ノードＳＮとクライアント・ノードＣＮとの間で、好ましくはアドレス指定されない信号表現ＳＧ−Ａ−１の切り替えを分配システム信号表現切り替えパラメータ記録ＤＳ−Ｔ−３５に従って管理する。そのため、分配システムＤＳは、信号ノードＳＮおよびクライアント・ノードＣＮのネットワークを介して直接的または間接的にアクセス可能とするべきである。好適な実施形態において、この通信に関わるネットワークの少なくとも１つはインターネットを備えるが、様々な技術の他の公衆ネットワークまたはプライベート・ネットワークも追加で、または代わりに伴うことができる。
【０３６２】
分配システムＤＳは、本発明の実施形態において、１つまたは複数の固有の専用または共有のコンピュータ資源を備える。代替実施形態において、分配システムＤＳはクラウドベースであってもよい。他の実施形態では、分配システムＤＳは、例えば、１つまたは複数のネットワーク・インターフェースを有する汎用コンピュータ、タブレット・コンピュータまたは専用埋め込みシステムに実装することができる。述べたように、分配システムＤＳは、信号通信システムＳＣＳの他のコンポーネントとは別に実装されてもよく、または例えばカタログシステムＣＳおよびアイデンティティ・レジスタＩＲまたはカタログシステムＣＳもしくはアイデンティティ・レジスタＩＲと一緒に実装して、中央コンポーネントをまとめてもよく、または例えばさらなるコンポーネントの必要のない単純かつセキュアなすぐに使えるワンボックス・ソリューションとして、多数の信号ノードＳＮおよびクライアント・ノードＣＮと一緒に実装してもよい。
【０３６３】
分配システムＤＳは、好ましくは少なくとも部分的にインターネットまたはローカル・エリア・ネットワークＬＡＮなどの一般に利用できるインフラストラクチャを介して、少なくとも信号ノードＳＮおよびクライアント・ノードＣＮに通信可能に結合するために、１つまたは複数の信号通信システム・ネットワーク・インターフェースＳＣＳ−Ｎ−３を備える。分配システムＤＳは、例えば、分配システム切り替え制御レジスタＤＳ−Ｔ−４５を保持するために、メモリをさらに備え、またはメモリにアクセスでき、このレジスタは分配システム信号表現切り替えパラメータ記録ＤＳ−Ｔ−３５を含む情報およびルールを備え、分配システムＤＳが信号ノードＳＮから注入トランスポート表現ＩＴ−Ｔ−２を受信して、その内容を分配トランスポート表現ＤＴ−Ｔ−２によってクライアントＣＮに分配する、またはその逆を行うために有用なものである。
【０３６４】
分配システムＤＳは、メモリに含まれる情報およびトランスポート表現とともに受信される情報に基づいて、分配を制御する処理手段も備え、これには、上記で説明したいくつかの実施形態では、分配システム注入トランスポート表現特性ＤＳ−Ｔ−２６および分配システム分配トランスポート表現特性ＤＴ−Ｔ−３に従うトランスポート表現の解読および暗号化を含む。いくつかの実施形態では、専用のセキュリティハードウェアが分配システムによって備えられて、暗号、証明書などのセキュリティタスクを扱う。
【０３６５】
分配システムＤＳは、電源と、１つまたは複数のユーザ・インターフェースまたは制御インターフェースも備える。分配システムＤＳがアクセス可能である、少なくともアドレス指定可能である、好ましくはさらに例えばインターネットなどの一般的な通信インフラストラクチャによってもそうであるため、ユーザ・インターフェースは、好ましくは、分配システムのウェブ・サーバとして実装することができ、それによりインフラストラクチャに接続されているデバイスから、好ましくは認証を受けて、分配システムのブラウザベースの監視および管理が可能である。種々のユーザ・インターフェース、すなわち種々のオプションを有するインターフェースを、例えばユーザの役割に従って、種々のユーザ、例えば信号ノード・オペレーティングエンティティＳＮＯＥまたは分配システム・オペレーティングエンティティＤＳＯＥに提示することができる
上記で説明したように、分配システムＤＳは、好ましくは、例えば専用サーバもしくは共有サーバを含むサーバのハードウェアまたはネットワークデバイスのハードウェアによって実装され、または例えば冗長性、容量または現地拠点の目的等のために、複数の物理サーバ、または例えばネットワーク・ルータ間に分散されることができる。したがって、分配システムＤＳは、分配システムＤＳのタスクを行うために相互接続されている１つまたは複数の分配システムノードを備えることができる。２つ以上の分配システムノードを有する分散型分配システムＤＳでは、ノードは、２つ以上のノードを有する理由が冗長性もしくは容量の場合は、通例物理的に近くに設置され、または複数のノードの理由がローカルの容量および冗長性の態様も含むかもしれない現地拠点である場合は、通例物理的に遠隔に設置され、例えば地理的に都市、国、地域または世界中にわたって分散することができる。当業者は、この説明から、分配システムＤＳを本発明に従いベースするためのハードウェアの構成および物理ネットワークをどのように確立するかがよく分かるであろう、また将来代替ハードウェア・ソリューションおよびネットワーキング・ソリューションを組み込むこともできるであろう。
【０３６６】
本発明の一実施形態は、同じ信号ノードＳＮから信号を管理する２つ以上の分配システムＤＳを備える。複数の異なる分配システムＤＳの考えられる利点は、例えば、複数の異なるサービスプロバイダ、すなわち分配システム・オペレーティングエンティティＤＳＯＥを有する可能性であり、それぞれが独自の分配システムＤＳ、または異なる規制のドメイン、例えば国にわたり、または異なる通信プラットフォーム、例えば、異なるネットワーク技術等を提供する。異なるまたは同じクライアント・ノードＣＮは、異なる分配システムＤＳによってサービスを提供することができる。すべての分配システムＤＳは、一実施形態において、同じ信号ノードＳＮからの信号または同じ信号ノードＳＮへの信号を扱うことができる。
【０３６７】
本発明の一実施形態は、それぞれが信号ノードＳＮの個別のグループからの信号を管理するが、同じクライアント・ノードＣＮにサービスを提供する２つ以上の分配システムＤＳを備える。この実施形態の利点は、上記で説明したのと同じであり、例えば、複数のサービスプロバイダが分配システムサービスを提供し、異なる規制もしくは要件に準拠し、異なる技術を可能にすることが可能であることである。１つのクライアント・ノードＣＮは異なる分配システムＤＳに切り替えパラメータ記録を登録して、場合によっては異なるサービスプロバイダの分配システムＤＳからのみアクセス可能な異なる信号ノードＳＮを監視または制御することができる。
【０３６８】
図２９は、本明細書で説明する様々なコンポーネント、インターフェース、格納情報および実装手段を有する分配システムＤＳの一実施形態を示す。
図示する分配システムＤＳは、１つまたは複数の分配システム通信エンティティ・トランスポート表現特性ＤＳ−Ｔ−５を備える分配システム通信エンティティ・トランスポート表現特性レジスタＤＳ−Ｔ−４を保持するように構成される。
【０３６９】
分配システムＤＳは、ハードウェアおよびソフトウェア内で、分配システム注入トランスポート表現特性レジスタＤＳ−Ｔ−２３の分配システム注入トランスポート表現特性ＤＳ−Ｔ−２６を使って、注入トランスポート表現ＩＴ−Ｔ−２から信号表現ＳＧ−Ａ−１を提供する分配システム注入トランスポート表現解釈手段ＤＳ−Ｔ−２４を実行するため、および分配システム分配トランスポート表現特性レジスタＤＳ−Ｔ−１６の分配システム分配トランスポート表現特性ＤＳ−Ｔ−１９を使って、信号表現ＳＧ−Ａ−１から分配トランスポート表現ＤＴ−Ｔ−２を提供する分配システム分配トランスポート表現手段ＤＳ−Ｔ−１８を実行するために構成されている。
【０３７０】
分配システムＤＳは、ハードウェアおよびソフトウェア内で、分配システム分配トランスポート表現特性レジスタＤＳ−Ｔ−１６の分配システム分配トランスポート表現特性ＤＳ−Ｔ−１９を使って、分配トランスポート表現ＤＴ−Ｔ−２から信号表現ＳＧ−Ａ−１を提供する分配システム分配トランスポート表現解釈手段ＤＳ−Ｔ−１７を実行するため、および分配システム分配トランスポート表現特性レジスタＤＳ−Ｔ−２３の分配システム注入トランスポート表現特性ＤＳ−Ｔ−２６を使って、信号表現ＳＧ−Ａ−１から注入トランスポート表現ＩＴ−Ｔ−２を提供する分配システム注入トランスポート表現手段ＤＳ−Ｔ−２５を実行するためにさらに構成されている。
【０３７１】
この実施形態は、図１８に従い、分配システム注入トランスポート表現解釈手段ＤＳ−Ｔ−２４および分配システム分配トランスポート表現手段ＤＳ−Ｔ−１８を実行するため、また同様に分配システム分配表現解釈手段ＤＳ−Ｔ−１７および分配システム注入トランスポート表現手段ＤＳ−Ｔ−２５のために実装することができる。
【０３７２】
分配システムＤＳは、さらに、１つまたは複数の分配システム・ネットワーク・インターフェースＤＳ−Ｎ−３を備え、これは信号通信システム・ネットワーク表現を搬送するように構成される信号通信システム・エンティティ・ネットワーク・インターフェースである。
【０３７３】
通信の手段を信号注入ラベル受信手段ＤＳ−Ｔ−３１を実装する分配システムＤＳに関して説明した図３４を参照して、この分配システムは、クライアント・ノードＣＮから生成されたラベルを受信するために、分配システム・カタログ・ラベル受信手段ＤＳ−Ｔ−８および分配システム信号分配ラベル受信手段ＤＳ−Ｔ−２９も備える。
【０３７４】
これら２つの手段は図３４に図示し説明した手段に関しても適用される。
図３０は、分配システムＤＳの分配システム切り替え制御レジスタＤＳ−Ｔ−４５の一実施形態を示す。例えば図３を参照して、上記で説明したように、分配システム切り替え制御レジスタＤＳ−Ｔ−４５は、多数の、この例では、３つの分配システム信号表現切り替えパラメータ記録ＤＳ−Ｔ−３５１、ＤＳ−Ｔ−３５３、およびＤＳ−Ｔ−３５３を備え、これらの分配システム信号表現切り替えパラメータ記録ＤＳ−Ｔ−３５のそれぞれが信号注入ラベルＳＧ−Ｔ−４および１つまたは複数の関連信号分配ラベルＳＧ−Ｔ−２を備える。信号注入ラベルＳＧ−Ｔ−４と信号分配ラベルＳＧ−Ｔ−２との関連付けを使って、注入トランスポート表現ＩＴ−Ｔ−２と分配トランスポート表現ＤＴ−Ｔ−２との切り替えを行う。図３０に図示するように、分配システム信号表現切り替えパラメータ記録ＤＳ−Ｔ−３５は、さらに好ましくは、信号注入ラベルＳＧ−Ｔ−４に関係付けられている信号ノード・ネットワーク識別情報ＳＮ−Ｎ−１と、信号分配ラベルＳＧ−Ｔ−２に関係付けられているクライアント・ノード・ネットワーク識別情報ＣＮ−Ｎ−１とを備える。
【０３７５】
例えば、第１分配システム信号表現切り替えパラメータ記録ＤＳ−Ｔ−３５１は、第１信号注入ラベルＳＧ−Ｔ−４１と第１信号分配ラベルＳＧ−Ｔ−２１との関連付けを備える。さらに、第１信号ノード・ネットワーク識別情報ＳＮ−Ｎ−１１に関して第１信号注入ラベルＳＧ−Ｔ−４１と第１信号ノードＳＮとの関係を備え、第１クライアント・ノード・ネットワーク識別情報ＣＮ−Ｎ−１１に関して第１信号分配ラベルＳＧ−Ｔ−２１と第１クライアント・ノードＣＮとの関係を備える。それにより、分配システム信号表現切り替え手段ＤＳ−Ｔ−３４が、一定の信号注入ラベルＳＧ−Ｔ−４の付いた一定の信号表現ＳＧ−Ａ−１をどの信号分配ラベルＳＧ−Ｔ−２に切り替えるべきか、またはその逆を決定したとき、ネットワーク識別情報も探索して、分配システムＤＳが適切な信号ノードＳＮまたはクライアント・ノードＣＮおよび信号通信システム・ネットワークＳＣＳ−Ｎ−５にアドレス指定して、それにルーティングすることを可能にすることができる。信号ノード・ネットワーク識別情報ＳＮ−Ｎ−１およびクライアント・ノード・ネットワーク識別情報ＣＮ−Ｎ−１は、このために、好ましくは、ネットワークアドレス、例えば、インタ−ネット・プロトコルベースのネットワークのＩＰアドレスを備えることができる。
【０３７６】
分配システム信号表現切り替えパラメータ記録ＤＳ−Ｔ−３５は１つの信号注入ラベルＳＧ−Ｔ−４を複数の信号分配ラベルＳＧ−Ｔ−２に関連付けることができるため、記録は複数のネットワーク識別情報を備えることもできる。この例では、第２分配システム信号表現切り替えパラメータ記録ＤＳ−Ｔ−３５２は、第２信号ノード・ネットワーク識別情報ＳＮ−Ｎ−１２に関係付けられている第２信号注入ラベルＳＧ−Ｔ−４２と、第２およびｍ番目の信号分配ラベルＳＧ−Ｔ−２２、ＳＧ−Ｔ−２ｍの両方との関連付けを備える。例で示すように、第２信号分配ラベルＳＧ−Ｔ−２２が第１クライアント・ノード・ネットワーク識別情報ＣＮ−Ｎ−１１、すなわち、第１分配システム信号表現切り替えパラメータ記録ＤＳ−Ｔ−３５１に含まれたのと同じクライアント・ノードＣＮに関係付けられているため、同じクライアント・ノードＣＮは複数の分配ラベルＳＧ−Ｔ−２に関係付けることができる。
【０３７７】
同様に、同じ信号ノードＳＮは複数の信号注入ラベルＳＧ−Ｔ−２に関係付けることができ、すなわち、１つの信号ノードＳＮが複数の信号ＳＧまたは１つの信号の複数のバージョン、例えば、入出力信号両方に役立つ。第３分配システム信号表現切り替えパラメータ記録ＤＳ−Ｔ−３５３に示すように、第３信号注入ラベルＳＧ−Ｔ−４３は、第１分配システム信号表現切り替えパラメータ記録ＤＳ−Ｔ−３５１の第１信号注入ラベルＳＧ−Ｔ−４１にも関係付けられている第１信号ノード・ネットワーク・アイデンティティＳＮ−Ｎ−１１に関係付けられる。第１クライアント・ノードは、ここでも、ｊ番目の信号分配ラベルＳＧ−Ｔ−２ｊによってこの第３信号にサブスクライブしている。
【０３７８】
一実施形態において、信号ノードＮＳとクライアント・ノードＣＮとの関連付けは、分配システム・アイデンティティ・レジスタＤＳ−Ａ−１８および分配システム・トランスポート・アイデンティティ・レジスタＤＳ−Ｔ−４７または分配システム・アイデンティティ・レジスタＤＳ−Ａ−１８もしくは分配システム・トランスポート・アイデンティティ・レジスタＤＳ−Ｔ−４７にも含むことができる。これらのレジスタには、好ましくは信号ノードおよびクライアント・ノードのネットワーク識別情報ＳＮ−Ｎ−１、ＣＮ−Ｎ−１の代わりに、またはそれらの追加で、アプリケーションレベルおよびトランスポートレベルのための識別情報を含むことができる。
【０３７９】
信号ノード・ネットワーク識別情報ＮＳ−Ｎ−１およびクライアント・ノード・ネットワーク識別情報ＣＮ−Ｎ−１は、一般に信号通信システム・ネットワーク識別情報ＳＣＳ−Ｎ−２とも呼ばれ、一般に信号通信システム・トランスポート表現ＳＣＳ−Ｔ−１と呼ばれる注入トランスポート表現ＩＴ−Ｔ−２および分配トランスポート表現ＤＴ−Ｔ−２からの信号通信システム・ネットワーク表現ＳＣＳ−Ｎ−７の確立は、例えば図１６〜図１８を参照して、上記より詳細に説明されている。
【０３８０】
図３１ａおよび図３１ｂは、分配システムＤＳにおける一般的な通信および識別情報の管理の一実施形態を示す。したがって、図３１ａは、分配システムＤＳと分配システム通信エンティティＤＳ−Ａ−２との間の分配システム通信データＤＳ−Ａ−１のセキュアな通信を全般的に示し、後者は例えば、分配システム・オペレーティングエンティティＤＳＯＥ、分配システム・ベンダＤＳＶ、信号ノードＳＮ、信号ノード・オペレーティングエンティティＳＮＯＥ、信号ノード・ベンダＳＮＶ、クライアント・ノードＣＮ、クライアント・ノード・オペレーティングエンティティＣＮＯＥ、クライアント・ノード・ベンダＣＮＶ、カタログシステムＣＳ、カタログシステム・オペレーティングエンティティＣＳＯＥ、またはカタログシステム・ベンダＣＳＶである。分配システム通信データＤＳ−Ａ−１は、例えば、構成、識別情報、ラベル、特性、コミッショニング、サブスクリプション変更、問い合わせ等に関係するデータとすることができる。
【０３８１】
分配システムＤＳから分配システム通信エンティティＤＳ−Ａ−２に向かう分配システム通信データＤＳ−Ａ−１の通信を検討すると、分配システム・データ表現手段ＤＳ−Ａ−１４が、分配システム・データ表現特性レジスタＤＳ−Ａ−１６から分配システム・データ表現特性ＤＳ−Ａ−１５に基づいて、例えば、アプリケーション層レベルで適用するべきフォーマット化、符号化および／または暗号手段のルールを定義して、分配システム・データ表現ＤＳ−Ａ−１２を確立する。これは、例えば、図１８を参照して信号ノード信号表現特性ＳＮ−Ａ−４６を有する信号ノード信号表現特性レジスタＳＮ−Ａ−４４について上記で説明したように実装することができる。
【０３８２】
分配システムＤＳは、分配システム・データ表現特性ＤＳ−Ａ−１５を生成する分配システム・データ表現特性手段ＤＳ−Ａ−１１およびそれを分配システム通信エンティティＤＳ−Ａ−２と折衝する分配システム・データ表現特性インターフェース手段ＤＳ−Ａ−１０、または分配システム・データ表現特性ＤＳ−Ａ−１５を生成する分配システム・データ表現特性手段ＤＳ−Ａ−１１もしくはそれを分配システム通信エンティティＤＳ−Ａ−２と折衝する分配システム・データ表現特性インターフェース手段ＤＳ−Ａ−１０を備えることができる。
【０３８３】
確立された分配システム・データ表現ＤＳ−Ａ−１２は、次に分配システム通信エンティティ・トランスポート表現手段ＤＳ−Ｔ−１２で使用されて、分配システム通信エンティティ・トランスポート表現特性レジスタＤＳ−Ｔ−４から分配システム通信エンティティ・トランスポート表現特性ＤＳ−Ｔ−５に基づいて、例えば、トランスポート層レベルで適用するべきフォーマット化、符号化および／または暗号手段のルールを定義して、分配システム通信エンティティ・トランスポート表現ＤＳ−Ｔ−４０を形成する。これは、例えば、図１８を参照して信号ノード注入トランスポート表現特性レジスタＳＮ−Ｔ−６の信号ノード注入トランスポート表現特性ＳＮ−Ｔ−１０について上記で説明したように実装することができる。
【０３８４】
分配システム通信エンティティ・トランスポート表現ＤＳ−Ｔ−４０は、これで、分配システム通信チャネルＤＳ−Ｔ−１で分配システム通信エンティティＤＳ−Ａ−２にトランスポートすることができる。
【０３８５】
分配システム通信チャネルＤＳ−Ｔ−１で受信される分配システム通信データＤＳ−Ａ−１について、受信される分配システム通信エンティティ・トランスポート表現ＤＳ−Ｔ−４０は反対方向に処理され、その場合、分配システム通信エンティティ・トランスポート表現ＤＳ−Ｔ−４０は、ちょうど逆に使用された、上記で説明したように分配システム通信エンティティ・トランスポート表現特性ＤＳ−Ｔ−５に基づいて、分配システム通信エンティティ・トランスポート表現解釈手段ＤＳ−Ｔ−４１によって分配システム・データ表現ＤＳ−Ａ−１２に復号化される。分配システム・データ表現ＤＳ−Ａ−１２は、次いで、分配システム・データ表現特性ＤＳ−Ａ−１５に基づいて、分配システム・データ表現解釈手段ＤＳ−Ａ−１３によって分配システム通信データＤＳ−Ａ−１に復号化される。
【０３８６】
分配システム通信エンティティＤＳ−Ａ−２では、受信された分配システム通信エンティティ・トランスポート表現ＤＳ−Ｔ−４０の分配システム通信データＤＳ−Ａ−１への復号化、または分配システム通信データＤＳ−Ａ−１の分配システム通信エンティティ・トランスポート表現ＤＳ−Ｔ−４０への符号化は、好ましくは、分配システムＤＳについて上記で説明したのと同じように行うことができる。
【０３８７】
分配システム通信チャネルＤＳ−Ｔ−１でのトランスポートは、例えば、本発明の実施形態の他のネットワーク・インターフェースについて上記で説明した技術に従う分配システム・ネットワーク・インターフェースＤＳ−Ｎ−３を使用し、分配システム・ネットワーク・アイデンティティ・レジスタＤＳ−Ｎ−４からネットワークアドレス、例えば、インターネットプロトコルベースのシステムのＩＰアドレスに基づいて行うことができる。
【０３８８】
表現手段および表現解釈手段における暗号の適用に関するさらなる詳述を以下に記載する。
図３１ｂは、分配システムＤＳにおける分配システム通信エンティティＤＳ−Ａ−２の識別情報の一般的な管理を示す。識別情報は、例えば、有利なことに、図３１ａを参照して上記で説明したセキュアな一般的な通信のために使用することができ、例えば、上記で説明したように信号ノードＳＮおよびクライアント・ノードＣＮを有する注入トランスポート表現ＩＴ−Ｔ−２および分配トランスポート表現ＤＴ−Ｔ−２の通信に関して上記で説明したより具体的な実施形態でも使用される。
【０３８９】
分配システムＤＳは、分配システム自体の分配システム・アイデンティティＤＳ−Ａ−１７およびそれに対応する分配システム識別情報ＤＳ−Ａ−１９を保有する分配システム・アイデンティティ・レジスタＤＳ−Ａ−１８を備える。分配システム・アイデンティティ・レジスタＤＳ−Ａ−１８は、様々な分配システム通信エンティティＤＳ−Ａ−２に対応する分配システム通信エンティティ識別情報ＤＳ−Ａ−３１をさらに備える。
【０３９０】
分配システム通信エンティティ識別情報ＤＳ−Ａ−３１を管理するために、分配システム通信エンティティＤＳ−Ａ−２から分配システム通信エンティティ識別情報ＤＳ−Ａ−３１を受信するための分配システム通信エンティティ識別情報受信手段ＤＳ−Ａ−４が提供される。さらに、分配システム通信エンティティ識別情報検証手段ＤＳ−Ａ−５も提供され、これは例えば以下に説明するアイデンティティ・レジスタＩＲを例えば使用して、分配システム通信エンティティ識別情報ＤＳ−Ａ−３１を検証する。さらに好ましくは、分配システム通信エンティティ識別情報検証伝送手段ＤＳ−Ａ−６が提供され、これは検証結果を分配システム通信エンティティＤＳ−Ａ−２に伝送して、それにより例えば、分配システムＤＳが他のエンティティのために識別情報の検証を行い、その結果を他のエンティティに報告することが可能になる。さらに好ましくは、例えば他のパーティ間でのまたは本発明の信号通信の開始に関係して、セキュアな通信を促進するために、分配システム通信エンティティ識別情報ＤＳ−Ａ−３１を分配システム通信エンティティＤＳ−Ａ−２に伝送するための分配システム通信エンティティ識別情報伝送手段ＤＳ−Ａ−３２が提供される。
【０３９１】
分配システムＤＳは、アプリケーション層レベルの分配システム・アイデンティティ・レジスタＤＳ−Ａ−１８に関して上記で説明したのと同じことをトランスポート層レベルで促進するために、分配システム・トランスポート・アイデンティティ・レジスタＤＳ−Ｔ−４７をさらに備える。そのため、分配システム・トランスポート・アイデンティティ・レジスタＤＳ−Ｔ−４７は、トランスポート層レベルでの分配システム自体のアイデンティティである分配システム・トランスポート・アイデンティティＤＳ−Ｔ−５０と、対応する分配システム・トランスポート識別情報ＤＳ−Ｔ−４６とを備える。分配システム通信エンティティ・トランスポート識別情報ＤＳ−Ｔ−２をさらに備え、これは分配システム通信エンティティＤＳ−Ａ−２のトランスポート層レベルの識別情報である。
【０３９２】
トランスポート層レベルの識別情報管理は、アプリケーション層レベルについて上記で説明したのと同じ手段を備えることができる。例では、受信した識別情報を検証するための分配システム通信エンティティ・トランスポート識別情報検証手段ＤＳ−Ｔ−３のみが示されている。
【０３９３】
分配システム通信エンティティＤＳ−Ａ−２はそれぞれが対応する構造を備える。図示する例では、アプリケーション層レベルでの分配システム通信エンティティＤＳ−Ａ−２自体のアイデンティティである分配システム通信エンティティ・アイデンティティＤＳ−Ａ−３、対応する分配システム通信エンティティ識別情報ＤＳ−Ａ−３１、分配システムＤＳの識別情報である分配システム識別情報ＤＳ−Ａ−１９、およびトランスポート層レベルについては、分配システム通信エンティティ・トランスポート識別情報ＤＳ−Ｔ−２が示されている。
【０３９４】
図３９、図４０、図４１ａおよび図４１ｂを参照して、アイデンティティ、識別情報および検証用の手段等を以下より詳細に説明する。表現手段での暗号の適用および表現解釈手段についてのさらなる詳述を以下に記載する。
【０３９５】
図３２は、信号通信システムＳＣＳの好適な実施形態における分配システムＤＳへの通信可能な結合を示す。分配システムＤＳは、分配システム通信チャネルＤＳ−Ｔ−１を介して、多数の分配システム通信エンティティＤＳ−Ａ−２と通信していることができる。より具体的には、分配システム通信エンティティＤＳ−Ａ−２および分配システム通信チャネルＤＳ−Ｔ−１のうちのいくつかは、ここでは本発明の実施形態のために説明される。分配システムＤＳは、例えば、例えば製造またはコミッショニング中に、分配システム・ベンダ・チャネルＤＳＶ−Ｔ−１を通じて分配システム・ベンダＤＳＶと通信し、分配システム・オペレーティングエンティティ・チャネルＤＳＯＥ−Ｔ−１を通じて分配システム・オペレーティングエンティティＤＳＯＥと通信することができる。分配システム・オペレーティングエンティティＤＳＯＥは、分配システムのサービスプロバイダまたはオペレータとも呼ばれることがある。
【０３９６】
前述したように、カタログシステムＣＳは分配システム・カタログシステム・チャネルＤＳ−Ｔ−１０を通じて分配システムＤＳと通信する。この通信は、例えば、分配システムまたは分配システム・オペレーティングエンティティが収集し、発行のためにカタログシステムに送信される信号および関連情報、例えば信号タイプ等に関する情報を備えることができる。様々な実施形態において、カタログシステムＣＳと分配システムＤＳとの通信は、信号へのサブスクリプションを登録しようと試みるクライアント・ノードに関する情報も備える。他の実施形態では、このような登録情報は、カタログシステムの外部で、分配システムとクライアント・ノードまたはクライアント・ノード・オペレーティングエンティティとの間で直接扱われ、カタログシステムは当該信号を見つけるためにのみ使用される。
【０３９７】
分配トランスポート・チャネルＤＴ−Ｔ−１を介したクライアント・ノードＣＮとの通信に加えて、分配システムＤＳはさらに、クライアント・ノード・オペレーティングエンティティＣＮＯＥおよびクライアント・ノード・ベンダＣＮＶのうちの１つまたは複数とも通信していることができる。様々な実施形態において、これはクライアント・ノードＣＮ自体、クライアント・ノード・オペレーティングエンティティＣＮＯＥ、例えば、ユーザ、または場合によっては、クライアント・ノードＣＮに関して分配システムＤＳで登録またはサブスクリプションを要求するクライアント・ノード・ベンダＣＮＶとすることができる。分配システムＤＳは、一実施形態において、分配システム・クライアント・ノード・オペレーティングエンティティ・チャネルＤＳ−Ｔ−９を介してクライアント・ノード・オペレーティングエンティティＣＮＯＥと通信し、クライアント・ノード・ベンダ・チャネルＣＮＶ−Ｔ−１を介してクライアント・ノード・ベンダＣＮＶと通信していることができる。分配システムＤＳは、例えば、クライアント・ノードＣＮの製造またはコミッショニング中に、クライアント・ノード・ベンダＣＮＶと通信し、合意の登録もしくは登録解除、および欲しい信号について、およびコミッショニング中に、直接的または間接的にクライアント・ノード・オペレーティングエンティティＣＮＯＥと通信していることができる。
【０３９８】
また、注入トランスポート・チャネルＩＴ−Ｔ−１を介した信号ノードＳＮとの通信に加えて、分配システムＤＳはさらに、信号ノード・オペレーティングエンティティＳＮＯＥおよび信号ノード・ベンダＳＮＶのうちの１つまたは複数と通信していることができる。一実施形態において、信号ノード・ベンダＳＮＶまたは信号ノード・オペレーティングエンティティＳＮＯＥは、信号ノードＳＮからの信号ＳＧに関する当該情報を分配システムＤＳと共有し、または信号のアクセス可能性オプションを設定し、または信号ノードＳＮの利用を監視することができる。分配システムＤＳは、一実施形態において、分配システム信号ノード・オペレーティングエンティティ・チャネルＤＳ−Ｔ−３３を介して信号ノード・オペレーティングエンティティＳＮＯＥと通信し、信号ノード・ベンダ・チャネルＳＮＶ−Ｔ−１を介して信号ノード・ベンダＳＮＶと通信していることができる。分配システムＤＳは、例えば、信号ノードＳＮの製造またはコミッショニング中に信号ノード・ベンダＳＮＶと通信し、コミッショニング中、および監視目的のために信号ノード・オペレーティングエンティティＳＮＯＥと通信していることができる。
【０３９９】
分配システムＤＳの機能の実施形態を、例えば、信号通信システムＳＣＳでの信号ノードＳＮのコミッショニングに関して、カタログシステムＣＳで信号ＳＧに関する情報をいかに確立できるか、クライアント・ノード・オペレーティングエンティティＣＮＯＥが分配システムＤＳに登録されている分配システム信号表現切り替えパラメータ記録ＤＳ−Ｔ−３５をいかに取得できるか、および対応する信号表現ＳＧ−Ａ−１の切り替えをいかに行うかに関して、以下より詳細に説明する。
【０４００】
信号注入ラベルおよび信号分配ラベル、図３３
本発明の好適な実施形態は、クライアント・ノードＣＮおよび信号ノードＳＮの唯一の明示アドレスの仕様を分配システムＤＳで定義することに関わる。この特徴は、個々の信号ノードおよびクライアント・ノードが、ピア間で直接これらのデータを伝送する代わりに、必ず分配システムＤＳを介して信号表現ＳＧ−Ａ−１を伝送するという技術的な意味合いを有する。換言すると、個々の信号ノードＳＮおよびクライアント・ノードＣＮは分配システムＤＳが分配システム信号表現切り替えパラメータ記録ＤＳ−Ｔ−３５によって当該アドレス情報を判断するのに十分なデータのみを備えて、伝送する。
【０４０１】
この信号ノードによるクライアントの非明示アドレス指定およびその逆は、明らかに上記で説明した中央ロジックを必要とするが、信号ノードおよびクライアント・ノードが削減されたレベルの情報を配信できることも促進し、基本的に受信するクライアント・ノードまたは信号ノードを識別しなくても伝送を呼び出す。その結果、信号ノードは個々の信号ノードでローカルに受取人情報および受取人の権利を維持する必要をなくすことができる。
【０４０２】
上記で説明したように、そのため本発明による信号通信システムの実施形態における信号表現ＳＧ−Ａ−１の分配は、信号注入ラベルＳＧ−Ｔ−４と信号分配ラベルＳＧ−Ｔ−２とのマッピングに基づく。信号注入ラベルＳＧ−Ｔ−４および信号分配ラベルＳＧ−Ｔ−２は、様々な信号ＳＧのハンドルである。
【０４０３】
分配システムＤＳが信号表現ＳＧ−Ａ−１を分配するのを可能にするために、上記で説明したように、信号表現ＳＧ−Ａ−１は、信号注入ラベルＳＧ−Ｔ−４と一緒に、または信号注入ラベルＳＧ−Ｔ−４を含む、信号ノードＳＮに送受信される。信号注入ラベルＳＧ−Ｔ−４は、様々な実施形態において、それ以上情報を含まない単純な連続番号もしくはコードであってもよく、または信号タイプ、信号アイデンティティ、もしくは信号および信号ノードの両方もしくは一方に関する他のさらなる情報を備えてもよい。信号表現ＳＧ−Ａ−１のクライアント・ノードＣＮへの送受信は、信号分配ラベルＳＧ−Ｔ−２を備え、これも同様に、さらなる情報を含まない単純な連続番号もしくはコードであってもよく、または信号タイプ、信号アイデンティティ、もしくは信号およびクライアント・ノードの両方もしくは一方に関する他のさらなる情報を備えてもよい。一実施形態において、信号注入ラベルＳＧ−Ｔ−４および信号分配ラベルＳＧ−Ｔ−２または信号注入ラベルＳＧ−Ｔ−４もしくは信号分配ラベルＳＧ−Ｔ−２は、それぞれ信号ノードＳＮまたはクライアント・ノードＣＮの識別情報も備えることができる。このような識別情報は暗号目的で、例えば認証または完全性保護のために使用することができ、必ずしもノードの場所、アドレス、オーナー、タイプ等に関する情報を含まなくてもよい。
【０４０４】
このように、伝送される信号表現に関連付けられている信号注入ラベルＳＧ−Ｔ−４および信号分配ラベルＳＧ−Ｔ−２または伝送される信号表現に関連付けられている信号注入ラベルＳＧ−Ｔ−４もしくは信号分配ラベルＳＧ−Ｔ−２は、分配システムを通じて信号表現の自動的な伝送を可能とするのに十分である。分配システムがラベルを使って当該分配システム信号表現切り替えパラメータ記録ＤＳ−Ｔ−３５を明確に識別し、それを適用して信号表現の正確な受信人を確立し、任意で信号表現に受取人が理解して受信した信号表現を正確に適用することを可能にするさらなる当該情報を中継または添付することもできる。
【０４０５】
好ましくは、信号注入ラベルＳＧ−Ｔ−４または信号分配ラベルＳＧ−Ｔ−２によって示される信号タイプは、有利なことに、カタログシステムＣＳによって発行される信号タイプを参照し、またはそれに関係付けることができるが、必ずしも必然的ではない。信号タイプまたは信号識別情報を示すことによって提供される情報は、例えば、カテゴリおよび仕様、例えば所定のサンプルレートで摂氏の温度を搬送する信号、または窓を移動させることを要求される閉と全開との間のパーセント単位の位置を示す窓開閉装置制御パラメータを搬送する信号を参照することができる。信号注入もしくは分配ラベル、または信号ノードＳＮから、および／または例えば信号ノード・オペレーティングエンティティＳＮＯＥ、信号ノード・ベンダＳＮＶ、または分配システム・オペレーティングエンティティＤＳＯＥからの他の情報は、例えば、クライアント・ノードの地理的な場所もしくは距離、固有のクライアント・ノードもしくはクライアント・ノードのグループに利用できる帯域幅、任意の課金、完全性、プライバシーおよびＩＴセキュリティの状態、機能的安全性、信号ノードの証明および検証状態、他の信号ノードとの構成に関する技術的な考慮事項など、配信の状態を備えることができる。
【０４０６】
一実施形態において、信号ノードＳＮは信号注入ラベル生成手段ＳＧ−Ｔ−５によって、それ自体の信号ＳＧの信号注入ラベルＳＧ−Ｔ−４を生成する。信号ノードは、好ましくは、上記で説明したように、信号ノード注入ラベルＳＧ−Ｔ−４を信号ノード・アイデンティティ・レジスタＳＮ−Ａ−２２に格納する。この実施形態では、分配システムＤＳは、信号ノードＳＮから生成されたラベルを受信し、好ましくは、それを関連信号ノード識別情報ＳＮ−Ａ−２３とともに分配システム・アイデンティティ・レジスタＤＳ−Ａ−１８に格納するための分配システム信号注入ラベル受信手段ＤＳ−Ｔ−３１を備える。
【０４０７】
一実施形態において、クライアント・ノードＣＮはそれがサブスクライブする信号ＳＧの信号分配ラベルＳＧ−Ｔ−２を、信号分配ラベル生成手段ＳＧ−Ｔ−７によって生成する。クライアント・ノードは、好ましくは、上記で説明したように、信号分配ラベルＳＧ−Ｔ−２をクライアント・ノード・アイデンティティ・レジスタＣＮ−Ａ−１４に格納する。この実施形態では、分配システムＤＳは、クライアント・ノードＣＮから生成されたラベルを受信し、好ましくは、それを関連クライアント・ノード識別情報ＣＮ−Ａ−１６とともに分配システム・アイデンティティ・レジスタＤＳ−Ａ−１８に格納するための分配システム信号分配ラベル受信手段ＤＳ−Ｔ−２９を備える。
【０４０８】
図３３に図示される実施形態では、分配システムＤＳは信号注入ラベルＳＧ−Ｔ−４および信号分配ラベルＳＧ−Ｔ−２または信号注入ラベルＳＧ−Ｔ−４もしくは信号分配ラベルＳＧ−Ｔ−２を生成するように構成される。それにより、分配システムは、信号ラベルのネーミング、符号化、情報等の規約を制御し、すべてのラベルの一意性を確保することができる。分配システムＤＳは、信号注入ラベルＳＧ−Ｔ−４を生成し、それをそれの関連信号ノード識別情報ＳＮ−Ａ−２３と一緒に分配システム・アイデンティティ・レジスタＤＳ−Ａ−１８に格納するための分配システム信号注入ラベル生成手段ＤＳ−Ｔ−３０を備えることができる。分配システムＤＳは、さらに、または代わりに、信号分配ラベルＳＧ−Ｔ−２を生成し、それをその関連クライアント・ノード識別情報ＣＮ−Ａ−１６と一緒に分配システム・アイデンティティ・レジスタＤＳ−Ａ−１８に格納するための分配システム信号分配ラベル生成手段ＤＳ−Ｔ−３２を備えることができる。
【０４０９】
例えば図３および図６を参照して、上記で説明したように、分配システムＤＳは分配システム信号表現切り替え手段ＤＳ−Ｔ−３４および分配システム信号表現切り替えパラメータ記録ＤＳ−Ｔ−３５を使って、特に信号注入ラベルＳＧ−Ｔ−４を備える注入トランスポート表現ＩＴ−Ｔ−２を、特に信号分配ラベルＳＧ−Ｔ−２を備える分配トランスポート表現ＤＴ−Ｔ−２に、またはその逆にいかに切り替えるべきかを決定する。上記より詳細に説明したように、切り替えおよび分配は、例えば分配システム信号表現切り替えパラメータ記録ＤＳ−Ｔ−３５に格納されている関連信号注入ラベルＳＧ−Ｔ−４および信号分配ラベルＳＧ−Ｔ−２と、例えば分配システム・アイデンティティ・レジスタＤＳ−Ａ−１８に格納されている信号注入ラベルＳＧ−Ｔ−４と信号ノードＳＮとの関連付けおよび信号分配ラベルＳＧ−Ｔ−２とクライアント・ノードＣＮとの関連付け、ならびに／または例えば分配システム・アイデンティティ・レジスタＤＳ−Ａ−１８に格納されている信号注入ラベルＳＧ−Ｔ−４と信号ノードＳＮとの関連付けおよび信号分配ラベルＳＧ−Ｔ−２とクライアント・ノードＣＮとの関連付けに基づく。
【０４１０】
分配システムＤＳが信号ラベルを生成する実施形態では、信号ノードＳＮは信号注入ラベル受信手段ＳＧ−Ｔ−６を備えて、分配システムＤＳから生成された信号注入ラベルＳＧ−Ｔ−４を受信し、それを各信号ＳＧのハンドルとして信号ノード・アイデンティティ・レジスタＳＮ−Ａ−２２に格納することができる。同様に、クライアント・ノードＣＮは信号分配ラベル受信手段ＳＧ−Ｔ−３を備えて、分配システムＤＳから生成された信号分配ラベルＳＧ−Ｔ−２を受信し、それを各信号ＳＧのハンドルとしてクライアント・ノード・アイデンティティ・レジスタＣＮ−Ａ−１４に格納する。
【０４１１】
カタログシステムＣＳは、好ましくは、カタログシステムＣＳで信号を提示し、信号を参照し、または信号を識別するために、個々の信号ＳＧに対応する信号ノード・カタログ・ラベルＳＮ−Ｔ−１を使用する。信号ノード・カタログ・ラベルＳＮ−Ｔ−１は、好ましくは、セキュリティ上の理由で、信号ノード注入ラベルＳＧ−Ｔ−４とは異なる。信号ノード・カタログ・ラベルＳＮ−Ｔ−１は、信号および信号ノードに関して、信号注入ラベルＳＧ−Ｔ−４よりも多くの情報を搬送することができる。後者は、好適な実施形態において、主に情報を開示せずに正確な分配に向けられるのに対し、信号ノード・カタログ・ラベルＳＮ−Ｔ−１は利用できる信号に関する情報の発行に向けられるためである。
【０４１２】
信号ノード・カタログ・ラベルＳＮ−Ｔ−１は信号ノードＳＮによって生成され、直接的に、または分配システムＤＳを介して、カタログシステムＣＳに役立つことができる。好適な実施形態では、信号ノード・カタログ・ラベルＳＮ−Ｔ−１は分配システムＤＳによって、例えば信号注入ラベルに基づいて、分配システム・カタログ・ラベル生成手段ＤＳ−Ｔ−７により生成される。信号ノード・カタログ・ラベルＳＮ−Ｔ−１は、一実施形態において、カタログシステムＣＳによって、カタログシステム信号ノード・カタログ・ラベル生成手段ＣＳ−Ｔ−３０により生成され、分配システムＤＳによって、分配システム・カタログ・ラベル受信手段ＤＳ−Ｔ−８により受信される。分配システムＤＳは、好ましくは、信号ノード・カタログ・ラベルＳＮ−Ｔ−１と対応する信号注入ラベルＳＧ−Ｔ−４および信号分配ラベルＳＧ−Ｔ−２とをマッピングするレジスタを備えて、信号ノード・カタログ・ラベルＳＮ−Ｔ−１に基づいて分配システム信号表現切り替えパラメータ記録ＤＳ−Ｔ−３５を確立できるようにするべきである。
【０４１３】
カタログシステムＣＳは、好ましくは、カタログシステム記録ＣＳ−Ａ−２２用のカタログシステム信号ラベルレジスタＣＳ−Ｔ−２８を備えて、信号ノード・カタログ・ラベルＳＮ−Ｔ−１および関連信号ノード・カタログ名ＳＮ−Ａ−１４または信号ノード・カタログ・ラベルＳＮ−Ｔ−１もしくは関連信号ノード・カタログ名ＳＮ−Ａ−１４を、好ましくは関連信号、信号ノードおよび関連情報の短いまたはより長い記述を有する信号ノード・カタログ記述ＳＮ−Ａ−３と一緒に格納する。
【０４１４】
カタログシステムの挿入、検索およびサブスクライブ、図３４、図３５
図３４は、カタログシステムを介して信号の可用性を発行する一実施形態を示すシーケンス図である。この実施形態では、信号ノードＳＮはまず信号注入ラベル生成手段ＳＧ−Ｔ−５を行って、各信号ＳＧのハンドルとして信号注入ラベルＳＧ−Ｔ−４を生成する。信号ノードは信号注入ラベルＳＧ−Ｔ−４を分配システムＤＳに伝送し、そこで分配システム信号注入ラベル受信手段ＤＳ−Ｔ−３１により受信される。代替実施形態では、上記で説明したように、分配システムＤＳは分配システム信号注入ラベル生成手段ＤＳ−Ｔ−３０により信号注入ラベルＳＧ−Ｔ−４を生成し、それを参照のために信号ノードに送信する。
【０４１５】
信号注入ラベルＳＧ−Ｔ−４に基づき、分配システムＤＳは分配システム・カタログ・ラベル生成手段ＤＳ−Ｔ−７を行って、各信号に関連付けられている信号ノード・カタログ・ラベルＳＮ−Ｔ−１を生成する。分配システムＤＳはカタログシステム記録ＣＳ−Ａ−２２を作成し、これは信号ノード・カタログ・ラベルＳＮ−Ｔ−１と、好ましくはさらに、例えば信号ノード・カタログ名ＳＮ−Ａ−１４および信号ノード・カタログ記述ＳＮ−Ａ−３または信号ノード・カタログ名ＳＮ−Ａ−１４もしくは信号ノード・カタログ記述ＳＮ−Ａ−３などの各信号に関する情報とを備える。カタログシステム記録ＣＳ−Ａ−２２はカタログシステムＣＳに伝送されて、そこでカタログシステム記録受信手段ＣＳ−Ａ−２７によって受信されて、カタログシステム信号ラベルレジスタＣＳ−Ｔ−２８に格納される。代替実施形態では、カタログシステムは、分配システムＤＳから受信した、または信号ノードＳＮ、信号ノード・ベンダＳＮＶもしくは信号ノード・オペレーティングエンティティＳＮＯＥから直接受信した信号に関する情報に基づいて、カタログシステム記録ＣＳ−Ａ−２２および信号ノード・カタログ・ラベルＳＮ−Ｔ−１またはカタログシステム記録ＣＳ−Ａ−２２もしくは信号ノード・カタログ・ラベルＳＮ−Ｔ−１を生成する。
【０４１６】
固有の信号ノードＳＮの固有の信号ＳＧに関係するカタログシステム記録ＣＳ−Ａ−２２がカタログシステムＣＳに格納されたら、例えば以下に説明するように、クライアント・ノードＣＮおよびクライアント・ノード・オペレーティングエンティティＣＮＯＥまたはクライアント・ノードＣＮもしくはクライアント・ノード・オペレーティングエンティティＣＮＯＥによって検索、発見、ブラウジング、問い合わせ、引き出しおよび／またはサブスクライブすることができる。
【０４１７】
図３５は、カタログシステムを介して信号の可用性を発見し、分配システムで信号にサブスクライブする一実施形態を示すシーケンス図である。上記で説明したように、特定の信号に関する情報を有するカタログシステム記録ＣＳ−Ａ−２２は、カタログシステムＣＳに格納され、例えばカタログシステム記録受信手段ＣＳ−Ａ−２７により分配システムＤＳから受信される。複数の信号ノードから複数の信号を有する、例えば、数千の信号ノードから何千もの信号を有する実施形態では、カタログシステムは何千ものカタログシステム記録ＣＳ−Ａ−２２を備えることができる。
【０４１８】
これで、クライアント・ノード・オペレーティングエンティティＣＮＯＥ、例えば人またはマシンは、カタログシステムＣＳを使って、関心のある１つまたは複数の信号を検索することができる。クライアント・ノード・オペレーティングエンティティＣＮＯＥは、例えば、本発明の信号ノード通信システムを使って、賃借人の消費量データを収集し、今新たに設置したアパートの固有の信号ノードから熱消費量信号を受信しようとしている家主である。クライアント・ノード・オペレーティングエンティティＣＮＯＥは、例えば、本発明の信号ノード通信システムを使って、渋滞を監視し、交通量の多い交差点の信号機を制御し、今都市の特定の部分で利用できるすべての当該信号を見つけたい交通監視センターである。クライアント・ノード・オペレーティングエンティティＣＮＯＥは、例えば、信号通信システムで利用できる特定の大陸からすべての地震の兆候を見つけたい地質研究者である。クライアント・ノード・オペレーティングエンティティＣＮＯＥは、例えば、その現在地に最も近い屋外気温センサ信号を探して、そのユーザに提示するスマートフォンアプリである。
【０４１９】
クライアント・ノード・オペレーティングエンティティＣＮＯＥは、カタログシステム記録要求パラメータＣＳ−Ａ−２４を含むカタログシステム記録要求ＣＳ−Ａ−２３をカタログシステムＣＳに送信し、そこでカタログシステム記録要求受信手段ＣＳ−Ａ−２５により受信される。カタログシステム記録要求パラメータＣＳ−Ａ−２４は、信号ノード・カタログ・ラベルＳＮ−Ｔ−１、信号ノード・カタログ名ＳＮ−Ａ−１４および／または信号ノード・カタログ記述ＳＮ−Ａ−３で検索するための検索または探索パラメータ、例えば信号ノード・カタログ・キーワードＳＮ−Ａ−１１を備えることができる。探索パラメータは、検索を特定のタイプの信号、信号ノードの場所、可用性の状態、例えばコストまたは要件、信号の更新頻度、精度等に狭めるためのフィルタ値も備えることができる。パラメータは、固有の信号ノードから１つまたは複数の固有の信号の探索を試行するための固有の信号ノード・カタログ・ラベルＳＮ−Ｔ−１または他の固有の参照も備えることができる。当業者には理解されるように、データベース内の記録を検索するための多数の方法およびアルゴリズムは公知であり、そのためここではこれ以上詳しく述べない。
【０４２０】
カタログシステムＣＳはカタログシステム記録要求応答手段ＣＳ−Ａ−２６を行って、カタログシステム記録要求パラメータＣＳ−Ａ−２４に従う探索の結果であるカタログシステム記録ＣＳ−Ａ−２２をクライアント・ノード・オペレーティングエンティティＣＮＯＥに返す。クライアント・ノード・オペレーティングエンティティＣＮＯＥはその結果を評価し、場合によってはカタログシステム記録要求ＣＳ−Ａ−２３を調整して、新しいカタログシステム記録ＣＳ−Ａ−２２セットを引き出す。
【０４２１】
クライアント・ノード・オペレーティングエンティティＣＮＯＥがサブスクライブするべき信号を決めたら、カタログシステム切り替え要求ＣＳ−Ｔ−４０をカタログシステムＣＳのカタログシステム切り替え要求受信手段ＣＳ−Ｔ−３３に送信する。カタログシステム切り替え要求ＣＳ−Ｔ−４０は、例えば、信号ノード・カタログ・ラベルＳＮ−Ｔ−１または所望の信号の他の参照を備えることができる。カタログシステムＣＳは、識別された信号に従って参照またはリンクを求める要求を分配システムＤＳに送信するカタログシステム切り替えリンク要求手段ＣＳ−Ｔ−２７を行うことによって進行し、例えば、分配システムＤＳとカタログシステムＣＳとの間で信号ノード・カタログ・ラベルＳＮ−Ｔ−１または既知の別の参照を転送する。
【０４２２】
カタログシステムＣＳのカタログシステム切り替えリンク受信手段ＣＳ−Ｔ−２９は要求される信号ノード分配システム参照ＳＮ−Ａ−１８を受信し、カタログシステム切り替え要求応答手段ＣＳ−Ｔ−３２は受信した信号ノード分配システム参照ＳＮ−Ａ−１８をクライアント・ノード・オペレーティングエンティティＣＮＯＥに転送する。
【０４２３】
セキュリティ上の理由で好適な実施形態における分配システムＤＳは一般に自発的な要求についてはアクセスできないため、カタログシステムＣＳは特別な参照またはリンク、例えばユニフォーム・リソース・ロケータ（ＵＲＬ）を、場合によっては真正性の理由のために符号化された情報を有する追加クエリ文字列とともに取得し、これをクライアント・ノード・オペレーティングエンティティＣＮＯＥが使って、分配システムＤＳとコンタクトを取ることができる。換言すると、好適な実施形態では、分配システムのみがサブスクリプション要求を処理することができるが、カタログシステムのみが、一般的な、例えば公共の信号発見に利用できる。それにより、サブスクリプション要求を分配システムに渡す方法が必要になる。説明されるこの実施形態では、これは特別なリンクを分配システムに渡すことによって実現することができ、潜在的な加入者が分配システムに直接コンタクトを取ることを可能にする。一実施形態において、カタログシステムはさらにサブスクリプションプロセスのプロキシとしても機能し、またはそれを行うこともある。一実施形態において、例えば１つまたは少数の既知のユーザしかない小規模の信号通信システム、またはある組織の閉じたＩＴシステムなどの限定された環境では、クライアント・ノード・オペレーティングエンティティは、カタログシステムによって渡される信号ノード分配システム参照がなくても、指定される信号をサブスクライブするために分配システムに直接コンタクトを取ることが許されてもよい。
【０４２４】
図３５の実施形態では、これで、クライアント・ノード・オペレーティングエンティティＣＮＯＥは提供された信号ノード分配システム参照ＳＮ−Ａ−１８を使って、分配システムＤＳとコンタクトを取り、各信号ＳＧに関して合意を締結する。分配システムＤＳはそれ以上検討することなく要求をただ受け入れることができ、または好適な実施形態では、クライアント・ノード・オペレーティングエンティティＣＮＯＥ、クライアント・ノードＣＮ、要求される信号ＳＧの特性、要求に従う信号分配に関わる見積分配コスト、等に関して要求を評価することもできる。評価フェーズはさらに複数の工程を有してもよく、例えば、要求されるパラメータおよび任意のパラメータまたは要求されるパラメータもしくは任意のパラメータを用いてサブスクリプションをセットアップするために、折衝フェーズ、情報交換フェーズ、等を備えることができる。特に、分配システムＤＳは、ある時点で、クライアント・ノード・オペレーティングエンティティＣＮＯＥが信号ＳＧを配信することを望む特定のクライアント・ノードＣＮのネットワークアドレスまたは他のコンタクト情報を受信するべきであり、これをクライアント・ノード識別情報ＣＮ−Ａ−１６として分配システム・アイデンティティ・レジスタＤＳ−Ａ−１８に格納することができる。
【０４２５】
合意が締結されたら、分配システムＤＳは分配システム信号分配ラベル生成手段ＤＳ−Ｔ−３２を行って、各信号ＳＧに関連付けられている信号分配ラベルＳＧ−Ｔ−２を生成し、分配システム信号表現切り替えパラメータ記録登録手段ＤＳ−Ｔ−３７を行って、分配システム信号表現切り替えパラメータ記録ＤＳ−Ｔ−３５を確立して、分配システム切り替え制御レジスタＤＳ−Ｔ−４５に格納する。分配システム信号表現切り替えパラメータ記録ＤＳ−Ｔ−３５は、上記述べたように、信号ノードＳＮとクライアント・ノードＣＮとの信号の切り替えで使用するために、信号注入ラベルＳＧ−Ｔ−４と信号分配ラベルＳＧ−Ｔ−２とのマッピングを備える。
【０４２６】
最後に、分配システムは生成された信号分配ラベルＳＧ−Ｔ−２をクライアント・ノードＣＮに送信し、そこで信号分配ラベル受信手段ＳＧ−Ｔ−３により受信される。分配システムＤＳとクライアント・ノードＣＮとの間の通信のセットアップは、好ましくは、例えば認証、例えば２要素認証、暗号特性、例えば公開鍵のやり取り等に関わるさらなる工程を含むことができる。
【０４２７】
代替実施形態において、クライアント・ノードＣＮは信号分配ラベルＳＧ−Ｔ−２を生成し、それを、切り替えで使用するための分配システム信号表現切り替えパラメータ記録ＤＳ−Ｔ−３５に格納するために、分配システムＤＳに送信する。
【０４２８】
切り替え、図３６
図３６は、信号ＳＧが信号ノードＳＮからクライアント・ノードＣＮに伝送されるときに、分配システムＤＳで行われる切り替えを示すシーケンス図である。クライアント・ノードＣＮから信号ノードＳＮに伝送される信号にも同じことが準用される。
【０４２９】
上記で説明したように、信号ノードＳＮは、信号表現ＳＧ−Ａ−１および各信号ＳＧのハンドルである信号注入ラベルＳＧ−Ｔ−４を備える注入トランスポート表現ＩＴ−Ｔ−２を確立する。注入トランスポート表現ＩＴ−Ｔ−２は注入トランスポート・チャネルＩＴ−Ｔ−１で分配システムＤＳにトランスポートされる。分配システムＤＳは分配システム注入トランスポート表現解釈手段ＤＳ−Ｔ−２４を行って、主に信号注入ラベルＳＧ−Ｔ−４を発見するために注入トランスポート表現ＩＴ−Ｔ−２を解釈する。
【０４３０】
分配システムＤＳの分配システム信号表現切り替えパラメータ記録ＤＳ−Ｔ−３５に格納されている関連信号注入ラベルＳＧ−Ｔ−４および信号分配ラベルＳＧ−Ｔ−２に基づき、分配システム信号表現切り替え手段ＤＳ−Ｔ−３４は、信号表現ＳＧ−Ａ−１をクライアント・ノードＣＮにトランスポートするのにどの信号分配ラベルＳＧ−Ｔ−２を使用するべきかを決定する。例えば分配システム・アイデンティティ・レジスタＤＳ−Ａ−１８または分配システム信号表現切り替えパラメータ記録ＤＳ−Ｔ−３５において、当該信号分配ラベルＳＧ−Ｔ−２は当該クライアント・ノードＣＮに関連付けられる。
【０４３１】
どの信号分配ラベルＳＧ−Ｔ−２かを決定したら、好ましくはそれにより信号表現ＳＧ−Ａ−１を伝送するべきクライアント・ノードＣＮを決定したら、分配システム分配トランスポート表現手段ＤＳ−Ｔ−１８は、各クライアント・ノードＣＮ用の信号表現ＳＧ−Ａ−１および対応する信号分配ラベルＳＧ−Ｔ−２を備える分配トランスポート表現ＤＴ−Ｔ−２を確立する。
【０４３２】
分配トランスポート表現ＤＴ−Ｔ−２は、分配トランスポート・チャネルＤＴ−Ｔ−１で分配システムから当該クライアント・ノードＣＮに伝送される。クライアント・ノードＣＮでは、分配トランスポート表現ＤＴ−Ｔ−２は信号表現ＳＧ−Ａ−１および信号分配ラベルＳＧ−Ｔ−２に解釈されて、次いで、信号表現ＳＧ−Ａ−１は信号ＳＧに解釈され、これが処理され、例えば、クライアント・ノード・オペレーティングエンティティＣＮＯＥに利用できるようにされる。
【０４３３】
コミッショニング、図３７、図３８
新しい信号ノードＳＮは様々な方法で信号通信システムＳＣＳに登録することができる。一実施形態において、これは分配システム・アイデンティティ・レジスタＤＳ−Ａ−１８に手作業で登録され、分配システムＤＳは信号ノード・アイデンティティ・レジスタＳＮ−Ａ−２２に手作業で登録される。一実施形態において、信号ノードＳＮは、信号通信システム・ネットワークＳＣＳ−Ｎ−５に接続されると、事前に構成されているアドレスまたは発見可能なアドレスで分配システムＤＳにコンタクトを取り、登録される。
【０４３４】
好適な実施形態では、完全性および認証を維持するために、例えば信号ノードの詐欺またはデータプライバシーの違反を防止するために、信号ノードＳＮは、裏付け証拠としてさらなる確認または認証なく、それ自体を分配システムＤＳに登録することはできない。
【０４３５】
このような実施形態を図３７に示す。これは、本発明の好適な実施形態による信号ノード・コミッショニング手段ＳＮ−Ａ−１３を示すシーケンス図である。この実施形態では、信号ノードＳＮは信号ノード・ローカル・インターフェースＳＮ−Ａ−２５、例えばディスプレイを備える。信号ノード・ローカル・インターフェースＳＮ−Ａ−２５に関する情報はローカルでのみ利用でき、そのため、信号ノード・ローカル・インターフェースＳＮ−Ａ−２５から情報を転送できる人またはマシンが信号ノードＳＮの場所に存在しなければならない。この態様は、信号ノード・オペレーティングエンティティＳＮＯＥにディスプレイ上の情報を読み取らせ、それを分配システムＤＳのインターフェースにタイプすることを要求することにより、この実施形態のコミッショニング方法に利用され、分配システムＤＳは、タイプされた情報が実際にディスプレイ上に表示される情報であったことを検証するためにタイプされた情報を信号ノードＳＮに送信し、それにより信号ノード・オペレーティングエンティティＳＮＯＥが実際にそれの所有または管理する信号ノードＳＮを登録していることは、合理的に確からしいと確認される。
【０４３６】
より詳細には、コミッショニングは信号ノード・コミッショニング識別情報メッセージ生成手段ＳＮ−Ａ−７を使って信号ノードＳＮから始めて、信号ノード・コミッショニング識別情報メッセージＳＮ−Ａ−４を生成し、これは単語、ＰＩＮコード、例えば６桁もしくは８桁、文字と数字のシーケンス、絵、例えばＱＲコード、等とすることができる。信号ノード・コミッショニング識別情報メッセージＳＮ−Ａ−４は、好ましくは、ランダムもしくは擬似ランダムであり、すなわち、実際的に予測不可能であり、またはランダム情報と信号ノードＳＮに関する情報、例えばネットワークアドレス、連続番号、等との組み合わせを備える。
【０４３７】
信号ノードＳＮは信号ノード・コミッショニング識別情報メッセージ指示手段ＳＮ−Ａ−８を使って、信号ノード・ローカル・インターフェースＳＮ−Ａ−２５上に信号ノード・コミッショニング識別情報メッセージＳＮ−Ａ−４を表示する。メッセージは、様々な実施形態において、ユーザとの対話があると、例えばボタンを押すと、またはネットワークに最初に接続されたときに自動的に、表示され、または生成されて表示される。メッセージは、コミッショニングが終了するまで表示され、または限定期間に限り表示されて、最初にコミッショニングに行われなかった場合、新しい対話を再び表示するよう要求する。
【０４３８】
信号ノード・オペレーティングエンティティＳＮＯＥ、例えば、信号ノードＳＮを設置するオーナー、ユーザ、管理者またはサービス技術者は、それにより、その人がローカルに存在していれば、信号ノード・ローカル・インターフェースＳＮ−Ａ−２５上で信号ノード・コミッショニング識別情報メッセージＳＮ−Ａ−４を読み取ることができる。一実施形態において、信号ノード・オペレーティングエンティティＳＮＯＥはマシン、例えば、コンピュータ、例えばホーム・オートメーション・コントローラ、プロセス・コントローラ、データ取得ハブ、等とすることができ、信号ノード・ローカル・インターフェースはローカル通信のためのマシン間通信インターフェースとすることができる。
【０４３９】
この実施形態によると、信号ノード・オペレーティングエンティティＳＮＯＥは分配システムＤＳのインターフェース、例えばウェブサイトを使って、信号ノード・コミッショニング識別情報メッセージＳＮ−Ａ−４を分配システムＤＳに入力する。分配システムＤＳのインターフェースは、例えば、信号ノードおよび信号ノード・オペレーティングエンティティに関する様々な詳細、例えば信号ノードの名前、アドレス、場所、信号通信システムのユーザ・アカウント、等を登録するためのスマートフォンの信号ノード登録ウェブサイトまたは信号ノード管理アプリである。一実施形態において、インターフェースは信号ノード・コミッショニング識別情報メッセージＳＮ−Ａ−４を入力するためにのみ使用される。
【０４４０】
分配システムＤＳは信号ノード・コミッショニング識別情報メッセージ確認ＳＮ−Ａ−５を信号ノードＳＮに伝送し、そこで信号ノード・コミッショニング識別情報メッセージ確認受信手段ＳＮ−Ａ−６により受信される。信号ノード・コミッショニング識別情報メッセージ確認ＳＮ−Ａ−５は、単に信号ノード・コミッショニング識別情報メッセージＳＮ−Ａ−４のコピーであってもよく、またはそれから導出されてもよく、もしくはそれに加えてより多くの情報を備えてもよい。分配システムＤＳは信号ノードＳＮに伝送することができるのに十分な情報、例えばネットワークアドレスを、信号ノード・オペレーティングエンティティＳＮＯＥから、信号ノード・コミッショニング識別情報メッセージＳＮ−Ａ−４から、最初にネットワークに接続したときに信号ノードＳＮ自体から、または他の手段によって受信していることもある。
【０４４１】
信号ノードＮＳは信号ノード・コミッショニング識別情報メッセージ検証手段ＳＮ−Ａ−９を行って、分配システムＤＳから受信した信号ノード・コミッショニング識別情報メッセージ確認ＳＮ−Ａ−５が、信号ノード・ローカル・インターフェースＳＮ−Ａ−２５に表示された信号ノード・コミッショニング識別情報メッセージＳＮ−Ａ−４と同一か、またはそれから導出されたものであるかどうかを検証する。新たに登録を試みさせることによって発見されることがあるタイプミスを無視して、間違った信号ノード・コミッショニング識別情報メッセージ確認ＳＮ−Ａ−５は、信号ノードＳＮをコミッショニングしようと試みる信号ノード・オペレーティングエンティティＳＮＯＥが、信号ノードＳＮの場所にローカルに存在していない、それによって誰でもありうることを意味する。他方で、正確な信号ノード・コミッショニング識別情報メッセージ確認ＳＮ−Ａ−５は、信号ノードを登録しようとする人が、正しいコードをタイプした信号ノードと同じ場所にいる可能性が非常に高く、それによって高確率でそうすることが許され、それにより高確率で固有の信号ノードのコミッショニングも認められることを意味する。換言すると、ほとんどの実際の目的において、この実施形態は十分に信頼性がありセキュアなコミッショニング手段を提供する。
【０４４２】
受信した信号ノード・コミッショニング識別情報メッセージ確認ＳＮ−Ａ−５が受け入れられるかどうかを検証した後、信号ノードＳＮは信号ノード・コミッショニング確認伝送手段ＳＮ−Ａ−２によって分配システムに応答し、それにより信号ノード・コミッショニング確認ＳＮ−Ａ−１は分配システムＤＳに送信される。
【０４４３】
信号ノード・コミッショニング確認ＳＮ−Ａ−１が受け入れられる場合、信号ノードＳＮは分配システムＤＳによって承認されることができる。
承認後、好適な実施形態では、様々な情報を信号ノードＳＮと分配システムＤＳとの間でやり取りすることができ、例えば、信号ノード識別情報ＳＮ−Ａ−２３および分配ノード識別情報ＤＳ−Ａ−１９のやり取り、信号ノード注入トランスポート識別情報ＳＮ−Ｔ−４および分配システム注入トランスポート識別情報ＤＳ−Ｔ−２２のやり取り、信号ノード注入トランスポート表現特性ＳＮ−Ｔ−１０および分配システム注入トランスポート表現特性ＤＳ−Ｔ−２６のやり取り、等である。やり取りされる様々な情報は、信号注入ラベルＳＧ−Ｔ−４および信号ノード・カタログ・ラベルＳＮ−Ｔ−１も備えることができる。
【０４４４】
代替実施形態において、信号ノードＳＮは信号ノード・コミッショニング識別情報メッセージＳＮ−Ａ−４を生成して、それを分配システムＤＳに伝送するとともに、それを信号ノード・ローカル・インターフェースＳＮ−Ａ−２５に表示し、それにより分配システムＤＳは検証を行うことができる。
【０４４５】
代替実施形態において、分配システムＤＳは識別情報メッセージを生成して、それを信号ノードＳＮに伝送し、信号ノードＳＮが信号ノード・ローカル・インターフェース上にそれを表示する。分配システムＤＳは、信号ノード・オペレーティングエンティティＳＮＯＥが今度は信号ノードのディスプレイ上に表示されるメッセージをタイプすることができるかどうかを検証する。
【０４４６】
新しいクライアント・ノードＣＮは、信号ノードＳＮと同様に、または異なるように、様々な方法で信号通信システムＳＣＳに登録することができる。一実施形態において、これは分配システム・アイデンティティ・レジスタＤＳ−Ａ−１８に手作業で登録され、分配システムＤＳはクライアント・ノード・アイデンティティ・レジスタＣＮ−Ａ−１４に手作業で登録される。一実施形態において、クライアント・ノードＣＮは、信号通信システム・ネットワークＳＣＳ−Ｎ−５に接続すると、事前に構成されているアドレスまたは発見可能なアドレスで分配システムＤＳにコンタクトを取り、登録される。
【０４４７】
好適な実施形態において、完全性および認証を維持するために、例えば、詐欺またはデータプライバシーの違反を防止するために、クライアント・ノードＣＮは、裏付け証拠としてさらなる確認または認証なく、それ自体を分配システムＤＳに登録することはできない。
【０４４８】
このような実施形態を図３８に示す。これは、本発明の好適な実施形態によるクライアント・ノード・コミッショニング手段ＣＮ−Ａ−９を示すシーケンス図である。この実施形態では、クライアント・ノードＣＮはクライアント・ノード・ローカル・インターフェースＣＮ−Ａ−１７、例えば、ディスプレイを備える。クライアント・ノード・ローカル・インターフェースＣＮ−Ａ−１７に関する情報はローカルでのみ入手でき、そのため、クライアント・ノード・ローカル・インターフェースＣＮ−Ａ−１７から情報を転送することのできる人またはマシンがクライアント・ノードＣＮの場所に存在しなければならない。この態様をこの実施形態のコミッショニング手段が利用し、クライアント・ノード・オペレーティングエンティティＣＮＯＥにディスプレイ上の情報を読み取らせ、その情報を分配システムのインターフェースにタイプするように要求し、その情報が実際にディスプレイに表示された情報であることを検証するために、分配システムがその情報をクライアント・ノードに送信し、それにより、クライアント・ノード・オペレーティングエンティティＣＮＯＥが実際にそれの所有または管理するクライアント・ノードＣＮを登録していることは、合理的に確からしいと確認される。
【０４４９】
より詳細には、コミッショニングは、クライアント・ノードＣＮがクライアント・ノード・コミッショニング識別情報メッセージ生成手段ＣＮ−Ａ−５を使って、クライアント・ノード・コミッショニング識別情報メッセージＣＮ−Ａ−２を生成することから始まり、これは単語、ＰＩＮコード、例えば６桁もしくは８桁、文字と数字のシーケンス、絵、ＱＲコード、等とすることができる。クライアント・ノード・コミッショニング識別情報メッセージＣＮ−Ａ−２は、好ましくはランダムまたは疑似ランダムであり、すなわち実際的に予測不可能であり、またはランダム情報とクライアント・ノードＣＮに関する情報、例えばネットワークアドレス、連続番号、等との組み合わせを備える。
【０４５０】
クライアント・ノードＣＮはクライアント・ノード・コミッショニング識別情報メッセージ指示手段ＣＮ−Ａ−６を使って、クライアント・ノード・ローカル・インターフェースＣＮ−Ａ−１７上にクライアント・ノード・コミッショニング識別情報メッセージＣＮ−Ａ−２を表示する。メッセージは、様々な実施形態において、ユーザとの対話があると、例えば、ボタンを押すと、または最初にネットワークに接続されたときに自動的に、表示され、または生成されて表示される。メッセージは、コミッショニングが終了するまで、または限定期間に限り表示されて、最初にコミッショニングが行われなかった場合、新しい対話を再び表示するように要求する。
【０４５１】
クライアント・ノード・オペレーティングエンティティＣＮＯＥ、例えばクライアント・ノードＣＮを分配システムに接続するのを試みるオーナー、ユーザ、管理者またはサービス技術者は、それにより、その人がローカルに存在していれば、クライアント・ノード・ローカル・インターフェースＣＮ−Ａ−１７上のクライアント・ノード・コミッショニング識別情報メッセージＣＮ−Ａ−２を読み取ることができる。一実施形態において、クライアント・ノード・オペレーティングエンティティＣＮＯＥはマシン、例えばコンピュータ、例えばウェブ・サーバ、ホーム・オートメーション・コントローラ、プロセス・コントローラ、データ取得ハブ、等とすることができ、クライアント・ノード・ローカル・インターフェースはローカル通信のためのマシン間通信インターフェースとすることができる。
【０４５２】
この実施形態によると、クライアント・ノード・オペレーティングエンティティＣＮＯＥは分配システムＤＳのインターフェース、例えばウェブサイトを使って、クライアント・ノード・コミッショニング識別情報メッセージＣＮ−Ａ−２を分配システムＤＳに入力する。分配システムＤＳのインターフェースは、例えば、クライアント・ノードおよびクライアント・ノード・オペレーティングエンティティに関する様々な詳細、例えば、クライアント・ノードの名前、アドレス、場所、信号通信システムのユーザ・アカウント、等を登録するためのスマートフォンのクライアント・ノード登録ウェブサイトまたはクライアント・ノード管理アプリである。一実施形態において、インターフェースはクライアント・ノード・コミッショニング識別情報メッセージＣＮ−Ａ−２を入力するためにのみ使用する。一実施形態において、代わりにカタログシステムＣＳのインターフェースを使用する。
【０４５３】
分配システムＤＳはクライアント・ノード・コミッショニング識別情報メッセージ確認ＣＮ−Ａ−３をクライアント・ノードＣＮに伝送し、そこでクライアント・ノード・コミッショニング識別情報メッセージ確認受信手段ＣＮ−Ａ−４により受信される。クライアント・ノード・コミッショニング識別情報メッセージ確認ＣＮ−Ａ−３は、単にクライアント・ノード・コミッショニング識別情報メッセージＣＮ−Ａ−２のコピーであってもよく、またはそれから導出されてもよく、もしくはそれに加えてより多くの情報を備えてもよい。分配システムＤＳはクライアント・ノードＣＮに伝送することができるのに十分な情報、例えば、ネットワークアドレスを、クライアント・ノード・オペレーティングエンティティＣＮＯＥから、クライアント・ノード・コミッショニング識別情報メッセージＣＮ−Ａ−２から、ネットワークに最初に接続したときにクライアント・ノードＣＮ自体から、または他の手段によって、受信していることもある。
【０４５４】
クライアント・ノードＣＮはクライアント・ノード・コミッショニング識別情報メッセージ検証手段ＣＮ−Ａ−８を行って、分配システムＤＳから受信したクライアント・ノード・コミッショニング識別情報メッセージ確認ＣＮ−Ａ−３が、クライアント・ノード・ローカル・インターフェースＣＮ−Ａ−１７上に表示されたクライアント・ノード・コミッショニング識別情報メッセージＣＮ−Ａ−２と同一であるか、またはそれから導出されたものであるかどうかを検証する。新たに登録を試みさせることによって発見されることがあるタイプミスを無視して、間違ったクライアント・ノード・コミッショニング識別情報メッセージ確認ＣＮ−Ａ−３は、クライアント・ノードＣＮをコミッショニングしようと試みるクライアント・ノード・オペレーティングエンティティＣＮＯＥがクライアント・ノードＣＮの場所にローカルに存在していない、それによって誰でもありうることを意味する。他方で、正確なクライアント・ノード・コミッショニング識別情報メッセージ確認ＣＮ−Ａ−３は、クライアント・ノードを登録しようとする人が、正しいコードをタイプしたクライアント・ノードと同じ場所にいる可能性が高く、それによって高確率でそうすることが許され、それにより高確率で固有のクライアント・ノードのコミッショニングも認められることを意味する。換言すると、ほとんどの実際的な目的において、この実施形態は十分に信頼性がありセキュアなコミッショニング手段を提供する。
【０４５５】
受信したクライアント・ノード・コミッショニング識別情報メッセージ確認ＣＮ−Ａ−３が受け入れられるかどうかを検証した後、クライアント・ノードＣＮはクライアント・ノード・コミッショニング確認伝送手段ＣＮ−Ａ−１１により分配システムに応答し、それによりクライアント・ノード・コミッショニング確認ＣＮ−Ａ−１は分配システムＤＳに送信される。
【０４５６】
クライアント・ノード・コミッショニング確認ＣＮ−Ａ−１が受け入れられる場合、クライアント・ノードＣＮは分配システムＤＳにより承認されることができる。
承認後、好適な実施形態では、様々な情報を信号ノードＣＮと分配ノードＤＳとの間でやり取りすることができ、例えば、クライアント・ノード識別情報ＣＮ−Ａ−１６および分配ノード識別情報ＤＳ−Ａ−１９のやり取り、クライアント・ノード分配トランスポート識別情報ＣＮ−Ｔ−３および分配システム分配トランスポート識別情報ＤＳ−Ｔ−１５のやり取り、クライアント・ノード分配トランスポート表現特性ＣＮ−Ｔ−９および分配システム分配トランスポート表現特性ＤＴ−Ｔ−３のやり取り、等である。やり取りされる様々な情報は、信号分配ラベルＳＧ−Ｔ−２も備えることができる。
【０４５７】
代替実施形態では、クライアント・ノードＣＮはクライアント・ノード・コミッショニング識別情報メッセージＣＮ−Ａ−２を生成して、それを分配システムＤＳに伝送するとともに、クライアント・ノード・ローカル・インターフェースＣＮ−Ａ−１７にそれを表示し、それにより分配システムＤＳは検証を行うことができる。
【０４５８】
代替実施形態では、分配システムＤＳが識別情報メッセージを生成して、それをクライアント・ノードＣＮに伝送し、クライアント・ノードＣＮがそれをクライアント・ノード・ローカル・インターフェース上に表示する。分配システムＤＳは、クライアント・ノード・オペレーティングエンティティが今度はクライアント・ノードのディスプレイに表示されるメッセージをタイプできるかどうかを検証する。
【０４５９】
アイデンティティ・レジスタ、図３９、図４０、図４１ａ、図４１ｂ
上記で説明したように、信号ノードＳＮ、分配システムＤＳおよびクライアント・ノードＣＮは、好ましくは、公開鍵暗号法を使用して、通信を保護し、および／または対称性暗号化のキーを共有することができる。様々な好適な実施形態では、互いに通信するパーティ、例えば、信号ノードと分配システム、または分配システムとクライアント・ノードには、互いのアイデンティティを認証または検証できることも要求される。好適な実施形態では、このような認証または同様なものを、例えば個別のキーを用いて、複数の層、例えばアプリケーション層、トランスポート層およびネットワーク層、またはそれらのサブセットに別々に適用する。様々な好適な実施形態では、パーティが通信に参加する認可は、例えば契約の終了時に、撤回可能とすることができ、別の当事者の認可を検証できることが必要となる。
【０４６０】
これらの信頼問題および要件を満たすためのツールを促進するために、本発明の実施形態は、好ましくは、アイデンティティ・レジスタＩＲを備え、例えば、パーティの証明と、その後の検証および証明の失効を可能にする公開鍵基盤ＰＫＩを完全にまたは一部備える。したがって、アイデンティティ・レジスタＩＲは統合された１つのエンティティであってもよく、または地理的におよび機能的に（その両方もしくは一方により）分散され、さらにはパーティの１つまたは複数に、例えば分配システムＤＳにも分散されてもよい。公開鍵基盤は、例えば、例えば認証局アプローチ、信用の輪アプローチ、単純なＰＫＩアプローチまたはブロック・チェーンベースのＰＫＩアプローチとして、従来のまたは将来の一般的なアプローチの１つに基づき、または単にそのうちの１つである。好適な実施形態では、アイデンティティ・レジスタＩＲは信頼できるサードパーティ、例えば商業認証局、政府機関、または全パーティによって信頼されている場合には分配システムＤＳ自体のうちの１つを伴う。信頼できるサードパーティは、好ましくは、パーティにデジタル証明書を発行するタスク、または少なくとも自己署名されたデジタル証明書を検証するタスク、有効なデジタル署名および無効にされたデジタル証明書のレジスタを保持するタスクが与えられ、デジタル証明書の検証または無効化の要求に応答することができる。デジタル証明書は公開鍵とパーティとの関係、例えば信号ノードＳＮの信号ノード識別情報ＳＮ−Ａ−２３と信号ノード・アイデンティティＳＮ−Ａ−２１との関係を証明する。
【０４６１】
例えば、固有の信号ノードＳＮのデジタル証明書は、信号ノード識別情報ＳＮ−Ａ−２３、例えばデジタル証明書に関連付けられている公開鍵に基づいて暗号化されたメッセージを解読できるエンティティが、その固有の信号ノードＳＮであると信頼されなければならないことを証明する。その固有の信号のＳＮだけがその固有の信号ノード・アイデンティティＳＮ−Ａ−２１、例えばその固有のデジタル証明書の公開鍵と協働する秘密鍵を所有している。そのため、アイデンティティ・レジスタＩＲを用いて、固有のパーティと一定の公開鍵、すなわち識別情報との関連付けを検証することにより、認証を行うことができ、それから、その固有のパーティにその公開鍵に基づいて暗号化された小さなメッセージを解読するか、または小さなメッセージを暗号化して、さらにそれをその秘密鍵、すなわちアイデンティティに基づいてのみ解読できるかを試す。信号の完全性およびプライバシーは、受取人の暗号化用の公開鍵を使用し、それによって、解読を成功させるために受取人自体の秘密鍵を要することによって達成することができる。好ましくは、信号ノード、分配システム、およびクライアント・ノードのすべてがアイデンティティ・レジスタＩＲと通信して、それ自体を登録し、証明書を受信し、他のパーティのアイデンティティを検証する。アイデンティティ・レジスタＩＲは複数のサービスプロバイダを備えてもよいことは留意される。例えば、一実施形態において、各パーティがその通信のために当該認証局のすべてを信頼している限り、パーティのうちの１つまたは複数、例えば信号ノード、分配システムまたはクライアント・ノードは、自身のデジタル証明書について、他のパーティのうちの１つまたは複数、例えば別の信号ノードとは異なる認証局を使用することができる。
【０４６２】
図３９は、アイデンティティ・レジスタＩＲ、多数の信号ノードＳＮ、多数のクライアント・ノードＣＮ、分配システムＤＳおよびカタログシステムＣＳを有する信号通信システムＳＣＳの一実施形態を示す。上記の説明に従い、信号通信システム・エンティティのそれぞれは、好ましくは、異なる層で、または異なるパーティと通信するために、異なるカテゴリの多数の識別情報ＩＮ−Ａ−１を備える。例えば、信号通信システム・エンティティのそれぞれは、好ましくは、エンティティ識別情報ＥＮ−Ａ−１、エンティティ・トランスポート識別情報ＥＮ−Ｔ−１および信号通信システム・ネットワーク識別情報ＳＣＳ−Ｎ−２を備える。アイデンティティ・レジスタＩＲはシステム・エンティティのこのような識別情報を多数、好ましくは、システム内で使用されるすべての識別情報を備える。好適な実施形態では、アイデンティティ・レジスタＩＲはシステム中で使用される識別情報を生成し、またはその生成を促し、それによりそのすべてを把握している。
【０４６３】
図３９に示すより具体的な実施形態では、アイデンティティ・レジスタＩＲは、アイデンティティ・レジスタ・アイデンティティＩＲ−Ａ−７および対応するアイデンティティ・レジスタ識別情報ＩＲ−Ａ−１を備えるものとして示されている。これら２つの特性は他のエンティティに対してアイデンティティ・レジスタを認証するとき、完全性の保護およびアイデンティティ・レジスタＩＲとの通信の暗号化のために使用される。一実施形態において、アイデンティティ・レジスタ・アイデンティティＩＲ−Ａ−７は秘密鍵と、非対称性暗号システムに関連する鍵ペアの公開鍵であるアイデンティティ・レジスタ識別情報ＩＲ−Ａ−１とを備えることができる。図３９の南京錠は、好適な実施形態で非公開に保たれるアイデンティティを示す。
【０４６４】
アイデンティティ・レジスタＩＲによって格納される識別情報ＩＮ−Ａ−１の中には、例えば図３９に示されるように、分配システム識別情報ＤＳ−Ａ−１９があり、これは例えば、分配システムＤＳによって適用される非対称性暗号システムの公開鍵とすることができる。同様に、場合によっては公開鍵で表される他の識別情報は、システム内の信号ノードＳＮに対応する多数の信号ノード識別情報ＳＮ−Ａ−２３、システム内のクライアント・ノードＣＮに対応する多数のクライアント・ノード識別情報ＣＮ−Ａ−１６、およびカタログシステム識別情報ＣＳ−Ａ−３３とすることができる。トランスポート層について、アイデンティティ・レジスタＩＲは、例えば、分配システム注入トランスポート識別情報ＤＳ−Ｔ−２２と分配システム分配トランスポート識別情報ＤＳ−Ｔ−１５とを備えることができ、いずれも分配システム・トランスポート識別情報ＤＳ−Ｔ−４６の識別情報サブカテゴリに属する。アイデンティティ・レジスタＩＲは、例えば、多数の信号ノード注入トランスポート識別情報ＳＮ−Ｔ−４、多数のクライアント・ノード分配トランスポート識別情報ＣＮ−Ｔ−３、およびカタログシステム・トランスポート識別情報ＣＳ−Ｔ−３４をさらに備える。
【０４６５】
アイデンティティ・レジスタＩＲは、好ましくは、さらに識別情報ＩＮ−Ａ−１も格納し、例えば、ネットワーク層の通信のための信号通信システム・ネットワーク識別情報ＳＣＳ−Ｎ−２、信号ノード・オペレーティングエンティティ識別情報ＳＮＯＥ−Ａ−１、クライアント・ノード・オペレーティングエンティティ識別情報ＣＮＯＥ−Ａ−１、分配システム・オペレーティングエンティティ識別情報ＤＳＯＥ−Ａ−３、カタログシステム・オペレーティングエンティティ識別情報ＣＳＯＥ−Ａ−１、信号ノード・ベンダ識別情報ＳＮＶ−Ａ−１、クライアント・ノード・ベンダ識別情報ＣＮＶ−Ａ−１、等々も格納する。
【０４６６】
アイデンティティ・レジスタＩＲは、一実施形態において、様々な信号通信システム・エンティティ、例えば信号ノードＳＮ、クライアント・ノードＣＮ、等が、他のエンティティから受信した識別情報の有効性について問い合わせるために使用するために、信号通信システム・エンティティＩＶ−Ａ−１を検証するアイデンティティを備える。これにより、アイデンティティ・レジスタ識別情報有効性検証手段ＩＲ−Ａ−４によって、識別情報の有効性を確認または拒否することを促進され、例えば識別情報がアイデンティティ・レジスタＩＲによって適切に署名されていて、失効リストに載っていないことを確認することによって、または有効性検証要求を例えば認証局に中継することによって行う。
【０４６７】
アイデンティティ・レジスタＩＲが様々なエンティティのために識別情報ＩＮ−Ａ−１の生成に参加する実施形態では、アイデンティティ・レジスタはアイデンティティ・レジスタ・アイデンティティ表現受信手段ＩＲ−Ａ−２を備えることができ、これをアイデンティティ・レジスタＩＲがエンティティ、例えば信号ノード等から、アイデンティティ表現ＩＤ−Ａ−２を受信するために使用する。アイデンティティ表現ＩＤ−Ａ−２は、例えば、マシン型エンティティについては、製造番号、名前、ネットワークアドレスもしくはＵＲＬ、ドメイン名等、または人型エンティティについては、パスポート、ＩＤカード、名前、およびアドレス等とすることができる。代わりに、アイデンティティ表現ＩＤ−Ａ−２は、アイデンティティ・レジスタまたはアイデンティティ・レジスタが信頼する別の認証局から、以前に発行された識別情報、例えばデジタル署名とすることもできる。
【０４６８】
アイデンティティ・レジスタＩＲは、好適な実施形態では、受信したアイデンティティ表現ＩＤ−Ａ−２を検証するためのアイデンティティ・レジスタ・アイデンティティ表現検証手段ＩＲ−Ａ−３をさらに備える。好適な実施形態では、前記アイデンティティ表現ＩＤ−Ａ−２とは異なる１つまたは複数のアイデンティティ特性ＩＤ−Ａ−１に対してこれを行う。アイデンティティ特性ＩＤ−Ａ−１は、例えば、ＰＩＮコード、パスワード、デジタルキー、異なるタイプの第２アイデンティティ表現、等とすることができる。好ましくは、アイデンティティ特性ＩＤ−Ａ−１は、アイデンティティ表現ＩＤ−Ａ−２とは異なる方法で、例えば２要素認証を介して等で受信される。
【０４６９】
要求するエンティティのために新しい識別情報ＩＮ−Ａ−１を生成するために、アイデンティティ・レジスタＩＲは、好適な実施形態では、アイデンティティ・レジスタ識別情報生成手段ＩＲ−Ａ−６を備えることができる。この手段は、例えば要求するエンティティの名前に公開鍵を備えるデジタル証明書を生成して署名することにより、受信したアイデンティティ表現ＩＤ−Ａ−２から識別情報ＩＮ−Ａ−１を生成するように構成される。アイデンティティ・レジスタＩＲは、好ましくは、生成された識別情報をそれ自体に格納し、好ましくは、それを要求するエンティティに伝送する。
【０４７０】
図４０は、さらに識別情報に関係する本発明による信号通信システムの一実施形態を示す。図示されているのは、信号ノードＳＮ、クライアント・ノードＣＮ、分配システムＤＳおよびカタログシステムＣＳであり、すべてアイデンティティ・レジスタＩＲに接続されている。アイデンティティ・レジスタＩＲは、上記で説明したように、信号通信システム・エンティティを検証するアイデンティティＩＶ−Ａ−１を備える。各エンティティは多数の識別情報ＩＮ−Ａ−１を備え、そのうちのいくつかは上記で説明したようにアイデンティティ・レジスタＩＲにも格納される。図３９と同様、南京錠は、好適な実施形態では非公開に保たれるアイデンティティ、例えば非対称性暗号システムの秘密鍵を示す。
【０４７１】
信号ノードＳＮは、信号ノード・アイデンティティＳＮ−Ａ−２１を対応する信号ノード識別情報ＳＮ−Ａ−２３とともに格納する信号ノード・アイデンティティ・レジスタＳＮ−Ａ−２２を有する。上記で説明したように、信号ノード識別情報ＳＮ−Ａ−２３は、好ましくは、アイデンティティ・レジスタにも格納される。信号ノード・アイデンティティ・レジスタは、多数のクライアント・ノード識別情報ＣＮ−Ａ−１６および分配システム識別情報ＤＳ−Ａ−１９をさらに備える。それにより、信号ノードは、クライアント・ノードＣＮおよび分配システムＤＳとの通信の認証、完全性保護、暗号化等を行うことができる。
【０４７２】
トランスポート層レベルでは、信号ノードＳＮは、好ましくは非公開の信号ノード注入トランスポート・アイデンティティＳＮ−Ｔ−１５および対応する信号ノード注入トランスポート識別情報ＳＮ−Ｔ−４を格納する信号ノードトランスポート識別情報レジスタＳＮ−Ｔ−３をさらに有する。信号ノードトランスポート識別情報レジスタＳＮ−Ｔ−３は、トランスポート層レベルで分配システムＤＳと通信するために、分配システム注入トランスポート識別情報ＤＳ−Ｔ−２２をさらに備える。
【０４７３】
信号ノードＳＮは、好ましくは、例えばネットワーク層の通信のために、より多くの識別情報を備えるが、これは図面が複雑になるため図示していない。
信号ノードに格納される識別情報はすべて、好ましくは、図３９に図示するように、アイデンティティ・レジスタＩＲにも格納することができる。例示のために南京錠がマークされているアイデンティティは、好ましくは非公開であり、信号ノードＳＮにのみ格納される。
【０４７４】
図４０に図示されるクライアント・ノードＣＮは、一実施形態において、識別情報に関して、必要な変更を加えてシステムノードＳＮと同一にすることができる。そのため、例えば、信号ノードＣＮおよびクライアント・ノードＣＮは互いの識別情報を知っており、それを相互の非公開の通信のために、例えばシステム内での信号ＳＧの伝送のために使用することができる。そのうちのいずれかが他方の識別情報の有効性を検証しなければならないとき、その識別情報についてアイデンティティ・レジスタに問い合わせされる。カタログシステムＣＳについても同じことが概ね当てはまるが、図示される実施形態では、それ自体のアイデンティティおよび識別情報の他には、分配システム識別情報ＤＳ−Ａ−１９および分配システム・トランスポート識別情報ＤＳ−Ｔ−４６のみを格納している。
【０４７５】
分配システムＤＳも同じ原理に従い示されており、分配システム・アイデンティティ・レジスタＤＳ−Ａ−１８はそれ自体の分配システム・アイデンティティＤＳ−Ａ−１７および対応する分配システム識別情報ＤＳ−Ａ−１９を備える。さらに、アプリケーション層レベルでは、分配システム・アイデンティティ・レジスタＤＳ−Ａ−１８は多数の分配システム通信エンティティ識別情報ＤＳ−Ａ−３１を備え、そのうちのいくつかは信号ノード識別情報ＳＮ−Ａ−２３、クライアント・ノード識別情報ＣＮ−Ａ−１６およびカタログシステム識別情報ＣＳ−Ａ−３３の特別なカテゴリの下になる。
【０４７６】
トランスポート層レベルでも、分配システムＤＳは、分配システム・トランスポート・アイデンティティＤＳ−Ｔ−５０および対応する分配システム・トランスポート識別情報ＤＳ−Ｔ−４６を備える分配システム・トランスポート・アイデンティティＤＳ−Ｔ−４７を備える。一実施形態において、分配システムＤＳは、信号ノード通信用ＤＳ−Ｔ−２０、ＤＳ−Ｔ−２２とクライアント・ノード通信用ＤＳ−Ｔ−１３、ＤＳ−Ｔ−５に別々のアイデンティティおよび識別情報を備える。分配システムＤＳは、さらに、好ましくは、分配システム通信エンティティ・トランスポート識別情報ＤＳ−Ｔ−２を備え、そのうちのいくつかは信号ノード注入トランスポート識別情報ＳＮ−Ｔ−４などの固有のカテゴリにすることができる。
【０４７７】
前述したように、様々なエンティティは、好ましくは、例えば複雑になるため図示していないネットワーク層の通信に関して、より多くのアイデンティティおよび識別情報を備えてもよく、例えば、認証と暗号化に異なる識別情報を使用することができ、またはアプリケーション層レベルでエンティティ自体とその信号表現について識別情報を使用する。好適な実施形態では、上記で例示した複数の他のエンティティ、例えばオペレーティングエンティティ、ベンダ等も信号通信システムの一部であり、それぞれが多数のアイデンティティおよび識別情報に関係付けられている。
【０４７８】
図４１Ａは、識別情報の登録のための、すなわち、例えば、公開鍵基盤認証局として、アイデンティティ・レジスタのサービスの一実施形態を示す。この例では、信号ノードＳＮは、例えば信号ノードＳＮのセキュリティハードウェアに実装され、または信号ノード・ベンダＳＮＶによって提供される信号通信システム・エンティティ識別情報生成手段ＳＣＳ−Ａ−３を有して構成され、またはそれにアクセスできるので、特定の信号ノードＳＮに関連付けられる１対の信号ノード・アイデンティティＳＮ−Ａ−２１および信号ノード識別情報ＳＮ−Ａ−２３を生成する。好適な実施形態では、信号通信システム・エンティティ識別情報生成手段ＳＣＳ−Ａ−３は非対称性暗号システムに従ってアイデンティティ／識別情報ペアを生成するので、例えば、前述したように、信号ノード・アイデンティティＳＮ−Ａ−２１は秘密鍵であり、信号ノード識別情報ＳＮ−Ａ−２３は対応する公開鍵である。代替実施形態では、鍵ペアは信頼できるサードパーティ機関によって生成される。
【０４７９】
鍵ペアが取得されたら、信号ノードＳＮはアイデンティティ表現ＩＤ−Ａ−２に基づいて証明書を発行することを求める要求をアイデンティティ・レジスタＩＲに送信し、アイデンティティ・レジスタＩＲは上記で説明したようにアイデンティティ・レジスタ・アイデンティティ表現受信手段ＩＲ−Ａ−２を採用して、アイデンティティ表現ＩＤ−Ａ−２を受信する。この例では、アイデンティティ表現ＩＤ−Ａ−２は、好ましくは公開鍵であり、好ましくは生成された信号ノード識別情報ＳＮ−Ａ−２３とすることができる。
【０４８０】
アイデンティティ・レジスタＩＲはアイデンティティ・レジスタ・アイデンティティ表現検証手段ＩＲ−Ａ−３をさらに備え、これを使用してアイデンティティ表現の有効性を検証する。適用される検証の範囲は、例えば対応する秘密鍵の所有権の単なる証明から、要求者の物理特性または生体特性に基づく信頼できる人による有効性検証までと、所望の証明書有効性検証クラスによって変わってもよい。有効性検証の様々なクラスは十分に定着しており、当業者はそれにより本発明の実施形態に所望の有効性検証クラスを実装することができる。一例として、好適な実施形態では、アイデンティティ・レジスタ・アイデンティティ表現検証手段ＩＲ−Ａ−３は２つの有効性検証ポイントを行う。１つの有効性検証ポイントとして、アイデンティティ・レジスタＩＲは信号ノードＳＮとチャレンジメッセージをやり取りし、このチャレンジメッセージは、例えば、は信号ノード識別情報ＳＮ−Ａ−２３を使ってアイデンティティ・レジスタＩＲにより暗号化されるので、信号ノードＳＮによる適切な解読が対応する信号ノード・アイデンティティＳＮ−Ａ−２１の所有を証明することになる。もう１つの有効性検証ポイントとして、アイデンティティ・レジスタＩＲは、例えばアイデンティティ表現ＩＤ−Ａ−２とは異なるチャネルを通じて、検証可能なアイデンティティ特性ＩＤ−Ａ−１を受信する。アイデンティティ特性ＩＤ−Ａ−１は、信号ノードＳＮの場合、例えば購入の証明で、例えば信号ノード・ハウジングで物理的に印刷されるか、または信号ノード・ベンダＳＮＶにより信号ノード・オペレーティングエンティティＳＮＯＥに与えられるコードであってもよく、または好ましくは、図４１Ａに示されるように、すでに信頼されているパーティによる、例えばアイデンティティ・レジスタＩＲによってすでに信頼されている信号ノード・ベンダＳＮＶによる確認であってもよい。
【０４８１】
検証が成功したら、アイデンティティ・レジスタ識別情報生成手段ＩＲ−Ａ−６を採用して識別情報、例えば公開キーを有するデジタル証明書、この例では信号ノード識別情報ＳＮ−Ａ−２３を生成し、デジタル証明書を要求するエンティティ、ここでは信号ノードＳＮに伝送する。信号ノードＳＮがその種々の層または目的のために個別のアイデンティティおよび識別情報、例えば、信号ノード・アイデンティティ、信号ノード注入トランスポート・アイデンティティおよび信号ノード・ネットワーク・アイデンティティを維持する好適な実施形態では、信号ノードＳＮはすべての識別情報を検証させ、関連公開鍵を署名するデジタル証明書を生成させることを、アイデンティティ・レジスタに複数回要求しなければならない。
【０４８２】
上記は信号ノードＳＮのデジタル証明書の特定の生成の実施形態の例示であるが、例えば、信号通信システムＳＣＳに関係するクライアント・ノードＣＮ、分配システムＤＳ、カタログシステムＣＳならびに様々なオペレーティングエンティティおよびベンダ等について、生成された識別情報を取得するために、信号通信システムの他のエンティティにも同じ機能が適用されることが好ましい。
【０４８３】
図４１Ｂは、エンティティがどのようにアイデンティティ・レジスタを使って別のエンティティの識別情報の有効性を検証できるかを示す。この例では、セットアップフェーズ中、信号ノードＳＮはその信号ノード識別情報伝送手段ＳＮ−Ａ−２４を使って、その信号ノード識別情報ＳＮ−Ａ−２３をクライアント・ノードＣＮに伝送する。信号ノード識別情報ＳＮ−Ａ−２３は、例えばアイデンティティ・レジスタＩＲによって署名され、信号ノード・アイデンティティＳＮ−Ａ−２１である秘密鍵に関連付けられている公開鍵を備えるデジタル証明書とすることができる。
【０４８４】
クライアント・ノードＣＮは、図４０を参照して上記で説明した信号ノード識別情報ＳＮ−Ａ−２３を格納して、例えば、信号ノードＳＮから発信したと想定される受信信号（例、測定値）の真正性の有効性を検証することを促進するか、ならびに／または、例えば、クライアント・ノードＣＮが信号ノードＳＮに通信しようとする信号（例、制御信号）の完全性保護および暗号化を行うことを促進するべきである。
【０４８５】
しかし、前述した目的のために受信した信号ノード識別情報ＳＮ−Ａ−２３に依拠する前に、クライアント・ノードＣＮは受信したものが本当に意図される信号ノードＳＮの識別情報であることを検証するべきである。このために、クライアント・ノードＣＮはクライアント・ノード信号ノード・アイデンティティ検証手段ＣＮ−Ａ−２６を有する。図４１に図示する実施形態では、クライアント・ノード信号ノード・アイデンティティ検証手段ＣＮ−Ａ−２６は、アイデンティティ検証用信号通信システム・エンティティＩＶ−Ａ−１の能力で、受信した信号ノード識別情報ＳＮ−Ａ−２３またはその当該部分をアイデンティティ・レジスタＩＲに送信することに関わる。アイデンティティ・レジスタＩＲはアイデンティティ・レジスタ識別情報有効性検証手段ＩＲ−Ａ−４を行って、信号ノード識別情報ＳＮ−Ａ−２３の有効性を確認または拒否し、その結果をクライアント・ノードのクライアント・ノード信号ノード・アイデンティティ検証手段ＣＮ−Ａ−２６に戻す。その結果に基づいて、クライアント・ノードＣＮは特定の信号ノード・アイデンティティＳＮ−Ａ−２３を信頼して使用するかどうかを決める。
【０４８６】
アイデンティティ・レジスタ識別情報有効性検証手段ＩＲ−Ａ−４は、例えば、失効リスト内のアイデンティティを探索すること、例えば、証明書失効リスト（ＣＲＬ）内のデジタル証明書を探索すること、証明書の署名、例えばアイデンティティ・レジスタ自体または別の認証局の署名を検証すること、識別情報のハッシュまたはチェックサムを図３９によるアイデンティティ・レジスタＩＲ自体に格納されているバージョンと比較すること、等に関わる。完全な信号ノード識別情報ＳＮ−Ａ−２３をアイデンティティ・レジスタＩＲに伝送する代わりに、様々な実施形態において、識別情報の署名を使ってアイデンティティ・レジスタＩＲにチャレンジメッセージを送信し、署名を証明するか、および／またはアイデンティティ・レジスタＩＲの識別情報のハッシュもしくはチェックサムまたはその一部を送信して、それ自体のバージョンと比較すれば十分である。
【０４８７】
上記で説明した信号ノードＳＮのデジタル証明書の特定の生成の有効性を検証する実施形態は、好ましくは、それに応じて、受信した別のエンティティの識別情報の有効性を検証しなければならない、例えば信号通信システムＳＣＳに関係する信号ノードＳＮ、クライアント・ノードＣＮ、分配システムＤＳ、カタログシステムＣＳならびに様々なオペレーティングエンティティおよびベンダ等の間で識別情報の有効性を検証する任意の信号通信システム・エンティティに適用される。
【０４８８】
一実施形態において、ハイブリッド分配アイデンティティ・ノードＨＹ−Ａ−６は、分配システムＤＳ部およびアイデンティティ・レジスタＩＲ部を備えるように構成される物理デバイスまたはサーバのハードウェア構造もしくはソフトウェア構造である。
【０４８９】
一実施形態において、ハイブリッド分配カタログ・アイデンティティ・ノードＨＹ−Ａ−７は、分配システムＤＳ部、カタログシステムＣＳ部、およびアイデンティティ・レジスタＩＲ部を備えるように構成された物理デバイスまたはサーバのハードウェア構造もしくはソフトウェア構造とすることができ、それにより本発明による信号通信システムの実施形態の管理制御部全体を提供する。
【０４９０】
暗号
アプリケーション層の信号表現手段のセットＳＮ−Ａ−４０、ＳＮ−Ａ−３９、ＣＮ−Ａ−２５、ＣＮ−Ａ−２４、信号ノードと分配システムとの間のトランスポート層の注入トランスポート表現手段のセットＳＮ−Ｔ−９、ＳＮ−Ｔ−８、ＤＳ−Ｔ−２５、ＤＳ−Ｔ−２４、およびクライアント・ノードと分配システムとの間のトランスポート層の分配トランスポート表現手段のセットＣＮ−Ｔ−８、ＣＮ−Ｔ−７、ＤＳ−Ｔ−１８、ＤＳ−Ｔ−１７は、有利なことに信号ノードからクライアント・ノードに信号の暗号または符号化の少なくとも２つの層を得るためにすべて異なることが好ましく、異なる層は異なるノードにとって読み取り可能である。２つの異なる手段が少なくとも異なるパラメータ、例えば異なる暗号鍵を有するという意味で、手段が異なることが好ましい。例えば、一方の層に対称性暗号化を使用し、他方に非対称性暗号化を使用して、２つの層に異なる非対称性暗号化アルゴリズムを使用して等、異なる暗号手段もまた適用してもよい。異なる表現手段を互いに全く独立して適用することが好ましく、それによりシステムの適応性および互換性の追加のために、全く異なるサービスプロバイダによって提供することができる。さらに、フレキシビリティの向上と、異なるピア構成、異なる信頼サービスプロバイダへの適合性、等のために、異なるノードをそれぞれ当該表現手段を複数サポートするように構成することができる。例えば、分配システムＤＳは、異なる構成の信号ノードのために多数の異なるタイプの注入トランスポート表現手段と、異なる構成のクライアント・ノードのために多数の異なるタイプの分配トランスポート表現手段とをサポートすることができる。同様に、信号ノードＳＮおよびクライアント・ノードＣＮまたは信号ノードＳＮもしくはクライアント・ノードＣＮは、クライアント・ノードＣＮおよび信号ノードＳＮまたはクライアント・ノードＣＮもしくは信号ノードＳＮの異なる構成で使用するために、多数の異なるタイプの信号表現手段をサポートすることができる。複数の異なるタイプの手段をサポートする代わりに、ノードは同じ手段に異なる種類の表現特性を使用することを促進し、それによって異なる表現の確立を実現することもできる。ノードは、好ましくは、その表現手段に対応する解釈手段、または少なくともそのピアの表現手段に対応する解釈手段をサポートするべきである。
【０４９１】
様々な有利な実施形態において、信号ノードＳＮは、例えば暗号化および認証などのセキュリティアルゴリズムを最適かつセキュアに実行するために、専用のセキュリティチップまたは他の統合セキュリティハードウェアもしくはスタンドアローンのセキュリティハードウェアを備える。好適な実施形態では、セキュリティハードウェアは、信号ノード信号表現手段ＳＮ−Ａ−４０および信号ノード注入トランスポート表現手段ＳＮ−Ｔ−９に従ってメイン処理を管理し、これは好ましくは、例えば非対称性暗号システム、例えばＲＳＡ、楕円曲線暗号（ECC:Elliptic Curve Cryptography）など、または対称性暗号システム、例えばＡＥＳ、３ＤＥＳ、ＲＣ４、ＳＨＡなどに従って、暗号プロセスを伴う。同様に、クライアント・ノードＣＮ、分配システムＤＳ、カタログシステムＣＳ等は、暗号関連機能の少なくとも一部を行うために、専用のセキュリティハードウェアを備えることができる。代替実施形態において、セキュリティ機能およびアルゴリズムは汎用プロセッサ、例えば信号ノードを作動させるマイクロプロセッサまたは中央処理装置に実装する。いくつかの実施形態では、汎用プロセッサおよび専用のセキュリティハードウェアは、システム・オン・チップＳｏＣまたは同様な埋め込み構成に埋め込まれる。
【０４９２】
様々な有利な実施形態において、例えば、図１８に示す実施形態のように、信号ノード注入トランスポート表現手段ＳＮ−Ｔ−９および分配システム注入トランスポート表現解釈手段ＤＳ−Ｔ−２４は、例えば信号ノードＳＮと分配システムＤＳとの間でのＲＳＡまたはＥＣＣ公開鍵のやり取りに基づくことができ、インターネット接続機器およびソフトウェアプラットフォームによって広くサポートされているトランスポート層セキュリティ（ＴＬＳ）プロトコルに従って行う。信号ノードＳＮおよび分配システムＤＳは、それにより、暗号化、解読、認証、完全性保護等のために、それぞれの秘密鍵と他方パーティの公開鍵を使用して、セキュアなトランスポート・チャネル、注入トランスポート・チャネルＩＴ−Ｔ−１を確立することができる。逆の信号方向、すなわち、分配システムＤＳから信号ノードＳＮ、および分配システムＤＳとクライアント・ノードＣＮとの間のトランスポート層通信についても同じことが適用される。
【０４９３】
例えば、図１８に示す実施形態のように、信号ノード信号表現手段ＳＮ−Ａ−４０およびクライアント・ノード信号表現解釈手段ＣＮ−Ａ−２４は、例えば、好適な実施形態では、信号ノードＳＮとクライアント・ノードＣＮとの間で共有される対称キーに基づくことができ、それにより信号ＳＧは信号ノードＳＮによって共有キーを用いて暗号化され、クライアント・ノードＣＮによって共有キーを用いて解読される。分配システムＤＳは信号ノードＳＮとクライアント・ノードＣＮとの間でのみ共有される共有キーを有していないため、信号のトランスポートは信号ノードＳＮとクライアント・ノードＣＮとの間での露出に対して保護される。初期化中に共有キー自体をやり取りするために、信号ノードＳＮおよびクライアント・ノードＣＮは、場合によっては信号ノードＳＮおよびクライアント・ノードＣＮがそれぞれ識別情報のために使用したのと同じアルゴリズムおよびキーに基づいて、または個別のキーセットに基づいて、非対称性暗号法を使用することができる。
【０４９４】
注入トランスポート表現および信号表現の異なる暗号化または符号化を確立するために、すなわち、注入トランスポート表現手段および信号表現手段が符号化および暗号特徴に関して異なることを実現するために、既知もしくは将来の暗号または符号化手法に基づくいくつかの代替物が、当業者に利用できる。
【０４９５】
例えば上記で説明したように、いくつかの例示的な実施形態では、アプリケーション層の信号表現手段ＳＮ−Ａ−４０、ＳＮ−Ａ−３９、ＣＮ−Ａ−２５、ＣＮ−Ａ−２４は、有利なことに、共有キーに基づく対称性暗号化を利用することができる。２つ以上のクライアント・ノードＣＮが同じ信号ＳＧにサブスクライブする場合、一実施形態において、クライアント・ノードＣＮには同じ共有キーが供給されて、信号ノードＳＮのみが１つの共有キーを使って１つの信号表現を作らなければならず、その信号表現をこの共有キーを有するすべてのクライアント・ノードＣＮが解読することができるようにする。共有キーの折衝または受信のためにクライアント・ノードＣＮと信号ノードＣＮとの間に必要な通信は、有利なことに、分配システムＤＳを含む中間ネットワークデバイスのいずれも共有キーを取得することができないように非対称に暗号化されたチャネルによって保護することができ、または一実施形態において、例えば人の対話、電気通信メッセージ、キャリア分配等に関わる、全く異なる通信チャネルによって共有することができる。好適な実施形態では、特定の共有キーが多数のクライアント・ノードＣＮに存在する可能性、前の加入者によって消去されない可能性、またはさらにクライアント・ノードＣＮから漏洩もしくは盗難される可能性は、それ自体ですぐに信号通信システムＳＣＳを危殆化するものではない。分配システムＤＳは、分配トランスポート表現ＤＴ−Ｔ−２のみが現在有効な分配システム信号表現切り替えパラメータ記録ＤＳ−Ｔ−３５とともに、好ましくは、少なくともパラメータに関して各クライアント・ノードＣＮについて個別の分配トランスポート表現手段ＣＮ−Ｔ−８、ＣＮ−Ｔ−７、ＤＳ−Ｔ−１８、ＤＳ−Ｔ−１７に従い、好ましくは、個々のクライアント・ノード分配トランスポート識別情報ＣＮ−Ｔ−３に基づく非対称性暗号化に基づいて、クライアント・ノードＣＮに伝送されるように、信号の分配を管理するからである。危殆化された共有キーが危殆化された信号通信システムになるリスクを軽減するために、共有キーは、有利なことに、定期的に、例えば定期的な間隔で、またはクライアント・ノードＣＮが信号チャネルからサブスクライブもしくはサブスクライブ解除する度に、変更することができる。好適な環境では、分配システムＤＳは各クライアント・ノードＣＮに関連付けられている個々の鍵ペアを保持して、どのクライアント・ノードＣＮも、異なるクライアント・ノードに意図されるメッセージを解読できないように、信号ノードＣＮの暗号化された内容をエンベロープする（envelope）。
【０４９６】
【表１−１】
0006901624.tif 000002
【０４９７】
【表１−２】
0006901624.tif 000003
【０４９８】
【表１−３】
0006901624.tif 000004
【０４９９】
【表１−４】
0006901624.tif 000005
【０５００】
【表１−５】
0006901624.tif 000006
【０５０１】
【表１−６】
0006901624.tif 000007
【０５０２】
【表１−７】
0006901624.tif 000008
【０５０３】
【表１−８】
0006901624.tif 000009
【０５０４】
【表１−９】
0006901624.tif 000010
【０５０５】
【表１−１０】
0006901624.tif 000011
【０５０６】
【表１−１１】
0006901624.tif 000012
【図１】
0006901624.tif 000013
【図２ａ】
0006901624.tif 000014
【図２ｂ】
0006901624.tif 000015
【図２ｃ】
0006901624.tif 000016
【図３】
0006901624.tif 000017
【図４ａ】
0006901624.tif 000018
【図４ｂ】
0006901624.tif 000019
【図５】
0006901624.tif 000020
【図６】
0006901624.tif 000021
【図７】
0006901624.tif 000022
【図８ａ】
0006901624.tif 000023
【図８ｂ】
0006901624.tif 000024
【図８ｃ】
0006901624.tif 000025
【図９ａ】
0006901624.tif 000026
【図９ｂ】
0006901624.tif 000027
【図１０】
0006901624.tif 000028
【図１１】
0006901624.tif 000029
【図１２】
0006901624.tif 000030
【図１３】
0006901624.tif 000031
【図１４】
0006901624.tif 000032
【図１５】
0006901624.tif 000033
【図１６】
0006901624.tif 000034
【図１７】
0006901624.tif 000035
【図１８】
0006901624.tif 000036
【図１９】
0006901624.tif 000037
【図２０】
0006901624.tif 000038
【図２１】
0006901624.tif 000039
【図２２】
0006901624.tif 000040
【図２３】
0006901624.tif 000041
【図２４】
0006901624.tif 000042
【図２５】
0006901624.tif 000043
【図２６】
0006901624.tif 000044
【図２７】
0006901624.tif 000045
【図２８】
0006901624.tif 000046
【図２９】
0006901624.tif 000047
【図３０】
0006901624.tif 000048
【図３１ａ】
0006901624.tif 000049
【図３１ｂ】
0006901624.tif 000050
【図３２】
0006901624.tif 000051
【図３３】
0006901624.tif 000052
【図３４】
0006901624.tif 000053
【図３５】
0006901624.tif 000054
【図３６】
0006901624.tif 000055
【図３７】
0006901624.tif 000056
【図３８】
0006901624.tif 000057
【図３９】
0006901624.tif 000058
【図４０】
0006901624.tif 000059
【図４１Ａ】
0006901624.tif 000060
【図４１Ｂ】
0006901624.tif 000061